(57)【要約】  コンピュータ処理的（演算的に）実施される方法およびシステムであって、シーンの一部である特定画像データについてのリクエストを取得するステップと、上記特定画像データについての上記リクエストを、２以上の画像センサを含み、かつ、リクエストされた上記特定画像データよりも大きい上記シーンを取り込むように構成された画像センサアレイに送信するステップと、上記画像センサアレイから上記特定画像データのみを受信するステップと、受信した上記特定画像データを少なくとも一つのリクエスタに送信するステップと、を含む。これらの構成に加えて、他の態様は、特許請求の範囲、図面、および明細書に記載されている。
2018502488.tif 000002
【特許請求の範囲】
【請求項１】
シーンの一部である特定画像データについてのリクエストを取得するモジュールと、
特定画像データについてのリクエストを、２以上の画像センサを含み、かつ、リクエストされた上記特定画像データよりも大きい上記シーンを取り込むように構成された画像センサアレイに送信するモジュールと、
上記画像センサアレイから特定画像データのみを受信するモジュールと、
受信した特定画像データを少なくとも一つのリクエスタに送信するモジュールと、を含む装置。
【請求項２】
シーンの一部である特定画像データについてのリクエストを取得する上記モジュールは、
シーンの一部であり、かつ１以上の画像を含む特定画像データについてのリクエストを取得するモジュールを含む、請求項１に記載の装置。
【請求項３】
シーンの一部である特定画像データについてのリクエストを取得する上記モジュールは、
シーンの一部である特定画像データについてのリクエストを受信するモジュールを含む、請求項１に記載の装置。
【請求項４】
シーンの一部である特定画像データについてのリクエストを受信する上記モジュールは、
シーンの一部である特定画像データについてのリクエストをクライアント装置から受信するモジュールを含む、請求項３に記載の装置。
【請求項５】
シーンの一部である特定画像データについてのリクエストをクライアント装置から受信する上記モジュールは、
上記シーンの一部である特定画像データについての上記リクエストを、上記シーンの少なくとも一部を表示するように構成されたクライアント装置から受信するモジュールを含む、請求項４に記載の装置。
【請求項６】
シーンの一部である特定画像データについてのリクエストをクライアント装置から受信する上記モジュールは、
上記シーンの一部である特定画像データについての上記リクエストを、上記シーンの少なくとも一部をビューファインダーに表示するように構成されたクライアント装置から受信するモジュールを含む、請求項５に記載の装置。
【請求項７】
シーンの一部である特定画像データについてのリクエストをクライアント装置から受信する上記モジュールは、
シーンの一部である特定画像データについての上記リクエストを、特定画像の選択を得るように構成されたクライアント装置から受信するモジュールを含む、請求項４に記載の装置。
【請求項８】
シーンの一部である特定画像データについての上記リクエストを、特定画像の選択を得るように構成されたクライアント装置から受信する上記モジュールは、
シーンの一部である特定画像データについての上記リクエストを、上記シーンのビューに基づく特定画像の選択を得るように構成されたクライアント装置から受信するモジュールを含む、請求項７に記載の装置。
【請求項９】
シーンの一部である特定画像データについての上記リクエストを、特定画像の選択を得るように構成されたクライアント装置から受信する上記モジュールは、
シーンの一部である特定画像データについてのリクエストを、特定画像のシーンに基づく選択を受信するように構成された１以上の各種装置から受信するモジュールを含み、
上記１以上の各種装置は、スマートフォン、テレビ、コンピュータ・スクリーン、タブレット、カメラ、家電、および拡張現実装置のうちの１以上を含む、請求項７に記載の装置。
【請求項１０】
シーンの一部である特定画像データについてのリクエストを取得する上記モジュールは、
シーンの一部である特定画像データについてのリクエストを取得するモジュールを含み、
上記シーンは、２以上の画像センサで構成された上記アレイにより収集された画像データを含む、請求項１に記載の装置。
【請求項１１】
シーンの一部である特定画像データについてのリクエストを取得する上記モジュールは、
特定シーンの一部である特定画像データについてのリクエストを取得するモジュールを含み、
リクエストされた上記特定シーンは、２以上の画像センサで構成された上記アレイにより収集された上記画像データの表示である、請求項１に記載の装置。
【請求項１２】
特定シーンの一部である特定画像データについてのリクエストを取得する上記モジュールは、
特定シーンの一部である特定画像データについてのリクエストを取得するモジュールを含み、
リクエストされた上記特定シーンは、２以上の画像センサで構成された上記アレイにより収集された上記画像データのサンプリングである、請求項１１に記載の装置。
【請求項１３】
特定シーンの一部である特定画像データについてのリクエストを取得する上記モジュールは、
特定シーンの一部である特定画像データについてのリクエストを取得するモジュールを含み、
リクエストされた上記特定シーンは、２以上の画像センサで構成された上記アレイにより収集された上記画像データのサブセットである、請求項１１に記載の装置。
【請求項１４】
特定シーンの一部である特定画像データについてのリクエストを取得する上記モジュールは、
特定シーンの一部である特定画像データについてのリクエストを取得するモジュールを含み、
リクエストされた上記特定シーンは、２以上の画像センサで構成された上記アレイにより収集された上記画像データの低解像度バージョンである、請求項１１に記載の装置。
【請求項１５】
シーンの一部である特定画像データについてのリクエストを取得する上記モジュールは、
フットボールゲームに係るシーンの一部である特定画像データについてのリクエストを取得するモジュールを含む、請求項１に記載の装置。
【請求項１６】
シーンの一部である特定画像データについてのリクエストを取得する上記モジュールは、
あるエリアのストリートビューに係るシーンの一部である特定画像データについてのリクエストを取得するモジュールを含む、請求項１に記載の装置。
【請求項１７】
シーンの一部である特定画像データについてのリクエストを取得する上記モジュールは、
観光目的地に係るシーンの一部である特定画像データについてのリクエストを取得するモジュールを含む、請求項１に記載の装置。
【請求項１８】
シーンの一部である特定画像データについてのリクエストを取得する上記モジュールは、
家の中に係るシーンの一部である特定画像データについてのリクエストを取得するモジュールを含む、請求項１に記載の装置。
【請求項１９】
シーンの一部である特定画像データについてのリクエストを取得する上記モジュールは、
特定画像データについてのリクエストを取得するモジュールを含み、
上記特定画像データは、上記シーンの一部の画像である、請求項１に記載の装置。
【請求項２０】
上記シーンの一部の画像である特定画像データについてのリクエストを取得する上記モジュールは、
上記シーンの特定画像データについてのリクエストを取得するモジュールを含み、
上記特定画像データは特定のフットボールプレーヤーの画像データを含み、かつ、上記シーンはフットボールフィールドである、請求項１９に記載の装置。
【発明の詳細な説明】
【発明の詳細な説明】
【０００１】
優先権主張出願、関連する出願、それらの任意かつ全ての親出願、それら親出願の親出願、さらにそれら親出願の親出願の親出願等（任意の優先権主張を含む出願）の全ての主題は、当該主題と本明細書との矛盾が生じない範囲で、参照によって本明細書に組み込まれる。
【０００２】
［背景］
本願は、複数のユーザに対処することが可能であり、自身が取得したデータよりも少量のデータを送信できるビデオ画像アレイに関する。
【０００３】
［要約］
１以上の態様において、ある方法は図面に示された事項を含むが、当該事項に限定されない。上述の事項に加えて、他の方法の態様は、特許請求の範囲、図面、および本明細書に開示された事項の一部を形成する文章によって説明されている。
【０００４】
１以上の態様において、ある方法は、（１）シーンの一部である特定画像データについてのリクエストを取得するステップと、（２）上記特定画像データについての上記リクエストを、２以上の画像センサを含み、かつ、リクエストされた上記特定画像データよりも大きい上記シーンを取り込むように構成された画像センサアレイに送信するステップと、（３）上記画像センサアレイから上記特定画像データのみを受信するステップと、を含む。但し、当該方法は、これらのステップに限定されない。上述の事項に加えて、他の方法の態様は、特許請求の範囲、図面、および本明細書に開示された事項の一部を形成する文章によって説明されている。
【０００５】
１以上の態様において、１以上の関連するシステムは、機械、組成物、またはシステムの生産品であってよく、35 U.S.C. 101に基づく特許可能な主題に限定されてよい。１以上の関連するシステムは、本明細書において言及される方法の態様を実行するための回路および／またはプログラミングを含んでいてもよい。但し、当該システムは、回路および／またはプログラミングに限定されない。回路および／またはプログラミングは、システム設計者の設計上の選択肢に応じて、本明細書において言及される方法の態様を実現するように構成された、ハードウェア、ソフトウェア、および／またはファームウェアの実質的な任意の組み合わせであってよい。当該回路および／またはプログラミングは、35 U.S.C. 101に基づく特許可能な主題に限定されてよい。
【０００６】
１以上の態様において、あるシステムは、（１）シーンの一部である特定画像データについてのリクエストを取得するための手段と、（２）上記特定画像データについての上記リクエストを、２以上の画像センサを含み、かつ、リクエストされた上記特定画像データよりも大きい上記シーンを取り込むように構成された画像センサアレイに送信するための手段と、（３）上記画像センサアレイから上記特定画像データのみを受信するための手段と、を含む。但し、当該システムは、これらの手段に限定されない。上述の事項に加えて、他のシステムの態様は、特許請求の範囲、図面、および本明細書に開示された事項の一部を形成する文章によって説明されている。
【０００７】
１以上の態様において、あるシステムは、（１）シーンの一部である特定画像データについてのリクエストを取得するための回路と、（２）上記特定画像データについての上記リクエストを、２以上の画像センサを含み、かつ、リクエストされた上記特定画像データよりも大きい上記シーンを取り込むように構成された画像センサアレイに送信するための回路と、（３）上記画像センサアレイから上記特定画像データのみを受信するための回路と、を含む。但し、当該システムは、これらの回路に限定されない。上述の事項に加えて、他のシステムの態様は、特許請求の範囲、図面、および本明細書に開示された事項の一部を形成する文章によって説明されている。
【０００８】
１以上の態様において、あるコンピュータプログラム製品は、信号担持媒体を含む。当該信号担持媒体は、（１）シーンの一部である特定画像データについてのリクエストを取得するための１以上の指令と、（２）上記特定画像データについての上記リクエストを、２以上の画像センサを含み、かつ、リクエストされた上記特定画像データよりも大きい上記シーンを取り込むように構成された画像センサアレイに送信するための１以上の指令と、（３）上記画像センサアレイから上記特定画像データのみを受信するための１以上の指令と、を担持する。但し、当該信号担持媒体は、これらの指令に限定されない。上述の事項に加えて、他のコンピュータプログラム製品の態様は、特許請求の範囲、図面、および本明細書に開示された事項の一部を形成する文章によって説明されている。
【０００９】
１以上の態様において、ある装置は、計算言語によって規定されている。当該装置は、（１）シーンの一部である特定画像データについてのリクエストを取得するように指令を受けた１以上の相互に接続された物理マシンと、（２）上記特定画像データについての上記リクエストを、２以上の画像センサを含み、かつ、リクエストされた上記特定画像データよりも大きい上記シーンを取り込むように構成された画像センサアレイに送信するように指令を受けた１以上の相互に接続された物理マシンと、（３）上記画像センサアレイから上記特定画像データのみを受信するように指令を受けた１以上の相互に接続された物理マシンと、を含む。
【００１０】
上述の事項に加えて、様々な他の方法および／またはシステムおよび／またはプログラム製品の態様は、例えば、本開示の文章（例：特許請求の範囲および／または詳細な説明）および／または図面の教示によって説明されている。
【００１１】
上述の事項は概要であり、それゆえ詳細を単純化、一般化、包括化、および／または省略した事項を含みうる。その結果、当業者であれば、上記概要は例示的なものにすぎず、何らかの限定を意図したものではないことを理解できるであろう。本明細書に記載されている装置および／または処理および／または他の手段についての、他の態様、構成、および効果は、詳細な説明、対応する図面、および／または本明細書に開示されている教示を参照することにより、明確になるであろう。
【００１２】
［図面の簡単な説明］
各実施形態をより十分に理解するために、添付の図面とともに、以下の説明を参照する。異なる図面における同一の記号の使用は、文脈によってその限りでないと明記されない限り、同様または同一の項目を全般的に示す。詳細な説明、図面、および特許請求の範囲において説明された例示的な実施形態は、限定を意味するものではない。本明細書に示されている主題の精神または範囲から逸脱しなければ、他の実施形態が使用されてよく、他の変更がなされてもよい。
【００１３】
図１（図１−Ａから図１−ＡＮまでを含む）は、１以上の例示的な環境についてのハイレベル（高水準）システムの図を示す。当該環境では、１以上の実施形態に基づき、トランザクションおよび潜在的なトランザクションが実行されてよい。図１−Ａから図１−ＡＮまでが、図１−Ｄに示された方法（以下に表の形式として再現されている）によって一体に組み合わせられた場合、図１は、環境の概略図および／または本明細書に説明されている技術の実施例を部分的に形成する。
【００１４】
37 C.F.R. § 1.84(h)(2)に基づき、図１は、「図１−Ａから図１−ＡＮまで（シート１〜４０）の番号が付された複数のシートに亘って、部分図へと分離された、大型の機械または装置の全体の図」を示す。「２以上のシートフォームにおける図、実質的に単一の完結した図、（および）複数のシートにおける図」は、個別のシートに描画された部分図の端部同士が連結されることにより、完結した図が形成されるように配列されている。このため、以下の表に示されるように、図１では、図１−Ａから図１−ＡＮまでの部分図は、列方向では左から右に向かうにつれて番号が増加し、かつ、行方向では上から下に向かうにつれて番号が増加するように、アルファベット順に順番付けされている。
【００１５】
【表１】
2018502488.tif 000003
【００１６】
37 C.F.R. § 1.84(h)(2)に基づき、図１は、「図についての理解の容易性を損なうことなく、複数のシートに亘って、部分図へと分離された、大型の機械または装置の全体の図」である。上述の表に示された個別のシートに描画された部分図は、どの部分図も別の部分図の一部を含まないように、端部同士を連結することが可能である。このように、37 C.F.R. § 1.84(h)(2)に基づき、「２以上のシートフォームにおける図、実質的に単一の完結した図、（および）複数のシートにおける図」は、様々なシートに現れる任意の図の一部を隠すことなく、完結した図が形成されるように配列されてよい。
【００１７】
図面中の１以上の部分図は、空白であってもよいし、実体的な要素を欠いてもよい（例：線、連結部、矢などのみを示してよい）ことに留意されたい。これらの図面は、本願の読者が、ＵＳＰＴＯによって要求されている提出用の部分的なシートのフォーマットから、単一の完結した図を形成することを補助するために含まれている。但し、このような図を含めることは要求されていない。このような図を含めることは、全体としての開示された主題から取り除くことなく、本願または他の出願において省略されてもよい。このような図を含めることは、適切であるので、意図的なものとして考慮され取り扱われるべきである。
【００１８】
図１−Ａは、位置（１，１）に配置された場合に、本明細書に示された環境の概略図および／または技術の実施例の少なくとも一部を部分的に形成する。
【００１９】
図１−Ｂは、位置（１，２）に配置された場合に、本明細書に示された環境の概略図および／または技術の実施例の少なくとも一部を部分的に形成する。
【００２０】
図１−Ｃは、位置（１，３）に配置された場合に、本明細書に示された環境の概略図および／または技術の実施例の少なくとも一部を部分的に形成する。
【００２１】
図１−Ｄは、位置（１，４）に配置された場合に、本明細書に示された環境の概略図および／または技術の実施例の少なくとも一部を部分的に形成する。
【００２２】
図１−Ｅは、位置（１，５）に配置された場合に、本明細書に示された環境の概略図および／または技術の実施例の少なくとも一部を部分的に形成する。
【００２３】
図１−Ｆは、位置（１，６）に配置された場合に、本明細書に示された環境の概略図および／または技術の実施例の少なくとも一部を部分的に形成する。
【００２４】
図１−Ｇは、位置（１，７）に配置された場合に、本明細書に示された環境の概略図および／または技術の実施例の少なくとも一部を部分的に形成する。
【００２５】
図１−Ｈは、位置（１，８）に配置された場合に、本明細書に示された環境の概略図および／または技術の実施例の少なくとも一部を部分的に形成する。
【００２６】
図１−Ｉは、位置（１，９）に配置された場合に、本明細書に示された環境の概略図および／または技術の実施例の少なくとも一部を部分的に形成する。
【００２７】
図１−Ｊは、位置（１，１０）に配置された場合に、本明細書に示された環境の概略図および／または技術の実施例の少なくとも一部を部分的に形成する。
【００２８】
図１−Ｋは、位置（２，１）に配置された場合に、本明細書に示された環境の概略図および／または技術の実施例の少なくとも一部を部分的に形成する。
【００２９】
図１−Ｌは、位置（２，２）に配置された場合に、本明細書に示された環境の概略図および／または技術の実施例の少なくとも一部を部分的に形成する。
【００３０】
図１−Ｍは、位置（２，３）に配置された場合に、本明細書に示された環境の概略図および／または技術の実施例の少なくとも一部を部分的に形成する。
【００３１】
図１−Ｎは、位置（２，４）に配置された場合に、本明細書に示された環境の概略図および／または技術の実施例の少なくとも一部を部分的に形成する。
【００３２】
図１−Ｏ（図「１０」または「ten」との混同を避けるために書式が変更されている）は、位置（２，５）に配置された場合に、本明細書に示された環境の概略図および／または技術の実施例の少なくとも一部を部分的に形成する。
【００３３】
図１−Ｐは、位置（２，６）に配置された場合に、本明細書に示された環境の概略図および／または技術の実施例の少なくとも一部を部分的に形成する。
【００３４】
図１−Ｑは、位置（２，７）に配置された場合に、本明細書に示された環境の概略図および／または技術の実施例の少なくとも一部を部分的に形成する。
【００３５】
図１−Ｒは、位置（２，８）に配置された場合に、本明細書に示された環境の概略図および／または技術の実施例の少なくとも一部を部分的に形成する。
【００３６】
図１−Ｓは、位置（２，９）に配置された場合に、本明細書に示された環境の概略図および／または技術の実施例の少なくとも一部を部分的に形成する。
【００３７】
図１−Ｔは、位置（２，１０）に配置された場合に、本明細書に示された環境の概略図および／または技術の実施例の少なくとも一部を部分的に形成する。
【００３８】
図１−Ｕは、位置（３，１）に配置された場合に、本明細書に示された環境の概略図および／または技術の実施例の少なくとも一部を部分的に形成する。
【００３９】
図１−Ｖは、位置（３，２）に配置された場合に、本明細書に示された環境の概略図および／または技術の実施例の少なくとも一部を部分的に形成する。
【００４０】
図１−Ｗは、位置（３，３）に配置された場合に、本明細書に示された環境の概略図および／または技術の実施例の少なくとも一部を部分的に形成する。
【００４１】
図１−Ｘは、位置（３，４）に配置された場合に、本明細書に示された環境の概略図および／または技術の実施例の少なくとも一部を部分的に形成する。
【００４２】
図１−Ｙは、位置（３，５）に配置された場合に、本明細書に示された環境の概略図および／または技術の実施例の少なくとも一部を部分的に形成する。
【００４３】
図１−Ｚは、位置（３，６）に配置された場合に、本明細書に示された環境の概略図および／または技術の実施例の少なくとも一部を部分的に形成する。
【００４４】
図１−ＡＡは、位置（３，７）に配置された場合に、本明細書に示された環境の概略図および／または技術の実施例の少なくとも一部を部分的に形成する。
【００４５】
図１−ＡＢは、位置（３，８）に配置された場合に、本明細書に示された環境の概略図および／または技術の実施例の少なくとも一部を部分的に形成する。
【００４６】
図１−ＡＣは、位置（３，９）に配置された場合に、本明細書に示された環境の概略図および／または技術の実施例の少なくとも一部を部分的に形成する。
【００４７】
図１−ＡＤは、位置（３，１０）に配置された場合に、本明細書に示された環境の概略図および／または技術の実施例の少なくとも一部を部分的に形成する。
【００４８】
図１−ＡＥは、位置（４，１）に配置された場合に、本明細書に示された環境の概略図および／または技術の実施例の少なくとも一部を部分的に形成する。
【００４９】
図１−ＡＦは、位置（４，２）に配置された場合に、本明細書に示された環境の概略図および／または技術の実施例の少なくとも一部を部分的に形成する。
【００５０】
図１−ＡＧは、位置（４，３）に配置された場合に、本明細書に示された環境の概略図および／または技術の実施例の少なくとも一部を部分的に形成する。
【００５１】
図１−ＡＨは、位置（４，４）に配置された場合に、本明細書に示された環境の概略図および／または技術の実施例の少なくとも一部を部分的に形成する。
【００５２】
図１−ＡＩは、位置（４，５）に配置された場合に、本明細書に示された環境の概略図および／または技術の実施例の少なくとも一部を部分的に形成する。
【００５３】
図１−ＡＪは、位置（４，６）に配置された場合に、本明細書に示された環境の概略図および／または技術の実施例の少なくとも一部を部分的に形成する。
【００５４】
図１−ＡＫは、位置（４，７）に配置された場合に、本明細書に示された環境の概略図および／または技術の実施例の少なくとも一部を部分的に形成する。
【００５５】
図１−ＡＬは、位置（４，８）に配置された場合に、本明細書に示された環境の概略図および／または技術の実施例の少なくとも一部を部分的に形成する。
【００５６】
図１−ＡＭは、位置（４，９）に配置された場合に、本明細書に示された環境の概略図および／または技術の実施例の少なくとも一部を部分的に形成する。
【００５７】
図１−ＡＮは、位置（４，１０）に配置された場合に、本明細書に示された環境の概略図および／または技術の実施例の少なくとも一部を部分的に形成する。
【００５８】
図２Ａは、１以上の実施形態に係る、画像装置２２０を含む例示的な環境２００のハイレベルブロック図を示す。
【００５９】
図２Ｂは、１以上の実施形態に係る、例示的な環境２００において動作する演算装置（例：サーバ装置２３０）のハイレベルブロック図を示す。
【００６０】
図３Ａは、複数の実施形態に係る、例示的な環境３００Ａにおける装置２２０Ａの例示的な動作のハイレベルブロック図を示す。
【００６１】
図３Ｂは、複数の実施形態に係る、例示的な環境３００Ｂにおける装置２２０Ｂの例示的な動作のハイレベルブロック図を示す。
【００６２】
図３Ｃは、複数の実施形態に係る、例示的な環境３００Ｃにおける装置２２０Ｃの例示的な動作のハイレベルブロック図を示す。
【００６３】
図４Ａは、複数の実施形態に係る、例示的な環境４００Ａにおける画像装置４２０の例示的な動作のハイレベルブロック図を示す。
【００６４】
図４Ｂは、複数の実施形態に係る、例示的な環境４００Ｂにおける画像装置４２０Ｂの例示的な動作のハイレベルブロック図を示す。
【００６５】
図５Ａは、複数の実施形態に係る、例示的な環境５００Ａにおけるサーバ装置５３０Ａの例示的な動作のハイレベルブロック図を示す。
【００６６】
図５Ｂは、複数の実施形態に係る、例示的な環境５００Ｂにおけるサーバ装置５３０Ｂの例示的な動作のハイレベルブロック図を示す。
【００６７】
図６は、図６Ａ〜図６Ｇを含んでおり、一実施形態に係る、図２Ｂのサーバ装置２３０の処理モジュール２５０の、シーンの一部である特定画像データについてのリクエストを取得するモジュール２５２の特定の大局を示す。
【００６８】
図７は、図７Ａ〜図７Ｅを含んでおり、一実施形態に係る、図２Ｂのサーバ装置２３０の処理モジュール２５０の、特定画像データについてのリクエストを画像センサアレイに送信するモジュール２５４の特定の大局を示す。
【００６９】
図８は、図８Ａ〜図８Ｃを含んでおり、一実施形態に係る、図２Ｂのサーバ装置２３０の処理モジュール２５０の、画像センサアレイ発特定画像データ専用受信モジュール２５６の特定の大局を示す。
【００７０】
図９は、図９Ａ〜図９Ｅを含んでおり、一実施形態に係る、図２Ｂのサーバ装置２３０の処理モジュール２５０の、受信した特定画像データを少なくとも１つのリクエスタに送信するモジュール２５８の特定の大局を示す。
【００７１】
図１０は、一実施形態に係る、（１）シーンの一部である特定画像データについてのリクエストを取得する動作と、（２）特定画像データについてのリクエストを画像センサアレイに送信する動作と、（３）画像センサアレイから特定画像データのみを受信する動作と、（４）受信した特定画像データを少なくとも一つのリクエスタに送信する動作と、のうちの１以上の動作を含んだ処理のハイレベルロジックフローチャート（例：動作フロー１０００）である。
【００７２】
図１１Ａは、１以上の実施形態に係る、シーンの一部である特定画像データについてのリクエストを取得する動作１００２の代替的な実施例を示す処理のハイレベルロジックフローチャートである。
【００７３】
図１１Ｂは、１以上の実施形態に係る、シーンの一部である特定画像データについてのリクエストを取得する動作１００２の代替的な実施例を示す処理のハイレベルロジックフローチャートである。
【００７４】
図１１Ｃは、１以上の実施形態に係る、シーンの一部である特定画像データについてのリクエストを取得する動作１００２の代替的な実施例を示す処理のハイレベルロジックフローチャートである。
【００７５】
図１１Ｄは、１以上の実施形態に係る、シーンの一部である特定画像データについてのリクエストを取得する動作１００２の代替的な実施例を示す処理のハイレベルロジックフローチャートである。
【００７６】
図１１Ｅは、１以上の実施形態に係る、シーンの一部である特定画像データについてのリクエストを取得する動作１００２の代替的な実施例を示す処理のハイレベルロジックフローチャートである。
【００７７】
図１１Ｆは、１以上の実施形態に係る、シーンの一部である特定画像データについてのリクエストを取得する動作１００２の代替的な実施例を示す処理のハイレベルロジックフローチャートである。
【００７８】
図１１Ｇは、１以上の実施形態に係る、シーンの一部である特定画像データについてのリクエストを取得する動作１００２の代替的な実施例を示す処理のハイレベルロジックフローチャートである。
【００７９】
図１２Ａは、１以上の実施形態に係る、特定画像データについてのリクエストを画像センサアレイに送信する動作１００４の代替的な実施例を示す処理のハイレベルロジックフローチャートである。
【００８０】
図１２Ｂは、１以上の実施形態に係る、特定画像データについてのリクエストを画像センサアレイに送信する動作１００４の代替的な実施例を示す処理のハイレベルロジックフローチャートである。
【００８１】
図１２Ｃは、１以上の実施形態に係る、特定画像データについてのリクエストを画像センサアレイに送信する動作１００４の代替的な実施例を示す処理のハイレベルロジックフローチャートである。
【００８２】
図１２Ｄは、１以上の実施形態に係る、特定画像データについてのリクエストを画像センサアレイに送信する動作１００４の代替的な実施例を示す処理のハイレベルロジックフローチャートである。
【００８３】
図１２Ｅは、１以上の実施形態に係る、特定画像データについてのリクエストを画像センサアレイに送信する動作１００４の代替的な実施例を示す処理のハイレベルロジックフローチャートである。
【００８４】
図１３Ａは、１以上の実施形態に係る、画像センサアレイから特定画像データのみを受信する動作１００６の代替的な実施例を示す処理のハイレベルロジックフローチャートである。
【００８５】
図１３Ｂは、１以上の実施形態に係る、画像センサアレイから特定画像データのみを受信する動作１００６の代替的な実施例を示す処理のハイレベルロジックフローチャートである。
【００８６】
図１３Ｃは、１以上の実施形態に係る、画像センサアレイから特定画像データのみを受信する動作１００６の代替的な実施例を示す処理のハイレベルロジックフローチャートである。
【００８７】
図１４Ａは、１以上の実施形態に係る、受信した特定画像データを少なくとも一つのリクエスタに送信する動作１００８の代替的な実施例を示す処理のハイレベルロジックフローチャートである。
【００８８】
図１４Ｂは、１以上の実施形態に係る、受信した特定画像データを少なくとも一つのリクエスタに送信する動作１００８の代替的な実施例を示す処理のハイレベルロジックフローチャートである。
【００８９】
図１４Ｃは、１以上の実施形態に係る、受信した特定画像データを少なくとも一つのリクエスタに送信する動作１００８の代替的な実施例を示す処理のハイレベルロジックフローチャートである。
【００９０】
図１４Ｄは、１以上の実施形態に係る、受信した特定画像データを少なくとも一つのリクエスタに送信する動作１００８の代替的な実施例を示す処理のハイレベルロジックフローチャートである。
【００９１】
図１４Ｅは、１以上の実施形態に係る、受信した特定画像データを少なくとも一つのリクエスタに送信する動作１００８の代替的な実施例を示す処理のハイレベルロジックフローチャートである。
【００９２】
［詳細な説明］
（概要）
以下の詳細な説明において、本明細書の一部を形成する添付の図面に対して参照がなされる。図面において、文脈によってその限りでないと明記されない限り、同様の記号は、同様または同一の部材または項目を全般的に示す。詳細な説明、図面、および特許請求の範囲において説明された例示的な実施形態は、限定を意味するものではない。本明細書に示されている主題の精神または範囲から逸脱しなければ、他の実施形態が使用されてよく、他の変更がなされてもよい。
【００９３】
従って、様々な実施形態に基づいて、コンピュータ処理的（演算的）に実施される方法、システム、回路、製造物、順序付けされた連鎖的な事物、およびコンピュータプログラム製品は、とりわけ、（１）シーンの一部である特定画像データについてのリクエストを取得し、（２）上記特定画像データについての上記リクエストを、２以上の画像センサを含み、かつ、リクエストされた上記特定画像データよりも大きい上記シーンを取り込むように構成された画像センサアレイに送信し、（３）上記画像センサアレイから上記特定画像データのみを受信するためのインタフェースを提供するように設計されている。
【００９４】
本願の特許請求の範囲、明細書、および図面では、動作的／機能的な文言（例：コンピュータによって実行可能な動作のセット）によって、１以上の例示的な技術が説明されている場合がある。多くの例におけるこのような動作的／機能的な記載は、特別構成のコンピュータとして当業者に理解されるであろう。例えば、汎用コンピュータは、プログラムソフトウェア（例：ハードウェア仕様書としての役割を果たすハイレベルコンピュータプログラム）からの指令に応じた特定の機能を実行するようにプログラムされると、実質的に特殊用途コンピュータとなるためである。
【００９５】
本願の特許請求の範囲、明細書、および図面では、動作的／機能的な文言（例：コンピュータによって実行可能な動作のセット）によって、１以上の例示的な技術が説明されている場合がある。多くの例におけるこのような動作的／機能的な記載は、特別構成のコンピュータとして当業者に理解されるであろう。例えば、汎用コンピュータは、プログラムソフトウェアからの指令に応じた特定の機能を実行するようにプログラムされると、実質的に特殊用途コンピュータとなるためである。
【００９６】
（動作的／機能的な文言は、物理的な実施の具体的な説明である）
本明細書において記載されている動作的／機能的な記載は、人間の精神によって理解可能である。しかし、これらの動作的／機能的な記載は、これらの動作／機能のコンピュータ処理的な実施から逸脱した、動作／機能の抽象的なアイデアではない。このことは重要である。むしろ、動作／機能は、大規模かつ複雑なコンピュータマシンまたは他の手段を特定するものである。以下に詳述するように、動作的／機能的な文言は、技術的に適切な文脈によって（つまり、物理的な実施の具体的な説明として）、読解される必要がある。
【００９７】
本明細書において記載されている論理的な（ロジック上の）動作／機能は、抽象化を行うことなしには理解し難い機械的な仕様を、人間の精神に理解し易くさせるために、当該動作／機能によって特定される機械的な仕様または他の物理的な機構を抽象化したものである。また、当該抽象化により、当業者は、技術についての動作的／機能的な記載を、特定のベンダーのハードウェア構成またはプラットフォームに限定せず、多くの異なる特定のベンダーのハードウェア構成またはプラットフォームに対して適用することが可能となる。
【００９８】
提示されている技術的な記載の一部（例：詳細な説明、図面、特許請求の範囲等）は、論理的な動作／機能についての用語によって開示されている。以下の各段落においてより詳細に説明される通り、論理的な動作／機能は、抽象的なアイデアを表現したものではなく、むしろ、様々なハードウェア要素の静的またはシーケンス化された仕様を表現したものである。別の言い方をすれば、文脈によってその限りでないと明記されない限り、論理的な動作／機能は、様々なハードウェア要素の静的またはシーケンス化された仕様を表現したものであると、当業者によって理解されるであろう。このことは、開示された技術を動作的／機能的なフォーマットによって実施するために、当業者に利用可能なツールについても当てはまる。ハイレベル（高水準）プログラミング言語（例：Ｃ、Ｊａｖａ（登録商標）、ｖｉｓｕａｌ  ｂａｓｉｃ等）の形態でのツール、または、超高速ハードウェア記述言語（論理回路を記述するためにテキストを用いる言語である「ＶＨＤＬ」）の形態でのツールは、様々なハードウェア要素の静的またはシーケンス化された仕様を生成するジェネレータである。この事実は、「ソフトウェア」という広義語によって判り難くなる場合がある。しかし、以下の説明に示されるように、当業者であれば、「ソフトウェア」と呼称されている事項は、順序付け事項要素の大規模かつ複雑な相互接続／仕様を省略した表現であると理解できる。「順序付け事項要素」（ordered-matter elements）という用語は、演算についての物理的な部材（例：電子工学的な論理ゲートのアセンブリ、分子コンピューティングのロジックの構成成分、量子コンピューティング機構等）を参照するものであってよい。
【００９９】
例えば、ハイレベルプログラミング言語は、強い抽象化を伴うプログラミング言語である。当該抽象化の例は、ハイレベルプログラミング言語が実際に特定するマシンのシーケンス的な組織化、状態、入力、出力等の詳細からの、複数レベルの抽象化である。人間の理解を容易化するため、多くの例において、ハイレベルプログラミング言語は、自然言語に類似しており、また、自然言語と符号を共有さえもする。
【０１００】
ハイレベルプログラミング言語は、強い抽象化を用いる（例：ハイレベルプログラミング言語は、自然言語に類似しており、また、自然言語と符号を共有する）ため、ハイレベルプログラミング言語は、「純粋な精神的な構成物」（purely mental construct）であると反論されてきた。例えば、ハイレベルの抽象化において、ソフトウェアは人間の精神によって着想および理解されるため、「ソフトウェア」（すなわち、コンピュータプログラムまたはコンピュータプログラミング）は、ともかくも、全くの精神的な構成物であると反論されてきた。この反論は、動作／機能の形態での技術的な説明が、ともかくも「抽象的なアイデア」であるとみなすために用いられてきた。実際のところ、技術的な分野（例：情報通信技術）では、このことは正しくない。
【０１０１】
人間の理解を助けるために、ハイレベルプログラミング言語が強い抽象化を用いているという事実は、表現されている事項が抽象的なアイデアであることを示しているものとして解釈されるべきではない。実際に、当業者であれば、これとは正反対の事項が正しいものと理解できる。ハイレベルプログラミング言語が、動作／機能の形態によって、技術的な開示を実施するためのツールである場合、当業者であれば、当該ツールは、（１）いかなる有意的かつ語義的な意味においても、抽象的、不正確、「あいまいな」（fuzzy）、および「精神的な」（mental）ものとはかけ離れており、その代わり、（２）特定の演算マシンの、理解しがたいほどに正確かつシーケンス的な仕様に近いものであることが理解できるであろう。当該仕様の一部は、一般的には、多くの汎用の演算マシンに由来する部分を、時間（例：クロック時間）の経過とともに、起動／選択することによって構築される。この事実は、ハイレベルプログラミング言語と自然言語との間の見かけ上の類似性によって、判り難くなる場合がある。また、プログラミング言語による実装は、多くの異なる演算マシンを生成／制御することにより、様々な作業を最終的に実行するという事実は、当該見かけ上の類似性によって覆い隠される場合がある。
【０１０２】
ハイレベルプログラミング言語が特定する多くの演算マシンは、殆ど想像しがたいほどに複雑である。要するに、演算マシンに用いられるハードウェアは、論理ゲートを形成するように配列された、複数のタイプの順序付けされた事項から成ることが一般的である。当該事項の例は、従来の電子デバイス（例：トランジスタ）、デオキシリボ核酸（ＤＮＡ）、量子デバイス、機械式スイッチ、光学部品、流体デバイス、空気圧デバイス、光学デバイス（例：光学干渉デバイス）、および分子等である。一般的に、論理ゲートは物理デバイスである。当該物理デバイスは、ブール論理（Boolean logic）の物理的な実態をもたらすために、物理状態を変化させるように、電気的、機械的、化学的、または他の方式によって駆動されてよい。
【０１０３】
論理ゲートは、論理回路を形成するように配列されてよい。一般的に、論理ゲートは、ある論理関数の物理的な実態をもたらすために、電気的、機械的、化学的、または他の方式によって駆動可能な物理デバイスである。論理回路のタイプは、マルチプレクサ、レジスタ、演算論理ユニット（ＡＬＵｓ）、コンピュータのメモリ等のデバイスを含む。これらのタイプのそれぞれは、さらに別の物理デバイス（例：中央処理ユニット（ＣＰＵ），最もよく知られた例としてはマイクロプロセッサ）を形成するように組み合わせられてよい。近年のマイクロプロセッサは、多くの場合、自身の多くの論理回路の内部に、１億個（one hundred million）より多くの論理ゲート（また、多くの場合、１０億個よりも多くのトランジスタ）を含んでいる。
【０１０４】
マイクロプロセッサを形成する論理ゲートは、マイクロプロセッサの命令セットアーキテクチャによって定義された命令（指令）を実行するマイクロアーキテクチャを提供するように配列される。命令セットアーキテクチャは、プログラミングに関連するマイクロプロセッサのアークテクチャの一部であり、固有のデータのタイプ、命令、レジスタ、アドレス指令モード、メモリアーキテクチャ、割り込み処理、例外処理、および外部入力／出力を含んでいる。
【０１０５】
命令セットアーキテクチャは、マイクロプロセッサを使用／制御するためにプログラマが使用可能であるマシン語の詳細を含む。マシン語の命令は、マイクロプロセッサによって直接的に処理可能なものである。このため、マシン語の命令は、２進数のストリング（つまりビット）から成ることが一般的である。例えば、標準的なマシン語の命令は、多ビット長のものであってよい（例：３２、６４、または１２８ビットのストリングが、現時点では標準的である）。標準的なマシン語の命令は、「11110000101011110000111100111111」（３２ビット命令）の形をとってよい。
【０１０６】
マシン語の命令は２進数の列（シーケンス）によって記述されているが、実際にはこれらの２進数は、物理的な実態を特定する。この点は重要である。例えば、ブール論理の操作から物理的な実態をもたらすために、ある半導体が用いられた場合、マシン語の命令における見かけ上の数学的なビット「１」および「０」は、実際には、配線（wire）を特定するための特定電圧の印加を特定する省略表記の構成要素である。例えば、一部の半導体技術では、マシン語の命令における２進数「１」（例：論理値「１」）は、特定の「配線」（例；プリント回路基板上の金属経路）に印加される約＋５Ｖの電圧を特定する。また、マシン語の命令における２進数「０」（例：論理値「０」）は、特定の「配線」に印加される約−５Ｖの電圧を特定する。また、マシンの構成における電圧を特定することに加え、当該マシン言語の命令は、多数の汎用マシンの数１００万の論理ゲートから、特定の論理ゲートのグループを選択および起動する。従って、マシン語の命令プログラムは、０および１のストリングによって表記されていたとしても、抽象的な数学的表現からは程遠く、構成された物理マシンまたは物理マシンの極めて多数の状態を特定する。
【０１０７】
一般的に、マシン語は多くの人間にとって理解しがたい（例えば、上述の例は単なる１つの命令である。そして、一部のパーソナルコンピュータは、１秒当たり２０億個よりも多くの命令を実行する）。従って、マシン語によって記述されたプログラム（数千万のマシン語長になりうる）は、理解しがたい。この点を踏まえ、マシン語の命令の数値を直接的に使用するのではなく、マシン語の命令を参照するためのニーモニックコード（mnemonic code）を用いた初期のアセンブリ言語が開発された。例えば、乗算の操作を行うためには、プログラマは省略表記「mult」（ＭＩＰＳマシンコードにおける２進数値「011000」を表す）をコードする。アセンブリ言語は、当初は、作業を実行するためにマイクロプロセッサを制御する人間にとって多大な助けとなった。しかし、時代が進むにつれて、人間による実行が要求される作業の複雑性は、アセンブリ言語のみを用いてマイクロプロセッサを制御する人間の能力を凌駕した。
【０１０８】
この点において、同一のタスクが繰り返し実行される必要があり、これらの反復的なタスクを実行するために必要なマシン語は同一である点が注目された。この点を踏まえ、コンパイラが創作された。コンパイラは、マシン語またはアセンブリ言語よりも、人間にとって理解しやすい記述（例：「２＋２の加算を行い、その結果を出力せよ」（add 2+2 and output the result））を用いるデバイスである。また、コンパイラは、人間が理解しやすい記述を、複雑であり、面倒であり、かつ大量のマシン語のコード（例：数１００万個の３２、６４、または１２８ビット長のストリング）に変換する。このように、コンパイラは、ハイレベルプログラミング言語をマシン語へと変換する。
【０１０９】
上述のように、コンパイルされたマシン語は、多くの異なる演算マシンの相互動作をシーケンス的に構築し、当該多くの異なる演算マシンに相互動作を行わせる技術的な仕様として用いられる。これにより、人間にとって有益であり、理解しやすく、かつ具体的な作業が実行される。このようなマシン語（つまり、コンパイルされたバージョンのハイレベル言語）は、ハードウェアの論理ゲートを選択し、電圧レベルおよび電圧の推移タイミング等を特定する技術的な仕様として機能する。これにより、人間にとって有益な作業が、ハードウェアによって実行される。
【０１１０】
このように、当業者の観点からすれば、機能的／動作的な技術上の記載は、抽象的なアイデアからかけ離れたものである。むしろ、このような機能的／動作的な技術上の記載は、まさに説明した技術分野において使用可能なツールを通じて理解すれば、ハードウェア仕様（その複雑性および特異性は、大多数の人間の理解をはるかに超える）を人間にとって理解可能に表現したものであると理解される。この点を念頭に置くと、当業者であれば、本明細書の開示および当業者の知識を考慮して、このような機能的／動作的な技術上の任意の記載は、（ａ）１以上の相互に接続された物理マシン、（ｂ）シーケンス的な／組み合わせ的なロジックを表現する１以上の物理マシンを生成するように構成された、相互に接続された論理ゲート、（ｃ）ロジックの物理的な実態の表現を生成する論理ゲートを形成する、相互に接続された順序付けされた事項（例：相互に接続された電子デバイス（例：トランジスタ）、ＤＮＡ，量子デバイス，機械式スイッチ、光学部品、流体部品、空気圧部品、分子等）、または、（ｄ）これらの事実上の任意の組み合わせによって、物理的な実態へと変換された動作であると理解されうることを理解できるであろう。実際に、安定であり、測定可能であり、かつ変更可能である状態を有する物理的な対象物が、上述の技術的な記載に基づいてマシンを構築するために使用されてよい。例えば、チャールズ・バベッジ（Charles Babbage）は、最初のコンピュータを木から作り、ハンドルをクランクによって回転させることで、当該コンピュータに動力を供給した。
【０１１１】
このように、当業者であれば、機能的／動作的な技術上の記載は、抽象的なアイデアからかけ離れたものであり、１以上の殆ど想像しがたいほど複雑な時間系列のハードウェアの事例を、人間によって理解可能に表現したものであると理解できるであろう。機能的／動作的な技術上の記載は、自然言語と同一の単語、構造、フレーズ等を共有するハイレベル言語（または上記事項に対応するハイレベルブロック図）によく適合するという事実は、当該機能的／動作的な技術上の記載が、抽象的なアイデア、または、単なる抽象的なアイデアを表現したものであることを示すものであると単純に解釈され得ない。実際には、本明細書において概説する通り、当該技術分野において、このことは正しくない。当業者に利用可能なツールを通じて考慮すれば、このような機能的／動作的な技術上の記載は、殆ど想像しがたいほどに複雑なハードウェア構成を特定するものとして見なされる。
【０１１２】
これまで概説したように、機能的／動作的な技術上の記載を用いる理由は、少なくとも２つある。第１に、機能的／動作的な技術上の記載を用いることにより、殆ど計り知れないほど複雑なマシン、および、相互に接続されたハードウェア要素によって生じるマシンの動作を、（例：自然言語およびロジックの物語的な流れを模倣することによって）人間の精神が処理できるように説明できる。第２に、機能的／動作的な技術上の記載を用いることにより、任意の特定のベンダーのハードウェア要素から多かれ少なかれ独立した説明を提供することにより、当業者が記載された主題を理解しやすくなる。
【０１１３】
上述の議論から明らかなように、機能的／動作的な技術上の記載を用いることにより、当業者が記載された主題を理解しやすくなる。このため、当業者は、迅速にではないにせよ、本書面にて開示された技術的な記載を、数兆の０と１、数１０億のアセンブリレベルのマシン語のシングルライン、数１００万の論理ゲート、数千個のゲートアレイ、または、任意の数の中間レベルの抽象化へと、容易に変換できるであろう。しかし、このようなローレベル（低水準）の記載が本明細書の技術的な記載に置き換わったとしたら、当業者は、本開示を実施する場合、過度の困難性に直面するであろう。このようなローレベルの記載は、（例：１以上のベンダー特定のハードウェア要素の規定を用いて主題を記載することにより）対応する利点をもたらすことなく、複雑性を増加させる傾向が高いためである。このため、機能的／動作的な技術上の記載を用いることは、任意のベンダー特定のハードウェア要素の規定から、技術的な記載を分離させることにより、当業者に有益となる。
【０１１４】
上述の観点からすると、本明細書の技術的な記載に開示されている論理的な動作／機能は、様々な順序付け事項要素の静的またはシーケンス的な仕様を表現したものである。これにより、当該仕様は、人間の精神にとって理解しやすいものとなり、多数の様々なハードウェア構成を創作するために適したものとなりうる。本明細書に開示されている論理的な動作／機能は、このように取り扱われるべきであり、単なる抽象的なアイデアであるとして、軽んじて見なされるべきではない。本明細書に開示されている論理的な動作／機能が表現する仕様は、当業者が容易に理解できる方式で提示されており、特定ベンダーのハードウェアの実装から独立した方式に適用できるためである。
【０１１５】
当業者であれば、先端技術は、システムの各態様において実装される、ソフトウェア（例：ハードウェアの仕様としての役割を担うハイレベルコンピュータプログラム）、ハードウェア、および／またファームウェアの間に、区別が殆どない段階まで進歩したと理解できるであろう。このため、ソフトウェア、ハードウェア、および／またファームウェアを使用することは、コスト対効果のトレードオフを示す設計上の選択肢であることが一般的である（但し、常にそうではない。所定の事例では、ソフトウェアとハードウェアとの選択が重要となりえるためである。）。当業者であれば、本明細書において説明された処理および／またはシステムおよび／または他の技術を実現する、様々な方法（例：ハードウェア、ソフトウェア（例：ハードウェアの仕様としての役割を担うハイレベルコンピュータプログラム）、および／またファームウェア）が存在していることが理解できるであろう。また、当業者であれば、処理および／またはシステムおよび／または他の技術が適用される事例に応じて、好適な方法は変化しうることが理解できるであろう。例えば、実装者が、スピードおよび精度が最優先の事項であると判断した場合、当該実装者は、主にハードウェアおよび／またはファームウェアの方法を選択してよい。あるいは、自由度（flexibility）が最優先の事項である場合、実装者は、主にソフトウェア（例：ハードウェアの仕様としての役割を担うハイレベルコンピュータプログラム）による実装を選択してよい。あるいは、実装者は、１以上のマシンにおけるハードウェア、ソフトウェア（例：ハードウェアの仕様としての役割を担うハイレベルコンピュータプログラム）、および／またファームウェア、複合物、および製造物の一部（これらは、35 USC 101の特許可能な主題に限定される）の組み合わせを選択してよい。それゆえ、本明細書において説明された処理および／またはシステムおよび／または他の技術を実現できる、様々な方法が存在しうる。これらの方法のいずれも、当該方法が採用される事例、および、実装者の関心（例：スピード、自由度、または予測可能性）（これらのいずれもが変化しうる）に応じた選択肢として利用されうるその他の方法に比べて、本質的に優越しているわけではない。当業者であれば、実装における随意の態様は、随意に志向されたハードウェア、ソフトウェア（例：ハードウェアの仕様としての役割を担うハイレベルコンピュータプログラム）、および／またファームウェアを全般的に採用できることが理解できるであろう。
【０１１６】
本明細書において開示されている複数の実装において、ロジック的な実装および同様の実装は、コンピュータプログラムまたは他の制御機構を含んでよい。例えば、電子回路は、本明細書に記載された様々な機能を実行するために構成および配列された、１以上の電流経路を有していてもよい。本明細書に記載されるように、複数の実装において、１以上の媒体は、当該媒体が動作可能なデバイス検出可能命令を保持または伝送する場合に、デバイス検出可能な実装を担うように構成されてよい。一例として、複数の変形例において、実装は、例えば、本明細書に記載された１以上の操作に関連する１以上の命令の受信または送信を行うことによる、既存のソフトウェア（例：ハードウェアの仕様としての役割を担うハイレベルコンピュータプログラム）、ファームウェア、ゲートアレイ、またはプログラム可能なハードウェアのアップデータまたは修正を含んでいてもよい。代替的または付加的に、複数の変形例において、実装は、特定用途ハードウェア、ソフトウェア（例：ハードウェアの仕様としての役割を担うハイレベルコンピュータプログラム）、ファームウェア部材、および／または、特定用途部材を実現、さもなくば当該特定用途部材を動作させる汎用部材を含んでいてよい。仕様または他の実装は、本明細書に記載された１つ上の実体的な伝送媒体の例によって（状況に応じて、パケット通信によって、さもなくば分散型媒体による多数回の通信によって）、伝送されてよい。
【０１１７】
代替的または付加的に、実装は、特定用途命令シーケンスを実行するステップ、または、回路を動作させるステップを含んでいてもよい。当該回路は、本明細書に記載された任意の実体的な機能的な動作のうちの１つ以上の実行を、可能にする、始動させる、調整する、さもなくば生じさせるためのものである。複数の変形例において、本明細書に記載された動作的または論理的な動作は、ソースコードによって表現されてよく、実行可能な命令シーケンスとしてコンパイルまたは生成されてよい。複数の事例において、実装は、全体的または部分的に、ソースコード（例：Ｃ＋＋または他のコードシーケンス）によってなされてよい。他の実装において、商業的に利用可能なおよび／または本分野における技術を用いた、ソースまたは他のコードの実装は、ハイレベル記述言語へと、コンパイル／実装／置き換え／変換されてよい。例えば、ＣまたはＣ＋＋のプログラミング言語によって記述された技術をはじめに実装し、その後、実装されたプログラミング言語を、論理合成可能な言語での実装、ハードウェア記述言語での実装、ハードウェア設計シミュレーションでの実装、および／または、これらと類似した表現のモードへと変換する。例えば、論理表現（例：コンピュータプログラミング言語での実装）の一部または全体は、（例：ハードウェア記述言語（ＨＤＬ）および／または超高速集積回路ハードウェア記述言語（ＶＨＤＬ）を用いた）Verilog型のハードウェア記述、または、ハードウェア（例：特定用途集積回路）を有する物理的な実装をもたらすために使用されうる他の回路モデルによって、明示されてよい。当業者であれば、これらの教示を考慮して、好適な伝送、演算部材、材料供給、アクチュエータ、または他の構造を、どのように取得、構成、および最適化すればよいかを理解できるであろう。
【０１１８】
上述の／以降の開示において使用されている、モジュールという用語は、（１）特定の方法によって配列された１以上の部材の集合、（２）１以上の特定の時点において、特定の方法によって動作するように構成された１以上の汎用部材の集合、および／または、（３）１以上の回数で、１以上のさらなる方法によって動作するようにさらに構成された１以上の汎用部材の集合を指してよい。例えば、同一のハードウェア、または、ハードウェアの同一の部分は、時間的に逐次的または並列的に、（１）（例：第１の時刻において）第１タイプのモジュールとして、（２）（例：第２の時刻（複数の例において、第１の時刻と一致してもよいし、第１の時刻と重なり合っていてもよいし、第１の時刻に後続してもよい）において）第２タイプのモジュールとして、および／または、（３）（例：第３の時刻（複数の例において、第１の時刻および／または第２の時刻と一致してもよいし、第１の時刻および／または第２の時刻と重なり合っていてもよいし、第１の時刻および／または第２の時刻に後続してもよい）において）第３タイプのモジュールとして、のように設定／再設定（構成／再構成）されてよい。再設定可能な部材および／または制御可能な部材（例：汎用プロセッサ、デジタルシグナルプロセッサ、フィールドプログラマブルゲートアレイ等）は、（１）第１の目的を有する第１モジュールとして、（２）続いて、第２の目的を有する第２モジュールとして、（３）第３の目的を有する第３モジュールとして、のように設定されてよい。再設定可能な部材および／または制御可能な部材の変化は、速ければ数ナノ秒で生じる場合もあるし、数分、数時間、または数日もの期間に亘って生じる場合もある。
【０１１９】
このような複数の例では、部材が第２の目的を実行するように設定された時点において、当該部材は、再設定されるまでは、第１の目的を実行する機能をもはや有していない場合がある。部材は、速ければ数ナノ秒で、異なるモジュールとしての複数の設定を切り替えてもよい。部材は、動作中に再設定を行ってもよい。例えば、第２モジュールがちょうど必要とされる時点において、第１モジュールから第２モジュールへの再設定が行われてよい。部材は、段階的に再設定を行ってもよい。例えば、これ以降必要とされない第１モジュールの部分は、第１モジュールが動作を完了する前であっても、第２モジュールへと再設定されてよい。このような再設定は、同時に行われてもよいし、外部ソースによるプロンプトを用いて行われてもよい。当該ソースは、別の部材、命令、信号、条件、外部刺激、または同様のものであってよい。
【０１２０】
例えば、パーソナルコンピュータの中央処理ユニットは、様々な時点において、自身の命令に基づいて自身の論理ゲートを設定することで、スクリーンに画像を表示させるためのモジュール、記録媒体にデータを書き込むためのモジュール、ユーザ入力を受け付けるモジュール、および２つの大きい素数を乗算するためのモジュールとして、動作してよい。このような再設定は、肉眼では見えないものであってよい。複数の実施形態において、当該再設定は、部材の様々な部分（例：スイッチ、論理ゲート、入力および／または出力）を起動すること、無効化すること、および／または変更することを含んでよい。従って、上述の／以降の本開示において見出される複数の例において、ある例が複数のモジュールを包含または規定している場合、当該例は、同一のハードウェアが、同時または個別の時間またはタイミングにおいて、規定されたモジュールのうちの２以上のモジュールを実現する可能性を含む。複数のモジュールの実装は、より多くの部材を用いる場合であっても、より少数の部材を用いる場合であっても、またはモジュールと同数の部材を用いる場合であっても、単なる実装上の選択肢であり、一般的には当該モジュール自体の動作に影響を及ぼさない。従って、本開示における複数のモジュールの任意の規定は、任意の数の潜在的なモジュールとして当該モジュールを実装することを含む。本開示における複数のモジュールの任意の規定は、（１）時間の経過に伴って自身を再設定し、複数のモジュールの機能を実現する単一の部材、および／または、（２）同様に再設定を行う複数の部材、および／または、（３）再設定可能な特定用途部材を含むが、これらに限定されない。
【０１２１】
当業者であれば、本分野において、デバイスおよび／または処理および／またはシステムを実装し、その後、工学技術および／または他の手法を用いて、これらの実装されたデバイスおよび／または処理および／またはシステムを、より包括的なデバイスおよび／または処理および／またはシステムへと統合することは標準的であると理解するであろう。つまり、本明細書に記載されているデバイスおよび／または処理および／またはシステムの少なくとも一部は、合理的な量の試行によって、他のデバイスおよび／または処理および／またはシステムへと統合されてよい。当業者であれば、このようなデバイスおよび／または処理および／またはシステムの例は、（ａ）飛行する輸送機器（例：航空機、ロケット、ヘリコプター等）、（ｂ）地面を走行する輸送機器（例：車、トラック、機関車、戦車、装甲兵員輸送車等）、（ｃ）建物（例；家、倉庫、オフィス等）、（ｄ）家電機器（例：冷蔵庫、洗濯機、ドライヤー等）、（ｅ）通信システム（例：ネットワークシステム、電話システム、ボイスオーバーＩＰシステム等）、（ｆ）企業体（例：Comcast Cable、Qwest、Southwestern Bell等のインターネットサービスプロバイダ（ＩＳＰ）事業体）、または、（ｇ）通信／無線サービス事業体（例；Sprint、Cingular、Nextel等）等の、なデバイスおよび／または処理および／またはシステムの例の一部または全体を含みうると、事例および用途に応じて適宜理解できるであろう。
【０１２２】
ある例において、部材がある地域の外側に配置されている場合であっても、システムまたは方法は、当該地域内において使用されてよい。例えば、分散コンピューティングの事例において、分散コンピューティングシステムの複数のパーツ（例：ある地域の外側に配置された、リレー、サーバ、プロセッサ、信号担持媒体、送信コンピュータ、受信コンピュータ等）は、ある地域の外側に配置されているが、分散コンピューティングシステムは、当該地域内において使用されてよい。
【０１２３】
同様に、システムまたは方法がある地域の外側において配置または使用される場合であっても、当該システムまたは方法は、当該地域内において販売されてよい。さらも。ある地域内において、方法を実行するためのシステムの少なくとも一部を実施することは、別の地域内におけるシステムの使用を排除するものではない。
【０１２４】
一般的な意味において、当業者であれば、本明細書に記載されている様々な実施形態は、ハードウェア、ソフトウェア、ファームウェア、および／またはそれらの実体的な任意の組み合わせ（35 U.S.C. 101に基づく特許可能な主題に限定される）等の広範囲の電気的な部材を有する様々なタイプの電気機械システムによって、個別に、および／または、全体的に実現されてもよいことが理解できるであろう。広範囲な部材は、機械的な力または動きを伝達するものであってよい。当該広範囲な部材は、例えば、剛体、バネ、ねじれた物体、流体部品、電磁的に駆動されるデバイス、および／またはそれらの実体的な任意の組み合わせである。従って、本明細書において用いられる「電気機械システム」（electro-mechanical system）は、トランスデューサに動作可能に接続された電気回路（アクチュエータ、モータ、圧電性結晶、マイクロエレクトロメカニカルシステム（ＭＥＭＳ）等）、少なくとも１つの個別の電気回路を有する電気回路、少なくとも１つの集積回路を有する電気回路、少なくとも１つの特定用途集積回路を有する電気回路、コンピュータプログラムによって設定された汎用演算デバイス（例：本明細書に記載された処理および／またはデバイスを少なくとも部分的に実行するコンピュータプログラムによって設定された汎用コンピュータ、または、本明細書に記載された処理および／またはデバイスを少なくとも部分的に実行するコンピュータプログラムによって設定されたマイクロプロセッサ）を形成する電気回路、メモリデバイス（例：メモリの形態（例：ランダムアクセス、フラッシュ、リードオンリー等））を形成する電気回路、通信デバイス（例：モデム、通信スイッチ、光電設備等）を形成する電気回路、および／または、これらに加えて、非電気的なアナログ機器（例：光学素子または他のアナログ機器（例：グラフェンを用いた回路））を含むが、これらに限定されない。また、当業者であれば、電気機械システムの例は、様々な家庭用電化製品および医療デバイスだけでなく、様々な他のシステム（例：電動輸送システム、ファクトリーオートメーションシステム、セキュリティシステム、および／または通信／演算システム）を含むが、これらに限定されないことが理解できるであろう。本明細書において用いられる電気機械システムは、文脈によってその限りでないと明記されない場合を除き、電気的な駆動部と機械的な駆動部との両方を有するシステムに必ずしも限定される必要はないことは、当業者であれば理解できるであろう。
【０１２５】
一般的な意味において、当業者であれば、広範囲なハードウェア、ソフトウェア、ファームウェア、および／またはそれらの任意の組み合わせによって、個別に、および／または、全体的に実現されうる、本明細書に記載されている様々な態様は、様々なタイプの「電気回路」（electrical circuitry）から成ると見なされてよいことが理解できるであろう。従って、本明細書において用いられるように、「電気回路」は、少なくとも１つの個別の電気回路を有する電気回路、少なくとも１つの集積回路を有する電気回路、少なくとも１つの特定用途集積回路を有する電気回路、コンピュータプログラムによって設定された汎用演算デバイス（例：本明細書に記載された処理および／またはデバイスを少なくとも部分的に実行するコンピュータプログラムによって設定された汎用コンピュータ、または、本明細書に記載された処理および／またはデバイスを少なくとも部分的に実行するコンピュータプログラムによって設定されたマイクロプロセッサ）を形成する電気回路、メモリデバイス（例：メモリの形態（例：ランダムアクセス、フラッシュ、リードオンリー等））を形成する電気回路、および／または通信デバイス（例：モデム、通信スイッチ、光電設備等）を形成する電気回路を含むが、これらに限定されない。当業者であれば、本明細書に記載されている主題は、アナログ的な方法、デジタル的な方法、またはそれらの一部の組み合わせによって実現されてよいことが理解できるであろう。
【０１２６】
当業者であれば、本明細書に記載されているデバイスおよび／または処理の少なくとも一部は、画像処理システムに統合されてよいことが理解できるであろう。一般的には、標準的な画像処理システムは、１以上のシステムユニットハウジングと、ビデオ表示デバイスと、メモリ（揮発性メモリまたは不揮発性メモリ）と、プロセッサ（例：マイクロプロセッサまたはデジタルシグナルプロセッサ）と、演算エンティティ（例：オペレーションシステム）と、ドライバと、アプリケーションプログラムと、１以上の相互作用デバイス（例：タッチパッド、タッチスクリーン、アンテナ等）と、フィードバックループおよび制御モータ（例：レンズの位置および／または速度を検出するためのフィードバックであり、制御モータは、所望の焦点をもたらすために、レンズを移動／変形させるためのものである）を有する制御システムと、を含むことが、当業者であれば理解できるであろう。画像処理システムは、好適な市販の部材（例：デジタルスチールシステムおよび／またはデジタルモーションシステムにおいて標準的に見出される部材）を用いて実装されてよい。
【０１２７】
当業者であれば、本明細書に記載されているデバイスおよび／または処理の少なくとも一部は、データ処理システムに統合されてよいことが理解できるであろう。一般的には、データ処理システムは、１以上のシステムユニットハウジングと、ビデオ表示デバイスと、メモリ（揮発性メモリまたは不揮発性メモリ）と、プロセッサ（例：マイクロプロセッサまたはデジタルシグナルプロセッサ）と、演算エンティティ（例：オペレーションシステム）と、ドライバと、グラフィカルユーザインターフェースと、アプリケーションプログラムと、１以上の相互作用デバイス（例：タッチパッド、タッチスクリーン、アンテナ等）と、フィードバックループおよび制御モータ（例：位置および／または速度を検出するためのフィードバックであり、制御モータは、部材および／または物理量の移動および／または調整を行うためのものである）を有する制御システムと、を含むことが、当業者であれば理解できるであろう。データ処理システムは、好適な市販の部材（例：データ演算／通信システムおよび／またはネットワーク演算／通信システムにおいて標準的に見出される部材）を用いて実装されてよい。
【０１２８】
当業者であれば、本明細書に記載されているデバイスおよび／または処理の少なくとも一部は、モートシステム（mote system）に統合されてよいことが理解できるであろう。一般的には、標準的なモートシステムは、１以上のメモリ（揮発性メモリまたは不揮発性メモリ）と、プロセッサ（例：マイクロプロセッサまたはデジタルシグナルプロセッサ）と、演算エンティティ（例：オペレーションシステム）と、ユーザインターフェースと、ドライバと、センサと、アクチュエータと、アプリケーションプログラムと、１以上の相互作用デバイス（例：アンテナＵＳＢポート、音響ポート等）と、フィードバックループおよび制御モータ（例：位置および／または速度を検出または推定するためのフィードバックであり、制御モータは、部材および／または物理量の移動および／または調整を行うためのものである）を有する制御システムと、を含むことが、当業者であれば理解できるであろう。モートシステムは、好適な部材（例：モート演算／通信システムにおいて標準的に見出される部材）を用いて実装されてよい。このような部材の具体例としては、例えば、Intel Corporationおよび／またはCrossbow Corporationのモート部材と、サポート用のハードウェア、ソフトウェア、および／またはファームウェアと、が挙げられる。
【０１２９】
本願の趣旨からすると、「クラウド」（cloud）コンピューティングは、クラウドコンピューティングについての文献において説明されている通り理解されてよい。例えば、クラウドコンピューティングは、サービスとしての演算能力および／またはストレージ能力を提供するための方法および／またはシステムであってよい。「クラウド」は、演算能力および／またはストレージ能力の提供を行うまたは支援する、１以上のハードウェア部材および／またはソフトウェア部材を意味してよい。クラウドは、クライアント、アプリケーション、プラットフォーム、インフラストラクチャ、および／またはサーバのうちの１つ以上を含むが、これらに限定されない。クラウドは、クライアント、アプリケーション、プラットフォーム、インフラストラクチャ、および／またはサーバと関連する、任意のハードウェアおよび／またはソフトウェアを意味してよい。例えば、クラウドおよびクラウドコンピューティングは、コンピュータ、プロセッサ、ストレージ媒体、ルータ、スイッチ、モデム、仮想マシン（仮想サーバ）、データセンタ、オペレーティングシステム、ミドルウェア、ファームウェア、ハードウェアバックエンド、ソフトウェアバックエンド、および／またはソフトウェアアプリケーションのうちの１つ以上を意味してよい。クラウドは、プライベートクラウド、パブリッククラウド、ハイブリッドクラウド、および／またはコミュニティクラウドを意味してよい。クラウドは、設定可能な計算リソースの共有プールであってよい。設定可能な計算リソースは、パブリックであってもよく、プライベートであってもよく、セミプライベートであってもよく、分配可能であってもよく、拡張可能であってもよく、フレキシブルであってもよく、一時的であってもよく、仮想的なあってもよく、および／または、物理的であってもよい。クラウドおよびクラウドサービスは、１以上のタイプのネットワーク（例：モバイル通信ネットワークおよびインターネット）を通じて提供されてよい。
【０１３０】
本願において用いられているように、クラウドまたはクラウドサービスは、サービスとしてのインフラストラクチャ（infrastructure-as-a-service）（「ＩａａＳ」）、サービスとしてのプラットフォーム（platform-as-a-service）（「ＰａａＳ」）、サービスとしてのソフトウェア（software-as-a-service）（「ＳａａＳ」）、および／または、サービスとしてのデスクトップ（desktop-as-a-service）（「ＤａａＳ」）のうちの１つ以上を含んでいてよい。非排他的な例として、ＩａａＳは、例えば、１以上の仮想サーバのインスタンス化を含んでいてよい。当該仮想サーバインのインスタンス化は、（例：１以上のプロセッサ、ストレージ空間、および／または、オンデマンドのネットワークリソースを供給する（例：ＥＭＣおよびRackspace））仮想サーバおよび／またはストレージセンサに対して、起動、停止、アクセス、および／または設定を行ってよい。ＰａａＳは、例えば、インフラストラクチャにおいてホスト化された１以上のソフトウェアおよび／または開発ツール（例：クライアントがソフトウェアインターフェースおよびアプリケーションを生成することを可能とする演算プラットフォームおよび／またはソリューションスタック（例：Microsoft Azure））を含んでいてよい。ＳａａＳは、例えば、サービスプロバイダによってホスト化され、かつ、ネットワークを通じてアクセス可能なソフトウェア（アプリケーション用のソフトウェアおよび／またはソフトウェアアプリケーションに関連するデータは、ネットワーク上に保持されてよい（例：Google Apps、SalesForce））を含んでいてよい。ＤａａＳは、例えば、ネットワークを通じて、ユーザのためのデスクトップ、アプリケーション、データ、および／またはサービスを供給するステップ（例：マルチアプリケーションフレームワーク、フレームワークにおけるアプリ―ケーション、アプリケーションに関連するデータ、および／または、アプリケーションおよび／またはデータに関連するサービスを、ネットワークを通じて供給するステップ（例：Citrix））を含んでいてよい。上述の事項は、本願において言及されるシステムおよび／または方法のタイプを例示することを目的としている。このため、「クラウド」または「クラウドコンピューティング」は、完全または包括的なものとして考慮されるべきではない。
【０１３１】
当業者であれば、本明細書に記載された要素（例：操作）、デバイス、物体、およびそれらに付随する議論は、コンセプト上の明確性のための例として用いられており、様々な構成の変更が考慮されることが理解できるであろう。従って、本明細書において用いられる通り、開示された具体例および付随する議論は、それらのより一般的なクラスを代表したものであると意図されている。一般的に、任意の具体例を使用することは、当該具体例のクラスを代表することを意図されている。特例の要素（例：動作）、デバイス、および物体を包含しないことは、限定として取り扱われるべきではない。
【０１３２】
本明細書に開示された主題は、他の様々な部材に内包または接続された、様々な部材を例示する場合がある。このように表現されたアーキテクチャは単に例示的なものであり、実際には、同様の機能を実現する多くの他のアークテクチャが用いられてよいことが理解されるであろう。コンセプト的な意味合いにおいて、同一の機能を実現するための部材の構成は、所望の機能が実現されるように、効果的に「関連付け」（associated）されている。従って、特定の機能を実現するために組み合わせられた、本明細書における任意の２つの部材は、所望の機能が実現されるように、アークテクチャまたは中間的な部材に関わらず、互いに「関連付け」（associated with）されていると見なすことができる。同様に、そのように関連付けられた任意の２つの部材は、所望の機能を実現するために、互いに「動作可能に連結されている」（operably connected）または「動作可能に接続されている」（operably coupled）と見なされてもよい。また、そのように関連付けすることが可能な任意の２つの部材は、所望の機能を実現するために、互いに「動作可能に接続可能である」（operably couplable）と見なされてもよい。動作可能に接続可能な具体例は、（１）物理的に係合可能、および／または、物理的に相互作用する部材、および／または、（２）無線によって相互作用可能な、および／または、無線によって相互作用する部材、および／または、（３）論理的に相互作用する、および／または、論理的に相互作用可能な部材を含むが、これらに限定されない。
【０１３３】
本願において形式的な概要の見出しが提示されている限りにおいて、当該概要の見出しは、提示を目的としたものであり、異なるタイプの主題が本明細書の全体を通じて議論されてもよいことが理解されるであろう。例えば、デバイス／構造が、処理／操作の見出しのもとで説明されてよく、処理／操作が、デバイス／構造の見出しのもとで説明されてよく、および／または、単一のトピックについての説明が、２以上のトピックの見出しに亘って存在していてもよい。従って、本願において用いられる形式的な概要の見出しは、提示を目的としたものであり、多少なりとも限定を意図したものではない。
【０１３４】
本明細書の全体を通じて、丸括弧、省略形「e.g.」、またはその両方を用いて、例およびリストが与えられる。明示されない限り、これらの例および表は単に例示的なものであり、非包括的なものではない。多くの場合、全ての例および全ての組み合わせを列挙することは、控えるべきであろう。このため、特許請求の範囲の文言の範囲を限定するのではなく当該文言を理解させることに注力し、より小規模である例示的なリストおよび表が使用される。
【０１３５】
本明細書における実質的に任意の複数形および／または単数形の文言の使用に関して、当業者であれば、文脈および／または用途に応じて適宜、複数形を単数形に置き換える、および／または、単数形を複数形に置き換えることは可能である。様々な単数形／複数形の置き換えは、明確性のために、本明細書では明示されていない。
【０１３６】
当業者であれば、本明細書に記載されている要素（例：操作）、デバイス、物体、およびそれらに付随する議論は、コンセプト上の明確性のための例として使用されており、様々な構成の変更が考慮されることが理解できるであろう。従って、本明細書において用いられる通り、開示された具体例および付随する議論は、それらのより一般的なクラスを代表したものであると意図されている。一般的に、任意の具体例を使用することは、当該具体例のクラスを代表することを意図されている。特例の要素（例：動作）、デバイス、および物体を包含しないことは、限定として取り扱われるべきではない。
【０１３７】
本明細書において、（例：図１および他の箇所において、単一の例示された図として）１以上のユーザが図示されている場合があるが、当業者であれば、文脈によってその限りでないと明記されない限り、１以上のユーザは、１以上の人間のユーザ、ロボットのユーザ（例：演算エンティティ）、および／または、実質的に任意のそれらの組み合わせ（例：ユーザは１以上のロボットのエージェントによって補助されてよい）を代表したものであってよいと理解できるであろう。一般的に、当業者であれば、文脈によってその限りでないと明記されない限り、同じことが、「センダ」（sender）、および／または、本明細書において同様に用いられる他のエンティティ志向（entity-oriented）の用語についても当てはまりうることが理解できるであろう。
【０１３８】
一部の例において、本明細書では、１以上の部材が、「〜するように構成されている」（configured to）、「〜によって構成されている」（configured by）、「〜するように構成可能である」（configurable to）、「〜するように動作可能である／動作する」（operable/operative to）、「適合された／適合可能である」（adapted/adaptive）、「〜できる」（able to）、「〜するように整合可能である／整合された」（conformable/conformed to）等として言及されている場合がある。当業者であれば、文脈によってその限りでないと要求されない限り、一般的に、このような用語（例：「〜するように構成されている」（configured to））は、動作状態の部材および／または非動作状態の部材および／またはスタンバイ状態の部材を含むと理解できるであろう。
【０１３９】
（ハイレベルなシステムのアーキテクチャ）
図１は、複数の部分図を示し、図１−Ａから図１−ＡＮを含む。これらの図面が集合するとシステム全体の全体図となる。図１では、システム全体の少なくとも一部分がより詳細に説明される。以下、図１のシステム全体の概要を説明する。この説明では、後ほど図２−１４Ｄを用いて説明される、図１の少なくとも一つのサブシステムがより具体的に参照される。
【０１４０】
図１は、システム全体の種々の実施を示す。ハイレベルにおいて、図１は、複数ユーザビデオ画像アレイ（以下、“ＭＵＶＩＡ（Multiple User Video Imaging Array）”とも称される。）の種々の実施を示す。記号表示“ＭＵＶＩＡ”は、単なる省略形であり、例示される実施形態の説明であり、これに限定されない。ＭＵＶＩＡには“複数ユーザ（multiple user）”が含まれるが、複数ユーザまたは単数ユーザでさえも必要とされない。ＭＵＶＩＡには“ビデオ（video）”が含まれるが、ＭＵＶＩＡシステムは、静止画、複数画像、音声データ、可視スペクトル範囲外の電磁波、および以下で説明する他のデータを取り込んでもよい。ＭＵＶＩＡには“画像アレイ（imaging array）”が含まれるが、ＭＵＶＩＡの画像センサは、アレイまたは複数センサ（通常は複数の画像センサの大きな集合で実装されるが、単一センサ実装についても検討される）である必要はない。“アレイ”は何らかの特定の構造を意味するのではなく、１以上のセンサの集合を意味する。
【０１４１】
一般的に、必ずしも必要ではないが、ＭＵＶＩＡシステムは、１以上のユーザ装置（例えば、以下では“クライアント装置（client device）”とも称され、ユーザは、必ずしも、人、生物、または有機体である必要はない。）、サーバ、および画像センサアレイを含んでよい。本願との関連で“サーバ”とは、上記画像センサアレイまたは上記クライアント装置に直接接続していない、あらゆる装置、プログラム、もしくはモジュールをいい、あらゆるすべての“クラウド”ストレージ、アプリケーション、および／またはデータ処理を含む。
【０１４２】
例えば、図１−Ａ、図１−Ｋ、図１−Ｕ、図１−ＡＥ、および図１−ＡＦに示される一実施形態において、ＭＵＶＩＡシステムは、１以上の、画像センサアレイ３２００と、アレイ局部記憶装置・処理モジュール３３００と、サーバ４０００と、ユーザ装置５２００とを含む。これら各々はより詳細に説明される。
【０１４３】
図１−Ａを参照する。図１−Ａは、ユーザ装置５２００を示す。ユーザ装置５２００は、ＭＵＶＩＡシステムのユーザにより運転、または制御される。“ユーザ”は、理解の容易のための表示記号であって、人間、他の生物、または知覚を有する主体等により制御されることを意味しない。一実施形態において、例えばセキュリティ型の一実施形態において、ユーザ装置５２００は、大部分監視されていない、もしくは完全に監視されていない、または人工知能によって監視されている、または人工知能、準人工知能（例えば、知能増幅）、および人間の知能の組み合わせにより監視されている。
【０１４４】
ユーザ装置５２００は、これに限定されないが、ウェアラブル装置（メガネ、ゴーグル、ヘッドギア、時計、衣服など）、インプラント（網膜移植装置など）、あらゆる種類のコンピュータ（ラップトップ、デスクトップ、メインフレーム、サーバなど）、タブレットもしくは他の携帯デバイス、電話もしくは他の同様のデバイス（スマートフォン、パーソナル・デジタルアシスタントなど）、パーソナル・電子機器（音楽プレーヤー、ＣＤプレーヤーなど）、家電（テレビ、冷蔵庫、その他のいわゆるスマートデバイス）、オフィス機器（コピー機、スキャナ、ファックスなど）、カメラもしくは他のカメラに似たデバイス、ビデオゲーム、娯楽センタ−、メディアセンター、または映像表示機能を有する他の電子機器（視覚表示もしくは他の方法、例えば、スクリーン、感覚刺激機能）であってよい。
【０１４５】
ユーザ装置５２００は、画像を提示することができる。明確かつ簡潔のため、ここでは画像を表示するものとする。ただし、可視スペクトル光波を生成する以外の態様のコミュニケーションも含み、画像は常時提示される必要はないし、まったく提示されなくてもよい。例えば、一実施形態において、ユーザ装置５２００は、サーバ４０００から（または後述するように画像センサアレイ３２００から直接）画像を受信してもよく、当該画像を後の鑑賞のため、または内部での処理のため、またはさらに別の理由のために保存してもよい。
【０１４６】
図１−Ａを参照して、一実施形態において、ユーザ装置５２００は、ユーザ選択受付モジュール５２１０を含んでよい。ユーザ選択受付モジュール５２１０は、ユーザが何を見たいかを示すユーザ入力を受け付ける。例えば、図１−Ａの例示的なインタフェース５２１２に示すように、ユーザ選択受付モジュール５２１０は、画像センサアレイ３２００からのある画像を示す。ユーザは、周知のインタフェースを用いて当該画像を“パン（pan）”および“ズーム”する。周知のインタフェースは、限定されないが、キーボード、マウス、タッチ、触覚、拡張現実インタフェース、音声コマンド、非言語モーションコマンド（例えば、ビデオゲームシステムインタフェースの一部、例えば、マイクロソフトキネクト）を含む。より詳細に後述するが、カメラ自体は“ズーミング”または“パニング”ではない。というのもカメラは動かないためである。画像センサアレイ３２００により撮像された異なるピクセルは、画像センサアレイ３２００に保持され、サーバ４０００に送信される。
【０１４７】
一実施形態において、ユーザ選択受付モジュールは、特定の物体（建物、動物、他の物体など、それが表すものが画面に表示されている物体）の選択を受け付ける。さらに、ユーザは、特定の物体に対する画像を“サーチ”するためにテキストボックスを使ってよい。そして、その特定の物体を観賞するために、ユーザ装置５２００またはサーバ４０００で実行される処理が画像およびズームレベルを決定する。特定の物体のサーチは、一般的なサーチを含む。例えば、“人のサーチ”、または“ペンギンのサーチ”、または、より具体的なサーチ、例えば“Space Needleのサーチ”、“ホワイトハウスのサーチ”である。特定のもののサーチはあらゆる文脈探索を含む。例えば、アドレス、テキスト列、または他のあらゆる入力である。
【０１４８】
一実施形態において、ユーザ選択受付モジュール５２１０により促進される“ユーザ選択”はユーザを全く含まなくてよい。例えば、セキュリティに関する実施形態を例にすると、ユーザ選択は完全に機械により実行され、“動きのある画像の一部を選択する”、または“人物が認識される画像の一部を選択する”、または“特定の人物、例えば、ＦＢＩの最重要指名手配リストに掲載された人物が認識される画像の一部を選択する”を含んでよい。
【０１４９】
再び図１−Ａを参照する。一実施形態において、ユーザ装置５２００は、ユーザ選択送信モジュール５２２０を含んでよい。ユーザ選択送信モジュール５２２０は、ユーザ選択送信モジュール５２２０からユーザ選択を取得し、その選択をサーバ４０００へ送信する。その送信には幾つかの前処理が含まれていてもよい。例えば、ユーザ装置５２００は、サーバ４０００へリクエストを送信する前に画像のサイズおよびパラメータを決定してもよいし、その処理はサーバ４０００により実行されてもよい。ユーザ選択送信モジュール５２２０から左側へ向かう太線矢印を図１−Ｋまで辿ると、上記送信はサーバ４０００に到達する。サーバ４０００への送信はユーザ装置に関するデータ、例えば、画面の解像度、ウィンドサイズ、装置の型番、ユーザＩＤ、ユーザが支払うサービスレベル（そのようなサービスがカメラ／サーバにより優先されている実施形態において）、装置の他の機能、例えば、フレームレート等、を含んでよい。
【０１５０】
再び図１−Ａを参照する。図１−Ａはまた、選択画像受信モジュール５２３０、およびユーザ選択提示モジュール５２４０を含む。これらの部材は、本実施形態のデータフローに関して、より詳細に説明される。
【０１５１】
図１−Ｋを参照する。図１−Ｋ、および図１−Ｕは、ユーザ装置５２００、アレイ局部記憶装置・処理モジュール３３００の少なくとも一つと通信するサーバ４０００に係る一実施形態を示す。サーバ４０００は、たった一つの演算装置でもよいし、または、互いに近距離にある（ない）複数の演算装置であってもよい。
【０１５２】
再び図１−Ｋを参照する。サーバ４０００は、ユーザリクエスト受信モジュール４０１０を含む。ユーザリクエスト受信モジュール４０１０は、ユーザ選択送信モジュール５２２０から送信リクエストを受信する。続いて、ユーザリクエスト受信モジュール４０１０は、ユーザリクエスト有効化モジュール４０２０に処理を委ねる。ユーザリクエスト有効化モジュール４０２０は、とりわけ、装置の処理能力より大きい解像度をユーザがリクエストしていないかをチェックする。例えば、ユーザが１９００×１０８０の解像度画像をリクエストしているが、装置の最高解像度は１３３４×７５０であるとの情報をサーバが得たとき（例えば、取得した画像を介して、または、ユーザリクエストとともに送信された情報、もしくはユーザリクエストと同一のセッションの情報を介して）、装置の処理可能な最高解像度以下のリクエストがされるようにリクエストが変更される。これにより、一実施形態において、ＭＵＶＩＡからサーバ４０００および／またはユーザ装置３２００に送信するうえで必要な周波数帯域幅が保護される。
【０１５３】
再び図１−Ｋを参照する。一実施形態において、サーバ４０００は、ユーザリクエストレイテンシ管理モジュール４０３０を備える。ユーザリクエストレイテンシ管理モジュール４０３０は、ユーザ装置３２００とともに、ユーザ装置３２００が特定の画像をリクエストした時刻から、そのリクエストに従ってユーザにデータが送信される時刻までのレイテンシを低減する。このレイテンシ管理の詳細は、連なる装置群（例えば、ユーザ装置、カメラアレイ、およびサーバなど）の中の１以上の装置により実行される種々の技術とともに後ほど説明される。例えば、一実施形態において、低解像度の画像、例えば、ローカルまたはサーバに保存された画像が、リクエストを受けた後すぐにユーザに送信される。次に、その画像は、カメラにより取り込まれた実際の画像に更新される。一実施形態において、ユーザリクエストレイテンシ管理モジュール４０３０はまた、変化のないギャップを埋める処理を実行する。具体的に、カメラにより取り込まれた画像に変化がない場合、つまり、一定の期間変化がない場合、新しい画像が取り込まれる必要はない。そこで、サーバ４０００に保存されている古い画像がユーザ装置３２００に送信される。この処理もまた後ほど詳述される。
【０１５４】
図１−Ｕを参照する。図１−Ｕは、サーバ４０００について説明する。一実施形態において、サーバ４０００は、統合ユーザリクエスト送信モジュール４０４０を含む。統合ユーザリクエスト送信モジュール４０４０は、すべてのユーザリクエストを統合し、それらリクエストに関して、あらゆる必要な前処理を実行し、特定の一連のピクセルについてのリクエストをアレイ局部記憶装置・処理モジュール３３００に対して送信するように構成されている。ユーザリクエストを統合し、前処理を実行するプロセスは、例示する他の実施形態と共に後ほど詳述する。しかしながら、本実施形態においては、統合ユーザリクエスト送信モジュール４０４０がリクエストを送信する（図１−Ｕの左側から図１−ＡＥの下側へと、リモートサーバ３５１５からの低帯域幅通信として図１−ＡＥで特定される経路を通る。ここで、“低帯域幅通信”との用語は、必ずしも“低帯域幅”を意味するものではないし、また、特定の帯域幅の数値を暗に意味するわけではなく、実際の画像センサアレイ３５０５からアレイ局部記憶装置・処理モジュール３３００への相対的により高い高帯域幅通信よりも低いことを意味するに過ぎない。このことも後ほど詳述する）。
【０１５５】
再び図１−Ｕを参照する。サーバ４０００はまた、リクエストピクセル受信モジュール４０５０、ユーザリクエスト準備モジュール４０６０、およびユーザリクエスト送信モジュール４０７０（図１−Ｔに図示）を含む。これらの部材は、本実施形態のデータフローに関して、より詳細に説明される。
【０１５６】
図１−ＡＥ、および図１−ＡＦを参照する。図１−ＡＥ、および図１−ＡＦは、画像センサアレイ（“ＩＳＡ”）３２００、およびアレイ局部記憶装置・処理モジュール３３００を示す。いずれも後ほど詳述する。
【０１５７】
画像センサアレイ３２００は、１以上の画像センサを含む。当該１以上の画像センサは、一実施形態において、静的な特定の物体、または静的な特定のシーンに向けられている。画像センサアレイ３２００は、たった一つの画像センサであってもよいし、または、より一般的な、より大きな視野を生成するために組み合わされる個々の画像センサ３２０１の集合であってもよい。例えば、一実施形態において、１０個のメガピクセルセンサが画像センサ３２０１それぞれに対して使用される。これらのセンサを１２個用いて、効果的な視野、ロスレスズーム等が実質的に増加する。これらの数値は単なる例示であって、センサの数、および／または、メガピクセルの画像センサ能力はあらゆるものが使用されうる。
【０１５８】
単一のセンサを複数使用することにより、画像センサアレイ３２００それぞれの露光によって捕えられた極めて多くの数のピクセルが作られる。このようにして、これらのピクセルが、高帯域幅通信３５０５を介して、アレイ局部記憶装置・処理モジュール３３００へと送信される。一実施形態において、アレイ局部記憶装置・処理モジュール３３００は画像センサアレイ３２００に統合される。他の実施形態において、アレイ局部記憶装置・処理モジュール３３００は画像センサアレイ３２００とは別体であるが、例えばＵＳＢ３．０ケーブルを介して、画像センサアレイ３２００に直接接続する。“高帯域幅通信”は、特定の周波数帯域を必要とするものではなく、この通信に必要な周波数帯域が、アレイ局部処理モジュール３３００からリモートサーバへの通信に必要な周波数帯域よりも相対的に高いということに過ぎない。ここで、リモートサーバは、必ずしもそういうわけではないが、一時的に遠くに位置していてもよい。
【０１５９】
複数のピクセルが画像センサアレイ３２００により取り込まれることから、画像センサアレイに対する機械的変更は一般的に必要とされない。ただし、そのような機械的変更は本実施形態からは除外されない。例えば、アレイは、極めて大きな視野を有し、解像度も極めて高い。そのため、“パン”機能、および“ズーム”機能は、光学的に処理することができる。この光学的な処理は、レンズの焦点を機械的に変更する、または、異なる位置にアレイを物理的に向けるといった方法よりも採用される。こうすることで、装置に要求される複雑さは低減し、かつ、画像センサアレイ３２００によって異なる視野が生成される速度を高めることができる。
【０１６０】
再び図１−ＡＥを参照する。画像センサアレイ３３００は、画像取込モジュール３３０５により受信された画像を取り込む。画像取込モジュール３３０５は、取り込まれた画像を取得し、その画像を統合ユーザリクエスト、例えば、統合ユーザリクエスト受信モジュール３３１０により提供された統合ユーザリクエストと比較する。統合ユーザリクエスト受信モジュール３３１０は、画像のいずれのピクセルがリクエストされたかに関する情報をサーバ４０００から受信する。統合ユーザリクエストおよび取り込まれた画像を使用することにより、ピクセル選択モジュール３３２０は、ユーザによってリクエストされた特定のピクセルを選択し、サーバへ返信するためそれらのピクセルにマークを付ける。
【０１６１】
保護されるべきピクセルが特定された後、保護されない他のピクセルは取り除かれる。具体的には、保護されない他のピクセルは、不使用ピクセル間引きモジュール３３３０で間引かれる。一実施形態において、これらのピクセルは、単に破棄される。つまり、これらのピクセルは、長期メモリに保存されず、電子トラッシュ３３１７に移される。他の実施形態において、これらのピクセルの一部または全部は、ローカルメモリ、つまり、ローカルメモリ３３１５に保存される。ここから、これらのピクセルは、オフピーク時に様々な記憶部に送信され、アレイ局部処理モジュール３３００による画像処理のために保存される。または、これらのピクセルは、ユーザリクエストとは別の他の操作または他の処理に供される。
【０１６２】
再び図１−ＡＥを参照する。続いて、選択されたピクセルは、選択ピクセル送信モジュール３３４０を用いてサーバ４０００へ送信される。選択ピクセル送信モジュール３３４０は、送信に必要なあらゆる装置を含む。例えば、選択ピクセル送信モジュール３３４０は、通信形式に応じて、セル無線、ワイアレス・アダプタ等を含む。一実施形態において、リクエストされたピクセルのみ、低帯域幅通信３５１０を介してサーバへ送信される。低帯域幅通信３５１５と同様に、低帯域幅通信３５１０は、特定の周波数帯域を表すものではなく、高帯域幅通信３５０５よりも相対的に低いことを意味するに過ぎない。
【０１６３】
ある実施形態においては、ユーザによって具体的にリクエストされた数よりも多いピクセルが送信されてもよい。例えば、アレイ局部処理モジュール３３００は、ユーザがリクエストした領域に接するピクセルであって、ユーザがリクエストした領域の外側にあるピクセルを送信してよい。一実施形態において、ここで説明されるように、これらのピクセルは、異なる解像度、または、異なる圧縮形式を用いて送信される。他の実施形態において、付加的なピクセルがリクエストされたピクセルと同様に単に送信されてよい。さらに他の実施形態において、サーバ４０００はユーザのリクエスト領域を拡大する。その結果、アレイ局部処理モジュール３３００は、リクエストされたピクセルのみを送信する。しかしながら、そのリクエストされたピクセルは、ユーザが当初リクエストしたよりも広い領域をカバーする。これらの付加的なピクセルは、送信されて、サーバまたはローカルデバイスにより“キャッシュ”される。これは、ここで詳述されるプロセスにおいて、レイテンシ時間を短くするために使用される。
【０１６４】
図１−Ｕに戻って参照する。アレイ局部処理モジュール３３００の選択ピクセル送信モジュール３３４０から送信された送信ピクセルはサーバ４０００、具体的には、リクエストピクセル受信モジュール４０５０に受信される。リクエストピクセル受信モジュール４０５０は、リクエストされたピクセルを受信し、それらピクセルを、ユーザリクエスト準備モジュール４０６０に引き渡す。ユーザリクエスト準備モジュール４０６０は、リクエストされたピクセルを“解凍”する。つまり、ユーザリクエスト準備モジュール４０６０は、いずれのピクセルがいずれのユーザにいずれの解像度で送信されるかを決定する。その際、ユーザリクエスト準備モジュール４０６０は、画像調整を含む後処理を実行し、欠落したキャッシュデータを追加し、または、画像に対して付加的なデータ（例えば、広告もしくは他のデータ）を追加する。一実施形態において、サーバ４０００はまた、ユーザリクエスト送信モジュール４０７０を含んでもよい。ユーザリクエスト送信モジュール４０７０は、リクエストされたピクセルをユーザ装置５２００へ返送するように構成されている。
【０１６５】
再び図１−Ａを参照する。ユーザ装置５２００は、選択画像受信モジュール５２３０、およびユーザ選択提示モジュール５２４０を含む。選択画像受信モジュール５２３０は、サーバ４０００により送信されたピクセルを受信する。ユーザ選択提示モジュール５２４０は、例えば装置スクリーンへの表示によって、リクエストされたピクセルをユーザに対して表示する。一実施形態において、画像表示は、例示されたインタフェースにより実行される。これにより、図１−Ａに示されるようにＭＵＶＩＡの表示を介したユーザ操作に従って、ユーザリクエストと新しい画像とのサイクルを表示することができる。
【０１６６】
図１−Ｂ、図１−Ｃ、図１−Ｍ、図１−Ｗ、図１−ＡＧ、および図１−ＡＨは、ＭＵＶＩＡシステムの他の実施形態を示す。このＭＵＶＩＡシステムでは、複数のユーザ装置５５１０、５５２０、５５３０が同じ画像センサアレイ３２００により取り込まれた画像をリクエストする。
【０１６７】
図１−Ｂ、および図１−Ｃを参照する。ユーザ装置５５１０、ユーザ装置５５２０、およびユーザ装置５５３０が図示されている。一実施形態において、ユーザ装置５５１０、ユーザ装置５５２０、およびユーザ装置５５３０はそれぞれ、ユーザ装置５２００と一部またはすべてが同じ構成要素を備える。ただし、図１−Ｂ、および図１−Ｃでは、図面の簡潔さ、および理解の容易のために図示されていない。ユーザ装置５５１０、ユーザ装置５５２０、およびユーザ装置５５３０のそれぞれについて、画面解像度の例が選択されている。しかしながら、選択されたこれらの数値には特別な意味はなく、例示を目的に記載されただけである。代わりに他の数値を用いることもできる。
【０１６８】
例えば、一実施形態において、図１−Ｂを参照する。ユーザ装置５５１０は、１９２０×１０８０の画面解像度を有する（口語的に、“ＨＤ品質”と称する）。ユーザ装置５５１０は、サーバ４０００に画像リクエストを送信する。ユーザ装置５５１０はまた、当該装置の画面解像度に関するデータを送信してよい。
【０１６９】
図１−Ｃを参照する。ユーザ装置５５２０は、１３３４×７５０の画面解像度を有する。ユーザ装置５５２０は、サーバ４０００に他の画像リクエストを送信する。そして、一実施形態において、ユーザ装置５５２０は、装置の画面解像度に関するデータではなく、自装置の種類を特定するデータを送信する（例えば、アップルブランドのスマートフォン）。サーバ４０００は、このデータを使い、内部データベース、または外部ソースにコンタクトして、ユーザ装置５５２０の画面解像度を判定する。外部ソースとしては、装置の製造業者、または装置に関するデータの第三者サプライヤが挙げられる。
【０１７０】
再び図１−Ｃを参照する。ユーザ装置５５３０は、６４０×４８０の画面解像度を有する。ユーザ装置５５３０は、何ら付加的なデータを伴わず、自身によってサーバ４０００にリクエストを送信する。さらに、サーバ４０００は、様々なユーザから独立したリクエストを受信する。そのリクエストは、装置上の現在の観賞領域を変更することを要求するものである。
【０１７１】
図１−Ｍを参照する。サーバ４０００は、ユーザリクエスト受信モジュール４１１０を含む。ユーザリクエスト受信モジュール４１１０は、複数のユーザ装置、例えば、ユーザ装置５５１０、ユーザ装置５５２０、およびユーザ装置５５３０からリクエストを受信する。サーバ４０００はまた、独立ユーザ表示変更リクエスト受信モジュール４１１５を含んでよい。一実施形態において、独立ユーザ表示変更リクエスト受信モジュール４１１５は、ユーザリクエスト受信モジュール４１１０の一部であってよく、また、既にシステムに接続したユーザから、現在ユーザが視ている表示を変更するためのリクエストを受信するように構成されていてもよい。
【０１７２】
再び図１−Ｍを参照する。サーバ４０００は、関連ピクセル選択モジュール４１２０を含んでよい。関連ピクセル選択モジュール４１２０は、図１−Ｍに示されるように、複数のユーザ選択を一つの領域に結合するように構成されている。一実施形態において、異なるユーザ装置は、互いに重畳する領域をリクエストする可能性がある。この場合、１以上の重畳領域、例えば重畳領域４１２２、が存在する。一実施形態において、上記重畳領域は、データの保存／送信コストを低減し、かつ、効率を上げるため、一度だけ送信される。
【０１７３】
図１−Ｗを参照する。サーバ４０００は、対ＩＳＡ選択ピクセル送信モジュール４１３０を含んでよい。対ＩＳＡ選択ピクセル送信モジュール４１３０は、関連する選択ピクセルを取り込み、それらを、画像センサアレイ３２００のアレイ局部処理モジュール３４００へ送信する。対ＩＳＡ選択ピクセル送信モジュール４１３０は、通信用部品を備える。当該通信用部品は、他の送信モジュール、および／または、他の受信モジュールと共用されてよい。
【０１７４】
図１−ＡＧを参照する。アレイ局部処理モジュール３４００は、画像センサアレイ３２００と通信する。図１−ＡＥ、および図１−ＡＦと同様に、図１−ＡＧ、および図１−ＡＨはそれぞれ、アレイ局部処理モジュール３４００、および画像センサアレイ３２００を示す。
【０１７５】
画像センサアレイ３２００は、１以上の画像センサを含む。当該１以上の画像センサは、一実施形態において、静的な特定の物体、または静的な特定のシーンに向けられている。画像センサアレイ３２００は、たった一つの画像センサであってもよいし、または、より一般的な、より大きな視野を作りだすために組み合わされる個々の画像センサ３２０１の集まりであってもよい。例えば、一実施形態において、１０個のメガピクセルセンサが画像センサ３２０１それぞれに対して使用される。これらのセンサを１２個用いて、効果的な視野、ロスレスズーム等が実質的に増加する。これらの数値は単なる例示であって、センサの数、および／または、メガピクセルの画像センサ能力はあらゆるものが使用されうる。
【０１７６】
単一のセンサを複数使用することにより、画像センサアレイ３２００それぞれの露光によって捕えられた極めて多くの数のピクセルが作られる。このようにして、これらのピクセルが、高帯域幅通信３５０５を介して、アレイ局部記憶装置・処理モジュール３４００へと送信される。一実施形態において、アレイ局部記憶装置・処理モジュール３４００は画像センサアレイに統合される。他の実施形態において、アレイ局部記憶装置・処理モジュール３４００は画像センサアレイ３２００とは別体であるが、例えばＵＳＢ３．０ケーブルを介して、画像センサアレイ３２００に直接接続する。“高帯域幅通信３５０５”は、特定の周波数帯域を必要とするものではなく、この通信に必要な周波数帯域が、アレイ局部処理モジュール３４００からリモートサーバへの通信に必要な周波数帯域よりも相対的に高いということに過ぎない。ここで、リモートサーバは、必ずしもそういうわけではないが、一時的に遠くに位置していてもよい。
【０１７７】
複数のピクセルが画像センサアレイ３２００により取り込まれることから、画像センサアレイに対する機械的変更は一般的に必要とされない。ただし、そのような機械的変更は本実施形態からは除外されない。例えば、アレイは、極めて大きな視野を有し、解像度も極めて高い。そのため、“パン”機能、および“ズーム”機能は、光学的に処理することができる。この光学的な処理は、レンズの焦点を機械的に変更する、または、異なる位置にアレイを物理的に向けるといった方法よりも採用される。こうすることで、装置に要求される複雑さは低減し、かつ、画像センサアレイ３２００によって異なる視野が生成される速度を高めることができる。
【０１７８】
再び図１−ＡＧを参照する。画像センサアレイ３２００は、画像を取り込み、その画像を統合ユーザリクエストと比較する。統合ユーザリクエストは、統合ユーザリクエスト受信モジュール３４１０により供給される。統合ユーザリクエスト受信モジュール３４１０は、画像のいずれのピクセルがリクエストされたかに関する情報をサーバ４０００から受信する。統合ユーザリクエストおよび取り込まれた画像を使用することにより、ピクセル選択モジュール３４２０は、ユーザによってリクエストされた特定のピクセルを選択し、サーバへ返信するためそれらのピクセルにマークを付ける。
【０１７９】
保護されるべきピクセルが特定された後、保護されない他のピクセルは取り除かれる。具体的には、保護されない他のピクセルは、不使用ピクセル間引きモジュール３４３０で間引かれる。一実施形態において、これらのピクセルは、単に破棄される。つまり、これらのピクセルは、長期メモリに保存されず、電子トラッシュ３４１７に移される。他の実施形態において、これらのピクセルの一部または全部は、ローカルメモリ、つまり、ローカルメモリ３４１５に保存される。ここから、これらのピクセルは、（１）オフピーク時に様々な記憶部に送信され、（２）アレイ局部処理モジュール３４００による画像処理のために保存され、または、（３）ユーザリクエストとは別の他の操作または他の処理に供される。
【０１８０】
再び図１−ＡＧを参照する。アレイ局部処理モジュール３４００は、フラグ付選択ピクセル送信モジュール３４４０を含む。フラグ付選択ピクセル送信モジュール３４４０は、リクエストされた（“フラグ付”）と特定されたピクセルを取得し、それらピクセルを、さらなる処理のためにサーバ４０００へ返送する。先述したのと同様に、この送信は低帯域幅チャンネルを使用する。フラグ付選択ピクセル送信モジュール３４４０は、サーバ４０００への低帯域幅送信を有効にするために必要なすべてのハードウェアを備えてよい。
【０１８１】
再び図１−Ｗを参照する。アレイ局部処理モジュール３４００のフラグ付選択ピクセル送信モジュール３４４０は、フラグ付ピクセルをサーバ４０００へ送信する。具体的に、図１−Ｗに示されるように、フラグ付選択ピクセル送信モジュール３４４０は、フラグ付ピクセルを、サーバ４０００のＩＳＡ発信フラグ付選択ピクセル受信モジュール４１４０に送信する。
【０１８２】
再び図１−Ｗを参照する。サーバ４０００はまた、フラグ付選択ピクセル分離・複写モジュール４１５０を含む。フラグ付選択ピクセル分離・複写モジュール４１５０は、種々の選択からの複数のピクセルを組み合わせるプロセスを反転し、必要に応じて重畳領域を複写し、画像をリクエストしたユーザ装置それぞれに対してリクエスト画像を生成する。フラグ付選択ピクセル分離・複写モジュール４１５０はまた、画像に対して実行される後処理を含む。画像に対して実行される後処理は、（１）キャッシュされた画像を埋めること、（２）装置および／またはユーザの優先傾向に基づく画像の調整、および、（３）その他の画像後処理、を含む。
【０１８３】
ここで図１−Ｍを参照する（データは、図１−Ｗのモジュール４１５０から“北”へ移動する）。サーバ４０００は、対ユーザ装置ピクセル送信モジュール４１６０を含む。対ユーザ装置ピクセル送信モジュール４１６０は、分離され、かつ、画像をリクエストした特定のユーザのために処理されたピクセルを送信するように構成されている。対ユーザ装置ピクセル送信モジュール４１６０は、ユーザ装置５５１０、ユーザ装置５５２０、ユーザ装置５５３０に対して画像を転送処理する。一実施形態において、対ユーザ装置ピクセル送信モジュール４１６０は、ユーザリクエスト受信モジュール４１１０と構成要素の幾つかまたは全部を共有する。
【０１８４】
サーバ４０００の対ユーザ装置ピクセル送信モジュール４１６０から右上へ向かうデータの流れを示す矢印を辿っていくと、リクエストされたユーザ画像は、ユーザ装置５５１０、ユーザ装置５５２０、およびユーザ装置５５３０に到着する（図１−Ｂ、図１−Ｃ参照）。ユーザ装置５５１０、ユーザ装置５５２０、およびユーザ装置５５３０は、先述したように、および／または、後述するように、受信画像を提示する。
【０１８５】
再び図１を参照する。図１−Ｅ、図１−Ｏ、図１−Ｙ、図１−ＡＨ、および図１−ＡＩは、一実施形態に係るＭＵＶＩＡの実行を説明する。図１−Ｅを参照して、一実施形態において、ユーザ装置５６００は、対象選択受信モジュール５６１０を含む。対象選択受信モジュール５６１０は、ユーザに画像から“対象”、つまり、画像から関心のあるポイントを選択させる構成要素である。例えば、図示された例において、ＭＵＶＩＡはフットボールスタジアム、例えばセンチュリー・リンク・フィールドを指している。例として、ユーザは、フィールド上のフットボールプレーヤーの一人を“対象”として選択する。この操作は、対象提示モジュール、つまり、対象提示モジュール５６１２によって容易に実施される。対象提示モジュール５６１２は、１以上の画像（例えば、ＭＵＶＩＡからの様々なタイプの画像であってよく、解像度が異なっていてもよいし、または、更新されていなくてもよい）を提示し、そこからユーザが対象、つまり、フットボールプレーヤーを選択する。
【０１８６】
一実施形態において、対象選択受信モジュール５６１０は、音声対象選択モジュール５６１４を含んでよい。音声対象選択モジュール５６１４は、装置との物理的接触を必要とすることなく、音声コマンドを用いて、ユーザに対象を選択させることが可能である。
【０１８７】
再び図１、具体的に図１−Ｅを参照する。一実施形態において、ユーザ装置５６００は、選択対象送信モジュール５６２０を含む。選択対象送信モジュール５６２０は、ユーザが選択した対象を取り込み、その選択した対象をサーバ４０００へ送信する。
【０１８８】
図１−Ｏを参照する。図１−Ｏ（および、図１−Ｏの“南”方向に位置する図１−Ｙ）はサーバ４０００の一実施形態を示す。例えば、一実施形態において、サーバ４０００は、選択対象受信モジュール４２１０を含む。一実施形態において、サーバ４０００の選択対象受信モジュール４２１０は、ユーザ装置５６００から選択対象を受信する。選択された対象データは種々の形式をとりうる。例えば、選択された対象データは、画像データ、選択対象を特定するメタデータ、または他の表示記号（例えば、ＩＤ番号、追跡番号、または他の情報（例えば、ナンバープレートもしくは社会保障番号））といった形式をとってよい。選択された対象データは、住所もしくは物理的記述、または何かを特定するために使用されうる、データの他の具体化であってよい。
【０１８９】
再び図１−Ｏを参照する。一実施形態において、サーバ４０００は、選択対象特定モジュール４２２０を含む。選択対象特定モジュール４２２０は、選択対象受信モジュール４２１０により受信された対象データを取得し、選択対象を含む画像（例示では、フットボールプレーヤー）を得るために取り込まれるべき画像を判定（決定）する。一実施形態において、選択対象特定モジュール４２２０は、画像センサアレイ３２００から前に受信された画像（または、一実施形態において、現在の画像）を使用し、選択対象を含む画像のパラメータを決定する。例えば、一実施形態において、画像中の対象の位置を決定するために、画像センサアレイ３２００からの低解像度画像がサーバ４０００に送信される。続いて、画像の部分に関する特別なリクエストが画像センサアレイ３２００に送信される。これは後述される。
【０１９０】
一実施形態において、サーバ４０００は、画像センサアレイ３２００に対して送信されるべきリクエストを生成するために、選択対象データおよび／または受信した画像データに対して処理を実行する。例えば、この例では、選択対象データはフットボールプレーヤーである。サーバ４０００、具体的には選択対象特定モジュール４２２０は、画像センサアレイから取り込んだ１以上の画像に対して画像認識を実行し、選択対象を含むシーン全体の一“区域（セクター）”を決定する。他の実施形態において、選択対象特定モジュール４２２０は、他の外部データソースを使用し、対象の位置を決定する。さらに他の実施形態において、選択対象データは、画像センサアレイによって表示されたシーンからユーザにより選択される。そのため、多くの処理は必要とならない。
【０１９１】
図１−Ｏを参照する。一実施形態において、サーバ４０００は、ピクセル情報選択モジュール４２３０を含む。ピクセル情報選択モジュール４２３０は、対象を取り込むために必要なピクセルを選択し、画像センサアレイから送信されるべき画像のサイズを決定する。画像のサイズは、選択された対象の種類、または１以上のパラメータ（ユーザ、装置、またはサーバにより設定されるパラメータ。パラメータは選択された対象に基づいてもよいし、基づかなくてもよい。）により決定されてよい。画像のサイズは、装置の表示解像度、または他のアルゴリズムにより決定されてよい。ピクセル情報選択モジュール４２３０は、対象を表現するために取り込むべきピクセルを決定し、対象のステータスの変化（例えば、対象が動いている場合。フットボールの例では、プレーが開始し、フットボールプレーヤーがある方向に向かって動いている場合）に基づいて更新してよい。
【０１９２】
図１−Ｙを参照する。図１−Ｙは、本実施形態に係るサーバ４０００を含む。一実施形態において、サーバ４０００は、対ＩＳＡピクセル情報送信モジュール４２４０を含む。対ＩＳＡピクセル情報送信モジュール４２４０は、画像センサアレイ３２００と関連するアレイ局部処理モジュール３５００に対して選択したピクセルを送信する。
【０１９３】
図１−ＡＨ、および図１−ＡＩを参照する。図１−ＡＨは、画像センサアレイ３２００を示す。この例において、画像センサアレイ３２００は、フットボールスタジアム、例えばセンチュリー・リンク・フィールド、を指している。画像センサアレイ３２００は、１以上の画像センサを含む。本実施形態において、当該１以上の画像センサは、静的な特定の物体、または静的な特定のシーンに向けられている。画像センサアレイ３２００は、たった一つの画像センサであってもよいし、または、より一般的な、より大きな視野を生成するために組み合わされる個々の画像センサ３２０１の集合であってもよい。例えば、一実施形態において、１０個のメガピクセルセンサが画像センサ３２０１それぞれに対して使用される。１２個のこれらのセンサにより、効果的な視野、ロスレスズーム等が実質的に増加する。これらの数値は単なる例示であって、センサの数、および／または、メガピクセルの画像センサ能力はあらゆるものが使用されうる。
【０１９４】
単一のセンサを複数使用することにより、画像センサアレイ３２００それぞれの露光によって捕えられた極めて多くの数のピクセルが作られる。このようにして、これらのピクセルが、高帯域幅通信３５０５を介して、アレイ局部記憶装置・処理モジュール３５００へと送信される。一実施形態において、アレイ局部記憶装置・処理モジュール３５００は画像センサアレイ３２００に統合される。他の実施形態において、アレイ局部記憶装置・処理モジュール３５００は画像センサアレイ３２００とは別体であるが、例えばＵＳＢ３．０ケーブルを介して、画像センサアレイ３２００に直接接続される。“高帯域幅通信３５０５”は、特定の周波数帯域を必要とするものではなく、この通信に必要な周波数帯域が、アレイ局部処理モジュール３５００からリモートサーバへの通信に必要な周波数帯域よりも相対的に高いということに過ぎない。ここで、リモートサーバは、必ずしもそういうわけではないが、一時的に遠くに位置していてもよい。
【０１９５】
複数のピクセルが画像センサアレイ３２００により取り込まれることから、画像センサアレイに対する機械的変更は一般的に必要とされない。ただし、そのような機械的変更は本実施形態からは除外されない。例えば、アレイは、極めて大きな視野を有し、解像度も極めて高い。そのため、“パン”機能、および“ズーム”機能は、光学的に処理することができる。この光学的な処理は、レンズの焦点を機械的に変更する、または、異なる位置にアレイを物理的に向けるといった方法よりも採用される。こうすることで、装置に要求される複雑さは低減し、かつ、画像センサアレイ３２００によって異なる視野が生成される速度を高めることができる。
【０１９６】
再び図１−ＡＥを参照する。画像センサアレイ３２００は、画像取込モジュール３３０５により受信された画像を取り込む。画像取込モジュール３３０５は、取り込まれた画像を取得し、その画像を統合ユーザリクエスト、例えば、統合ユーザリクエスト受信モジュール３５１０により提供された統合ユーザリクエストと比較する。統合ユーザリクエスト受信モジュール３５１０は、画像のいずれのピクセルがリクエストされたかに関する情報をサーバ４０００から受信する。統合ユーザリクエストおよび取り込まれた画像を使用することにより、ピクセル選択モジュール３３２０は、ユーザによってリクエストされた特定のピクセルを選択し、サーバへ返信するためそれらのピクセルにマークを付ける。
【０１９７】
保護されるべきピクセルが特定された後、保護されない他のピクセルは取り除かれる。具体的には、保護されない他のピクセルは、不使用ピクセル間引きモジュール３３３０で間引かれる。一実施形態において、これらのピクセルは、単に破棄される。つまり、これらのピクセルは、長期メモリに保存されず、電子トラッシュ３３１７に移される。他の実施形態において、これらのピクセルの一部または全部は、ローカルメモリ、つまり、ローカルメモリ３３１５に保存される。ここから、これらのピクセルは、オフピーク時に様々な記憶部に送信され、アレイ局部処理モジュール３３００による画像処理のために保存される。または、これらのピクセルは、ユーザリクエストとは別の他の操作または他の処理に供される。一実施形態において、不使用ピクセル間引きモジュール３３３０は、低解像度モジュール３３１４を含む。または、不使用ピクセル間引きモジュール３３３０は、低解像度モジュール３３１４と通信する。低解像度モジュール３３１４は、幾つかの実施形態において、低解像度の画像（例えば、シーン全体、または、対象を囲む視野）をサーバ４０００に送信するために用いられる。その結果、サーバ４０００は、ユーザにより選択された対象を取り込むために必要な画像を正確に決定することができる。
【０１９８】
再び図１−ＡＥを参照する。続いて、選択されたピクセルは、選択ピクセル送信モジュール３３４０を用いてサーバ４０００に送信される。選択ピクセル送信モジュール３３４０は、送信に必要なあらゆる装置を含む。例えば、選択ピクセル送信モジュール３３４０は、通信形式に応じて、セル無線、ワイアレス・アダプタ等を含む。一実施形態において、リクエストされたピクセルのみ、低帯域幅通信３５１０を介してサーバへ送信される。低帯域幅通信３５１５と同様に、低帯域幅通信３５１０は、特定の周波数帯域を表すものではなく、高帯域幅通信３５０５よりも相対的に低いことを意味するに過ぎない。
【０１９９】
再び図１−Ｙを参照する。サーバ４０００は、ＩＳＡ発信リクエスト画像受信モジュール４２５０を含む。ＩＳＡ発信リクエスト画像受信モジュール４２５０は、アレイ局部処理モジュール３５００からの画像データを受信する（つまり、図１−ＡＩから“北”へ向かう矢印）。図１−Ｙに示される画像は、対象（つまり、フットボールプレーヤー）、および周囲の領域（つまり、フットボールプレーヤーの周囲のフィールド領域）を含む。“周囲の領域”、およびアレイ局部処理モジュールに含まれる／アレイ局部処理モジュールから送信される事項の詳細はユーザにより規定される（直接的に、または間接的に、つまり、優先傾向に沿って）、または、サーバによって、つまりピクセル情報選択モジュール４２３０において決定される（図１−Ｏ参照）。
【０２００】
再び図１−Ｙを参照する。サーバ４０００はまた、対ユーザ装置リクエスト画像送信モジュール４２６０を含む。対ユーザ装置リクエスト画像送信モジュール４２６０は、リクエストされた画像をユーザ装置５６００に送信する。対ユーザ装置リクエスト画像送信モジュール４２６０は、ユーザ装置５６００との通信に必要な構成要素を含む。ユーザ装置５６００は、幾つかの実施形態において、サーバ４０００の１以上の他のモジュール、例えば、ネットワークインタフェース、または無線アンテナ、と構成要素を共有する。
【０２０１】
再び図１−Ｙを参照する。サーバ４０００は、サーバキャッシュ画像更新モジュール４２７０を含む。サーバキャッシュ画像更新モジュール４２７０は、アレイ局部処理モジュール３５００から受信した画像を取得し（ユーザに送信されるべき画像を含む）、キャッシュされた画像が更新されるべきかどうか判定するために、その受信した画像とサーバに保管されたまたはサーバにキャッシュされた画像とを比較する。この処理は、実施形態に応じて頻繁にまたは稀に行われる。幾つかの実施形態において、この処理は、データ接続が存在する限り継続する。幾つかの実施形態において、上記プロセスの頻度は、アレイ局部処理モジュール３５００に対して利用可能な周波数帯域に依存する。つまり、オフピーク時に頻度は増加する。一実施形態において、サーバキャッシュ画像更新モジュール４２７０は、アレイ局部処理モジュール３５００から受信した画像を比較し、画像が変化していた場合には、キャッシュされた画像を新しい画像と交換する。
【０２０２】
再び図１−Ｅを参照する。図１−Ｅは、ユーザ装置５６００を示す。一実施形態において、ユーザ装置５６００は、選択対象含有画像受信モジュール５６３０を含む。選択対象含有画像受信モジュール５６３０は、サーバ４０００、具体的には、サーバ４０００の対ユーザ装置リクエスト画像送信モジュール４２６０から画像を受信するように構成されている（図１−Ｅに到達する前に図１−Ｙ、および図１−Ｏ（北方向へ）を右上方向に通過する矢印により示されるデータ送信として図１−Ｙに記載されている）。
【０２０３】
再び図１−Ｅを参照する。図１−Ｅは、受信画像提示モジュール５６４０を示す。受信画像提示モジュール５６４０は、選択リクエストを含むリクエストピクセルをユーザに対して表示する（装置スクリーンに表示する）。一実施形態において、画像の表示は、ユーザが対象を監視することを可能とする例示的なインタフェースを介して実行される。また、画像の表示は、対象に関する情報をも表示してもよい（例えば、一実施形態において、図示されるように、フットボールプレーヤーの試合統計が表示される）。これにより、図１−Ａに示されるようにＭＵＶＩＡの表示を介してユーザが操作するに従って、ユーザリクエストと新しい画像とのサイクルを表示することができる。
【０２０４】
再び図１を参照する。図１−Ｆ、図１−Ｐ、図１−Ｚ、および図１−ＡＪは、一実施形態に係るＭＵＶＩＡの実行を説明する。本実施形態は、“ライブストリートビュー”として知られており、１以上のＭＵＶＩＡシステムによって、ユーザは、周知のグーグルブランドのマップ（または、グーグル・ストリート）に類似する（ただし、リアルタイムでカメラが動作する点は除く）エリアを移動することができる。例えば、一実施形態において、図１−Ｆを参照すると、ユーザ装置５７００は、対象選択受信モジュール５７１０を含む。対象選択受信モジュール５７１０は、ユーザが画像から “対象”、つまり画像から興味のあるポイントを選択することを可能とする構成要素である。例えば、図示される例において、ＭＵＶＩＡはある都市に焦点を合わせており、対象は、その都市の、住所、建物、車両、または人物である。一例として、ユーザが対象としてストリート・アドレスを選択する。この選択は、対象提示モジュール、つまり、画像選択提示モジュール５７１２によって容易に実施される。画像選択提示モジュール５７１２は、１以上の画像（例えば、ＭＵＶＩＡからの様々なタイプの画像であってよく、解像度が異なっていてもよいし、または、更新されていなくてもよい）を提示し、そこからユーザが対象、つまり、ストリート・アドレスを選択する。一実施形態において、画像選択提示モジュール５７１２は、ＭＵＶＩＡシステムをソースとする、またはＭＵＶＩＡシステムをソースとしない静止画を使用する。他の実施形態において、画像選択提示モジュール５７１２は、ＭＵＶＩＡシステムからの現在のビュー、またはキャッシュされたビューを使用する。
【０２０５】
一実施形態において、画像選択提示モジュール５７１２は、音声対象選択モジュール５７１４を含んでよい。音声対象選択モジュール５７１４は、装置との物理的接触を必要とすることなく、音声コマンドを用いて、ユーザに対象を選択させることが可能である。
【０２０６】
再び図１を参照する。具体的に図１−Ｆを参照する。一実施形態において、ユーザ装置５７００は、選択対象送信モジュール５７２０を含む。選択対象送信モジュール５７２０は、ユーザが選択した対象を取り込み、その選択した対象をサーバ４０００へ送信する。
【０２０７】
図１−Ｐを参照する。図１−Ｐは、本実施形態に係るＭＵＶＩＡシステムのサーバ４０００を示す。一実施形態において、サーバ４０００は、選択対象受信モジュール４３１０を含む。選択対象受信モジュール４３１０は、ユーザ装置３７００から選択対象を受信する。一実施形態において、サーバ４０００は、対象選択を促進するすべてまたは大部分のデータを提供する。つまり、サーバ４０００は、画像およびインタフェースを提供する。画像およびインタフェースは、例えばウェブポータルを介して提供されてよい。
【０２０８】
再び図１−Ｐを参照する。一実施形態において、サーバ４０００は、選択画像前処理モジュール４３２０を含む。選択画像前処理モジュール４３２０は、画像前処理に関する１以上のタスクを実行する。そのうちの幾つかについては、例示目的のためここで説明する。例えば、一実施形態において、選択画像前処理モジュール４３２０は、解像度決定モジュール４３２２を含む。解像度決定モジュール４３２２は、対象を示すために画像の解像度を決定するように構成されている（ここで、解像度とは、画像の一様相、例えば、色深度、サイズ、陰、ピクシレーション、フィルター等、の代替表現に過ぎない。）。一実施形態において、解像度決定モジュール４３２２は、キャッシュピクセル埋込モジュール４３２４を含む。キャッシュピクセル埋込モジュール４３２４は、性能を向上させるために、リクエスト画像のいずれの部分がキャッシュから回復され、更新されるかを管理するように構成されている。一例として、あるストリートビューがリクエストされた場合、そのストリートにおける一構成（例えば、建物、樹木等）は、毎回取り込まれる必要はなく、キャッシュされた画像を用いて埋め込まれ、他の実施形態においては、その前の画像が埋め込まれる。赤い車が１時間前と同じ場所に駐車しているかどうかがチェックされる。赤い車が１時間前と同じ場所に駐車している場合には、画像の該当箇所を更新する必要がない。キャッシュピクセル埋込モジュール４３２４は、メモリ４２１５に保存された、低解像度画像および／または前の画像、および他の画像処理技術を用いることにより、いずれの部分の画像を再度取り込む必要がないかを決定する。これにより、アレイ局部処理モジュール３６００とサーバ４０００との間の接続に関する帯域負荷を軽減することができる。
【０２０９】
再び図１−Ｐを参照する。一実施形態において、サーバ４０００の選択画像前処理モジュール４３２０は、静止オブジェクト取得モジュール４３２６を含む。静止オブジェクト取得モジュール４３２６は、キャッシュピクセル埋込モジュール４３２４と同様の操作を実施する。例えば、図１−Ｂの例に示すように、静止オブジェクト取得モジュール４３２６は、前の静止オブジェクト、例えば、建物、樹木、定着物、ランドマーク等、を取得する。これにより、アレイ局部処理モジュール３６００とサーバ４０００との間の接続に関する帯域負荷が軽減される。
【０２１０】
再び図１−Ｐを参照する。一実施形態において、対ＩＳＡピクセル情報送信モジュール４３３０は、アレイ局部処理モジュール３６００に対して、ピクセルに関するリクエスト（例えば、前処理後の画像）を送信する（つまり、図１−Ｚおよび図１−ＡＩに示される、下向きに延びるデータ流れの矢印）。
【０２１１】
図１−Ｚ、および図１−ＡＩを参照する。一実施形態において、画像センサアレイ３２００に対して高帯域幅通信により接続されるアレイ局部処理モジュール３６００が存在してよい。
【０２１２】
画像センサアレイ３２００は、１以上の画像センサを含む。当該１以上の画像センサは、一実施形態において、静的な特定の物体、または静的な特定のシーンに向けられている。画像センサアレイ３２００は、たった一つの画像センサであってもよいし、または、より一般的な、より大きな視野を生成するために組み合わされる個々の画像センサ３２０１の集合であってもよい。例えば、一実施形態において、１０個のメガピクセルセンサが画像センサ３２０１それぞれに対して使用される。１２個のこれらのセンサにより、効果的な視野、ロスレスズーム等が実質的に増加する。これらの数値は単なる例示であって、センサの数、および／または、メガピクセルの画像センサ能力はあらゆるものが使用されうる。
【０２１３】
単一のセンサを複数使用することにより、画像センサアレイ３２００それぞれの露光によって捕えられた極めて多くの数のピクセルが作られる。このようにして、これらのピクセルが、高帯域幅通信３６０５を介して、アレイ局部記憶装置・処理モジュール３６００へと送信される。一実施形態において、アレイ局部記憶装置・処理モジュール３６００は画像センサアレイに統合される。他の実施形態において、アレイ局部記憶装置・処理モジュール３６００は画像センサアレイ３２００とは別体であるが、例えばＵＳＢ３．０ケーブルを介して、画像センサアレイ３２００に直接接続する。“高帯域幅通信３６０５”は、特定の周波数帯域を必要とするものではなく、この通信に必要な周波数帯域が、アレイ局部処理モジュール３６００からリモートサーバへの通信に必要な周波数帯域よりも相対的に高いということに過ぎない。ここで、リモートサーバは、必ずしもそういうわけではないが、一時的に遠くに位置していてもよい。
【０２１４】
複数のピクセルが画像センサアレイ３２００により取り込まれることから、画像センサアレイに対する機械的変更は一般的に必要とされない。ただし、そのような機械的変更は本実施形態からは除外されない。例えば、アレイは、極めて大きな視野を有し、解像度も極めて高い。そのため、“パン”機能、および“ズーム”機能は、光学的に処理することができる。この光学的な処理は、レンズの焦点を機械的に変更する、または、異なる位置にアレイを物理的に向けるといった方法よりも採用される。こうすることで、装置に要求される複雑さは低減し、かつ、画像センサアレイ３２００によって異なる視野が生成される速度を高めることができる。
【０２１５】
再び図１−ＡＪ、および図１−Ｚを参照する。画像センサアレイ３２００は、画像取込モジュール３６０５により受信された画像を取り込む。画像取込モジュール３６０５は、取り込まれた画像を取得し、その画像を統合ユーザリクエスト、例えば、統合ユーザリクエスト受信モジュール３６１０により提供された統合ユーザリクエストと比較する。統合ユーザリクエスト受信モジュール３６１０は、画像のいずれのピクセルがリクエストされたかに関する情報をサーバ４０００から受信する。統合ユーザリクエストおよび取り込まれた画像を使用することにより、ピクセル選択モジュール３６２０は、ユーザによってリクエストされた特定のピクセルを選択し、サーバへ返信するためそれらのピクセルにマークを付ける。
【０２１６】
保護されるべきピクセルが特定された後、保護されない他のピクセルは取り除かれる。具体的には、保護されない他のピクセルは、不使用ピクセル間引きモジュール３６３０で間引かれる。一実施形態において、これらのピクセルは、単に破棄される。つまり、これらのピクセルは、長期メモリに保存されず、電子トラッシュ３６１７に移される。他の実施形態において、これらのピクセルの一部または全部は、ローカルメモリ、つまり、ローカルメモリ３６１５に保存される。ここから、これらのピクセルは、オフピーク時に様々な記憶部に送信され、アレイ局部処理モジュール３６００による画像処理のために保存される。または、これらのピクセルは、ユーザリクエストとは別の他の操作または他の処理に供される。一実施形態において、不使用ピクセル間引きモジュール３６３０は、低解像度モジュール３６１４を含む。あるいは、不使用ピクセル間引きモジュール３６３０は、低解像度モジュール３６１４と通信する。低解像度モジュール３６１４は、幾つかの実施形態において、低解像度の画像（例えば、シーン全体、または、対象を囲む視野）をサーバ４０００に送信するために用いられる。その結果、サーバ４０００は、ユーザにより選択された対象を取り込むために必要な画像を正確に決定することができる。
【０２１７】
再び図１−ＡＪを参照する。続いて、選択されたピクセルは、選択ピクセル送信モジュール３６４０を用いてサーバ４０００に送信される。選択ピクセル送信モジュール３６４０は、送信に必要なあらゆる装置を含む。例えば、選択ピクセル送信モジュール３６４０は、通信形式に応じて、セル無線、ワイアレス・アダプタ等を含む。一実施形態において、リクエストされたピクセルのみ、低帯域幅通信３５１０を介してサーバへ送信される。低帯域幅通信３５１５と同様に、低帯域幅通信３５１０は、特定の周波数帯域を表すものではなく、高帯域幅通信３５０５よりも相対的に低いことを意味するに過ぎない。
【０２１８】
ある実施形態においては、ユーザによって具体的にリクエストされた数よりも多いピクセルが送信されてもよい。例えば、アレイ局部処理モジュール３６００は、ユーザがリクエストした領域に接するピクセルであって、ユーザがリクエストした領域の外側にあるピクセルを送信してよい。一実施形態において、ここで説明されるように、これらのピクセルは、異なる解像度、または、異なる圧縮形式を用いて送信される。他の実施形態において、付加的なピクセルがリクエストされたピクセルと同様に単に送信されてよい。さらに他の実施形態において、サーバ４０００はユーザのリクエスト領域を拡大する。その結果、アレイ局部処理モジュール３６００は、リクエストされたピクセルのみを送信する。しかしながら、そのリクエストされたピクセルは、ユーザが当初リクエストしたよりも広い領域をカバーする。これらの付加的なピクセルは、送信されて、サーバまたはローカルデバイスにより“キャッシュ”される。これは、ここで詳述されるプロセスにおいて、レイテンシ時間を短くするために使用される。
【０２１９】
再び図１−Ｐを参照する。一実施形態において、サーバ４０００は、ＩＳＡ発信画像受信モジュール４３４０を含む。ＩＳＡ発信画像受信モジュール４３４０は、アレイ局部処理モジュール３６００からの画像データを受信する（つまり、図１−Ｚを介して図１ーＡＪから“北”へ向かう矢印）。当該画像は、画像センサアレイ３２００から画像データを受信する。一実施形態において、サーバ４０００は、受信画像後処理モジュール４３５０を含む。受信画像後処理モジュール４３５０は、他の後処理タスクのうち、先述の選択画像前処理モジュール４３２０によって必要ないと判定された画像に対してオブジェクトおよびピクセルを埋め込む。一実施形態において、サーバ４０００は、対ユーザ装置受信画像送信モジュール４３６０を含む。対ユーザ装置受信画像送信モジュール４３６０は、リクエストされた画像をユーザ装置５７００へ送信する。対ユーザ装置受信画像送信モジュール４３６０は、ユーザ装置５７００との通信に必要な構成要素を含む。幾つかの実施形態において、対ユーザ装置受信画像送信モジュール４３６０は、サーバ４０００の１以上の他のモジュール、例えば、ネットワークインタフェース、または無線アンテナ、と構成要素を共有する。
【０２２０】
再び図１−Ｆを参照する。ユーザ装置５７００は、サーバ画像受信モジュール５７３０を含む。サーバ画像受信モジュール５７３０は、サーバ４０００、およびユーザ選択提示モジュール５２４０から画像を受信する。ユーザ選択提示モジュール５２４０は、例えば装置スクリーンへの表示によって、リクエストされたピクセルをユーザに対して表示する。一実施形態において、画像表示は、例示されたインタフェースにより実行される。これにより、図１−Ｆに示されるようにＭＵＶＩＡの表示を介してユーザが操作するに従って、ユーザリクエストと新しい画像とのサイクルを表示することができる。
【０２２１】
図１−Ｆ、および図１−Ｇに示されるように、一実施形態において、サーバ画像受信モジュール５７３０は、音声ストリーム受信モジュール５７３２、およびビデオストリーム受信モジュール５７３４を含む。本開示を通して説明するように、一実施形態において、ＭＵＶＩＡシステムは、静止画、動画、音声、他の電磁波、および他の信号・データを取り込む。一実施形態において、音声信号、およびビデオ信号は、一緒に処理される、または、異なるストリームとして別々に処理される。図面中のすべてのモジュールが音声信号、およびビデオ信号を別々に示しているわけではないが、ＭＵＶＩＡは、音声およびビデオ、同様に、静止画および他のデータ収集を含む。
【０２２２】
図１−Ｇを参照する。図１−Ｇは、ユーザ装置５７００の他の箇所を示す。図１−Ｇは、ディスプレイ５７５５、およびメモリ５７６５を含む。ディスプレイ５７５５、およびメモリ５７６５は、受信画像の提示、および／または、保存を促進するために使用される。
【０２２３】
図１−Ｈ、図１−Ｒ、図１−ＡＡ、および図１−ＡＢは、ＭＵＶＩＡシステムの実施を説明する。例えば、図１−Ｈを参照する。図１−Ｈは、ユーザ装置５８００の一実施形態を示す。例示目的であるが、ユーザ装置５８００は、拡張現実装置である。当該拡張現実装置は、ユーザに“ストリート”を見せている。このストリートにはユーザは実際にはいない。つまり、“仮想ツーリズム”であり、ユーザは拡張現実装置（例えば、グーグル、オキュラス・リフトタイプのヘッドギア装置）を使用する。この拡張現実装置は、ウェアラブルコンピュータであってよい。本実施形態は、ウェアラブルコンピュータまたは拡張現実に限定されず、本開示に説明するすべての実施形態と同様に、他の装置であってよい。ウェアラブルな、拡張現実または仮想現実は例示目的のために使われている。
【０２２４】
図１−Ｈに示すように、ユーザ装置５８００は、視野５８１０を含む。ユーザに対する視野５８１０は図１−Ｈにて説明される。最も内側の矩形部は、ドットのハッチングで示されており、ユーザが“仮想世界”を見るようにユーザの“視野”を示す。二番目に内側の矩形部は、直線でハッチングされており、ユーザに“最も近い”オブジェクト、つまり、頭を回転する、または目を動かすことによりユーザが次に“見る”であろう領域を示す。一実施形態において、画像の上記領域は、例えば特定のコーデックを使用することにより（詳細は後述する）、予め装置にロードされている。最も外側の矩形部は、ハッチングを使用することなく示された画像であるが、ユーザの視野のさらに外側を示す。この領域もまた、装置にロードされていてもよい。結果的にユーザが見る領域をロードすることにより、システムは、レイテンシ時間を短くでき、かつ、ユーザの動き、例えば、頭、目、身体の動き、をシステムにとって“自然”に見せることができる。
【０２２５】
図１−ＡＡ、および図１−ＡＢを参照する。これらの図面は、アレイ局部処理モジュール３７００を示す。アレイ局部処理モジュール３７００は、画像センサアレイ３２００に接続されている（具体的に、図１−ＡＫに示されており、図１−ＡＪに示されるように都市を“ビュー”する）。画像センサアレイ３２００は、先述の機能を果たす。一実施形態において、アレイ局部処理モジュール３７００は、取り込み画像受信モジュール３７１０を含む。取り込み画像受信モジュール３７１０は、高帯域幅通信３５０５を介して、画像センサアレイ３２００により取り込まれたシーン全体を受信する。先述したように、これらのピクセルは、取り込んだ画像の関連する箇所の中に“切り取られる”または“間引かれる”。先述したように、この処理は、１以上の、ユーザ装置５８００、サーバ４０００、および、アレイ局部処理モジュール３７００で実行される処理により行われる。関連するピクセルは、取り込み画像関連箇所受信モジュール３７２０によって処理される。
【０２２６】
図１−ＡＢを参照する。一実施形態において、取り込み画像関連箇所受信モジュール３７２０により処理された画像の関連ピクセルは、関連箇所コード化モジュール３７３０において特定のコーデックを用いてコード化される。一実施形態において、上記コーデックは、最も内側の矩形部をコード化するように構成されている。最も内側の矩形部は、現在のユーザ視野を示す部分、つまり部分３７１６である。コード化は、高解像度、または異なる圧縮方法、またはそれらの組み合わせで行われる。上記コーデックは、さらに、二つ目の矩形部をコード化するように構成されていてもよい。二つ目の矩形部は、垂直方向の実線ハッチングされている部分、つまり部分３７１４である。このコード化は、異なる解像度、および／または、異なる（例えば、より高い）圧縮方法で行われてもよい。同様に、最も外側の画像部分、つまり、部分３７１２もコード化されてよい。このコード化は、他の解像度、および／または、異なる圧縮方法で行われてよい。一実施形態において、上記コードそれ自体は画像のコード化のためのアルゴリズムを処理する。そのため、一実施形態において、上記コーデックはユーザ装置５８００に関する情報を含んでよい。
【０２２７】
図１−ＡＢに示されるように、部分３７１６、部分３７１４、および部分３７１２を含む、画像のコード化された部分は、コード化関連箇所送信モジュール３７４０を用いて送信される。“低圧縮”、“より高い圧縮”、“高圧縮”は、上記コーデックにより実行される処理の一例を示すに過ぎない。例えば、低圧縮に代えて、異なるサンプリングアルゴリズム、もしくは異なる圧縮アルゴリズムが使用されてよい。または、コード化された関連箇所の様々な部分のためにルーシェアルゴリズムが使用されてもよい。
【０２２８】
図１−Ｒを参照する。図１−Ｒは、一実施形態に係るＭＵＶＩＡシステムにおけるサーバ４０００を示す。例えば、図１−Ｒに示されるように、サーバ４０００は、先述した部分に加えて、コード化画像受信モジュール４４１０を含む。コード化画像受信モジュール４４１０は、アレイ局部処理モジュール３７００のコード化関連箇所送信モジュール３７４０から、先述した方法でコード化されたコード化画像を受信する。
【０２２９】
再び図１−Ｒを参照する。サーバ４０００は、コード化画像送信制御モジュール４４２０を含む。コード化画像送信制御モジュール４４２０は、画像の部分をユーザ装置５８００へ送信する。一実施形態において、周波数帯域およびユーザ装置の詳細に少なくとも部分的に応じて、サーバは、全てのコード化された画像をユーザ装置に送信する。そして、サーバは、ユーザ装置に必要な部分をデコードさせる。または、サーバは、ユーザ装置の必要に応じて、および、ユーザ装置が処理可能な複雑さに応じて、画像をデコードし、段階的にもしくは異なるコード化により部分を送信する。
【０２３０】
図１−Ｈを参照する。ユーザ装置５８００は、コード化画像送信受信モジュール５７２０を含む。コード化画像送信受信モジュール５７２０は、特別な方法、具体的には後に詳述する方法によってコード化された画像を受信するように構成されている。図１−Ｆはまた、コード化画像処理モジュール５８３０を含む。コード化画像処理モジュール５８３０は、画像を処理する。具体的に、コード化画像処理モジュール５８３０は、画像をコード化および復号化する。または、コード化画像処理モジュール５８３０は、ユーザに対して画像を提供するうえで必要な他の処理を行う。
【０２３１】
図１−ＡＬを参照する。図１−ＡＬは、様々なＭＵＶＩＡ構成要素のためのアプリケーション・プログラミング・インタフェース（ＡＰＩ）の実施を示す。具体的に、画像センサアレイＡＰＩ７８００は、とりわけ、プログラミング仕様７８１０と、アクセス認証モジュール７８２０とを含む。プログラミング仕様７８１０は、例えば、ライブラリ、クラス、仕様、テンプレート、または一般的にＡＰＩを構成する他のコード化要素を含む。アクセス認証モジュール７８２０は、様々な画像センサアレイに対するＡＰＩアクセスを管理する。ＡＰＩによって、画像センサアレイおよびアレイ局部処理モジュール３７００の機能に第三者ディベロッパーがアクセス可能となる。その結果、当該第三者ディベロッパーは、アレイ局部処理モジュール３７００のためのアプリケーションを作成することが可能となる。さらに、上記第三者ディベロッパーは、画像センサアレイ３２００により取り込まれた画像（一秒当たり、数ギガバイト、またはそれ以上のデータとなることが多い）のうちいずれの画像が保持、保存、または転送されるかを判定することができる。一実施形態において、ある機能に対するＡＰＩのアクセスは制限される。例えば、階層システムによって、１秒当たり、１分当たり、１時間当たり、または１日当たりある回数のＡＰＩがＭＵＶＩＡデータを呼び出すことができる。一実施形態において、第三者は、ＭＵＶＩＡデータへのアクセス増減を許容されるために、手数料を支払ってもよいし、登録手続きを行ってもよい。一実施形態において、上記第三者は、別のウェブサイト上に自らのアプリケーションを開設し、画像センサアレイ３２００および／またはアレイ局部処理モジュール３７００に上記ウェブサイトが直接アクセスできるようにしてよい。
【０２３２】
再び図１を参照する。一実施形態において、図１−Ｉ、図１−Ｊ、図１−Ｓ、図１−Ｔ、図１−ＡＣ、図１−ＡＤ、図１−ＡＭ、および図１−ＡＮは、ユーザに対して表示された画像中に広告（または、文脈異存材料）を挿入することを可能とするＭＵＶＩＡの実施を示す。
【０２３３】
再び図１−Ｉを参照する。一実施形態において、ユーザ装置５９００は、ユーザ選択受付モジュール５９１０を含む。ユーザ選択受付モジュール５９１０は、ユーザが何を見たいかに関するユーザ入力を受け付ける。例えば、図１−Ｉに示すように、ユーザ選択受付モジュール５９１０は画像センサアレイ３２００からの画像を示し、ユーザは、周知のインタフェースを用いて当該画像を“パン（pan）”および“ズーム”する。周知のインタフェースは、限定されないが、キーボード、マウス、タッチ、触覚、拡張現実インタフェース、音声コマンド、非言語モーションコマンド（例えば、ビデオゲームシステムインタフェースの一部、例えば、マイクロソフトキネクト）を含む。より詳細に後述するが、カメラ自体は“ズーミング”または“パニング”ではない。というのもカメラは動かないためである。画像センサアレイ３２００により撮像された異なるピクセルは、画像センサアレイ３２００に保持され、サーバ４０００に送信される。
【０２３４】
一実施形態において、ユーザ選択受付モジュール５９１０により促進される“ユーザ選択”はユーザを全く含まなくてよい。例えば、セキュリティに関する実施形態を例にすると、ユーザ選択は完全に機械により実行され、“動きのある画像の一部を選択する”、または“人物が認識される画像の一部を選択する”、または“特定の人物、例えば、ＦＢＩの最重要指名手配リストに掲載された人物が認識される画像の一部を選択する”を含んでよい。
【０２３５】
再び図１−Ｉを参照する。一実施形態において、ユーザ装置５９００は、ユーザ選択送信モジュール５９２０を含んでよい。ユーザ選択送信モジュール５９２０は、ユーザ選択送信モジュール５９２０からユーザ選択を取得し、その選択をサーバ４０００へ送信する。その送信には幾つかの前処理が含まれていてもよい。例えば、ユーザ装置５９００は、サーバ４０００へリクエストを送信する前に画像のサイズおよびパラメータを決定してもよいし、その処理がサーバ４０００により実行されてもよい。ユーザ選択送信モジュール５９２０から左側へ向かう太線矢印を図１−Ｋまで辿ると、ここで説明されるように、上記送信はサーバ４０００に到達する。サーバ４０００への送信はユーザ装置に関するデータ、例えば、画面の解像度、ウィンドサイズ、装置の型番、ユーザＩＤ、ユーザが支払うサービスレベル（そのようなサービスがカメラ／サーバにより優先されている実施形態において）、装置の他の機能、例えば、フレームレート等、を含んでよい。
【０２３６】
再び図１−Ｉを参照する。図１−Ｉはまた、選択画像受信モジュール５９３０、およびユーザ選択提示モジュール５９４０を含む。これらの部材は、本実施形態のデータフローに関して、より詳細に説明される。
【０２３７】
図１−Ｔを参照する（図面上、図１−Ｉの“下”および“右”に示される）。一実施形態において、サーバ４０００は、選択画像受信モジュール４５１０を含む。一実施形態において、サーバ４０００の選択画像受信モジュール４５１０は、ユーザ装置５９００から選択対象を受信する。選択された対象データは種々の形式をとりうる。例えば、選択された対象データは、画像データ、選択対象を特定するメタデータ、他の表示記号（例えば、ＩＤ番号、追跡番号、または他の情報（例えば、ナンバープレートもしくは社会保障番号））といった形式をとってよい。選択された対象データは、住所もしくは物理的記述、または何かを特定するために使用されうる、データの他の具体化であってよい。
【０２３８】
再び図１−Ｔを参照する。一実施形態において、サーバ４０００は、選択画像前処理モジュール４５２０を含む。選択画像前処理モジュール４５２０は、画像前処理に関する１以上のタスクを実行する。そのうちの幾つかは、他の実施形態に対する説明として記述されている。一実施形態において、サーバ４０００は、対ＩＳＡピクセル情報送信モジュール４３３０を含む。対ＩＳＡピクセル情報送信モジュール４３３０は、先述したように、画像センサアレイ３２００に対して画像リクエストデータを送信するように構成されている。
【０２３９】
図１−ＡＤ、および図１−ＡＮを参照する。アレイ局部処理モジュール３７００は、高帯域幅通信リンク３５０５を介して、例えばＵＳＢまたはＰＣＩポートであるが、画像センサアレイ３２００と接続する。一実施形態において、画像センサアレイ３２００は、リクエスト受信モジュール３７１０を含む。リクエスト受信モジュール３７１０は、先述したように、画像についてのリクエストをサーバ４０００から受信する。リクエスト受信モジュール３７１０は、ピクセル選択モジュール３７２０に対してデータを送信する。ピクセル選択モジュール３７２０は、画像センサアレイ３２００から取り込まれたピクセルを受信し、保存されるべきピクセルを選択する。つまり、一実施形態において、ピクセル選択モジュール３７２０は、ユーザリクエストおよび取り込んだ画像を使って（いくつかは統合されている）、ユーザによってリクエストされた特定のピクセルを選択し、サーバへ返信するためそれらのピクセルにマークを付ける。
【０２４０】
保護されるべきピクセルが特定された後、保護されない他のピクセルは取り除かれる。具体的には、保護されない他のピクセルは、不使用ピクセル間引きモジュール３７３０で間引かれる。一実施形態において、これらのピクセルは、単に破棄される。つまり、これらのピクセルは、長期メモリに保存されず、電子トラッシュ３７１７に移される。他の実施形態において、これらのピクセルの一部または全部は、ローカルメモリ、つまり、ローカルメモリ３７１５に保存される。ここから、これらのピクセルは、オフピーク時に様々な記憶部に送信され、アレイ局部処理モジュール３７００による画像処理のために保存される。または、これらのピクセルは、先述したように、ユーザリクエストとは別の他の操作または他の処理に供される。一実施形態において、低解像度の画像（例えば、シーン全体、または、対象を囲む視野）をサーバ４０００に送信するために、不使用ピクセル間引きモジュール３７３０が用いられる。その結果、サーバ４０００は、ユーザにより選択された対象を取り込むために必要な画像を正確に決定することができる。
【０２４１】
再び図１−ＡＮを参照する。続いて、選択されたピクセルは、選択ピクセル送信モジュール３７４０を用いてサーバ４０００に送信される。選択ピクセル送信モジュール３７４０は、送信に必要なあらゆる装置を含む。例えば、選択ピクセル送信モジュール３７４０は、通信形式に応じて、セル無線、ワイアレス・アダプタ等を含む。一実施形態において、リクエストされたピクセルのみ、低帯域幅通信３７１０を介してサーバへ送信される。低帯域幅通信３７１５と同様に、低帯域幅通信３７１０は、特定の周波数帯域を表すものではなく、高帯域幅通信３５０５よりも相対的に低いことを意味するに過ぎない。
【０２４２】
ある実施形態においては、ユーザによって具体的にリクエストされた数よりも多いピクセルが送信されてもよい。例えば、アレイ局部処理モジュール３７００は、ユーザがリクエストした領域に接するピクセルであって、ユーザがリクエストした領域の外側にあるピクセルを送信してよい。一実施形態において、ここで説明されるように、これらのピクセルは、異なる解像度、または、異なる圧縮形式を用いて送信される。他の実施形態において、付加的なピクセルがリクエストされたピクセルと同様に単に送信されてよい。さらに他の実施形態において、サーバ４０００はユーザのリクエスト領域を拡大する。その結果、アレイ局部処理モジュール３７００は、リクエストされたピクセルのみを送信する。しかしながら、そのリクエストされたピクセルは、ユーザが当初リクエストしたよりも広い領域をカバーする。これらの付加的なピクセルは、送信されて、サーバまたはローカルデバイスにより“キャッシュ”される。これは、ここで詳述されるプロセスにおいて、レイテンシ時間を短くするために使用される。
【０２４３】
再び図１−Ｔを参照する。一実施形態において、サーバ４０００は、受信画像後処理モジュール４５５０を含む。受信画像後処理モジュール４５５０は、アレイ局部処理モジュール３７００から画像データを受信する（具体的に、図１−ＡＤを介して図１−ＡＮから“北”へ向かう矢印）。画像は、画像センサアレイ３２００からリクエストされたピクセルを含む。
【０２４４】
一実施形態において、サーバ４０００は、広告挿入モジュール４５６０を含む。広告挿入モジュール４５６０は、受信した画像に広告を挿入する。当該広告は、画像の内容、ユーザもしくはユーザ装置の特性、または広告サーバ部７７００の設定の何れか１つ以上に基づく（図１−ＡＣ参照。ここで詳細に説明する）。広告挿入モジュール４５６０は、周知の画像組み合わせ技術を用いて画像中に広告を挿入する。または、他の実施形態において、広告画像は、別のレイヤ、オーバーレイ（overlay）、または他のデータ構造であってよい。一実施形態において、広告挿入モジュール４５６０は、文脈依存広告挿入モジュール４５６２を含む。文脈依存広告挿入モジュール４５６２は、画像の文脈に依存して広告を追加する。例えば、画像がデパートのライブストリートビューである場合、画像の内容は、そのデパートで販売される商品、例えば、衣類、化粧品、または電動工具、に関連する広告を示す。
【０２４５】
再び図１−Ｔを参照する。サーバ４０００は、対ユーザ装置広告付受信画像送信モジュール４５７０を含む。対ユーザ装置広告付受信画像送信モジュール４５７０は、ユーザ装置５９００に画像を送信する。対ユーザ装置広告付受信画像送信モジュール４５７０は、ユーザ装置５９００との通信に必要な構成要素を含む。幾つかの実施形態において、対ユーザ装置広告付受信画像送信モジュール４５７０は、サーバ４０００の１以上の他のモジュール、例えば、ネットワークインタフェース、または無線アンテナ、と構成要素を共有する。
【０２４６】
再び図１−Ｉを参照する。ユーザ装置５９００は、選択画像受信モジュール５９３０と、ユーザ選択提示モジュール５９４０とを含む。選択画像受信モジュール５９３０は、サーバ４０００により送信されたピクセルを受信する。ユーザ選択提示モジュール５９４０は、例えば装置スクリーンへの表示によって、広告を含め、リクエストされたピクセルをユーザに対して表示する。一実施形態において、画像表示は、例示されたインタフェースにより実行される。これにより、図１−Ｉに示されるようにＭＵＶＩＡの表示を介してユーザが操作するに従って、ユーザリクエストと新しい画像とのサイクルを表示することができる。
【０２４７】
図１−ＡＣを参照する。図１−ＡＣは、広告サーバ部７７００を示す。広告サーバ部７７００は、ユーザへの送信に先立って、画像に挿入するためにサーバ４０００へ広告を送信する。一実施形態において、広告サーバ部７７００は、サーバ４０００に統合されている。他の実施形態において、広告サーバ部７７００は、サーバ４０００から分離されており、サーバ４０００と通信する。他の実施形態において、広告サーバ部７７００は、サーバ４０００と通信するのではなく、ユーザ装置５９００と直接通信する。そして、広告サーバ部７７００は、画像が受信された後に、当該画像に広告を挿入する。または、他の実施形態において、広告サーバ部７７００は、ユーザ装置に、画像と同時に広告を表示させる（例えば、重畳または隣接して表示させる）。そのような実施形態において、サーバ４０００の上記モジュールのうち幾つかはユーザ装置５９００に組み込まれてよい。しかしながら、これらのモジュールの機能は先述したのと同様に動作する。
【０２４８】
再び図１−ＡＣを参照する。一実施形態において、広告サーバ部７７００は、ユーザデータ収集モジュール７７０５を含む。ユーザデータ収集モジュール７７０５は、ユーザ装置５９００からデータを収集し、そのデータを使って広告の配置を操作する（例えば、スポーツサイト等のユーザのブラウザ履歴に基づいて）。
【０２４９】
再び図１−ＡＣを参照する。一実施形態において、広告サーバ部７７００は、広告データベース７７１５を含む。広告データベース７７１５は、画像への挿入準備が整った広告を含む。一実施形態において、これらの広告は臨機応変に作成される。
【０２５０】
再び図１−ＡＣを参照する。一実施形態において、広告サーバ部７７００は、広告リクエスト受信モジュール７７１０を含む。広告リクエスト受信モジュール７７１０は、図面中に広告を追加するリクエストを受信する（図面理解の容易のためリクエストの受信は不図示）。一実施形態において、広告サーバ部７７００は、広告選択モジュール７７２０を含む。広告選択モジュール７７２０は、画像分析モジュール７７２２を含む。画像分析モジュール７７２２は、画像に配置するのに最も適した文脈依存の広告を決定するために画像を分析する。一実施形態において、上記決定は、サーバ４０００により行われる。または、上記決定は、部分的にサーバ４０００により、および部分的に広告サーバ部７７００により行われる（つまり、広告サーバ部は一連の広告を有しており、そこから特定の広告が選択される）。一実施形態において、様々な第三者が、優先的な処理を受けるために、広告サーバ部７７００のオペレータ、サーバ４０００、またはシステムの他の構成要素を補うことができる。
【０２５１】
再び図１−ＡＣを参照する。一実施形態において、広告サーバ部７７００は、選択広告送信モジュール７７３０を含む。選択広告送信モジュール７７３０は、選択された広告（または、選択された一連の広告）をサーバ４０００へ送信する。一実施形態において、選択広告送信モジュール７７３０は、広告が重ね合わされた完全な画像を送信する。つまり、広告サーバ部７７００もまた広告の配置を処理する態様である。広告サーバ部７７００がサーバ４０００に統合された一実施形態において、このモジュールは、そのような送信／受信モジュールと同様に、内部送信モジュールであってよい。
【０２５２】
（例示的な環境２００）
図２Ａを参照する。図２Ａは、例示的な環境２００を説明する。環境２００では、様々な実施形態に対応する、方法、システム、回路、製品、コンピュータプログラム製品、およびアーキテクチャが、少なくとも１つのサーバ装置２３０により実施される。画像装置２２０は、データを取り込む複数の個々のセンサを含む。本願を通して“画像データ”と一般的に称しているが、“画像データ”は、センサにより取得されるデータを短縮して言うに過ぎない。他のデータ（ビデオデータ、音声データ、電磁スペクトルデータ（赤外線、紫外線、無線、マイクロ波データ）、および熱データ等）もセンサにより取得される。
【０２５３】
再び図２Ａを参照する。一実施形態において、画像装置２２０は、環境２００において動作する。具体的に、一実施形態において、画像装置２２０は、シーン２１５を撮像する。シーン２１５は、複数のセンサ２４３により撮像される。センサ２４３は、アレイ状にグループ化される。本願では、アレイ状のグループ化とは、あらゆる平面上のあらゆるパターンにグループ化されることを意味する。複数のセンサはそれぞれ、互いの位置が固定化されている。センサ２４３は、画像を部分的に撮像してもよく、それらはプロセッサ２２２により互いに纏め合わされる。センサ２４３により撮像されたシーン２１５の画像には重畳する箇所もあるが、それらは取り除かれる。
【０２５４】
ここで詳細に説明されるプロセスおよびシステムにおいて、画像装置２２０にてシーンが撮像されると、リクエストされるピクセルが選択される。具体的に、（１）遠隔のユーザ、（２）サーバ、（３）ローカルデバイス、（４）他の装置、（５）ＡＰＩを有する外部ユーザにより作成されたプログラム、または（６）上記画像装置と通信する、コンポーネント、ハードウェア、もしくはソフトウェア等、によって特定されたピクセルは、通信ネットワーク２４０を介して遠隔地に送信される。送信されるピクセルは、選択部２５５として図２Ａに示される。しかしながら、これは、説明目的のためだけに簡素化された表現である。
【０２５５】
図２Ａを参照する。一実施形態において、サーバ２３０は、通信ネットワークに接続された、あらゆる装置または装置群であってよい。幾つかの例においては、サーバ２３０は、必ずしもその必要はないが、画像装置２２０から離れている。サーバ２３０は、画像装置２２０から“離れて”いる。これは両者が別々のコンポーネントであることをいい、必ずしも具体的な距離を意味するものではない。上記通信ネットワークは、ローカル送信コンポーネント（例えば、ＰＣＩバス）である。サーバ装置２３０は、リクエスト処理モジュール２３２を含む。リクエスト処理モジュール２３２は、ユーザ装置、例えばユーザ装置２５０Ａおよびユーザ装置２５０Ｂ、からの画像に対するリクエストを処理する。また、リクエスト処理モジュール２３２は、例えばＡＰＩまたはより直接的な管理を介して、画像装置を積極的に制御することを求める、他の遠隔コンピュータおよび／またはユーザを扱う。
【０２５６】
また、サーバ２３０は、画像装置管理モジュールを含む。画像装置管理モジュールは、画像装置２２０が取り込んだピクセルのうち何れのピクセルが保存されているかを判定するために幾つかの処理を実行する。例えば、画像装置管理モジュール２３４は、いくつかのパターン認識を行う。具体的に、画像装置管理モジュール２３４は、図２Ａにおける特定のフットボールプレーヤーを一例に、シーン中の興味あるオブジェクトを認識する。他の実施形態において、この処理は、画像装置２２０またはユーザ装置２５０にて処理される。一実施形態において、サーバ２３０は、リクエストするユーザ装置のスクリーン解像度によって、選択された部分のサイズを制限する。
【０２５７】
続いて、サーバ２３０は、ユーザ装置（例えば、ユーザ装置２５０Ａおよびユーザ装置２５０Ｂ）に対してリクエストされた部分を転送する。他の実施形態において、１つのユーザ装置または複数のユーザ装置は、画像装置２２０と直接通信し、システムからサーバ装置２３０を切り離す。
【０２５８】
一実施形態において、ユーザ装置２５０Ａおよびユーザ装置２５０Ｂが図示されている。しかしながら、ユーザ装置２５０Ａおよびユーザ装置２５０Ｂは、いかなる電子装置または装置の組み合わせでもよく、互いに近くに位置していてもよいし、複数の装置および／または場所に離れて位置していてもよい。画像装置２２０は、サーバ装置であってもよい。または、画像装置２２０は、ユーザレベルの装置であってもよい。例えば、限定されないが携帯電話、ネットワーク電話、スマートフォン、タブレット、音楽プレーヤー、無線機、ラジオ、拡張現実装置（例えば、拡張現実メガネおよび／またはヘッドフォン）、ウェアラブルな電子機器（例えば、腕時計、ベルト、イヤフォン）、“スマート”衣服、イヤフォン、ヘッドフォン、音声／視覚的装置、メディア・プレーヤー、テレビ、プロジェクション・スクリーン、平面スクリーン、モニタ、時計、家電（例えば、電子レンジ、対流式オーブン、ストーブ、冷蔵庫、冷凍庫）、ナビゲーション・システム（例えば、全地球測位システム（ＧＰＳ））、医療警報装置、リモートコントロール、周辺機器、電子金庫、電子ロック、電子防犯システム、ビデオカメラ、およびパーソナル・ビデオレコーダ等である。装置２２０は、装置インタフェース２４３を含む。装置インタフェース２４３により、装置２２０は、クライアントに対して感覚的な形式（例えば、視覚または他の感覚）によってデータを出力することが可能となる。および／または、装置インタフェース２４３により、装置２２０は、タッチ、タイピング、またはポインティング装置（マウス等）を介して、クライアントからデータの受信が可能となる。ユーザ装置２５０は、ファインダーまたはビューポートを含む。これにより、ユーザ装置２５０が空間的に画像装置２２０に近いかどうかに拘わらず、画像装置２２０のレンズを通してユーザが“見る”ことを可能とする。
【０２５９】
再び図２Ａを参照する。幾つかの実施形態において、通信ネットワーク２４０は、１以上の、ローカルエリアネットワーク（ＬＡＮ）、ワイドエリアネットワーク（ＷＡＮ）、メトロポリタンエリアネットワーク（ＭＡＮ）、無線ローカルエリアネットワーク（ＷＬＡＮ）、パーソナルエリアネットワーク（ＰＡＮ）、ワイマックス（ＷｉＭＡＸ）、公衆交換電話網（ＰＴＳＮ）、汎用パケット無線サービス（ＧＰＲＳ）ネットワーク、および携帯電話ネットワーク等を含む。本願で使用される“通信ネットワーク”は、互いに作用しあう／作用し合わない１以上の通信ネットワークをいう。
【０２６０】
図２Ｂを参照する。図２Ｂは、一実施形態に係るサーバ装置２３０のさらなる詳細を示す。サーバ装置２３０は、デバイスメモリ２４５を含む。一実施形態において、デバイスメモリ２４５は、メモリ、ランダムアクセスメモリ（ＲＡＭ）、読み取り専用メモリ（ＲＯＭ）、フラッシュメモリ、ハードドライブ、ディスクベースの媒体、磁気ストレージ、光学ストレージ、揮発性メモリ、不揮発性メモリ、およびそれらの組み合わせを含む。一実施形態において、デバイスメモリ２４５は、デバイスからは離れており、ネットワーク上の異なるデバイスで利用可能、または無線ネットワークにおいて利用可能である。例えば、あるネットワークシステムにおいて、１以上のサーバ装置２３０が存在する。そのデバイスメモリ２４５は、数フィート離れた中央サーバ、または海を隔てて置かれた中央サーバに位置する。一実施形態において、デバイスメモリ２４５は、１以上の、大容量記憶装置、読み取り専用メモリ（ＲＯＭ）、プログラマブルＲＯＭ（ＰＲＯＭ）、消去可能プログラマブルＲＯＭ（ＥＰＲＯＭ）、キャッシュメモリ（例えば、ランダムアクセスメモリ（ＲＡＭ））、フラッシュメモリ、同期ランダムアクセスメモリ（ＳＲＡＭ）、ダイナミックランダムアクセスメモリ（ＤＲＡＭ）、および／または他の種類のメモリデバイスである。一実施形態において、メモリ２４５は、一つのネットワーク上に位置する。一実施形態において、メモリ２４５は、互いに離れた位置にあるものも含む、複数のネットワーク上に位置する。一実施形態において、デバイスメモリ２４５は、１以上の、キャッシュ画像２４５Ａ、および前に保持した画像データ２４５Ｂを含む。これについては、後ほど詳述する。
【０２６１】
再び図２Ｂを参照する。一実施形態において、サーバ装置２３０は、任意のビューポート２４７を含む。任意のビューポート２４７は、サーバ２３０により取り込まれた画像を観賞するために使用される。任意のビューポート２４７は、物理的なもの（例えば、メガネ）もしくは電子的なもの（例えば、ＬＣＤスクリーン）であってよいし、またはサーバ２３０から離れた位置にあってもよい。
【０２６２】
再び図２Ｂを参照する。図２Ｂは、サーバ装置２３０のより詳細を説明する。一実施形態において、装置２２０は、プロセッサ２２２を含む。プロセッサ２２２は、１以上の、マイクロプロセッサ、中央演算装置（ＣＰＵ）、グラフィック演算装置（ＧＰＵ）、物理演算ユニット（Physics Processing Units）、デジタルシグナルプロセッサ、ネットワークプロセッサ、および浮動小数点プロセッサ等を含む。一実施形態において、プロセッサ２２２は、サーバであってよい。一実施形態において、プロセッサ２２２は、分散コアプロセッサ（Distributed-core processor）であってよい。プロセッサ２２２は一つの装置２２０の一部である一つのプロセッサであるが、プロセッサ２２２は、１以上の装置２２０に分散された複数のプロセッサであってよい。それらは、ともに動作してもよいし、ともに動作しなくてもよい。
【０２６３】
プロセッサ２２２は、上述したように、および図１０、図１１Ａ−１１Ｇ、図１２Ａ−１２Ｅ、図１３Ａ−１３Ｃ、および図１４Ａ−１４Ｅで説明するように、１以上の操作を実行するためにコンピュータに読み取り可能な指示を実行するように構成されているものとして説明される。一実施形態において、プロセッサ２２２は、プロセッシングモジュール２５０として動作するように設計されている。プロセッシングモジュール２５０は、１以上の、以下（１）〜（４）を含む。（１）シーンの一部である特定画像データについてのリクエスト取得モジュール２５２、（２）特定画像データについてのリクエストを画像センサアレイへ送信するモジュール２５４（モジュール２５４は、２以上の画像センサを含む画像センサアレイに対してリクエストを送信し、かつ、リクエストされた特定画像データよりも大きいシーンを取り込むように構成されている）、（３）画像センサアレイからの特定画像データを専用で受信するモジュール２５６（上記シーンから選択された特定部を遠隔地に送信するように構成されている）、および（４）受信した特定画像データを少なくとも一つのリクエスタへ送信するモジュール２５８（上記シーンの選択された特定部以外のピクセルを強調しない）。
【０２６４】
（例示的な環境３００Ａ）
図３Ａを参照する。図３Ａは、画像装置、つまり、環境３００Ａで動作する画像装置２２０Ａに係る例示的な実施形態を示す。一実施形態において、図３に示すように、画像装置２２０Ａは、画像センサ３１２のアレイ３１０を含む。この図では画像センサのアレイは直方形のグリッドで示される。しかしながら、これは、画像センサ３１２があらゆる形状でも配置されうることを例示するに過ぎない。一実施形態において、画像センサ３１２はそれぞれ、シーン３１５の一部を取り込む。次に、当該一部は、プロセッサ３５０により処理される。プロセッサ３５０は画像装置２２０Ａの局部（ローカル）として示されているが、画像装置２２０Ａの遠隔に位置していてもよい。このとき、十分な高帯域幅通信を用いて、画像センサアレイからすべてのデータが受信される（例えば、マルチプルＵＳＢ３．０ライン）。一実施形態において、上記シーンから選択された部分（例えば、図中の影を付した箱、つまり、選択部分３１５）は、リモート装置３３０に送信される。リモート装置３３０は、先述したように、ユーザ装置またはサーバ装置であってよい。一実施形態において、リモート装置３３０に送信されないピクセルは、ローカルメモリ３４０に保存されるか、または破棄される。
【０２６５】
（例示的な環境３００Ｂ）
図４を参照する。図４は、画像装置の例示的な実施形態を示す。当該画像装置は、環境３００Ｂで動作する画像装置３２０Ｂである。一実施形態において、画像装置３２０Ｂは、画像センサアレイ３２０Ｂを含む。具体的には、本例において、画像センサアレイは、取り込む視野を増やすために多角形の周囲に配置され、図３Ｂに示すシーン３１５を取り込むことができる。シーン３１５は、仮想ツーリズムの設定において観賞することが可能な自然ランドマークである。プロセッサ３２２は、シーン３１５Ｂを取り込み、ユーザからリクエストされたピクセル（リクエストされた部分３１７Ｂ）をシーン３１５Ｂから選択する。リクエストされた部分３１７Ｂは、一度だけ送信される重畳領域３２４Ｂを含む。一実施形態において、リクエストされた部分３１７Ｂは、通信ネットワーク２４０を介して遠隔地に送信される。
【０２６６】
（例示的な環境３００Ｃ）
図３Ｃを参照する。図３Ｃは、画像装置の例示的な実施形態を示す。当該画像装置は、環境３００Ｃで動作する画像装置３２０Ｃである。一実施形態において、画像装置３２０Ｃは、他の実施形態において先述したように、あるシーン、そのシーンの一部はシーン部分３１５Ｃである、を取り込む（画像装置３２０Ｃの幾つかの部分は図面の簡素化のために省略されている）。一実施形態において、シーン部分３１５Ｃは、仮想ツーリズムシミュレータまたは仮想現実シミュレータにおける、交通量の多い道路のストリートレベルの視野を示す。一実施形態において、シーン部分３１５Ｃの異なる部分は、異なる解像度または異なる回数送信される。例えば、一実施形態において、ユーザの目視によるものと対応するシーン部分３１５Ｃの中央部（部分５１６）は、第１の解像度、すなわち、ユーザ装置が処理できるレベルに対して“完全な”解像度により送信される。一実施形態において、部分３１４（外側領域３１６）は、第１の解像度より低い第２の解像度で送信される。一実施形態において、さらに外側部（部分３１２）は、破棄、より低い解像度での送信、または非同期的に送信される。
【０２６７】
（例示的な環境４００Ａ）
図４Ａを参照する。図４Ａは、サーバ装置（サーバ装置４３０Ａ）の例示的な実施形態を示す。一実施形態において、画像装置（画像装置４２０Ａ）は、シーン４１５を取り込む。シーン４１５は、ローカルメモリ４４０に保存されてよい。サーバ装置４３０Ａにリクエストされたシーン４１５の一部分は、（リクエスト画像送信４６５を介して）サーバ装置４３０Ａのリクエストピクセル受信モジュール４３２に送信される。一実施形態において、リクエストピクセル受信モジュール４３２に送信されたリクエストピクセルは、サーバ装置４３０Ａと通信する、様々なユーザおよび／または様々な装置（不図示）によりリクエストされた画像に対応する。
【０２６８】
再び図４Ａを参照する。一実施形態において、画像装置４２０Ａのローカルメモリ４４０から送信されなかったピクセルは、非送信ピクセル一時記憶装置４４０Ｂに保存される。これらの非送信ピクセルは、保存され、後（シーン４１５の画像についてのリクエストに関するオフピーク時）にサーバ装置４３０Ａに送信される。例えば、一実施形態において、夜間、または他のユーザがシステムから切断されているとき、または画像装置４２０Ａとサーバ装置４３０Ａとの間でピクセルを送信するうえで利用可能な周波数帯域がある閾値に達したとき、非送信ピクセル一時記憶装置４４０Ｂに保存されたピクセルは、サーバ装置４３０Ａの非リクエストピクセル受信モジュール４３４に送信される。
【０２６９】
一実施形態において、例えばシーン４１５からの静止画像の保存場所を提供するために、サーバ装置４３０Ａは、非リクエストピクセル受信モジュール４３４に受信されたピクセルを分析する。ここで、シーン４１５からの上記静止画像は、シーン４１５のある部分がリクエストされる度に画像装置４２０Ａから送信される必要がないものである。
【０２７０】
（例示的な環境４００Ｂ）
図４Ｂを参照する。図４Ｂは、サーバ装置（サーバ装置４３０Ｂ）の例示的な実施形態を示す。一実施形態において、画像装置（画像装置４２０Ｂ）は、シーン４１５Ｂを取り込む。シーン４１５Ｂは、ローカルメモリ４４０Ｂに保存されてよい。一実施形態において、画像装置４２０Ｂは、同じシーン４１５Ｂを複数回取り込む。一実施形態において、シーン４１５Ｂは、不変領域４１６Ａを含む。不変領域４１６Ａは、画像装置４２０Ｂによってシーン４１５Ｂが最後に取り込まれて以降変化のない画像の一部分である。一実施形態において、シーン４１５Ｂは、変化領域４１６Ｂを含む。変化領域４１６Ｂは、画像装置４２０Ｂによってシーン４１５Ｂが最後に取り込まれて以降変化のあった画像の一部分である。図４Ｂにおいて変化領域４１６Ｂは多角形かつ連続的に図示されているが、これは例示することを目的とするためであり、幾つかの実施形態においては、非多角形および／または非連続であってもよい。
【０２７１】
一実施形態において、画像装置４２０Ｂは、シーン４１５Ｂを取り込むと、ローカルメモリ４４０Ｂに前に保存されていた画像を使って、前の画像（前の画像４４１Ｂ）と現在の画像（現在の画像４４２Ｂ）とを比較する。そして、画像装置４２０Ｂは、シーン４１５Ｂのいずれの領域が変化したかを判定する。変化した領域はサーバ装置４３０Ｂ（つまり、変化領域受信モジュール４３２Ｂ）に送信される。これは、図４Ｂに示されるように、変化領域の送信４６５を介して行われる。
【０２７２】
再び図４Ｂを参照する。一実施形態に置いて、サーバ装置４３０Ｂは、変化領域受信モジュール４３２Ｂにおいて変化領域を受信する。また、サーバ装置４３０Ｂは、不変領域追加モジュール４３４Ｂを含む。不変領域追加モジュール４３４Ｂは、画像装置４２０Ｂからの前の送信からの、サーバ装置４３０Ｂのメモリ（不図示）に前に保存された不変領域を追加する。一実施形態において、また、サーバ装置４３０Ｂは、完全画像送信モジュール４３６Ｂを含む。完全画像送信モジュール４３６Ｂは、画像をリクエストしたユーザ装置（ユーザ装置４５０Ｂ）に対して完全画像を送信する。
【０２７３】
（例示的な環境５００Ａ）
図５Ａを参照する。図５Ａは、サーバ装置（サーバ装置５３０Ａ）の例示的な実施形態を示す。一実施形態において、画像装置５２０Ａは、先述したように、画像センサアレイ５４０を介してシーン５１５を取り込む。画像は、ローカルメモリ５４０に一時的に保存される（図示）、または、サーバ装置５３０Ａへの送信前にローカルメモリに一部または全部が保存される。一実施形態において、サーバ５３０Ａは、画像データ受信モジュール５３２Ａを含む。画像データ受信モジュール５３２Ａは、画像装置５２０Ａから画像を受信する。一実施形態において、サーバ５３０Ａは、データ追加モジュール５３４Ａを含む。データ追加モジュール５３４Ａは、受信画像データに対して付加データを追加する。一実施形態において、上記付加データは、例えば、ピクセルデータまたはメタデータのように、視認されてもよいし、視認されなくてもよい。一実施形態において、付加データは、広告データである。一実施形態において、付加データは、画像データに対して内容依存であってもよい。例えば、画像データがフットボールプレーヤーに関する場合、付加データは、プレーヤーに関する統計データ、または、そのプレーヤーのジャージを販売するオンラインショップの広告であってもよい。
【０２７４】
一実施形態において、付加データは、サーバ５３０Ａのメモリ（不図示）に保存される。他の実施形態において、付加データは、広告サーバまたは他のデータサーバから読み出される。一実施形態において、付加データは、ユーザまたはユーザ装置の１以上の特性に合わせて調整される。つまり、ユーザは、画面に表示されるプレーヤーそれぞれに対してプレーヤーのラストネームがラベリングされるという設定ができる。再び図５Ａを参照する。一実施形態において、サーバ装置５３０Ａは、修正データ送信モジュール５３６Ａを含む。修正データ送信モジュール５３６Ａは、データ追加モジュール５３４Ａから修正データを受信し、その修正データをユーザ装置に送信する。当該ユーザ装置は、画像データをリクエストしたユーザ装置５５０Ａである。修正データは、後に、つまり、シーン４１５の画像についてのリクエストに係るオフピーク時に、ユーザ装置に送信される。例えば、一実施形態において、夜間、他のユーザがシステムから切断されているとき、または画像装置４２０Ａとサーバ装置４３０Ａとの間でピクセルを送信するうえで利用可能な周波数帯域がある閾値に達したとき、非送信ピクセル一時記憶装置４４０Ｂに保存されたピクセルは、サーバ装置４３０Ａの非送信ピクセル受信モジュール４３４に送信される。
【０２７５】
一実施形態において、例えばシーン４１５からの静止画像の保存場所を提供するために、サーバ装置４３０Ａは、非送信ピクセル受信モジュール４３４に受信されたピクセルを分析する。ここで、シーン４１５からの上記静止画像は、シーン４１５のある部分がリクエストされる度に画像装置４２０Ａから送信される必要がないものである。
【０２７６】
（例示的な環境５００Ｂ）
図５Ｂを参照する。図５Ｂは、サーバ装置（サーバ装置５３０Ｂ）の例示的な実施形態を示す。一実施形態において、複数のユーザ装置、つまり、ユーザ装置５０２Ａ、ユーザ装置５０２Ｂ、およびユーザ装置５０２Ｃはそれぞれ、シーン（シーン５１５Ｂ）からの画像データに関するリクエストを送信する。それぞれのユーザ装置は、サーバ装置（サーバ装置５３０Ｂ）に対してリクエストを送信する。サーバ装置５３０Ｂは、様々な、解像度、形状、サイズ、および他の構成に関するそれらリクエストを１つの結合リクエスト５７０に統合する。結合リクエスト５７０の重複部分は、重複領域５７２に示されているが、結合される。
【０２７７】
一実施形態において、サーバ装置５３０Ｂは、画像装置５２０Ｂに対して結合リクエスト５７０を送信する。一実施形態において、画像装置５２０Ｂは、結合リクエスト５７０を使って選択ピクセル５７４を指定する。続いて、選択ピクセル５７４は、サーバ装置５３０Ｂに返送される。サーバ装置５３０Ｂではリクエストを一体化したプロセスが反転し、ユーザ装置５０２Ａ、ユーザ装置５０２Ｂ、およびユーザ装置５０２Ｃはそれぞれ、リクエストした画像を受信する。このプロセスは、より詳細に後述される。
【０２７８】
（プロセッサ２５０の部分に係る様々なモジュールに関する例示的な実施形態）
図６〜図９は、プロセッサ２５０の部分を構成する様々なモジュールに係る例示的な実施形態を示す。一実施形態において、それらモジュールは、特定用途向け集積回路（ＡＳＩＣ）のようにハードコードされているか、または、中央処理装置のようにコンピュータ指示によって説明されるゲート動作を介して物理的に再構成される。
【０２７９】
図６を参照する。図６は、シーンの一部である特定画像データについてのリクエスト取得モジュール２５２に関する実施例を説明する。図６に示すように、シーンの一部である特定画像データについてのリクエスト取得モジュールは、様々な代替的実施例および代替的実施形態で１以上のサブロジックモジュールを有する。例えば、図６、つまり図６Ａに示すように、一実施形態において、モジュール２５２は、１以上の、モジュール６０２と、モジュール６０４とを含む。モジュール６０２は、シーンの一部であり、かつ、１以上の画像を含む特定画像データについてのリクエスト取得モジュールである。モジュール６０４は、シーンの一部である特定画像データについてのリクエスト受信モジュールである。一実施形態において、モジュール６０４は、モジュール６０６を含む。モジュール６０６は、シーンの一部である特定画像データについてのリクエストをクライアント装置から受信するモジュールである。一実施形態において、モジュール６０６は、モジュール６０８を含む。モジュール６０８は、少なくともシーンの一部を表示するように構成されたクライアント装置からシーンの一部である特定画像データについてのリクエストを受信するモジュールである。モジュール６０６は、モジュール６１２を含む。モジュール６１２は、特定画像の選択を受信するように構成されたクライアント装置からシーンの一部である特定画像データについてのリクエストを受信するモジュールである。一実施形態において、モジュール６０８は、モジュール６１０を含む。モジュール６１０は、ビューファインダーにおいてシーンの少なくとも一部を表示するように構成されたクライアント装置からシーンの一部である特定画像データについてのリクエストを受信するモジュールである。一実施形態において、モジュール６１２は、モジュール６１４を含む。モジュール６１４は、シーン依存による特定画像の選択を受信するように構成されたクライアント装置からシーンの一部である特定画像データについてのリクエストを受信するモジュールである。モジュール６１２は、モジュール６１６を含む。モジュール６１６は、シーン依存による特定画像の選択を受信するように構成された１以上の様々な装置からシーンの一部である特定画像データについてのリクエストを受信するモジュールである。
【０２８０】
再び図６、つまり、図６Ｂを参照する。上述したように、一実施形態において、モジュール２５２は、１以上の、モジュール６１８と、モジュール６２０とを含む。モジュール６１８は、２以上の画像センサで構成されたアレイによって取得された画像データであるシーンの一部である特定画像データについてのリクエスト取得モジュールである。モジュール６２０は、２以上の画像センサで構成されたアレイによって取得された画像データの表示であるシーンの一部である特定画像データについてのリクエスト取得モジュールである。一実施形態において、モジュール６２０は、１以上の、モジュール６２２と、モジュール６２４と、モジュール６２６とを含む。モジュール６２２は、２以上の画像センサで構成されたアレイによって取得された画像データのサンプリングであるシーンの一部である特定画像データについてのリクエスト取得モジュールである。モジュール６２４は、２以上の画像センサで構成されたアレイによって取得された画像データのサブセットであるシーンの一部である特定画像データについてのリクエスト取得モジュールである。モジュール６２６は、２以上の画像センサで構成されたアレイによって取得された画像データの低解像度バージョンであるシーンの一部である特定画像データについてのリクエスト取得モジュールである。
【０２８１】
再び図６、つまり図６Ｃを参照する。一実施形態において、モジュール２５２は、１以上の、モジュール６２８と、モジュール６３０と、モジュール６３２と、モジュール６３４とを含む。モジュール６２８は、フットボールゲームのシーンの一部である特定画像データについてのリクエスト取得モジュールである。モジュール６３０は、エリアストリートビューのシーンの一部である特定画像データについてのリクエスト取得モジュールである。モジュール６３２は、観光目的地のシーンの一部である特定画像データについてのリクエスト取得モジュールである。モジュール６３４は、家の中のシーンの一部である特定画像データについてのリクエスト取得モジュールである。
【０２８２】
再び図６、つまり図６Ｄを参照する。一実施形態において、モジュール２５２は、モジュール６３６を含む。モジュール６３６は、シーンの一部である画像である特定画像データについてのリクエスト取得モジュールである。一実施形態において、モジュール６３６は、１以上の、モジュール６３８と、モジュール６４０とを含む。モジュール６３８は、画像が特定のフットボールプレーヤーの画像であり、シーンがフットボールフィールドである特定画像データについてのリクエスト取得モジュールである。モジュール６４０は、画像が車両ナンバープレートの画像であり、シーンが高速道路の橋である特定画像データについてのリクエスト取得モジュールである。
【０２８３】
再び図６、つまり図６Ｅを参照する。一実施形態において、モジュール２５２は、１以上の、モジュール６４２と、モジュール６４４とを含む。モジュール６４２は、シーン中に位置する特定画像オブジェクトについてのリクエスト取得モジュールである。モジュール６４４は、特定画像オブジェクトを含むシーンの特定画像データを決定するモジュールである。一実施形態において、モジュール６４２は、１以上の、モジュール６４６と、モジュール６４８と、モジュール６５０と、モジュール６５２とを含む。モジュール６４６は、シーン中に位置する特定人物についてのリクエスト取得モジュールである。モジュール６４８は、シーン中に位置するバスケットボールについてのリクエスト取得モジュールである。モジュール６５０は、シーン中に位置する電動車両についてのリクエスト取得モジュールである。モジュール６５２は、シーン中に位置する人物オブジェクト表現についてのリクエスト取得モジュールである。
【０２８４】
再び図６、つまり図６Ｆを参照する。一実施形態において、モジュール２５２は、１以上の、モジュール６６２と、モジュール６６４と、モジュール６６６と、モジュール６７０と、モジュール６７２とを含む。モジュール６６２は、第１特定画像データについての第１リクエストを第１リクエスタから受信するモジュールである。モジュール６６４は、第１特定画像データについての第２リクエストを第１リクエスタとは異なる第２リクエスタから受信するモジュールである。モジュール６６６は、第１特定画像データについて受信した第１リクエストと第２特定画像データについて受信した第２リクエストとを結合するモジュールである。モジュール６７０は、第１特定画像データについての第１リクエストおよび第２特定画像データについての第２リクエストを受信するモジュールである。モジュール６７２は、受信した第１リクエストと受信した第２リクエストとを結合するモジュールである。一実施形態において、モジュール６６６は、モジュール６６８を含む。モジュール６６８は、第１特定画像データについて受信した第１リクエストおよび第２特定画像データについて受信した第２リクエストを特定画像データについてのリクエストに結合するモジュールである。一実施形態において、モジュール６７２は、モジュール６７４を含む。モジュール６７４は、受信した第１リクエストおよび受信した第２リクエストに共通するピクセルを複製するモジュールである。
【０２８５】
再び図６、つまり図６Ｇを参照する。一実施形態において、モジュール２５２は、１以上の、モジュール６７６と、モジュール６７８と、モジュール６８０と、モジュール６８２とを含む。モジュール６７６は、シーンの一部である特定ビデオデータについてのリクエスト取得モジュールである。モジュール６７８は、シーンの一部である特定音声データについてのリクエスト取得モジュールである。モジュール６８０は、シーンの一部である特定画像データについてのリクエストを、音声インタフェースを有するユーザ装置から受信するモジュールである。モジュール６８２は、シーンの一部である特定画像データについてのリクエストを、音声インタフェースを有するマイク付きのユーザ装置から受信するモジュールである。
【０２８６】
図７を参照する。図７は、特定画像データについてのリクエストを画像センサアレイに送信するモジュール２５４の実施例を示す。図７に示すように、モジュール２５４は、様々な代替的実施例および代替的実施形態で１以上のサブロジックモジュールを有する。例えば、図７に示すように、モジュール２５４は、１以上の、モジュール７０２と、モジュール７０４と、モジュール７０６と、モジュール７０８と、モジュール７１０とを含む。モジュール７０２は、特定画像データについてのリクエストを画像センサアレイに送信するモジュールである。モジュール７０２は、２以上の画像センサを含み、かつ、リクエストされた特定画像データよりも大きい画像を取り込むように構成された画像センサアレイに対して特定画像データについてのリクエストを送信する。モジュール７０４は、お互いに角度を付けて設けられた２つの画像センサを有し、かつ、リクエストされた特定画像データよりも大きいシーンを取り込むように構成された画像センサアレイに対して特定画像データについてのリクエストを送信する。モジュール７０６は、グリッド状に配された２以上の画像センサを含み、かつ、リクエストされた特定画像データよりも大きいシーンを取り込むように構成された画像センサアレイに対して特定画像データについてのリクエストを送信する。モジュール７０８は、線状に配された２以上の画像センサを含み、かつ、リクエストされた特定画像データよりも大きいシーンを取り込むように構成された画像センサアレイに対して特定画像データについてのリクエストを送信する。モジュール７１０は、非線状に配された２以上の固定画像センサを含み、かつ、リクエストされた特定画像データよりも大きいシーンを取り込むように構成された画像センサアレイに対して特定画像データについてのリクエストを送信する。
【０２８７】
再び図７、つまり図７Ｂを参照する。一実施形態において、モジュール２５４は、１以上の、モジュール７１２と、モジュール７１６と、モジュール７１８と、モジュール７２４とを含む。モジュール７１２は、特定画像データについてのリクエストを、静止画センサアレイを含む画像センサアレイに送信するモジュールである。モジュール７１６は、特定画像データについてのリクエストを、移動式プラットフォームに搭載される画像センサアレイを含む画像センサアレイに送信するモジュールである。モジュール７１８は、２以上の画像センサを含み、かつ、リクエストされた特定画像データよりも多いデータを表すシーンを取り込むように構成された画像センサアレイに対して特定画像データについてのリクエストを送信する。モジュール７２４は、２以上の画像センサを含み、かつ、リクエストされた特定画像データよりも大きい視野を示すシーンを取り込むように構成された画像センサアレイに対して特定画像データについてのリクエストを送信する。一実施形態において、モジュール７１２は、モジュール７１４を含む。モジュール７１４は、特定画像データについてのリクエストを、焦点距離および視野が固定された静止画センサアレイを含む画像センサアレイに送信するモジュールである。一実施形態において、モジュール７１８は、１以上の、モジュール７２０と、モジュール７２２とを含む。モジュール７２０は、２以上の画像センサを含み、かつ、リクエストされた特定画像データよりも１０倍多いデータを表すシーンを取り込むように構成された画像センサアレイに対して特定画像データについてのリクエストを送信する。モジュール７２２は、２以上の画像センサを含み、かつ、リクエストされた特定画像データよりも１００倍より多いデータを表すシーンを取り込むように構成された画像センサアレイに対して特定画像データについてのリクエストを送信する。
【０２８８】
再び図７、つまり図７Ｃを参照する。一実施形態において、モジュール２５４は、１以上の、モジュール７２６と、モジュール７２８とを含む。モジュール７２６は、特定画像データについてのリクエスト修正モジュールである。モジュール７２８は、特定画像データについての修正リクエストを画像センサアレイに送信するモジュールである。一実施形態において、モジュール７２６は、モジュール７３０を含む。モジュール７３０は、特定画像データについてのリクエストから指定画像データを取り除く（除去する）モジュールである。一実施形態において、モジュール７３０は、モジュール７３２を含む。モジュール７３２は、前に保存された画像データに基づいて、特定画像データについてのリクエストから指定画像データを取り除くモジュールである。一実施形態において、モジュール７３２は、モジュール７３４と、モジュール７３６とを含む。モジュール７３４は、画像センサアレイから読み取られた（検索された）、前に保存された画像データに基づいて、特定画像データについてのリクエストから指定画像データを取り除くモジュールである。モジュール７３６は、指定画像データの早い時間のバージョンである、前に保存された画像データに基づいて、特定画像データについてのリクエストから指定画像データを取り除くモジュールである。一実施形態において、モジュール７３６は、モジュール７３８を含む。モジュール７３８は、指定画像データの早い時間のバージョンである、前に保存された画像データに基づいて、特定画像データについてのリクエストから指定画像データを取り除くモジュールである。ここで、上記指定画像データの早い時間のバージョンは、静止オブジェクトである。
【０２８９】
再び図７、つまり図７Ｄを参照する。先述したように、一実施形態において、モジュール２５４は、モジュール７２６と、モジュール７２８とを含む。一実施形態において、モジュール７２６は、１以上の、モジュール７４０と、モジュール７４４と、モジュール７４６とを含む。モジュール７４０は、ピクセルデータの内挿／外挿に基づいて、特定画像データについてのリクエストから指定画像データを取り除く（除去する）モジュールである。モジュール７４４は、前にメモリに保存された特定画像データについてのリクエストの一部を特定するモジュールである。モジュール７４６は、特定画像データについてのリクエストの特定された一部を取り除くモジュールである。一実施形態において、モジュール７４０は、モジュール７４２を含む。モジュール７４２は、ピクセルデータの内挿／外挿に基づいて、特定画像データについてのリクエストから１以上の静止画オブジェクトに対応する指定画像データを取り除くモジュールである。一実施形態において、モジュール７４４は、１以上の、モジュール７４８と、モジュール７５０とを含む。モジュール７４８は、画像センサアレイによって前に取り込まれた特定画像データについてのリクエストの部分を特定するモジュールである。モジュール７５０は、画像センサアレイによって前に取り込まれた少なくとも１つの静止画オブジェクトを含む特定画像データについてのリクエストの部分を特定するモジュールである。一実施形態において、モジュール７５０は、モジュール７５２を含む。モジュール７５２は、画像センサアレイによって前に取り込まれた露出している岩に関する少なくとも一つの静止画オブジェクトを含む特定画像データについてのリクエストの部分を特定するモジュールである。
【０２９０】
再び図７、つまり図７Ｅを参照する。先述したように、一実施形態において、モジュール２５４は、１以上の、モジュール７５４と、モジュール７５６とを含む。モジュール７５４は、特定画像データについてのリクエストに係るサイズを決定するモジュールである。モジュール７５６は、サイズが決定された特定画像データについてのリクエストを画像センサアレイに送信するモジュールである。モジュール７５４は、１以上の、モジュール７５８と、モジュール７６２と、モジュール７６４と、モジュール７６８とを含む。モジュール７５８は、少なくとも部分的にユーザ装置の特性に基づいて、特定画像データについてのリクエストに係るサイズを決定するモジュールである。モジュール７６２は、少なくとも部分的にユーザ装置のアクセスレベルに基づいて、特定画像データについてのリクエストに係るサイズを決定するモジュールである。モジュール７６４は、少なくとも部分的に使用可能な周波数帯域に基づいて、特定画像データについてのリクエストに係るサイズを決定するモジュールである。モジュール７６６は、少なくとも部分的に装置の使用時間に基づいて、特定画像データについてのリクエストに係るサイズを決定するモジュールである。モジュール７６８は、少なくとも部分的に装置の利用可能な周波数帯域に基づいて、特定画像データについてのリクエストに係るサイズを決定するモジュールである。一実施形態において、モジュール７５８は、モジュール７６０を含む。モジュール７６０は、少なくとも部分的にユーザ装置の解像度に基づいて、特定画像データについてのリクエストのサイズを決定するモジュールである。
【０２９１】
図８を参照する。図８は、画像センサアレイから特定画像データを専用で受信するモジュール２５６に関する実施例を説明する。図８Ａに示すように、モジュール２５６は、様々な代替的実施例および代替的実施形態で１以上のサブロジックモジュールを有する。例えば、図８、つまり図８Ａに示すように、一実施形態において、モジュール２５６は、１以上の、モジュール８０２と、モジュール８０４と、モジュール８０６とを含む。モジュール８０２は、画像センサアレイから特定画像データを受信するモジュールである。このモジュールでは、他の画像データは破棄される。モジュール８０４は、画像センサアレイから特定画像データを受信するモジュールである。このモジュールでは、他の画像データは画像センサアレイにて保存される。モジュール８０６は、画像センサアレイから特定画像データをほぼリアルタイムに限定して受信するモジュールである。
【０２９２】
再び図８、つまり、図８Ｂを参照する。一実施形態において、モジュール２５６は、１以上の、モジュール８０８と、モジュール８１０とを含む。モジュール８０８は、画像センサアレイから特定画像データをほぼリアルタイムに限定して受信するモジュールである。モジュール８１０は、特定画像データ以外のシーンからのデータを後々読み込むモジュールである。一実施形態において、モジュール８１０は、１以上の、モジュール８１２と、モジュール８１４と、モジュール８１６と、モジュール８１８と含む。モジュール８１２は、特定画像データ以外のシーンからのデータを帯域が利用可能なときに読み込むモジュールである。モジュール８１４は、特定画像データ以外のシーンからのデータを画像センサアレイのオフピーク使用時に読み込むモジュールである。モジュール８１６は、特定画像データ以外のシーンからのデータを、特定画像データリクエストが画像センサアレイにおいて存在しないときに読み込むモジュールである。モジュール８１８は、画像センサアレイの能力が利用可能なときに特定画像データ以外のシーンからのデータを読み込むモジュールである。
【０２９３】
再び図８、つまり、図８Ｃを参照する。一実施形態において、モジュール２５６は、１以上の、モジュール８２０と、モジュール８２２とを含む。モジュール８２０は、音声データを含む特定画像データのみを画像センサアレイから受信するモジュールである。モジュール８２２は、リクエストされた特定画像オブジェクトを含むと判断された特定画像データのみを画像センサアレイから受信するモジュールである。一実施形態において、モジュール８２２は、モジュール８２４を含む。モジュール８２４は、リクエストされた特定画像オブジェクトを含むと画像センサアレイによって判断された特定画像データのみを受信するモジュールである。
【０２９４】
図９を参照する。図９は、受信した特定画像データを少なくとも１つのリクエスタに送信するモジュール２５８の実施例を示す。図９Ａに示されるように、モジュール２５８は、様々な代替的実施例および代替的実施形態で１以上のサブロジックモジュールを有する。例えば、図９、つまり図９Ａに示すように、一実施形態において、モジュール２５８は、１以上の、モジュール９０２と、モジュール９０６と、モジュール９１２とを含む。モジュール９０２は、受信した特定画像データを少なくとも１つのユーザ装置リクエスタに送信するモジュールである。モジュール９０６は、受信した特定画像を１以上のリクエスト画像の組に分離するモジュールである。モジュール９１２は、受信した特定画像データの一部である画像データをリクエストした少なくとも１つのユーザ装置に対して受信した特定画像データを送信するモジュールである。一実施形態において、モジュール９０２は、モジュール９０４を含む。モジュール９０４は、受信した特定画像データを、受信した特定画像の少なくとも一部をリクエストした少なくとも１つのユーザ装置に対して送信するリクエスタモジュールである。一実施形態において、モジュール９０６は、モジュール９１０を含む。モジュール９１０は、受信した特定画像を、第１リクエスト画像と第２リクエスト画像とに分離するモジュールである。
【０２９５】
再び図９、つまり図９Ｂを参照する。一実施形態において、モジュール２５８は、１以上の、モジュール９１４と、モジュール９１６と、モジュール９２６とを含む。モジュール９１４は、受信した特定画像データの第１部分を第１リクエスタに送信するモジュールである。モジュール９１６は、受信した特定画像データの第２部分を第２リクエスタに送信するモジュールである。モジュール９２６は、受信した特定画像データを変化させずに少なくとも１つのリクエスタに送信するモジュールである。一実施形態において、モジュール９１４は、モジュール９１８を含む。モジュール９１８は、受信した特定画像データの第１部分を、当該第１部分をリクエストした第１リクエスタに送信するモジュールである。一実施形態において、モジュール９１８は、モジュール９２０を含む。モジュール９２０は、あるフットボールゲームから特定のフットボールプレーヤーをリクエストしたテレビ装置に対して、上記フットボールプレーヤーを含む受信した特定画像データの一部を送信するモジュールである。一実施形態において、モジュール９１６は、モジュール９２２を含む。モジュール９２２は、受信した特定画像データの第２部分を、当該第２部をリクエストした第２リクエスタに送信するモジュールである。一実施形態において、モジュール９２２は、モジュール９２４を含む。モジュール９２４は、電動車両のビューを含む部分を、当該電動車両のビューをリクエストしたタブレット装置である第２リクエストに送信するモジュールである。
【０２９６】
再び図９、つまり図９Ｃを参照する。一実施形態において、モジュール２５８は、１以上の、モジュール９２８と、モジュール９３０とを含む。モジュール９２８は、送信画像データを生成するために、受信した特定画像データの少なくとも一部への補完データの追加を促進するモジュールである。モジュール９３０は、生成した送信画像データを少なくとも１つのリクエスタに送信するモジュールである。一実施形態において、モジュール９２８は、１以上の、モジュール９３２と、モジュール９３８とを含む。モジュール９３２は、送信画像データを生成するために、受信した特定画像データの少なくとも一部への広告データの追加を促進するモジュールである。モジュール９３８は、送信画像データを生成するために、受信した特定画像データの少なくとも一部への関連する視覚的データの追加を促進するモジュールである。一実施形態において、モジュール９３２は、モジュール９３４を含む。モジュール９３４は、送信画像データを生成するために、受信した特定画像データの少なくとも一部への文脈依存の広告データの追加を促進するモジュールである。一実施形態において、モジュール９３４は、モジュール９３６を含む。モジュール９３６は、送信画像データを生成するために、オアシスにジャングル・タイガーが存在する受信した特定画像データの少なくとも一部に対して動物愛護寄付ファンドに係る広告データを追加するモジュールである。一実施形態において、モジュール９３８は、モジュール９４０を含む。モジュール９４０は、送信画像データを生成するために、クオーターバックデータに関する受信した特定画像データの少なくとも一部に対して、関連するファンタジー・フットボールの統計データを追加するモジュールである。
【０２９７】
再び図９、つまり、図９Ｄを参照する。一実施形態において、モジュール２５８は、１以上の、モジュール９４２と、モジュール９４４とを含む。モジュール９４２は、送信画像データを生成するために、受信した特定画像データの部分の変更を促進するモジュールである。モジュール９４４は、生成した送信画像データを少なくとも１つのリクエスタに送信するモジュールである。一実施形態において、モジュール９４２は、１以上の、モジュール９４６と、モジュール９５２とを含む。モジュール９４６は、送信画像データを生成するために、受信した特定画像データの部分の操作変更を促進するモジュールである。モジュール９５２は、送信画像データを生成するために、受信した特定画像データの部分の編集（redact）を促進するモジュールである。一実施形態において、モジュール９４６は、１以上の、モジュール９４８と、モジュール９５０とを含む。モジュール９４８は、送信画像データを生成するために、受信した特定画像データの部分のコントラストバランス化を促進するモジュールである。モジュール９５０は、送信画像データを生成するために、受信した特定画像データの部分の色変更バランス化を促進するモジュールである。一実施形態において、モジュール９５２は、モジュール９５４を含む。モジュール９５４は、送信画像データを生成するために、リクエスタのセキュリティークリアランスレベルに基づいて、受信した特定画像データの部分の編集（redact）を促進するモジュールである。一実施形態において、モジュール９５４は、モジュール９５６を含む。モジュール９５６は、送信画像データを生成するために、リクエスタのセキュリティークリアランスレベルに基づいて、受信した衛星画像データの戦車を編集するモジュールである。
【０２９８】
再び図９、つまり図９Ｅを参照する。一実施形態において、モジュール２５８は、１以上の、モジュール９５８と、モジュール９６０とを含む。モジュール９５８は、受信した特定画像データの低解像度バージョンのデータを少なくとも一つのリクエスタに送信するモジュールである。モジュール９６０は、受信した特定画像データの最大解像度バージョンのデータを少なくとも一つのリクエスタに送信するモジュールである。
【０２９９】
ここで説明した幾つかの実施態様において、ロジックおよび類似の実施態様にはソフトウェアまたは他の制御構造が含まれる。ここで説明した様々な機能を実施するために、例えば、電気回路は、形成され、配設された１以上の電流経路を含む。幾つかの実施態様において、１以上のメディアは、装置により検知可能に実施態様を実行するよう構成されている。そのようなメディアは、装置により検知可能な指示を保持または送信し、ここで説明したことを実行させる。幾つかの変形例において、例えば、実施態様は、既存のソフトウェアもしくはファームウェア、またはゲートアレイもしくはプログラム可能なハードウェアの更新または変更を含む。そのような更新または変更は、ここで説明した１以上の動作に関連する１以上の指示の受信処理または送信処理によって行われる。代替としてまたは追加的に、幾つかの変形例において、実施態様には、特殊用途の、ハードウェア、ソフトウェア、ファームウェア要素、および／または、特種用途の構成要素を実行または起動する一般用途の構成要素が含まれる。仕様および他の実施態様は、ここで説明した１以上の有形の送信メディアにより送信される。仕様および他の実施態様は、選択的に、パケット通信によって、または、様々なときに配布されたメディアを介して、送信される。
【０３００】
続いて、実施態様を説明する一連のフローチャートである。理解が容易なように、フローチャートは次のように説明される。つまり、最初のフローチャートが、例示する実施を介して実施態様を提示する。その後で、次に続くフローチャートが、最初のフローチャートを代替する実施態様、および／または、最初のフローチャートの拡張を提示する。これらのフローチャートの提示は、先に提示した１以上のフローチャートに対する、サブ・コンポーネント動作または追加的なコンポーネント操作として説明される。当業者であれば、ここで使用される提示形式（つまり、フローチャートの提示から始まり、例示的な実施を提示し、そしてその後、次に続くフローチャートに対する追加説明および／またはさらなる詳細を提供する、という形式）は、一般に、様々なプロセス実施を迅速かつ容易に理解するうえで役立つことを十分に理解するであろう。加えて、当業者であれば、ここで使用される提示形式は、モジュール、および／または、オブジェクト指向のプログラム設計パラダイムに十分に適応できることを十分に理解するであろう。
【０３０１】
（プロセッサ２５０の例示的な動作実施、および例示的な変形例）
図１０以降において、様々な処理がボックス・イン・ボックスで説明される。内側ボックスでの処理は、１つ以上外側のボックスで説明される処理ステップの選択的な実施形態例を含む。しかしながら、内側ボックスで実施される処理は、関連するあらゆる外側ボックスで実施される処理から独立した処理であること、および、説明されるすべての処理に対して連続的に実施されうること、または、同時に実施されうることが理解される。さらに、図１０で説明される処理、およびここで説明される他の処理は、機械、製造物、またはある物の構成物で実施される。
【０３０２】
システムの一態様の実現において、ハードウェア、ソフトウェア、および／またはファームウェアの間に区別がほとんど残されていない点にまで技術の状態が進歩したことを当業者は認識する。ハードウェア、ソフトウェア、および／またはファームウェアの使用は、一般に（ただし常にではなく、ハードウェアおよびソフトウェアの間の選択が明確である状況において）、コスト対効果のトレードオフを象徴する（representing）設計上の選択である。当業者は、（１）本明細書で述べた処理および／またはシステムおよび／または他の技術が実現される（すなわちハードウェア、ソフトウェア、および／またはファームウェア）、多様な実現手段（vehicle）が存在すること、および（２）好ましい実現手段が、当該処理および／またはシステムおよび／または他の技術が採用される状況によって異なること、を理解する。例えば、速度および精度が最重要であると開発者が決定した場合、当該開発者は主にハードウェアおよび／またはファームウェアを選択する。または、柔軟性が最重要である場合には、開発者は主にソフトウェアによる実現を選択する。さらにまたは、開発者は、あるハードウェア、ソフトウェア、および／またはファームウェアの組み合わせを選択する。このため、本明細書で述べた処理および／またはシステムおよび／または他の技術が実現される複数の実現手段が存在し、使用されるあらゆる実現手段が、当該実現手段が採用される状況および開発者の関心事（例えば速度、精度、または予測可能性）に応じて変化する選択であることから、そのいずれも他の実現手段に対して固有の性質として優れているわけではない。当業者は、手段の視覚的態様は、典型的には視覚的を志向したハードウェア、ソフトウェア、および／またはファームウェアを採用することを認識する。
【０３０３】
本願の全体を通じて、丸括弧、「例えば」（「e.g.」）の略記、またはその両方により、例および列挙を示した。明確に別記した場合を除き、これらの例および列挙は単なる例示に過ぎず、全てを示すものではない。ほとんどの場合、全ての例および組み合わせを列挙することは慎むべきであろう。このため、クレームのタームの範囲を限定するのではなく、当該タームの理解のために、より小規模であり、例示的な列挙および例が用いられる。
【０３０４】
図１０を参照する。図１０は、処理１０００、つまり、環境２００で動作するメッセージ処理装置２３０の処理例を示す。実施形態において、処理１０００は、処理１００２を含む。処理１００２は、シーンの一部である特定画像データについてのリクエストを取得する工程を示す。例えば、図６、つまり図６Ｂは、シーンの一部である特定画像データについてのリクエスト取得モジュール２５２が、シーン（例えば、特定のエリア、および／または、当該特定のエリアを構成するデータ（グラフィカルデータ、音声データ、事実データ／派生データを含む）。これらは、幾つかの実施形態において、すべてのデータ、ピクセルデータである。これらのデータは、画像センサアレイまたは画像センサアレイの一部により撮像される。）の一部である特定画像データ（例えば、一組の画像データ、具体的に、事物のグラフィカル表現、それらは、ピクセルあるいは他の電子データで構成される、または画像センサ（ＣＣＭセンサあるいはＣＭＯＳセンサ）で撮像される。または他のデータ（音声データ、電子磁気スペクトル上の他のデータ（赤外線データ、マイクロ波データなど））についてのリクエスト（例えば、データ（データについての演算に基づくリクエストを意味するあらゆる形式でのデータ）。例えば、正確に生成されたか否かにかかわらずあらゆるソースから得られた画像データ。それらは、コミュニケーションネットワークまたはポート、または入力ポート／出力ポート、または人間あるいはエンティティ、または他の装置から得られる。）を取得（例えば、（Ａ）（１）画像をリクエストした装置からの受信。当該装置は、表示、保存、分析、または画像に対する処理が可能なあらゆる装置または装置群でよい。テレビ、コンピュータ、ラップトップ、スマートフォンなど。（２）画像をリクエストしたエンティティからの受信。当該エンティティは、人、自動監視システム、人工知能、知能増幅（ビデオまたは静止画に現れる人物を監視するように設計されたコンピュータなど）でよい。（Ｂ）さもなければ、獲得（取得は、受信、引き出す（検索する）、作成、生成、部分の生成、ロケーションの受信、アクセス指示の受信、パスワードの受信などを含む）））する様子を示す。
【０３０５】
２以上の画像センサ（（１）光、音または電磁スペクトルデータを収集するように、および／または（２）収集物をデジタルデータに変換するように、または（３）前述の動作の少なくとも一部を実行するように構成された装置、コンポーネントまたはコンポーネントの集合）のアレイ（配置、対称性または外観に関わらず、一致して動作するように構成されたあらゆる集合）の使用により、１以上の画像（例えば物体の図示、例えば画素または他の電子データで構成されるもの、または画像センサ（例えばＣＣＭまたはＣＭＯＳセンサ）により取得されるもの）を取り込む（ビジュアルデータ（例えば画素データ、音声データ、電磁的データ、または不可視スペクトルデータなど）を含むデータを収集する）こと。
【０３０６】
図１０を参照する。処理１０００は、処理１００４を含む。処理１００４は、特定画像データについてのリクエストを画像センサアレイへ送信する工程を示し、画像センサアレイは、２以上の画像センサを含み、かつ、リクエストされた特定画像データよりも大きいシーンを取り込むように構成されている。例えば、図２、つまり、図２Ｂは、特定画像データ（例えば、一組の画像データ、例えば、事物のガラフィカル表現、それらは、ピクセルあるいは他の電子データで構成される、または画像センサ（ＣＣＭセンサあるいはＣＭＯＳセンサ）で撮像される。または他のデータ（音声データ、電子磁気スペクトル上の他のデータ（赤外線データ、マイクロ波データなど。それらは、いくつかのピクセルデータを含むシーン全体の幾つかのサブセットであってもよく、前処理または後処理されているかにかかかわらず、２以上の画像さセンサアレイから構成される複数センサからのデータを含むか否かにかかわらない）））についてのリクエスト（具体的には、データについてのコンピュータ処理的（演算的）なリクエストを示す、あらゆる形式のデータである。データは、正確に生成されたか否かにかかわらずあらゆるソースから得られた画像データ。それらは、コミュニケーションネットワークまたはポート、または入力ポート／出力ポート、または人間あるいはエンティティ、または他の装置から得られる。）を画像センサアレイ（例えば、装置、コンポーネント、集光するように構成されたコンポーネントの集まり、他の電子磁気スペクトル、および／または、収集したデータをデジタルデータに変換するように構成されたコンポーネントの集まり、前述の動作の少なくとも一部）へ送信するモジュール２５４を示す。モジュール２５４は、リクエストされた特定画像データよりも大きい（いくつかの客観的な測定構成は、より大きいもしくは高い数値を示す。例えば、サイズ、解像度、色、色深度、ピクセルデータ粘度、色の数、色合い、飽和度、アルファ値、濃淡など。）シーン（つまり、データ、具体的に、画像データまたは他のデータ（音声データ、電子磁気データ。これらデータは、２以上の画像センサを有するアレイにより撮像され、処理中、前処理中、および後処理中のいずれのステージにおいても、結合される、もしくは縫い合わされる（纏められる）ように構成されている。）これらのデータは、処理中、前処理中、および後処理中のいずれのステージにおいても、２以上の画像センサに取り込まれ、結合または纏められる。）を取り込むように構成されている。
【０３０７】
図１０を参照する。処理１０００は、処理１００６を含む。処理１００６は、画像センサアレイから特定画像データのみ受信する工程を示す。例えば、図２、つまり、図２Ｂは、画像センサアレイから特定画像データを専用で受信するモジュール２５６が、画像センサアレイ（共にグループ化された１以上の画像センサの組。これらは、空間的にグループ化されていてもよいし、電子的もしくはネットワークを介して接続されていてもよく、構成または配置は限定されない。また、これらは、連続していてもよいし、非連続であってもよい。これらは、パターン化していてもよいし、パターン化されていなくてもよい。また、画像センサは、一つのアレイにおいて、同じものであってもよいし、同じでなくてもよい。）から特定画像データ（画像センサアレイから送信された、指定されたピクセルデータ）を排他的に受信する（つまり、選択された特定部分以外の部分のシーンの一部を送信しない）様子を示す。
【０３０８】
図１０を参照する。処理１０００は、処理１００８を含む。処理１００８は、受信した特定画像データを少なくとも１つのリクエスタに送信する工程を示す。例えば、図２、つまり、図２Ｂは、受信した特定画像データを少なくとも１つのリクエスタに送信するモジュール２５８を示す。モジュール２５８は、受信した特定画像データ（少なくとも部分的に、しかし唯一ではないが、画像センサアレイから送信された、指定されたピクセルデータ。このデータは、後述するように、修正され、追加され、抜き取られ、変化される。）を少なくとも１つのリクエスタ（上記特定画像データは、リクエストされたデータに分離され、そのデータをリクエストしたリクエスト主体に送信される。このリクエスト主体は、装置、人、人工知能、またはコンピュータルーティンもしくはシステムの部分等であるかどうかにかかわらない。）に送信する。
【０３０９】
図１１Ａ〜図１１Ｇは、処理１００２の様々な実施態様を説明する。処理１００２は、本実施形態に基づく、シーンの一部である特定画像データについてのリクエストを取得する工程である。図１１Ａを参照する。処理１００２は、処理１１０２を含む。処理１１０２は、１以上の画像を含む特定画像についてのリクエストを取得する工程を示す。例えば、図６、つまり、図６Ａは、シーンの一部であり、かつ、１以上の画像を含む特定画像についてのリクエスト取得モジュール６０２が、１以上の画像（つまり、シーン、例えば、１以上の画像を含む通りの角、例えば、その通りの角を横切る人が装着するリストウォッチの画像、その通りの角に建つビルの画像。）を含む特定画像についてのリクエスト（例えば、画像をリクエストするあらゆる形式のデータ）を取得する（例えば、（Ａ）（１）画像をリクエストした装置からの受信。当該装置は、表示、保存、分析、または画像に対する処理が可能なあらゆる装置または装置群でよい。テレビ、コンピュータ、ラップトップ、スマートフォンなど。（２）画像をリクエストしたエンティティからの受信。当該エンティティは、人、自動監視システム、人工知能、知能増幅（ビデオまたは静止画に現れる人物を監視するように設計されたコンピュータなど）でよい。）様子を示す。
【０３１０】
再び図１１Ａを参照する。処理１００２は、処理１１０４を含む。処理１１０４は、シーンの特定画像データについてのリクエストを受信する工程を示す。例えば、図６、つまり図６Ａは、シーンの一部である特定画像データについてのリクエスト受信モジュール６０４が、シーン（例えば、画像センサアレイにより撮像されたゲームの一部）の特定画像データ（例えば、上記ゲームの特定プレーヤー）についてのリクエストを受信する（装置から。例えば、ユーザのパーソナルラップトップ装置）様子を示す。
【０３１１】
再び図１１Ａを参照する。処理１１０４は、処理１１０６を含む。処理１１０６は、シーンの特定画像データについてのリクエストをクライアント装置から受信する工程を示す。例えば、図６、つまり図６Ａは、シーンの一部である特定画像データについてのリクエストをクライアント装置から受信するモジュール６０６が、シーンの特定画像データ（例えば、あらゆる動きが検知されるビル外側の静止画。セキュリティーカメラの映像など）についてのリクエストをクライアント装置（例えば、個人ユーザによりダウンロードされたＡＰＩがユーザ装置で動作する。）から受信する（画像センサアレイに対してコマンドを送信する遠隔サーバにアクセスする上記ＡＰＩから呼び出しを受ける）様子を示す。
【０３１２】
再び図１１Ａを参照する。処理１１０６は、処理１１０８を含む。処理１１０８は、少なくともシーンの一部を表示するように構成されたユーザ装置からシーンの一部である特定画像データについてのリクエストを受信する工程である。例えば、図６、つまり図６Ａは、少なくともシーンの一部を表示するように構成されたユーザ装置からシーンの一部である特定画像データについてのリクエストを受信するモジュール６０８が、少なくともシーン（例えば、動物オアシスの音声データおよびビデオデータを含む画像データ）の一部を表示するように構成されたユーザ装置（例えば、スマートテレビ）からシーン（画像センサアレイにより撮像された、動物オアシスのデータ）の一部である特定画像データ（例えば、特定の動物の画像データ）についてのリクエストを受信する様子を示す。
【０３１３】
再び図１１Ａを参照する。処理１１０８は、処理１１１０を含む。処理１１１０は、ビューファインダーにおいてシーンの少なくとも一部を表示するように構成されたユーザ装置からシーンの一部である特定画像データについてのリクエストを受信する工程である。例えば、図６、つまり図６Ａは、ビューファインダーにおいてシーンの少なくとも一部を表示するように構成されたユーザ装置からシーンの一部である特定画像データについてのリクエストを受信するモジュール６１０が、ビューファインダー（リアルかバーチャルかに拘わらず、画像データを表示／処理可能な、スクリーンまたはスクリーンセット）においてシーン（例えば、スマートフォン上で動作するバーチャルツーリズムアプリケーションの一部としてスクリーンに表示される、イタリア、ローマにあるサン・ピエトロ大聖堂の画像）の少なくとも一部を表示するように構成されたユーザ装置（例えば、スマートフォン）からシーンの一部である特定画像データ（例えば、上記大聖堂）についてのリクエストを受信する様子を示す。ビューファインダーは、画像が撮像された位置から遠隔に位置していてよい。
【０３１４】
再び図１１Ａを参照する。処理１１０６は、処理１１１２を含む。処理１１１２は、特定画像の選択を受信するように構成されたユーザ装置からシーンの特定画像データについてのリクエストを受信する工程を示す。例えば、図６、つまり図６Ａは、特定画像の選択を受信するように構成されたクライアント装置からシーンの一部である特定画像データについてのリクエストを受信するモジュール６１２が、特定画像の選択（例えば、ユーザ装置、一例としてコンピュータ装置、はユーザがいずれのシーンを見たいかに関するユーザからの音声コマンドを受信する（例えば、シーンの“デモ版”を示すことも含める。例えば、低解像度の古いシーン））を受信するように構成されたクライアント装置からシーンの一部である特定画像データについてのリクエストを受信する様子を示す。そして、上記装置は、上記選択を受信し、続いて、特定画像データについてのリクエストをサーバ装置に送信する。
【０３１５】
再び図１１Ａを参照する。処理１１１２は、処理１１１４を含む。処理１１１４は、シーン依存による特定画像の選択を受信するように構成されたユーザ装置からシーンの一部である特定画像データについてのリクエストを受信する工程を示す。例えば、図６、つまり図６Ａは、シーン依存による特定画像の選択を受信するように構成されたユーザ装置からシーンの一部である特定画像データについてのリクエストを受信するモジュール６１６が、シーン依存による特定画像の選択を受信するように構成されたユーザ装置からシーンの一部である特定画像データについてのリクエストを受信する様子を示す。
【０３１６】
再び図１１Ａを参照する。処理１１１２は、処理１１１６を含む。処理１１１６は、特定画像の選択を受信するように構成されたユーザ装置からシーンの特定画像データについてのリクエストを受信する工程を示す。ユーザ装置は、１以上の、スマートフォン、テレビ、コンピュータ・スクリーン、タブレット、カメラ、家電製品、拡張現実装置である。例えば、図６、つまり図６Ａは、シーン依存による特定画像の選択を受信するように構成された１以上の様々な装置からシーンの一部である特定画像データについてのリクエストを受信するモジュール６１６が、特定画像の選択を受信するように構成されたユーザ装置からシーンの特定画像データについてのリクエストを受信するユーザからシーンの特定画像データを受信する様子を示す。ここで、ユーザ装置は、１以上の、スマートフォン、テレビ、コンピュータ・スクリーン、タブレット、カメラ、家電製品、拡張現実装置である。
【０３１７】
図１１Ｂを参照する。処理１００２は、処理１１１８を含む。処理１１１８は、２以上の画像センサで構成されたアレイによって取得された画像データであるシーンの特定画像データについてのリクエストを取得する工程である。例えば、図６、つまり図６Ｂは、２以上の画像センサで構成されたアレイによって取得された画像データであるシーンの一部である特定画像データについてのリクエスト取得モジュール６１８が、シーン（例えば、マディソン・スクエア・ガーデン近くのニューヨーク市のとあるコーナー（角）のストリートビュー）の特定画像データについてのリクエストを取得する様子を示す。ここで、シーンは、２以上の画像センサ（フルビューを実現するために１０のメガピクセルＣＭＯＳが２５組、角度を持って配された画像センサアレイ）で構成されたアレイによって取得された画像データ（例えば、ビデオデータおよび音声データ）である。
【０３１８】
再び図１１Ｂを参照する。処理１００２は、処理１１２０を含む。処理１１２０は、シーンの特定画像データについてのリクエストを取得する工程を示す。ここで、シーンは、２以上の画像センサで構成されたアレイによって取得された画像データの表示である。例えば、図６、つまり図６Ｂは、２以上の画像センサで構成されたアレイによって取得された画像データの表示であるシーンの一部である特定画像データについてのリクエスト取得モジュール６２０が、シーン（ヴァージニア州アレクサンドリアの街の通り）の特定画像データ（ある街頭の物売りの画像）についてのリクエストを取得する様子を示す。ここで、シーンは、２以上の画像センサ（ＵＡＶに搭載される、それぞれ２つのメガピクセルから構成される1,000個のＣＭＯＳセンサ）で構成されたアレイによって取得された画像データ（ピクセルデータ）の表示（例えば、メタデータ、具体的に、画像データに関するデータ、例えば、サンプリング、サブセット、記述、検索位置）である。
【０３１９】
再び図１１Ｂを参照する。処理１１２０は、処理１１２２を含む。処理１１２２は、シーンの特定画像データについてのリクエストを取得する工程を示す。ここで、シーンは、２以上の画像センサで構成されたアレイによって取得された画像データのサンプリングである。例えば、図６、つまり図６Ｂは、２以上の画像センサで構成されたアレイによって取得された画像データのサンプリングであるシーンの一部である特定画像データについてのリクエスト取得モジュール６２２が、シーンの特定画像データについてのリクエストを取得する工程を示す。ここで、シーンは、２以上の画像センサ（２つの３０メガピクセルセンサが互いに角度を付けて配されている）で構成されたアレイによって取得（例えば、集められる、読み出される、保存される）された画像データ（例えば、ディスカウントストアにおけるチェックアウト行列の画像）のサンプリング（例えば、サブセット、ランダムに選択される、またはあるパターンに従って選択される）である。
【０３２０】
再び図１１Ｂを参照する。処理１１２０は、処理１１２４を含む。処理１１２４は、シーンの特定画像データについてのリクエストを取得する工程を示す。ここで、シーンは、２以上の画像センサで構成されたアレイによって取得された画像データのサブセットである。例えば、図６、つまり図６Ｂは、２以上の画像センサで構成されたアレイによって取得された画像データのサブセットであるシーンの一部である特定画像データについてのリクエスト取得モジュール６２４が、シーン（例えば、家の内装）の特定画像データ（家の中にある特定のオブジェクト。例えば、冷蔵庫）についてのリクエストを取得する工程を示す。ここで、シーンは、２以上の画像センサ（１０×１０グリッドの３メガピクセル画像センサ）で構成されたアレイによって取得された画像データのサブセット（例えば、半分、全体からのサンプリング、選択された領域、またはコントラストデータのみ）である。
【０３２１】
再び図１１Ｂを参照する。処理１１２０は、処理１１２６を含む。処理１１２６は、シーンの特定画像データについてのリクエストを取得する工程を示す。ここで、シーンは、２以上の画像センサで構成されたアレイによって取得された画像データの低解像度バージョンである。例えば、図６、つまり図６Ｂは、２以上の画像センサで構成されたアレイによって取得された画像データの低解像度バージョンであるシーンの一部である特定画像データについてのリクエスト取得モジュール６２６が、シーン（例えば、高速道路の橋）の特定画像データ（例えば、ある橋を通過する特定の車両の映像）についてのリクエストを取得する工程を示す。ここで、シーンは、２以上の画像センサで構成されたアレイによって取得された画像データの低解像度（ここで、“低”とは、“画像を取り込む（撮像する）装置の最大解像度よりも低い”ことを意味する。）バージョンである。
【０３２２】
図１１Ｃを参照する。処理１００２は、処理１１２８を含む。処理１１２８は、フットボールゲームのシーンである特定画像データについてのリクエストを取得する工程を示す。例えば、図６、つまり図６Ｃは、フットボールゲームのシーンの一部である特定画像データについてのリクエスト取得モジュール６２８が、フットボールゲームのシーンである特定画像データについてのリクエストを取得する様子を示す。
【０３２３】
再び図１１Ｃを参照する。処理１００２は、処理１１３０を含む。処理１１３０は、エリアストリートビューのシーンである特定画像データについてのリクエストを取得する工程を示す。例えば、図６、つまり図６Ｃは、エリアストリートビューのシーンの一部である特定画像データについてのリクエスト取得モジュール６３０が、エリア（例えば、ストリートの角、ガーデン・オアシス、山頂、空港など）のストリートビュー（例えば、ライブビュー、または時間が少し遅れたビュー）のシーンである特定画像データについてのリクエストを取得する様子を示す。
【０３２４】
再び図１１Ｃを参照する。処理１００２は、処理１１３２を含む。処理１１３２は、観光目的地のシーンである特定画像データについてのリクエストを取得する工程である。例えば、図６、つまり図６Ｃは、観光目的地のシーンの一部である特定画像データについてのリクエスト取得モジュール６３２が、観光目的地（例えば、ギザの大ピラミッド）のシーンである特定画像データについてのリクエストを取得する様子を示す。
【０３２５】
再び図１１Ｃを参照する。処理１００２は、処理１１３４を含む。処理１１３４は、家の中のシーンである特定画像データについてのリクエストを取得する工程である。例えば、図６、つまり図６Ｃは、家の中のシーンの一部である特定画像データについてのリクエスト取得モジュール６３４が、家の中（例えば、キッチンの中）のシーンである特定画像データについてのリクエストを取得する様子を示す。
【０３２６】
図１１Ｄを参照する。処理１００２は、処理１１３６を含む。処理１１３６は、シーンの特定画像データについてのリクエストを取得する工程を示す。ここで、特定画像データは、シーンの一部である画像である。例えば、図６、つまり図６Ｄは、シーンの一部である画像である特定画像データについてのリクエスト取得モジュール６３６が、シーンの特定画像データ（例えば、動物保護区にいるトラの画像）についてのリクエストを取得する工程を示す。ここで、特定画像データ（トラの画像）は、シーン（動物保護区の画像データ）の一部である画像である。
【０３２７】
図１１Ｄを参照する。処理１１３６は、処理１１３８を含む。処理１１３８は、シーンの特定画像データについてのリクエストを取得する工程を示す。ここで、特定画像データは、特定のフットボールプレーヤーの画像データを含み、シーンはフットボールフィールドである。例えば、図６、つまり図６Ｄは、画像が特定のフットボールプレーヤーの画像であり、シーンがフットボールフィールドである特定画像データについてのリクエスト取得モジュール６３６が、シーンの特定画像データについてのリクエストを取得する工程を示す。ここで、特定画像データは、画像が特定のフットボールプレーヤーの画像であり、シーンがフットボールフィールドである。
【０３２８】
図１１Ｄを参照する。処理１１３６は、処理１１４０を含む。処理１１４０は、シーンの特定画像データについてのリクエストを取得する工程を示す。ここで、特定画像データは車両ナンバープレートの画像データを含み、シーンは、高速道路の橋の画像表示である。例えば、図６、つまり図６Ｄは、画像が車両ナンバープレートの画像であり、シーンが高速道路の橋である特定画像データについてのリクエスト取得モジュール６４０が、シーンの特定画像データについてのリクエストを取得する工程を示す。ここで、特定画像データは車両ナンバープレートの画像データを含み、シーンは、高速道路の橋（例えば、高速道路の橋の画像）である。
【０３２９】
図１１Ｅを参照する。処理１００２は、処理１１４２を含む。処理１１４２は、シーン中に位置する特定画像オブジェクトについてのリクエストを取得する工程を示す。例えば、図６、つまり図６Ｅは、シーン中に位置する特定画像オブジェクトについてのリクエスト取得モジュール６４２が、シーン（鳥保護区域）中に位置する特定画像オブジェクト（特定種類の鳥）についてのリクエストを取得する様子を示す。
【０３３０】
再び図１１Ｅを参照する。処理１００２は、処理１１４４を含む。処理１１４４は、処理１１４２と連携して現れる。処理１１４４は、特定画像オブジェクトを含むシーンの特定画像データを決定する工程を示す。例えば、図６、つまり図６Ｅは、特定画像オブジェクトを含むシーンの特定画像データを決定するモジュール６４４は、特定画像オブジェクト（例えば、特定種類の鳥）を含むシーン（例えば、鳥保護区域の画像）の特定画像データ（特定種類の鳥を含む、１９２０×１０８０の画像）を決定する。
【０３３１】
再び図１１Ｅを参照する。処理１１４２は、処理１１４６を含む。処理１１４６は、シーン中に位置する特定人物についてのリクエストを取得する工程を示す。例えば、図６、つまり図６Ｅは、シーン中に位置する特定人物についてのリクエスト取得モジュール６４６が、シーン（画像データ）中に位置する特定人物（ある方法で衣装をまとった人物、倉庫の外をぶらぶら歩く人、特定の有名人あるいはアスリート、特定の作業者を追跡するビジネス）についてのリクエストを取得する様子を示す。
【０３３２】
再び図１１Ｅを参照する。処理１１４２は、処理１１４８を含む。処理１１４８は、バスケットボールアリーナであるシーン中に位置するバスケットボールについてのリクエストを取得する工程を示す。例えば、図６、つまり図６Ｅは、シーン中に位置するバスケットボールについてのリクエスト取得モジュール６４８が、バスケットボールアリーナであるシーン中に位置するバスケットボール（例えば、バスケットボールに対応する画像）についてのリクエストを取得する様子を示す。
【０３３３】
再び図１１Ｅを参照する。処理１１４２は、処理１１５０を含む。処理１１５０は、シーン中に位置する電動車両についてのリクエストを取得する工程を示す。例えば、図６、つまり図６Ｅは、シーン中に位置する電動車両についてのリクエスト取得モジュール６５０が、シーン中に位置する電動車両についてのリクエストを取得する様子を示す。
【０３３４】
再び図１１Ｅを参照する。処理１１４２は、処理１１５２を含む。処理１１５２は、シーン中に位置する人物オブジェクト表現についてのリクエストを取得する工程を示す。例えば、図６、つまり図６Ｅは、シーン中に位置する人物オブジェクト表現についてのリクエスト取得モジュール６５２が、シーン中に位置する人物オブジェクト表現（人物に対応する何れかの画像が歩いたとき、例えば、セキュリティーカメラ向け、または人物が近づいたときに動作するアプリケーション向け、例えば、自動ターミナル）についてのリクエストを取得する様子を示す。
【０３３５】
再び図１１Ｅを参照する。処理１１４２は、処理１１５３を含む。処理１１５３は、シーン画像データに対する自動パターン認識アプリケーションを介して特定画像オブジェクトを含むシーンの特定画像データを決定する工程を示す。例えば、図６、つまり図６Ｅは、シーン画像データに対する自動パターン認識アプリケーションを介して特定画像オブジェクトを含むシーンの特定画像データを決定するモジュール６５３が、シーン画像データに対する自動パターン認識アプリケーション（例えば、機械認識を介して人物画像を認識する。例えば、形状依存分類、頭肩検知、動き検出、およびコンポーネント検出）を介して特定画像オブジェクト（テニスプレーヤー）を含むシーン（例えば、テニスの試合）の特定画像データを決定する様子を示す。
【０３３６】
再び図１１Ｅを参照する。処理１１４４は、処理１１５４を含む。処理１１５４は、少なくとも時間的に少し前のシーンの画像データである前のシーンデータ中の特定画像オブジェクトを特定することによって、特定画像オブジェクトを含むシーンの特定画像データを決定する工程を示す。例えば、図６、つまり図６Ｅは、前のシーンデータ中のオブジェクトを特定することによって特定画像オブジェクトを含むシーンの特定画像データを決定するモジュール６５４が、少なくとも時間的に少し前のシーンの画像データである前のシーンデータ中の特定画像オブジェクトを特定することによって、特定画像オブジェクトを含むシーンの特定画像データを決定する様子を示す。
【０３３７】
再び図１１Ｅを参照する。処理１１４４は、処理１１５６を含む。処理１１５６は、キャッシュされたシーンデータ中の特定画像オブジェクトを特定することによって、特定画像オブジェクトを含むシーンの特定画像データを決定する工程を示す。例えば、図６、つまり図６Ｅは、キャッシュされた前のシーンデータ中のオブジェクトを特定することによって、特定画像オブジェクトを含むシーンの特定画像データを決定するモジュール６５６を示す。
【０３３８】
再び図１１Ｅを参照する。処理１１５６は、処理１１５８を含む。処理１１５８は、キャッシュされたシーンデータ中の特定画像オブジェクトを特定することによって、特定画像オブジェクトを含むシーンの特定画像データを決定する工程を示す。ここで、キャッシュされたシーンデータは、２以上の画像センサを含む画像センサアレイから前に送信されたデータである。例えば、図６、つまり図６Ｅは、キャッシュされた前のシーンデータ中のオブジェクトを特定することによって、特定画像オブジェクトを含むシーンの特定画像データを決定するモジュール６５８を示す。なお、キャッシュされた前のシーンデータは、画像センサアレイから前に送信されたデータである。図６Ｅにおいて、モジュール６５８は、キャッシュされたシーンデータ中の特定画像オブジェクト（例えば、水たまり場にいるライオン）を特定することによって、特定画像オブジェクト（例えば、水たまり場における、特定のランドマーク、または動物）を含むシーンの特定画像データを決定する工程を示す。ここで、キャッシュされたシーンデータは、２以上の画像センサ（例えば、３つのメガピクセルＣＭＯＳセンサ）を含む画像センサアレイ（例えば、２５組の画像センサ）から前に送信されたデータである。
【０３３９】
再び図１１Ｅを参照する。処理１１５６は、処理１１６０を含む。処理１１６０は、キャッシュされたシーンデータ中の特定画像オブジェクトを特定することによって、特定画像オブジェクトを含むシーンの特定画像データを決定する工程である。上記キャッシュされたシーンデータは、２以上の画像センサを含む画像センサアレイから前に送信されたデータである。また、上記キャッシュされたシーンデータは、当該画像センサアレイに対する接続のために周波数帯域が利用可能なときに送信されたデータである。例えば、図６、つまり図６Ｅは、キャッシュされたシーンデータ中のオブジェクトを特定することによって、特定画像オブジェクトを含むシーンの特定画像データを決定するモジュール６６０である。ここで、上記キャッシュされたシーンデータは、画像センサアレイから特定の時刻に前に送信されたデータである。モジュール６６０は、キャッシュされたシーンデータ（例えば、前の時点からサーバに保存されているデータ。前の時点とは、百万分の１秒前、または数年前等でよい。但し、本例では、キャッシュされたデータは１フレーム前である（例えば、１秒以内前））中の特定画像オブジェクト（例えば、特定アイテム。例えば、トースタオーブン）を特定することによって、特定画像オブジェクト（例えば、カート操作者によって購入されたアイテムに関するレジスタ生成リストと合致しない、ショッピングカート中の上記特定アイテム）を含むシーンの特定画像データを決定する工程である。上記キャッシュされたシーンデータは、２以上の画像センサを含む画像センサアレイから前に送信されたデータである。また、上記キャッシュされたシーンデータは、当該画像センサアレイに対する接続のために周波数帯域が利用可能なときに送信されたデータである。
【０３４０】
図１１Ｆを参照する。処理１００２は、処理１１６２を含む。処理１１６２は、シーンからの第１特定画像データについての第１リクエストを第１リクエスタから受信する工程を示す。例えば、図６、つまり図６Ｆは、第１特定画像データについての第１リクエストを第１リクエスタから受信するモジュール６６２が、シーン（水たまり場）からの第１特定画像データ（例えば、第１動物、例えば、水たまり場シーンにおけるトラ）についての第１リクエスト（例えば、１９２０×１８０の“ＨＤ”ビューについてのリクエスト）を第１リクエスタ（例えば、インターネットに接続されたテレビから水たまり場を見る家族）から受信する様子を示す。
【０３４１】
再び図１１Ｆを参照する。処理１００２は、処理１１６４を含む。処理１１６４は、処理１１６２に連携して現れる。処理１１６４は、シーンからの第２特定画像データについての第２リクエストを、第１リクエスタとは異なる第２リクエスタから受信する工程である。例えば、図６、つまり図６Ｆは、第１特定画像データについての第２リクエストを、第１リクエスタとは異なる第２リクエスタから受信するモジュールが、シーン（例えば、水たまり場）からの第２特定画像データ（例えば、第２動物。例えば、ペリカン）についての第２リクエスト（例えば、スマートフォン向けの６４０×４８０ビューについてのリクエスト）を、第１リクエスタとは異なる第２リクエスタ（例えば、スマートフォンにおいて、水たまり場の流れを見る人）から受信する様子を示す。
【０３４２】
再び図１１Ｆを参照する。処理１００２は、処理１１６６を含む。処理１１６６は、シーンからの第１特定画像データについて受信した第１リクエストとシーンからの第２特定画像データについて受信した第２リクエストとを結合する工程である。例えば、図６、つまり図６Ｆは、シーンからの第１特定画像データについて受信した第１リクエストとシーンからの第２特定画像データについて受信した第２リクエストとを結合するモジュール６６６が、シーンからの第１特定画像データ（例えば、フットボールチームのランニングバックを見るというリクエスト）について受信した第１リクエストとシーン（例えば、フットボールゲーム）からの第２特定画像データ（同じフットボールチームのクオーターバックを見るというリクエスト）について受信した第２リクエストとを結合する様子を示す。
【０３４３】
再び図１１Ｆを参照する。処理１１６６は、処理１１６８を含む。処理１１６８は、シーンからの第１特定画像データについて受信した第１リクエストおよびシーンからの第２特定画像データについて受信した第２リクエストを、重複するリクエスト画像を統合する特定画像データについてのリクエストに結合する工程である。例えば、図６、つまり図６Ｆは、シーンからの第１特定画像データについて受信した第１リクエストおよびシーンからの第２特定画像データについて受信した第２リクエストを、重複するリクエスト画像を統合する特定画像データについてのリクエストに結合するモジュール６６８が、シーンからの第１特定画像データ（図５Ｂに示される、装置５０２Ａからのリクエスト）について受信した第１リクエストおよびシーンからの第２特定画像データ（図５Ｂに示される、装置５０２Ｂからのリクエスト）について受信した第２リクエストを、重複するリクエスト画像（図５Ｂに示される、選択されたピクセル５７４）を統合する特定画像データについてのリクエストに結合する様子を示す。
【０３４４】
再び図１１Ｆを参照する。処理１１６６は、処理１１７０を含む。処理１１７０は、シーンからの第１特定画像データについての第１リクエストおよびシーンからの第２特定画像データについての第２リクエストを受信する工程である。例えば、図６、つまり、図６Ｆは、シーンからの第１特定画像データについての第１リクエストおよびシーンからの第２特定画像データについての第２リクエストを受信するモジュール６７０が、シーン（ヴァージニア州、アレキサンドリアのＤｏＧストリートのライブ・ストリートビュー）からの第１特定画像データ（例えば、あるストリートビューからの特定のストリートの角（コーナー）の画像データ）についての第１リクエストおよびシーン（ヴァージニア州、アレキサンドリアのＤｏＧストリートのライブ・ストリートビュー）からの第２特定画像データ（上記ストリートビューの反対側のコーナーの画像データ）についての第２リクエストを受信する様子を示す。
【０３４５】
再び図１１Ｆを参照する。処理１００２は、処理１１７２を含む。処理１１７２は、処理１１７０に連携して現れる。処理１１７２は、受信した第１リクエストと受信した第２リクエストとを特定画像データについてのリクエストに結合する工程である。例えば、図６、つまり、図６Ｆは、受信した第１リクエストと受信した第２リクエストとを結合するモジュール６７２が、受信した第１リクエスト（スフィンクスでのバーチャルツーリズムビューについての１９２０×１０８０データのリクエスト）と受信した第２リクエスト（重複するがスフィンクスの他の場所におけるバーチャルツーリズムビューについての４１０×２１０データのリクエスト）とを特定画像データ（いずれのピクセルが保持されるかを考慮する画像センサアレイに対して送信されるリクエスト）についてのリクエストに結合する様子を示す。
【０３４６】
再び図１１Ｆを参照する。処理１１７２は、処理１１７４を含む。処理１１７４は、受信した第１リクエストと受信した第２リクエストとに共通するピクセルデータを取り除く工程である。例えば、図６、つまり、図６Ｆは、受信した第１リクエスト（野球の試合において、ワシントン・ナショナルズの右翼手を見るというリクエスト）および受信した第２リクエスト（野球の試合において、ワシントン・ナショナルズの左翼手を見るというリクエスト）に共通するピクセルを複製するモジュール６７４が、受信した第１リクエストと受信した第２リクエストとに共通するピクセルデータ（例えば、２以上のリクエストの一部）を取り除く（例えば、削除、マーキング、フラグ化、消去、他のフォーマットでの保存、他の場所への保存、異なるアルゴリズムを用いたコーディング／圧縮、変更（必ずしも破壊することを意味しない）、破壊、新しいデータへの上書き許可）様子を示す。
【０３４７】
図１１Ｇを参照する。処理１００２は、処理１１７６を含む。処理１１７６は、シーンの一部である特定画像データについてのリクエストを取得する工程である。当該特定画像データはビデオデータを含む。例えば、図６、つまり、図６Ｇは、シーンの一部である特定ビデオデータについてのリクエスト取得モジュール６７６が、シーンの一部である特定画像データについてのリクエストを取得する様子を示す。当該特定画像データはビデオデータ（例えば、ストリーミングデータ。例えば、ワシントンＤＣのベリゾン・センター近くのコーナーのライブストリートビューにおけるストリーミングデータ）を含む。
【０３４８】
再び図１１Ｇを参照する。処理１００２は、処理１１７８を含む。処理１１７８は、シーンの一部である特定画像データについてのリクエストを取得する工程である。当該特定画像データは音声データを含む。例えば、図６、つまり、図６Ｇは、シーンの一部である特定音声データについてのリクエスト取得モジュール６７８が、シーンの一部である特定画像データについてのリクエストを取得する様子を示す。当該特定画像データは音声データ（例えば、オアシスでの音データ、または、画像中における会話中の人のデータ）を含む。
【０３４９】
再び図１１Ｇを参照する。処理１００２は、処理１１８０を含む。処理１１８０は、音声インタフェースを通じて特定画像データについてのリクエストを受信するユーザ装置から、シーンの一部である特定画像データについてのリクエストを取得する工程を示す。例えば、図６、つまり、図６Ｇは、シーンの一部である特定画像データについてのリクエストを、音声インタフェースを有するユーザ装置から受信するモジュール６８０が、音声インタフェース（例えば、テレビに組み込まれたインタフェースに話かけて、追跡すべきプレーヤーをテレビに対して指示する）を通じて特定画像データについてのリクエストを受信するユーザ装置（例えば、インターネットに接続されたテレビ）から、シーン（例えば、ゲーム中におけるフットボールスタジアムのシーン）の一部である特定画像データ（フットボールゲームにおいてフィールド上の特定の人（例えば、クオーターバック）を見るとのリクエスト）についてのリクエストを取得する様子を示す。
【０３５０】
再び図１１Ｇを参照する。処理１００２は、処理１１８２を含む。処理１１８２は、シーンの一部である特定画像データについてのリクエストをユーザ装置から受信する工程である。当該ユーザ装置は、特定画像データについてのユーザからの口語リクエストを受信するマイクを有する。例えば、図６、つまり、図６Ｇは、シーンの一部である特定画像データについてのリクエストを、音声インタフェースを有するマイク付きのユーザ装置から受信するモジュール６８２が、シーン（例えば、ジャングルのオアシス）の一部である特定画像データ（例えば、ジャングルのオアシスにおけるチーターの画像）についてのリクエストをユーザ装置から受信する工程である。当該ユーザ装置は、特定画像データ（例えば、ジャングルのオアシスにおけるチーターの画像）についてのユーザ（例えば、チーターにズームしたい、スマートフォンを操作する人）からの口語リクエスト（例えば、“zoom in on the cheetah”）を受信するマイク（例えば、スマートフォン装置）を有する。
【０３５１】
図１２Ａから図１２Ｅは、処理１００４の様々な実施形態を示す。本実施形態によると、処理１００４は、２以上の画像センサを含み、かつ、リクエストされた特定画像データよりも大きいシーンを取り込むように構成された画像センサアレイに対して特定画像データについてのリクエストを送信する工程である。図１２Ａを参照する。処理１００４は、処理１２０２を含む。処理１２０２は、２以上の画像センサを含み、かつ、リクエストされた特定画像データよりも大きいシーンを取り込むように構成された画像センサアレイに対してシーンの特定画像データについてのリクエストを送信する工程である。例えば、図７、つまり、図７Ａは、２以上の画像センサを含み、かつ、より大きい画像を取り込むように構成された画像センサアレイに対して特定画像データについてのリクエストを送信するモジュール７０２が、２以上の画像センサを含み、かつ、リクエストされた特定画像データよりも大きいシーンを取り込むように構成された画像センサアレイ（例えば、それぞれが１０のメガピクセルから構成された１２のセンサによるアレイ）に対して特定画像データについてのリクエストを送信する様子を示す（例えば、リクエストされた画像データは１９２０×１０８０（例えば、約２百万ピクセル）であり、取り込まれた領域は１２，０００，０００ピクセル。重複分は引かれている）。
【０３５２】
再び図１２Ａを参照する。処理１００４は、処理１２０４を含む。処理１２０４は、お互いに、近傍に配され、角度を付けて設けられた２つの画像センサを有し、かつ、リクエストされた画像データよりも大きい画像を取り込むように構成された画像センサアレイに対してシーンの特定画像データについてのリクエストを送信する工程を示す。例えば、図７、つまり、図７Ａは、お互いに角度を付けて設けられた２つの画像センサを有し、かつ、リクエストされた特定画像データよりも大きいシーンを取り込むように構成された画像センサアレイに対して特定画像データについてのリクエストを送信するモジュール７０４が、お互いに、近傍に配され、角度を付けて設けられた２つの画像センサを有し、かつ、リクエストされた画像データよりも大きい画像を取り込むように構成された画像センサアレイに対してシーン（例えば、化学ラボ）の特定画像データについてのリクエストを送信する様子を示す（例えば、リクエストされた画像は、１．７百万画素で表現されるラボのズームアウトビューであるが、カメラは１０．５百万画素を撮像する。）。
【０３５３】
再び図１２Ａを参照する。処理１００４は、処理１２０６を含む。処理１２０６は、グリッド状に配され、かつ、リクエストされた画像データよりも大きい画像を取り込むように構成された画像センサアレイに対してシーンの特定画像データについてのリクエストを送信する工程である。例えば、図７、つまり、図７Ａは、グリッド状に配された２以上の画像センサを含み、かつ、リクエストされた特定画像データよりも大きいシーンを取り込むように構成された画像センサアレイに対して特定画像データについてのリクエストを送信するモジュール７０６が、グリッド状に配され、かつ、リクエストされた画像データよりも大きい画像を取り込むように構成された画像センサアレイに対してシーンの特定画像データについてのリクエストを送信する様子を示す（例えば、リクエストされた画像データは小領域（例えば、フットボールプレーヤー付近の領域）であり、画像（例えば、フットボールフィール全体）よりも小さい）。
【０３５４】
再び図１２Ａを参照する。処理１００４は、処理１２０８を含む。処理１２０８は、視野が１２０°よりも大きくなるように線状に配された画像センサのアレイを含み、かつ、リクエストされた画像データよりも大きい画像を取り込むように構成された画像センサアレイに対してシーンの特定画像データについてのリクエストを送信する工程である。例えば、図７、つまり、図７Ａは、線状に配された２以上の画像センサを含み、かつ、リクエストされた特定画像データよりも大きいシーンを取り込むように構成された画像センサアレイに対して特定画像データについてのリクエストを送信するモジュール７０８が、視野が１２０°よりも大きくなるように線状に配された画像センサのアレイを含み、かつ、リクエストされた画像データ（例えば、高速道路上の１台以上の車両）より大きい画像（例えば、高速道路の画像）を取り込むように構成された画像センサアレイに対してシーンの特定画像データについてのリクエストを送信する様子を示す。
【０３５５】
再び図１２Ａを参照する。処理１００４は、処理１２１０を含む。処理１２１０は、非線状、非連続的に配された一群の固定画像センサを含み、かつ、リクエストされた特定画像データよりも大きい画像を取り込むように構成された画像センサアレイに対してシーンの特定画像データについてのリクエストを送信する工程である。例えば、図７、つまり、図７Ａは、非線状に配された２以上の固定画像センサを含み、かつ、リクエストされた特定画像データよりも大きいシーンを取り込むように構成された画像センサアレイに対して特定画像データについてのリクエストを送信するモジュール７１０が、非線状、非連続的に配された一群の固定画像センサ（例えば、５つのメガピクセルから構成されたＣＣＤセンサ）を含み、かつ、リクエストされた特定画像データよりも大きい画像を取り込むように構成された画像センサアレイに対してシーンの特定画像データについてのリクエストを送信する様子を示す。
【０３５６】
図１２Ｂを参照する。処理１００４は、処理１２１２を含む。処理１２１２は、静止画像センサのアレイを含み、かつ、リクエストされた画像データよりも大きい画像を取り込むように構成された画像センサアレイに対してシーンの特定画像データについてのリクエストを送信する工程である。例えば、図７、つまり、図７Ｂは、特定画像データについてのリクエストを、静止画センサアレイを含む画像センサアレイに送信するモジュール７１２が、静止画像センサのアレイを含み、かつ、リクエストされた画像データよりも大きい画像を取り込むように構成された画像センサアレイに対してシーンの特定画像データについてのリクエストを送信する様子を示す。
【０３５７】
図１２Ｂを参照する。処理１２１２は、処理１２１４を含む。処理１２１４は、焦点距離および視野が固定された静止画センサアレイを含み、かつ、リクエストされた画像データよりも大きい画像を取り込むように構成された画像センサアレイに対してシーンの特定画像データについてのリクエストを送信する工程である。例えば、図７、つまり、図７Ｂは、特定画像データについてのリクエストを、焦点距離および視野が固定された静止画センサアレイを含む画像センサアレイに送信するモジュール７１４が、焦点距離および視野が固定された静止画センサアレイ（例えば、２５のメガピクセルから構成されたＣＭＯＳセンサ）を含み、かつ、リクエストされた画像データ（例えば、リクエストされた画像は、超高解像度であるが、シーン中で取り込まれたものよりも小さい領域を表す）よりも大きい画像を取り込むように構成された画像センサアレイに対してシーン（例えば、山の水たまり場）の特定画像データ（例えば、黒熊の画像）についてのリクエストを送信する様子を示す。
【０３５８】
図１２Ｂを参照する。処理１００４は、処理１２１６を含む。処理１２１６は、移動式プラットフォームに搭載される画像センサアレイを含み、かつ、リクエストされた画像データよりも大きいシーンを取り込むように構成された画像センサアレイに対してシーンの特定画像データについてのリクエストを送信する工程である。例えば、図７、つまり、図７Ｂは、特定画像データについてのリクエストを、移動式プラットフォームに搭載される画像センサアレイを含む画像センサアレイに送信するモジュール７１６が、移動式プラットフォーム（例えば、移動式の皿、またはＵＡＶ）に搭載される画像センサアレイを含み、かつ、リクエストされた画像データ（例えば、街の建物または街角）よりも大きいシーン（例えば、そのシーンはある街の広角ビュー）を取り込むように構成された画像センサアレイに対してシーンの特定画像データについてのリクエストを送信する様子を示す。
【０３５９】
図１２Ｂを参照する。処理１００４は、処理１２１８を含む。処理１２１８は、２以上の画像センサを含み、かつ、リクエストされた特定画像データよりも多いデータを示すシーンを取り込むように構成された画像センサアレイに対してシーンの特定画像データについてのリクエストを送信する工程である。例えば、図７、つまり、図７Ｂは、２以上の画像センサを含み、かつ、リクエストされた特定画像データよりも多い画像データを表すシーンを取り込むように構成された画像センサアレイに対して特定画像データについてのリクエストを送信するモジュール７１８が、２以上の画像センサを含み、かつ、リクエストされた特定画像データよりも多いデータを示すシーンを取り込むように構成された画像センサアレイに対してシーンの特定画像データについてのリクエストを送信する様子を示す。
【０３６０】
図１２Ｂを参照する。処理１２１８は、処理１２２０を含む。処理１２２０は、２以上の画像センサを含み、かつ、リクエストされた特定画像データよりも１０倍より多いデータを表すシーンを取り込むように構成された画像センサアレイに対してシーンの特定画像データについてのリクエストを送信する工程である。例えば、図７、つまり、図７Ｂは、２以上の画像センサを含み、かつ、リクエストされた特定画像データよりも１０倍多いデータを表すシーンを取り込むように構成された画像センサアレイに対して特定画像データについてのリクエストを送信するモジュール７２０が、２以上の画像センサを含み、かつ、リクエストされた特定画像データ（例えば、１．８百万ピクセル）よりも１０倍より多いデータ（例えば、２０百万ピクセル）を表すシーンを取り込むように構成された画像センサアレイに対してシーンの特定画像データについてのリクエストを送信する様子を示す。
【０３６１】
図１２Ｂを参照する。処理１２１８は、処理１２２２を含む。処理１２２２は、２以上の画像センサを含み、かつ、リクエストされた特定画像データよりも１００倍より多いデータを表すシーンを取り込むように構成された画像センサアレイに対してシーンの特定画像データについてのリクエストを送信する工程である。例えば、図７、つまり、図７Ｂは、２以上の画像センサを含み、かつ、リクエストされた特定画像データよりも１００倍より多いデータを表すシーンを取り込むように構成された画像センサアレイに対して特定画像データについてのリクエストを送信するモジュール７２２が、２以上の画像センサ（例えば、２メガピクセル、４メガピクセル、６メガピクセル、８メガピクセル、１０メガピクセルがそれぞれ２０センサずつ。）を含み、かつ、リクエストされた特定画像データよりも１００倍より多いデータ（例えば、リクエストされた２００万ピクセルに対して、６億ピクセル）を表すシーンを取り込むように構成された画像センサアレイ（１００センサの組）に対してシーン（例えば、高速道路の橋）の特定画像データ（例えば、ある橋を通過する赤色のトラックの画像（１９２０×１０８０））についてのリクエストを送信する様子を示す。
【０３６２】
再び図１２Ｂを参照する。処理１００４は、処理１２２４を含む。処理１２２４は、リクエストされた特定画像データよりも大きい視野を示すシーンを取り込むように構成された画像センサアレイに対して特定画像データについてのリクエストを送信する工程である。例えば、図７、つまり、図７Ｂは、２以上の画像センサを含み、かつ、リクエストされた特定画像データよりも大きい視野を示すシーンを取り込むように構成された画像センサアレイに対して特定画像データについてのリクエストを送信するモジュール７２４が、リクエストされた特定画像データ（例えば、パン屋のみ）よりも大きい視野（例えば、街角全体）を示すシーン（例えば、人通りの多い街角のライブストリートビュー）を取り込むように構成された画像センサアレイに対して特定画像データ（例えば、街角のパン屋の画像）についてのリクエストを送信する様子を示す。
【０３６３】
図１２Ｃを参照する。処理１００４は、処理１２２６を含む。処理１２２６は、特定画像データについてのリクエストを修正する工程である。例えば、図７、つまり、図７Ｃは、特定画像データについてのリクエスト修正モジュール７２６が、特定画像データ（例えば、野球選手の画像についてのリクエスト）についてのリクエストを修正（例えば、変更、変化、追加、控除、削除、補充、形式変化、属性変化など）する様子を示す。
【０３６４】
再び図１２Ｃを参照する。処理１００４は、処理１２２８を含む。処理１２２８は、処理１２２６に連携して現れる。処理１２２８は、２以上の画像センサを含み、かつ、リクエストされた特定画像データよりも大きいシーンを取り込むように構成された画像センサアレイに対して特定画像データについての修正リクエストを送信する工程である。例えば、図７、つまり、図７Ｃは、特定画像データについての修正リクエストを画像センサアレイに送信するモジュール７２８が、２以上の画像センサを含み、かつ、リクエストされた特定画像データよりも大きいシーン（例えば、野球場の野球の試合）を取り込むように構成された画像センサアレイに対して特定画像データについての修正リクエスト（例えば、修正リクエストは、リクエストされた野球選手の周囲の領域を増やすことをリクエストする。）を送信する様子を示す。
【０３６５】
再び図１２Ｃを参照する。処理１２２６は、処理１２３０を含む。処理１２３０は、特定画像データについてのリクエストから指定画像データを取り除く工程を示す。例えば、図７、つまり、図７Ｃは、特定画像データ（例えば、ライブストリートビューの一部を見るとのリクエスト）についてのリクエストから指定画像データを取り除くモジュール７３０が、特定画像データについてのリクエストから指定画像データ（例えば、すでに取り込まれ、かつ保存されている静止オブジェクトの画像。例えば、ライブストリートビューにおける建物、または最後のリクエストから動いていない車両）を取り除く様子を示す。
【０３６６】
再び図１２Ｃを参照する。処理１２３０は、処理１２３２を含む。処理１２３２は、前に保存された画像データに基づいて、特定画像データについてのリクエストから指定画像データを取り除く工程を示す。例えば、図７、つまり、図７Ｃは、前に保存された画像データに基づいて、特定画像データについてのリクエストから指定画像データを取り除くモジュール７３２が、前に保存された画像データ（例えば、すでに取り込まれ、かつ保存されている静止オブジェクトの画像。例えば、ライブストリートビューにおける建物、または最後のリクエストから動いていない車両）に基づいて、特定画像データについてのリクエスト（例えば、ライブストリートビューの一部を見るとのリクエスト）から指定画像データ（例えば、最初にリクエストされた画像中には車両が含まれていることから、次に取り込まれる６０フレームの画像は再びチェックされない。）を取り除く様子を示す。
【０３６７】
再び図１２Ｃを参照する。処理１２３２は、処理１２３４を含む。処理１２３４は、画像センサアレイから読み取られた（検索された）、前に保存された画像データに基づいて、特定画像データについてのリクエストから指定画像データを取り除く工程である。例えば、図７、つまり、図７Ｃは、画像センサアレイから読み取られた（検索された）、前に保存された画像データに基づいて、特定画像データについてのリクエストから指定画像データを取り除くモジュール７３４が、画像センサアレイから読み取られた（検索された）、前に保存された画像データに基づいて、特定画像データについてのリクエストから指定画像データを取り除く様子を示す（例えば、画像センサアレイが、静止オブジェクトを含む古いバージョンのデータを送信している。例えば、シーンが高速道路である場合には橋の一部である。橋の一部を含むシーンについてのリクエストで静止状態にある当該橋の一部が取り除かれる）。
【０３６８】
再び図１２Ｃを参照する。処理１２３２は、処理１２３６を含む。処理１２３６は、指定画像データの早い時間のバージョンである、前に保存された画像データに基づいて、特定画像データについてのリクエストから指定画像データを取り除く工程である。例えば、図７、つまり、図７Ｃは、指定画像データの早い時間のバージョンである、前に保存された画像データ（例えば、スタジアムの画像データ）に基づいて、特定画像データについてのリクエストから指定画像データを取り除くモジュール７３６が、指定画像データの早い時間のバージョンである（１時間前、または１フレーム前のスタジアムの画像データ）、前に保存された画像データに基づいて、特定画像データについてのリクエスト（例えば、スタジアム内にいるプレーヤーを見るとのリクエスト）から指定画像データ（例えば、スタジアムの一部）を取り除く様子を示す。
【０３６９】
再び図１２Ｃを参照する。処理１２３６は、処理１２３８を含む。処理１２３８は、画像センサアレイにより取り込まれた早い時間のバージョンからの１以上の静止オブジェクトについての前に保存された画像データに基づいて、ストリートビューである特定画像データについてのリクエストから１以上の静止オブジェクトについての画像データを取り除く工程である。例えば、図７、つまり、図７Ｃは、静止オブジェクトであって、指定画像データの早い時間のバージョンである、前に保存された画像データに基づいて、特定画像データについてのリクエストから指定画像データを取り除くモジュール７３８が、画像センサアレイにより取り込まれた早い時間のバージョンからの１以上の静止オブジェクトについての前に保存された画像データに基づいて、ストリートビューである特定画像データについてのリクエストから１以上の静止オブジェクトについての画像データを取り除く様子を示す。
【０３７０】
図１２Ｄを参照する。処理１２２６は、処理１２４０を含む。処理１２４０は、特定画像データについてのリクエストの一部のピクセル内挿／外挿を通じて、特定画像データについてのリクエストから一部を取り除く（除去する）工程である。例えば、図７、つまり、図７Ｄは、ピクセルデータの内挿／外挿に基づいて、特定画像データについてのリクエストから指定画像データを取り除く（除去する）モジュール７４０が、特定画像データについてのリクエスト（建物を含むライブストリートビューについてのリクエスト）の一部のピクセル内挿（建物の既知のパターンの外挿に基づいて建物の中央部分を埋める）を通じて、特定画像データ（例えば、画一的な建物の一部）についてのリクエストから一部を取り除く様子を示す。
【０３７１】
再び図１２Ｄを参照する。処理１２４０は、処理１２４２を含む。処理１２４２は、特定画像データについてのリクエストの一部のピクセルの内挿に基づいて、特定画像データについてのリクエストから１以上の静止画オブジェクトを取り除く工程である。例えば、図７、つまり、図７Ｄは、ピクセルデータの内挿／外挿に基づいて、特定画像データについてのリクエストから１以上の静止画オブジェクトに対応する指定画像データを取り除くモジュール７４２が、特定画像データについてのリクエスト（例えば、建物を含むライブストリートビューについてのリクエスト）の一部のピクセルの内挿（ピラミッドの既知のパターンの外挿に基づいてピラミッドの中央部分を埋める）に基づいて、特定画像データについてのリクエストから１以上の静止画オブジェクト（ピラミッドに含まれるレンガ）を取り除く様子を示す。
【０３７２】
再び図１２Ｄを参照する。処理１２２６は、処理１２４４を含む。処理１２４４は、メモリに保存された特定画像データについてのリクエストの少なくとも一部を特定する工程を示す。例えば、図７、つまり、図７Ｄは、前にメモリに保存された特定画像データについてのリクエストの一部（例えば、前のアクセスからメモリにキャッシュされたバーチャルツーリズム展示の一部）を特定するモジュール７４４が、メモリ（例えば、サーバ装置のメモリ。例えば、メモリ２４５）に保存された特定画像データについてのリクエストの少なくとも一部を特定する様子を示す。
【０３７３】
再び図１２Ｄを参照する。処理１２２６は、処理１２４６を含む。処理１２４６は、処理１２４４に連携して現れる。処理１２４６は、特定画像データについてのリクエストの特定された一部を取り除く工程である。例えば、図７、つまり、図７Ｄは、特定画像データについてのリクエストの特定された一部を取り除くモジュール７４６が、特定画像データについてのリクエストの特定された一部を取り除く様子を示す（サーバのメモリにすでに保存された画像データをリクエストするリクエストの一部を取り除く）。
【０３７４】
再び図１２Ｄを参照する。処理１２２６は、処理１２４８を含む。処理１２４８は、画像センサアレイによって前に取り込まれた特定画像データについてのリクエストの少なくとも一部分を特定する工程である。例えば、図７、つまり、図７Ｄは、画像センサアレイによって前に取り込まれた特定画像データについてのリクエストの部分を特定するモジュール７４８が、画像センサアレイ（例えば、２５の２メガピクセルＣＭＯＳセンサで構成されたアレイ）によって前に取り込まれた特定画像データについてのリクエストの少なくとも一部分を特定する様子を示す。
【０３７５】
再び図１２Ｄを参照する。処理１２２６は、処理１２５０を含む。処理１２５０は、画像センサアレイによって前に取り込まれた特定画像データについてのリクエストに係る１以上の静止オブジェクトを特定する工程である。例えば、図７、つまり、図７Ｄは、画像センサアレイによって前に取り込まれた少なくとも１つの静止画オブジェクトを含む特定画像データについてのリクエストの部分を特定するモジュール７５０が、画像センサアレイによって前に取り込まれた特定画像データ（郊外の一部を示す画像データ）についてのリクエストに係る１以上の静止オブジェクト（建物、未知、樹木など）を特定する様子を示す。
【０３７６】
再び図１２Ｄを参照する。処理１２５０は、処理１２５２を含む。処理１２５２は、画像センサアレイによって前に取り込まれた特定画像データについてのリクエストに係る１以上の露出する自然岩を特定する工程である。例えば、図７、つまり、図７Ｄは、画像センサアレイによって前に取り込まれた露出している岩に関する少なくとも一つの静止画オブジェクトを含む特定画像データについてのリクエストの部分を特定するモジュール７５２が、画像センサアレイによって前に取り込まれた特定画像データ（例えば、２５の２メガピクセルＣＭＯＳセンサで構成されたアレイ）についてのリクエストに係る１以上の露出している自然岩を特定する様子を示す。
【０３７７】
図１２Ｅを参照する。処理１００４は、処理１２５４を含む。処理１２５４は、特定画像データについてのリクエストに係るサイズを決定する工程である。例えば、図７、つまり、図７Ｅは、特定画像データについてのリクエストに係るサイズを決定するモジュール７５４が、特定画像データ（例えば、ジャングルのオアシスにおけるライオンのデータ）についてのリクエストに係るサイズ（例えば、ピクセル数、送信速度、または１秒当たりのフレーム数）を決定する様子を示す。
【０３７８】
再び図１２Ｅを参照する。処理１００４は、処理１２５６を含む。処理１２５６は、処理１２５４に連携して現れる。処理１２５６は、サイズが決定された特定画像データについてのリクエストを、シーンを取り込むように構成された画像センサアレイに送信する工程である。例えば、図７、つまり、図７Ｅは、サイズが決定された特定画像データについてのリクエストを画像センサアレイに送信するモジュール７５６が、サイズが決定された特定画像データについてのリクエストを、シーン（例えば、家の内装に係るシーン）を取り込むように構成された画像センサアレイに送信する様子を示す。
【０３７９】
再び図１２Ｅを参照する。処理１２５４は、処理１２５８を含む。処理１２５８は、特定画像データの少なくとも一部をリクエストしたユーザ装置の特性に基づいて、少なくとも部分的に、特定画像データについてのリクエストのサイズを決定する工程である。例えば、図７、つまり、図７Ｅは、少なくとも部分的にユーザ装置の特性に基づいて、特定画像データについてのリクエストに係るサイズを決定するモジュール７５８が、特定画像データの少なくとも一部をリクエストしたユーザ装置の特性に基づいて、少なくとも部分的に、特定画像データについてのリクエストのサイズ（例えば、水平解像度および垂直解像度、例えば、１９２０×１０８０）を決定する様子を示す。
【０３８０】
再び図１２Ｅを参照する。処理１２５８は、処理１２６０を含む。処理１２６０は、少なくとも部分的に、特定画像データをリクエストしたユーザ装置の解像度に基づいて、特定画像データについてのリクエストのサイズを決定する工程である。例えば、図７、つまり、図７Ｅは、少なくとも部分的にユーザ装置の解像度に基づいて、特定画像データについてのリクエストのサイズを決定するモジュール７６０が、少なくとも部分的に、特定画像データをリクエストしたユーザ装置の解像度に基づいて、特定画像データについてのリクエストのサイズを決定する様子を示す。
【０３８１】
再び図１２Ｅを参照する。処理１２５４は、処理１２６２を含む。処理１２６２は、少なくとも部分的に、特定画像データをリクエストしたユーザ装置のアクセスレベルに基づいて、特定画像データについてのリクエストに係るサイズを決定する工程である。例えば、図７、つまり、図７Ｅは、少なくとも部分的にユーザ装置のアクセスレベルに基づいて、特定画像データについてのリクエストに係るサイズを決定するモジュール７６２が、少なくとも部分的に、特定画像データをリクエストしたユーザ装置のアクセスレベルに基づいて、特定画像データについてのリクエストに係るサイズを決定する様子を示す（例えば、ユーザがサービスに対して支払っているか。いずれのレベルのサービスをユーザが購読しているか。より高い周波数帯域が必要となり、かつ、画像受信において優先されている他の“スーパーユーザ”がいるか。）。
【０３８２】
再び図１２Ｅを参照する。処理１２５４は、処理１２６４を含む。処理１２６４は、少なくとも部分的に、画像センサアレイとの通信に利用可能な周波数帯域に基づいて、特定画像データについてのリクエストに係るサイズを決定する工程である。例えば、図７、つまり、図７Ｅは、少なくとも部分的に使用可能な周波数帯域に基づいて、特定画像データについてのリクエストに係るサイズを決定するモジュール７６４が、少なくとも部分的に、画像センサアレイ（例えば、２５側面多角形構造のそれぞれの表面に並んだ、一組の２５個のイメージセンサ）との通信に利用可能な周波数帯域に基づいて、特定画像データについてのリクエストに係るサイズを決定する様子を示す。
【０３８３】
再び図１２Ｅを参照する。処理１２５４は、処理１２６６を含む。処理１２６６は、少なくとも部分的に、特定画像データの少なくとも一部をリクエストしたユーザ装置が画像データをリクエストした時間に基づいて、特定画像データについてのリクエストに係るサイズを決定する工程である。例えば、図７、つまり、図７Ｅは、少なくとも部分的に装置の使用時間に基づいて、特定画像データについてのリクエストに係るサイズを決定するモジュール７６６が、少なくとも部分的に、特定画像データの少なくとも一部をリクエストしたユーザ装置が画像データをリクエストした時間に基づいて、特定画像データについてのリクエストに係るサイズを決定する様子を示す（例えば、より長い時間待機した装置は優先順位が高い。装置がリクエスト画像を送信すると、その装置は、画像データリクエストの最後列に移動する。）。
【０３８４】
再び図１２Ｅを参照する。処理１２５４は、処理１２６８を含む。処理１２６８は、少なくとも部分的に、特定画像データの少なくとも一部をリクエストしたユーザ装置との通信に利用可能な周波数帯域に基づいて、特定画像データについてのリクエストに係るサイズを決定する工程である。例えば、図７、つまり、図７Ｅは、少なくとも部分的に装置の利用可能な周波数帯域に基づいて、特定画像データについてのリクエストに係るサイズを決定するモジュール７６８が、少なくとも部分的に、特定画像データの少なくとも一部をリクエストしたユーザ装置との通信に利用可能な周波数帯域に基づいて、特定画像データについてのリクエストに係るサイズを決定する様子を示す（例えば、ユーザ装置とサーバとの間の接続に基づく。例えば、ユーザ装置への帯域が制限要素である場合、そのことが考慮に入れられ、特定画像データについてのリクエストのサイズを設定するために用いられる。）。
【０３８５】
図１３Ａ〜図１３Ｃは、処理１００６の様々な実施態様を説明する。処理１００６は、本実施形態に基づく、画像センサアレイから特定画像データのみ受信する工程である。図１３Ａを参照して、処理１００６は、処理１３０２を含む。処理１３０２は、画像センサアレイから特定画像データのみ受信する工程である。特定画像データ以外のシーンからのデータは破棄される。例えば、図８、つまり、図８Ａは、画像センサアレイから特定画像データを受信するモジュール８０２を示す。モジュール８０２は、他の画像データを破棄する。モジュール８０２は、画像センサアレイから特定画像データのみ受信する。特定画像データ以外のシーンからのデータは破棄される（例えば、データは、少なくとも一時的に保存されるが、永続的メモリのような下記込みが防止される場所には保存されない。）。
【０３８６】
再び図１３Ａを参照する。処理１００６は、処理１３０４を含む。処理１３０４は、画像センサアレイから特定画像データのみを受信するモジュールである。このモジュールでは、特定画像データ以外のシーンからのデータは画像センサアレイに保存される。例えば、図８、つまり、図８Ａは、画像センサアレイから特定画像データを受信するモジュール８０４を示す。モジュール８０４では、他の画像データは画像センサアレイにて保存される。モジュール８０４は、画像センサアレイ（例えば、２５個のＣＭＯＳセンサ）から特定画像データ（例えば、ホッキョクグマとペンギンの画像）のみを受信するモジュールである。このモジュールでは、特定画像データ以外のシーン（例えば、南極の浮氷）からのデータは画像センサアレイ（例えば、一群の２５個のＣＭＯＳセンサ）に保存される。
【０３８７】
再び図１３Ａを参照する。処理１００６は、処理１３０６を含む。処理１３０６は、画像センサアレイから特定画像データをほぼリアルタイムに受信する工程である。例えば、図８、つまり、図８Ａは、画像センサアレイから特定画像データをほぼリアルタイムに限定して受信するモジュール８０６が、画像センサアレイから特定画像データをほぼリアルタイムに受信する様子を示す（例えば、何かが起こっているときに送信する必要は必ずしもなく、リアルタイムであることの外形がほぼ保たれているときに送信されればよい）。
【０３８８】
図１３Ｂを参照する。処理１００６は、処理１３０８を含む。処理１３０８は、画像センサアレイから特定画像データをほぼリアルタイムに受信する工程である。例えば、図８、つまり、図８Ｂは、画像センサアレイから特定画像データをほぼリアルタイムに限定して受信するモジュール８０８が、画像センサアレイ（２００個の、１０メガピクセルセンサ）から特定画像データ（例えば、ライブストリートビュー設定において撮像された、通りを歩いて渡る人の画像）をほぼリアルタイムに受信する様子を示す。
【０３８９】
再び図１３Ｂを参照する。処理１００６は、処理１３１０を含む。処理１３１０は、処理１３０８に連携して現れる。処理１３１０は、特定画像データ以外のシーンからのデータを後々読み込む工程である。例えば、図８、つまり、図８Ｂは、特定画像データ以外のシーンからのデータを後々読み込むモジュール８１０が、特定画像データ（例えば、リクエストされなかったデータ。例えば、画像センサアレイにより取り込まれたものの誰もリクエストしなかったデータ。遠隔サーバには送信されていない。）以外のシーン（例えば、山道のシーン）からのデータを後々（例えば、より多くの周波数帯域が利用可能となるオフピーク時。例えば、ほとんどのユーザがシステムを利用していないとき）読み込む様子を示す。
【０３９０】
再び図１３Ｂを参照する。処理１３１０は、処理１３１２を含む。処理１３１２は、特定画像データ以外のシーンからのデータを帯域が画像センサアレイに対して利用可能なときに読み込む工程である。例えば、図８、つまり、図８Ｂは、特定画像データ以外のシーンからのデータを帯域が利用可能なときに読み込むモジュール８１２が、特定画像データ以外（例えば、リクエストされなかったデータ）のシーンからのデータを帯域が画像センサアレイに対して利用可能なときに読み込む様子を示す（例えば、画像センサアレイは、シーンの部分についてのリクエストを処理するために割り当てられたすべての周波数帯域を使用しておらず、リクエストされた特定画像データ以外に読み込まれうるデータを送信するための利用可能な周波数帯域を有する）。
【０３９１】
再び図１３Ｂを参照する。処理１３１０は、処理１３１４を含む。処理１３１４は、特定画像データ以外のシーンからのデータを画像センサアレイのオフピーク使用時に読み込む工程である。例えば、図８、つまり、図８Ｂは、特定画像データ以外のシーンからのデータを画像センサアレイのオフピーク使用時に読み込むモジュール８１４が、特定画像データ以外（例えば、リクエストされなかったデータ）のシーンからのデータを画像センサアレイのオフピーク使用時（例えば、（１）画像センサアレイが街のストリートを撮像する。その場合、オフピーク使用時は夜間になる。（２）画像センサアレイはセキュリティーカメラであってよい。その場合、オフピーク使用時は昼間になる。または、前の期間分析に基づいてオフピーク使用時は柔軟に変化する。つまり、オフピーク使用時は、画像センサアレイがシーンの部分についてのリクエストを処理するために割り当てられたすべての周波数帯域を使用していない如何なるときでもよい。画像センサアレイは、リクエストされた特定画像データ以外に読み込まれうるデータを送信するための利用可能な周波数帯域を有する。）に読み込む様子を示す。
【０３９２】
再び図１３Ｂを参照する。処理１３１０は、処理１３１６を含む。処理１３１６は、特定画像データがリクエストされていないときに特定画像データ以外のシーンからのデータを読み込む工程である。例えば、図８、つまり、図８Ｂは、特定画像データ以外のシーンからのデータを、特定画像データリクエストが画像センサアレイにおいて存在しないときに読み込むモジュール８１６は、特定画像データがリクエストされていないときに特定画像データ以外のシーンからのデータを読み込む様子を示す。
【０３９３】
再び図１３Ｂを参照する。処理１３１０は、処理１３１８を含む。処理１３１８は、画像センサアレイの能力を超えて特定画像データをリクエストするユーザがいないときに特定画像データ以外のシーンからのデータを読み込む工程である。例えば、図８、つまり、図８Ｂは、画像センサアレイの能力が利用可能なときに特定画像データ以外のシーンからのデータを読み込むモジュール８１８が、画像センサアレイの能力ほどに特定画像データをリクエストするユーザが殆どいないときに特定画像データ以外のシーンからのデータを読み込む様子を示す。
【０３９４】
図１３Ｃを参照する。処理１００６は、処理１３２０を含む。処理１３２０は、音声データを含む特定画像データのみを画像センサアレイから受信する工程である。例えば、図８、つまり、図８Ｃは、音声データを含む特定画像データのみを画像センサアレイから受信するモジュール８２０が、音声データ（例えば、音声データ。例えば、マイクにより拾われた音声の音声データ）を含む特定画像データ（例えば、水たまり場からの画像データ）のみを画像センサアレイ（例えば、画像センサアレイは、１以上のマイクまたは他の音収集装置を備えてよく、それらは、画像撮像センサから離れている、または画像撮像センサに接続されている。）から受信する様子を示す。
【０３９５】
図１３Ｃを参照する。処理１００６は、処理１３２２を含む。処理１３２２は、リクエストされた特定画像オブジェクトを含むと判定された特定画像データのみを画像センサアレイから受信する工程である。例えば、図８、つまり、図８Ｃは、リクエストされた特定画像オブジェクトを含むと判断された特定画像データのみを画像センサアレイから受信するモジュール８２２が、リクエストされた特定画像オブジェクト（例えば、シーンであるフットボールゲームにおける特定のフットボールプレーヤー）を含むと判定された特定画像データのみを画像センサアレイから受信する様子を示す。
【０３９６】
図１３Ｃを参照する。処理１３２２は、処理１３２４を含む。処理１３２４は、リクエストされた特定画像オブジェクトを含むと画像センサアレイによって判断された特定画像データのみを受信する工程である。例えば、図８、つまり、図８Ｃは、リクエストされた特定画像オブジェクトを含むと画像センサアレイによって判断された特定画像データのみを受信するモジュール８２４が、リクエストされた特定画像オブジェクト（例えば、水たまり場のライオン）を含むと画像センサアレイ（例えば、画像センサアレイは、パターン認識を実行し、特定画像データを特定する。特定画像データは、“ライオンを含む画像データ”とのみ特定され、送信され、そしてサーバにより受信されるだけかもしれない。）によって判断された特定画像データのみを受信する様子を示す。
【０３９７】
図１４Ａ〜図１４Ｅは、処理１００８の様々な実施態様を説明する。処理１００８は、本実施形態に基づく、受信した特定画像データを少なくとも一つのリクエスタへ送信する工程である。図１４Ａを参照する。処理１００８は、処理１４０２を含む。処理１４０２は、受信した特定画像データをユーザ装置へ送信する工程である。例えば、図９、つまり、図９Ａは、受信した特定画像データを少なくとも一つのユーザ装置リクエスタへ送信するモジュール９０２が、受信した特定画像データ（例えば、National Football Leagueのある試合におけるクオーターバックの画像）をユーザ装置（例えば、インターネットに接続されたテレビ）へ送信する様子を示す。
【０３９８】
再び図１４Ａを参照する。処理１４０２は、処理１４０４を含む。処理１４０４は、受信した特定画像データの少なくとも一部を、特定画像データをリクエストしたユーザ装置に対して送信する工程である。例えば、図９、つまり、図９Ａは、受信した特定画像データを、受信した特定画像の少なくとも一部をリクエストした少なくとも１つのユーザ装置に対して送信するリクエスタモジュール９０４が、受信した特定画像データの少なくとも一部（例えば、ある装置から受信した特定リクエストに対応する部分。例えば、水たまり場にいるライオンを示すシーンの特定部分についてのリクエスト）を、特定画像データ（例えば、コンピュータ装置が、ライオンが見えるシーンの部分をリクエストする）をリクエストしたユーザ装置（例えば、ＣＰＵおよびモニタを備えたコンピュータ装置）に対して送信する様子を示す。
【０３９９】
再び図１４Ａを参照する。処理１００８は、処理１４０６を含む。処理１４０６は、受信した特定画像を１以上のリクエスト画像の組に分離する工程である。例えば、図９、つまり、図９Ａは、受信した特定画像を１以上のリクエスト画像の組に分離するモジュール９０６が、受信した特定画像を１以上のリクエスト画像の組に分離する様子を示す（例えば、シーンデータの部分について５つのリクエストがあった場合、そしてそのうちの幾つかのリクエストが重複している場合、それぞれのリクエスト装置がリクエストされたピクセルを受信するように、画像データは、複製され、パッケージ化される）。
【０４００】
再び図１４Ａを参照する。処理１００８は、処理１４０８を含む。処理１４０８は、処理１４０６と連携して現れる。処理１４０８は、少なくとも１つの画像をリクエストした特定リクエスタに対して１以上のリクエスト画像から構成される組の少なくとも一つの画像を送信する工程である。例えば、図９、つまり、図９Ａは、１以上の画像をリクエストした特定リクエスタに対して１以上のリクエスト画像から構成される組の少なくとも一つの画像を送信するモジュール９０８が、１以上のリクエスト画像から構成される組の少なくとも一つの画像を特定リクエスタに対して送信する様子を示す（例えば、ある人が“バーチャル・カメラ”を操作する。“バーチャル・カメラ”は、カメラのレンズを通してその人にシーンを“見せる”。画像はカメラに対して送信されることから、カメラが画像センサアレイから一時的に離れていても、できれば長距離離れていても、“バーチャル・カメラ”は、カメラのレンズを通してその人にシーンを見せる）。
【０４０１】
再び図１４Ａを参照する。処理１４０６は、処理１４１０を含む。処理１４１０は、受信した特定画像を、第１リクエスト画像と第２リクエスト画像とに分離する工程である。例えば、図９、つまり、図９Ａは、受信した特定画像（例えば、ジャングルのオアシスからの画像）を、第１リクエスト画像と第２リクエスト画像とに分離するモジュール９１０が、受信した特定画像を、第１リクエスト画像（例えば、ライオンの画像）と第２リクエスト画像（例えば、カバの画像）とに分離する様子を示す。
【０４０２】
再び図１４Ａを参照する。処理１００８は、処理１４１２を含む。処理１４１２は、受信した特定画像データの一部である画像データをリクエストしたユーザ装置に対して受信した特定画像データを送信する工程である。例えば、図９、つまり、図９Ａは、受信した特定画像データの一部である画像データをリクエストした少なくとも１つのユーザ装置に対して受信した特定画像データを送信するモジュール９１２が、受信した特定画像データの一部である画像データをリクエストしたユーザ装置に対して受信した特定画像データを送信する様子を示す。
【０４０３】
図１４Ｂを参照する。処理１００８は、処理１４１４を含む。処理１４１４は、受信した特定画像データの第１部分を第１リクエスタに送信する工程である。例えば、図９、つまり、図９Ｂは、受信した特定画像データの第１部分を第１リクエスタに送信するモジュール９１４が、受信した特定画像データ（例えば、シマウマを含むオアシスからの画像データ）の第１部分（例えば、シマウマを含む動物オアシスの一部）を第１リクエスタ（例えば、シマウマを含むオアシスの一部であるビデオの供給をリクエストした装置。例えば、テレビ装置。）に送信する様子を示す。
【０４０４】
再び図１４Ｂを参照する。処理１００８は、処理１４１６を含む。処理１４１６は、処理１４１４と連携して現れる。処理１４１６は、受信した特定画像データの第２部分を第２リクエスタに送信する工程である。例えば、図９、つまり、図９Ｂは、モジュール９１６は、受信した特定画像データ（例えば、オアシスからの画像データ）の第２部分（例えば、鳥を含むオアシスの一部）を第２リクエスタに送信するモジュール９１６が、受信した特定画像データの第２部分を第２リクエスタ（例えば、鳥を含むオアシスの部分である画像をリクエストした装置。例えば、タブレット装置。）に送信する様子を示す。
【０４０５】
再び図１４Ｂを参照する。処理１４１４は、処理１４１８を含む。処理１４１８は、受信した特定画像データの第１部分を、当該第１部分をリクエストした第１リクエスタに送信する工程である。例えば、図９、つまり、図９Ｂは、受信した特定画像データの第１部分（例えば、バーチャルツーリズム設定における特定のランドマークを含む部分）を、当該第１部分をリクエストした第１リクエスタに送信するモジュール９１８が、受信した特定画像データの第１部分を、当該第１部分をリクエストした第１リクエスタに送信する様子を示す。
【０４０６】
再び図１４Ｂを参照する。処理１４１８は、処理１４２０を含む。処理１４２０は、フットボールの試合を表示し、かつ、特定のフットボールプレーヤーを含む画像をリクエストしたテレビ装置に対して、当該特定のフットボールプレーヤーを含む画像を送信する工程である。例えば、図９、つまり、図９Ｂは、あるフットボールゲームから特定のフットボールプレーヤーをリクエストしたテレビ装置に対して、上記フットボールプレーヤーを含む受信した特定画像データの一部を送信するモジュール９２０が、フットボールの試合を表示し、かつ、特定のフットボールプレーヤーを含む画像をリクエストしたテレビ装置に対して、当該特定のフットボールプレーヤーを含む画像を送信する様子を示す。
【０４０７】
再び図１４Ｂを参照する。処理１４１６は、処理１４２２を含む。処理１４２２は、受信した特定画像データの第２部分を、当該第２部をリクエストした第２リクエスタに送信する工程である。例えば、図９、つまり、図９Ｂは、受信した特定画像データの第２部分を、当該第２部をリクエストした第２リクエスタに送信するモジュール９２２が、受信した特定画像データの第２部分（例えば、ライオンを含む、受信した特定画像データの一部）を、当該第２部をリクエストした第２リクエスタ（例えば、テレビで給餌を見る人）に送信する様子を示す。
【０４０８】
再び図１４Ｂを参照する。処理１４２２は、処理１４２４を含む。処理１４２４は、ある街の特定の街角のストリートビューをリクエストしたタブレット装置に対して車両のビューを含む画像を送信する工程である。例えば、図９、つまり、図９Ｂは、電動車両のビューを含む部分を、当該電動車両のビューをリクエストしたタブレット装置である第２リクエストに送信するモジュール９２４が、ある街（例えば、ヴァージニア州アレクサンドリア）の特定の街角のストリートビューをリクエストしたタブレット装置に対して車両（例えば、ホンダのアコード）のビューを含む画像を送信する様子を示す。
【０４０９】
再び図１４Ｂを参照する。処理１００８は、処理１４２６を含む。処理１４２６は、受信した特定画像データの少なくとも一部を変化させることなく少なくとも１つのリクエスタに送信する工程である。例えば、図９、つまり、図９Ｂは、受信した特定画像データ（例えば、オアシスにいる動物の画像）を変化させずに少なくとも１つのリクエスタに送信するモジュール９２６が、受信した特定画像データの少なくとも一部を変化させることなく（例えば、人の目に映る画像を変化させることなく。例えば、目に見えないデータ操作が存在してよい。）少なくとも１つのリクエスタ（例えば、画像をリクエストした装置。例えば、携帯装置。）に送信する様子を示す。
【０４１０】
図１４Ｃを参照する。処理１００８は、処理１４２８を含む。処理１４２８は、送信画像データを生成するために、受信した特定画像データの少なくとも一部に対して補完的データを追加する工程である。例えば、図９、つまり、図９Ｂは、送信画像データを生成するために、受信した特定画像データの少なくとも一部への補完データの追加を促進するモジュール９２８が、送信画像データを生成するために（リクエスタに送信される画像データ。例えば、デスクトップコンピュータのユーザ）、受信した特定画像データ（例えば、動物の水たまり場の画像）の少なくとも一部に対して補完的データ（例えば、コンテクストデータ、広告データ、処理支援データ、画像の表示に関するデータ、または画像のキャッシュに関するデータ。画像中に視認できるかどうかに拘わらない。画像中に埋め込まれているかどうかに拘わらない。または、画像と関連するデータ）を追加する様子を示す。
【０４１１】
再び図１４Ｃを参照する。処理１００８は、処理１４３０を含む。処理１４３０は、処理１４２８と連携して現れる。処理１４３０は、生成した送信画像データを少なくとも１つのリクエスタに送信する工程である。例えば、図９、つまり、図９Ｃは、生成した送信画像データを少なくとも１つのリクエスタに送信するモジュール９３０が、生成した送信画像データ（例えば、あるフットボールゲームにおけるフットボールプレーヤーの画像に、そのプレーヤーの統計データを重ね合わせた画像データ）を少なくとも１つのリクエスタ（例えば、携帯タブレット装置において上記フットボールゲームを見る人）に送信する様子を示す。
【０４１２】
再び図１４Ｃを参照する。処理１４２８は、処理１４３２を含む。処理１４３２は、送信画像データを生成するために、受信した特定画像データの少なくとも一部に広告データを追加する工程である。例えば、図９、つまり、図９Ｃは、送信画像データを生成するために、受信した特定画像データの少なくとも一部への広告データの追加を促進するモジュール９３２が、送信画像データを生成するために、受信した特定画像データ（例えば、サッカーの試合の画像、および／または、サッカーの試合におけるプレーヤーの画像）の少なくとも一部に広告データ（例えば、次のサッカーの試合のチケットの購入を促す広告のデータ、および撮影されたプレーヤーのサッカージャージの購入を促す広告のデータ）を追加する様子を示す。
【０４１３】
再び図１４Ｃを参照する。処理１４３２は、処理１４３４を含む。処理１４３４は、受信した特定画像データの少なくとも一部に基づく文脈依存の広告データを、受信した特定画像データの少なくとも一部に追加する工程を示す。例えば、図９、つまり、図９Ｃは、送信画像データを生成するために、受信した特定画像データの少なくとも一部への文脈依存の広告データの追加を促進するモジュール９３４が、受信した特定画像データの少なくとも一部に基づく文脈依存の広告データ（例えば、バーチャルツーリズム設定において視聴されている場所への旅行サービスに関する広告。例えば、巨大ピラミッド。）を、受信した特定画像データ（例えば、巨大ピラミッドからの視覚的画像データ）の少なくとも一部に追加する様子を示す。
【０４１４】
再び図１４Ｃを参照する。処理１４３４は、処理１４３６を含む。処理１４３６は、オアシスにジャングル・タイガーが存在する受信した特定画像データの少なくとも一部に基づく動物愛護寄付ファンドに係る広告データを、当該特定画像データに追加する工程である。例えば、図９、つまり、図９Ｃは、送信画像データを生成するために、オアシスにジャングル・タイガーが存在する受信した特定画像データの少なくとも一部に対して動物愛護寄付ファンドに係る広告データを追加するモジュール９３６が、オアシスにジャングル・タイガーが存在する受信した特定画像データの少なくとも一部に基づく動物愛護寄付ファンドに係る広告データを、当該特定画像データに追加する様子を示す。
【０４１５】
再び図１４Ｃを参照する。処理１４２８は、処理１４３８を含む。処理１４３８は、送信画像データを生成するために、受信した特定画像データに関連する関連視覚データを、受信した特定画像データの少なくとも一部に追加する工程である。例えば、図９、つまり、図９Ｃは、送信画像データを生成するために、受信した特定画像データの少なくとも一部への関連する視覚的データの追加を促進するモジュール９３８が、送信画像データ（例えば、受信装置に転送されるべきデータ）を生成するために、受信した特定画像データ（例えば、動物、車、製品）に関連する関連視覚データ（例えば、（１）示された動物の名前、（２）示された自動車の製造および設計年、または（３）フレーム中に製品が示されている場合、現在の最安値を提示するウェブサイトの名前）を、受信した特定画像データの少なくとも一部に追加する様子を示す。
【０４１６】
再び図１４Ｃを参照する。処理１４３８は、処理１４４０を含む。処理１４４０は、送信画像データを生成するために、あるフットボールゲームに出場したクオーターバックに関する受信した特定画像データに、ファンタジー・フットボール統計を追加する工程である。例えば、図９、つまり、図９Ｃは、送信画像データを生成するために、クオーターバックデータに関する受信した特定画像データの少なくとも一部に対して、関連するファンタジー・フットボールの統計データを追加するモジュール９４０が、送信画像データ（例えば、リクエスト装置（例えば、テレビ）に送信されるべき画像データ）を生成するために、あるフットボールゲームに出場したクオーターバックに関する受信した特定画像データに現れる、ファンタジー・フットボール統計（例えば、成功パス、パスレシーブ、獲得ラッシングヤード、獲得ヤード、トータルポイント、選手名など）を追加する様子を示す。
【０４１７】
図１４Ｄを参照する。処理１００８は、処理１４４２を含む。処理１４４２は、送信画像データを生成するために、受信した特定画像データの部分を変更する工程である。例えば、図９、つまり、図９Ｄは、送信画像データを生成するために、受信した特定画像データの部分の変更を促進するモジュール９４２が、送信画像データを生成するために（例えば、データをリクエストした装置に対して送信されるべきデータ。例えば、スマートフォン装置。）、受信した特定画像データ（例えば、カメラアレイから送信された画像データ）の部分を変更する（例えば、追加、控除、特性に関するデータの変更、例えば、アルファデータ、色データ、飽和データ。個々のバイトに対する変更でもよいし、画像全体に対する変更でもよい。）様子を示す。
【０４１８】
再び図１４Ｄを参照する。処理１００８は、処理１４４４を含む。処理１４４４は、生成した送信画像データを少なくとも１つのリクエスタに送信する工程である。例えば、図９、つまり、図９Ｄは、生成した送信画像データを少なくとも１つのリクエスタに送信するモジュール９４４が、生成した送信画像データ（例えば、リクエスト装置に対して送信するためにサーバ装置により生成された画像データ）を少なくとも１つのリクエスタ（例えば、リクエスト装置。例えば、ウェブページでバーチャルツーリズムプログラムを動作させている、家庭にあるラップトップコンピュータ。）に送信する様子を示す。
【０４１９】
再び図１４Ｄを参照する。処理１４４２は、処理１４４６を含む。処理１４４６は、送信画像データを生成するために、受信した特定画像データの画像操作変更を実行する工程である。例えば、図９、つまり、図９Ｄは、送信画像データを生成するために、受信した特定画像データ（例えば、高層ビルによる影が多いエリアのライブストリートビュー）の部分の操作変更（例えば、取り込んだ画像の構成を編集する）を促進するモジュール９４６が、送信画像データ（例えば、データをリクエストした装置に送信されるべき画像データ。例えば、カメラ装置。）を生成するために、受信した特定画像データの画像操作変更を実行する様子を示す。
【０４２０】
再び図１４Ｄを参照する。処理１４４６は、処理１４４８を含む。処理１４４８は、送信画像データを生成するために、受信した特定画像データに対してコントラストバランス化を実行する工程である。例えば、図９、つまり、図９Ｄは、送信画像データを生成するために、受信した特定画像データの部分のコントラストバランス化を促進するモジュール９４８が、送信画像データ（例えば、データをリクエストした装置に送信されるべき画像データ。例えば、カメラ装置。）を生成するために、受信した特定画像データ（例えば、高層ビルによる影が多いエリアのライブストリートビュー）に対してコントラストバランス化を実行する様子を示す。
【０４２１】
再び図１４Ｄを参照する。処理１４４６は、処理１４５０を含む。処理１４５０は、送信画像データを生成するために、受信した特定画像データの部分の色変更バランス化を実行する工程である。例えば、図９、つまり、図９Ｄは、送信画像データを生成するために、受信した特定画像データの部分の色変更バランス化を促進するモジュール９５０が、送信画像データ（例えば、装置に送信されるべき画像データ）を生成するために、受信した特定画像データ（例えば、動物水たまり場におけるライオンの画像）の部分の色変更バランス化を実行する様子を示す。
【０４２２】
再び図１４Ｄを参照する。処理１４４２は、処理１４５２を含む。処理１４５２は、送信画像データを生成するために、受信した特定画像データの部分を編集する工程である。例えば、図９、つまり、図９Ｄは、送信画像データを生成するために、受信した特定画像データの部分の編集を促進するモジュール９５２が、送信画像データ（例えば、装置に送信される画像データ、または当該装置へ送信されるための指定を受ける画像データ）を生成するために、受信した特定画像データの部分を編集（例えば、削除、スムージング、ぼかし、画像に対するあらゆる操作処理、戦車（tank）に関連するあらゆる構成を不明瞭にするためのあらゆる処理。戦車全体に関連するデータを除去または上書きすることも、これに限定されないが、含まれる。）する様子を示す。
【０４２３】
再び図１４Ｄを参照する。処理１４５２は、処理１４５４を含む。処理１４５４は、リクエスタのセキュリティークリアランスレベルに基づいて、受信した特定画像データの少なくとも一部分を編集する工程である。例えば、図９、つまり、図９Ｄは、送信画像データを生成するために、リクエスタのセキュリティークリアランスレベルに基づいて、受信した特定画像データの部分の編集を促進するモジュール９５４が、リクエスタ（例えば、画像をリクエストした装置は、その装置にて視聴を許されている事項に基づくセキュリティークリアランスレベルを有してよい。そのセキュリティークリアランスレベルが閾値以下の場合、ナンバープレートおよび人の顔のようなデータは編集される。）のセキュリティークリアランスレベルに基づいて、受信した特定画像データ（例えば、人の顔、車のナンバープレート）の少なくとも一部分を編集（例えば、削除、スムージング、ぼかし、画像に対するあらゆる操作処理、戦車に関連するあらゆる構成を不明瞭にするためのあらゆる処理。戦車全体に関連するデータを除去または上書きすることも、これに限定されないが、含まれる。）する様子を示す。
【０４２４】
再び図１４Ｄを参照する。処理１４５４は、処理１４５６を含む。処理１４５６は、特定画像データをリクエストした装置の不十分なセキュリティークリアランスレベルに基づいて、基地を含む衛星画像を含む、受信した特定画像データにおける戦車を編集する工程である。例えば、図９、つまり、図９Ｄは、送信画像データを生成するために、リクエスタのセキュリティークリアランスレベルに基づいて、受信した衛星画像データの戦車を編集するモジュール９５６が、特定画像データをリクエストした装置の不十分なセキュリティークリアランスレベル（例えば、戦車を見ることを承認するのに十分なセキュリティーレベルを装置が備えていないことを幾つかのデータが示している。）に基づいて、基地を含む衛星画像（例えば、画像を取り込んだ画像センサアレイは少なくとも部分的に衛星に搭載されている。）を含む、受信した特定画像データにおける戦車を編集する（例えば、削除、スムージング、ぼかし、画像に対するあらゆる操作処理、戦車に関連するあらゆる構成を不明瞭にするためのあらゆる処理。戦車全体に関連するデータを除去または上書きすることも、これに限定されないが、含まれる。）様子を示す。
【０４２５】
図１４Ｅを参照する。処理１００８は、処理１４５８を含む。処理１４５８は、受信した特定画像データの低解像度バージョンを少なくとも一つのリクエスタに送信する工程である。例えば、図９、つまり、図９Ｄは、受信した特定画像データの低解像度バージョンのデータを少なくとも一つのリクエスタに送信するモジュール９５８が、受信した特定画像データ（例えば、野球の試合における野球選手の画像）の低解像度バージョン（例えば、特定画像データをリクエストした装置が表示することの可能な解像度よりも低い解像度の画像データバージョン）のデータを少なくとも一つのリクエスタ（例えば、データをリクエストした装置）に送信する様子を示す。
【０４２６】
再び図１４Ｅを参照する。処理１００８は、処理１４６０を含む。処理１４６０は、処理１４５８と連携して現れる。処理１４６０は、受信した特定画像データの最大解像度バージョンを少なくとも一つのリクエスタに送信する工程である。例えば、図９、つまり、図９Ｅは、受信した特定画像データの最大解像度バージョンのデータを少なくとも一つのリクエスタに送信するモジュール９６０が、受信した特定画像データ（例えば、動物オアシスにおける動物の画像）の最大解像度バージョン（例えば、画像をリクエストした装置の解像度でのバージョン）を送信する様子を示す。
【０４２７】
本明細書において参照された、および／または、出願データシートに掲載された、上記すべての米国特許、米国特許出願公報、米国特許出願、外国特許、外国特許出願、非特許文献は、ここでの記載内容と一致しない限りにおいて、参照により援用される。
【０４２８】
上述の詳細な説明は、ブロック図、フローチャート、および／または例を用いて、デバイスおよび／または処理の様々な実施形態を開示した。こうしたブロック図、フローチャート、および／または例が１以上の機能または動作を含む限りにおいて、当該ブロック図、フローチャート、または例における各機能および／または動作は、広範囲のハードウェア、ソフトウェア（例：ハードウェアの仕様としての役割を担うハイレベルコンピュータプログラム）、ファームウェア、および／またはそれらの実体的な任意の組み合わせ（35 U.S.C. 101に基づく特許可能な主題に限定される）によって、個別に、および／または、全体的に実現されてもよいことが、当業者であれば理解できるであろう。ある実施形態において、本明細書に記載された主題の複数の部分は、特定用途集積回路（ＡＳＩＣｓ）、フィールドプログラマブルアレイ（ＦＰＧＡｓ）、デジタルシグナルプロセッサ（ＤＳＰ）、または他の統合されたフォーマットを用いて実装されてよい。しかしながら、本明細書に記載された各実施形態の一部の態様は、部分的または全体的に、１以上のコンピュータ上で動作する１以上のコンピュータプログラムとして（例：１以上のコンピュータシステム上で動作する１以上のプログラムとして）、１以上のプロセッサ上で動作する１以上のプログラムとして（例：１以上のマイクロプロセッサ上で動作する１以上のプログラムとして）、ファームウェアとして、または、それらの実体的な任意の組み合わせ（35 U.S.C. 101に基づく特許可能な主題に限定される）によって、集積回路において等価的に実装されてよいことが、当業者であれば理解できるであろう。また、回路の設計、および／または、ソフトウェア（例：ハードウェアの仕様としての役割を担うハイレベルコンピュータプログラム）またはファームウェアに対するコードの書き込みは、本開示を考慮すれば、当業者にとって十分に成しうる事項であると、当業者であれば理解できるであろう。加えて、本明細書に記載された主題のメカニズムは、様々な形態でのプログラム製品として頒布できることが、当業者であれば理解できるであろう。また、本明細書に記載された主題の例示的な実施形態は、上記頒布を実際に実行するために使用される信号担持媒体の特定のタイプによらず適用できることが、当業者であれば理解できるであろう。信号担持媒体の例は、以下の例、すなわち、（１）フロッピーディスク（登録商標）、ハードディスクドライブ、コンパクトディスク（ＣＤ）、デジタルビデオディスク（ＤＶＤ）、デジタルテープ、コンピュータメモリ等の記録可能な媒体、および、（２）デジタルおよび／またはアナログの通信媒体（例：光ファイバケーブル、導波路、有線通信リンク、無線通信リンク（例：送信器、受信器、送信ロジック、受信ロジック等）等）を含むが、これらに限定されない。
【０４２９】
本明細書に記載された、提示された主体の特定の態様について、図示および説明がなされた。しかしながら、当業者であれば、本明細書の教示に基づいて、本明細書に記載された主題および当該主題のより広範囲な態様から逸脱することなく、変更および修正が行われてもよいことが理解できるであろう。それゆえ、当業者であれば、添付の特許請求の範囲は、このような全ての変更および修正が真の精神に含まれる範囲、および、本明細書に開示された主題の範囲を包含することが理解できるであろう。一般的に、本明細書において使用されている文言（特に、添付の特許請求の範囲（例：添付の特許請求の範囲の本体部（body））において使用されている文言）は、全般的に「オープンな」（open）文言として意図されていることが、当業者であれば理解できるであろう。例えば、「〜を含んでいる」（including）という文言は、「〜を含んでいるが、〜に限定されない」（including but not limited to）と解釈されるべきであり、「〜を有している」（having）という文言は、「少なくとも〜を有している」（having at least）と解釈されるべきであり、「〜を含む」（includes）という文言は、「〜を含むが、〜に限定されない」（includes but not limited to）と解釈されるべきである。
【０４３０】
さらに、導入された請求項の記載において、特定の数が示されている場合、そのような表示は特許項において明示的に規定されていると、当業者であれば理解できるであろう。また、そのような記載が存在しない場合には、そのような表示は存在しないことが、当業者であれば理解できるであろう。例えば、理解の一助として、以下の添付の特許請求の範囲は、請求項の記載を導入するために、「少なくとも１つ」（at least one）および「１以上」（one or more）という導入のためのフレーズの使用を含んでいてよい。しかしながら、不定冠詞「a」または「an」を用いた請求項の記載についての導入は、同一の請求項が導入のためのフレーズ「少なくとも１つ」または「１以上」と、「a」または「an」等の不定冠詞とを含んでいる場合であっても、このような導入された請求項の記載を含むいかなる特定の請求項を、１つのみの当該記載のみを含む請求項に限定することを意図したものであると、このようなフレーズの使用は解釈されるべきではない。例えば、一般的には、「a」および／または「an」は、「少なくとも１つ」または「１以上」を意味するものと解釈されるべきである。同様のことは、請求項の記載を導入するために使用される定冠詞の使用についても当てはまる。加えて、導入された請求項の記載において、特定の数が明示的に記載されている場合であっても、一般的に、そのような記載は、記載された数の最小の値（at least）を意味していると解釈されるべきであることが、当業者であれば理解できるであろう。例えば、「２つの記載」（two recitations）という、他の修飾語が存在していない最小限の記載は、一般的には、少なくとも２つの（at least two）記載、または、２以上（two or more）の記載を意味する。
【０４３１】
さらに、「Ａ、Ｂ、およびＣ等の少なくとも１つ」（at least one of A, B, and C, etc.）に類似した集合体（convention）が使用される例において、一般的に、このような構成は、当業者が当該集合体を理解しうる意味に意図されている。例えば、「Ａ、Ｂ、およびＣの少なくとも１つを有するシステム」（a system having at least one of A, B, and C）は、「Ａのみ」、「Ｂのみ」、「Ｃのみ」、「ＡとＢ」、「ＡとＣ」、「ＢとＣ」、および／または「ＡとＢとＣ」等を有するシステムを含みうるが、これらに限定されない。「Ａ、Ｂ、またはＣ等の少なくとも１つ」（at least one of A, B, or C, etc.）に類似した集合体が使用される例において、一般的に、このような構成は、当業者が当該集合体を理解しうる意味に意図されている。例えば、「Ａ、Ｂ、またはＣの少なくとも１つを有するシステム」（a system having at least one of A, B, or C）は、「Ａのみ」、「Ｂのみ」、「Ｃのみ」、「ＡとＢ」、「ＡとＣ」、「ＢとＣ」、および／または「ＡとＢとＣ」等を有するシステムを含みうるが、これらに限定されない。さらに、明細書、特許請求の範囲、および図面のいずれにおいても、２以上の択一的な用語を示す離接的な文言「および／または」（and/or）は、文脈によってその限りでないと明記されない限り、一般的には、１つの文言、複数のうちのいずれかの文言、両方の文言のうちの１つを含みうると考慮されると理解されるべきことが、当業者であれば理解できるであろう。例えば、「ＡまたはＢ」（A or B）というフレーズは、一般的には、「Ａ」、「Ｂ」、「ＡおよびＢ」（A and B）を含みうると理解されるであろう。
【０４３２】
添付の特許請求の範囲に関して、特許請求の範囲に記載された動作は、一般的には、任意の順序によって実行されてよいことが、当業者であれば理解できるであろう。また、様々な動作のフローはシーケンス的に示されているが、当該様々な動作は、図示された順序とは別の順序によって実行されてもよいし、あるいは、同時に実行されてもよいことが理解されるであろう。文脈によってその限りでないと明記されない限り、このような代替的な順序は、重畳された順序、インターリーブされた順序、割り込みされた順序、再設定された順序、付加的な順序、予備の順序、補足的な順序、同時の順序、逆の順序、または他の様々な順序を含んでよい。さらに、文脈によってその限りでないと明記されない限り、「〜に応答して」（responsive to）、「〜に関連して」（related to）等の文言、または、他の過去時制の形容詞は、一般的には、上記の変形例を排除するものと意図されていない。
【０４３３】
本願は、１以上の商標（ある製造者または商取引者の製品を特定し、および／または、当該製品を他の製品と区別するために、ある製造者または商取引者によって採用および使用される文言、文字、記号、またはデバイス）について言及している場合がある。本明細書において使用されている商標名は、それらの独自性を明瞭化し、かつ、それらを標準的な記述的な名詞から区別し、かつ、固定的であり明確な意味を有しており、または、全てではないにせよ多くの場合、商標によってカバーされない文言を用いた、他の特定の識別が付随する表現によって開示されている。加えて、本明細書において使用されている商標名は、周知であり、文字通り規定される意味を有している。また、本明細書において使用されている商標名は、それらの意味を言い当てるために、１以上の営業秘密の知識が要求される製品または化合物については、言及していない。本願において参照されている全ての商標は、それらの商標のそれぞれの所有者の財産である。本願において１以上の商標が登場することは、当該１以上の商標の有効性を低減させないし、当該１以上の商標の有効性に悪影響も及ぼさない。本願において登場する全ての商標は、登録または未登録のいずれについても、商標の記号が商標に後続して明示的に存在しない場合であっても、適切な商標の記号（例：丸囲みされた「Ｒ」、または、角括弧が付された大文字（例：[trademark name]））を含むものと見なされてよい。製品または処理について言及するために、商標が記述的な方法で使用されている限り、当該商標は、本特許出願の出願日における、対応する製品を表しているものと解釈されるべきである。
【０４３４】
本願の全体を通じて、「ある実施形態において」（in an embodiment）、「一実施形態において」（in one embodiment）、「ある実施形態において」（in an embodiment）、「複数の実施形態において」（in several embodiments）、「少なくとも１つの実施形態において」（in at least one embodiment）、「様々な実施形態において」（in various embodiments）等の文言が使用されている場合がある。その限りでないと明示的に記載されない限り、これらの文言のそれぞれ、および、これらと同様の文言の全ては、「少なくとも１つの実施形態において、および、必ずしも全ての実施形態でなくともよいが、可能であれば全ての実施形態において」（in at least one embodiment, and possibly but not necessarily all embodiments）と解釈されるべきである。特に、その限りでないと明示的に記載されない限り、このようなフレーズの意図は、本発明の実施についての、非包括的かつ非限定的な例を提供することにある。１つの実施形態、一部の実施形態、または複数の実施形態が、１以上の事物を含む、または、１以上の構成を含むという単なる記述は、全ての実施形態が、１以上の事物を含む、または、１以上の構成を含むということを示唆するものでもないし、そのような実施形態が存在することが必須であるということを示唆するものでもない。そのように明示的に記載されない限り、上記記述は、単に例を示すものであり、その他の意味合いに解釈されるべきではない。
【０４３５】
本明細書に記載された主題の複数の態様は、以下の番号付けされた態様において開示される。
【０４３６】
１．コンピュータ処理的（演算的）に実施される方法であって、
シーンの一部である特定画像データについてのリクエストを取得するステップと、
上記特定画像データについての上記リクエストを、２以上の画像センサを含み、かつ、リクエストされた上記特定画像データよりも大きい上記シーンを取り込むように構成された画像センサアレイに送信するステップと、
上記画像センサアレイから上記特定画像データのみを受信するステップと、
受信した上記特定画像データを少なくとも一つのリクエスタに送信するステップと、を含む。
【０４３７】
２．態様１に記載の方法であって、
シーンの一部である特定画像データについてのリクエストを取得する上記ステップは、
１以上の画像を含む上記シーンの特定画像データについての上記リクエストを取得するステップを含む。
【０４３８】
３．態様１に記載の方法であって、
シーンの一部である特定画像データについてのリクエストを取得する上記ステップは、
上記シーンの特定画像データについての上記リクエストを受信するステップを含む。
【０４３９】
４．態様３に記載の方法であって、
上記シーンの特定画像データについての上記リクエストを受信する上記ステップは、
上記シーンの特定画像データについての上記リクエストをユーザ装置から受信するステップを含む。
【０４４０】
５．態様４に記載の方法であって、
上記シーンの特定画像データについての上記リクエストをユーザ装置から受信する上記ステップは、
上記シーンの特定画像データについての上記リクエストを、少なくとも上記シーンの一部を表示するように構成されたユーザ装置から受信するステップを含む。
【０４４１】
６．態様５に記載の方法であって、
上記シーンの特定画像データについての上記リクエストを、少なくとも上記シーンの一部を表示するように構成されたユーザ装置から受信する上記ステップは、
上記シーンの特定画像データについての上記リクエストを、少なくとも上記シーンの一部をビューファインダーに表示するように構成されたユーザ装置から受信するステップを含む。
【０４４２】
７．態様４に記載の方法であって、
上記シーンの特定画像データについての上記リクエストをユーザ装置から受信する上記ステップは、
上記シーンの特定画像データについての上記リクエストを、特定画像の選択を受信するように構成された上記ユーザ装置から受信するステップを含む。
【０４４３】
８．態様７に記載の方法であって、
上記選択は、上記シーンのビューに基づく。
【０４４４】
９．態様７に記載の方法であって、
上記シーンの特定画像データについての上記リクエストを、特定画像の選択を受信するように構成された上記ユーザ装置から受信する上記ステップは、
上記シーンの特定画像データについての上記リクエストを上記ユーザから受信するステップと、
上記シーンの特定画像データについての上記リクエストを、特定画像の選択を受信するように構成された上記ユーザ装置から受信するステップと、を含み、
上記ユーザ装置は、スマートフォン、テレビ、コンピュータ・スクリーン、タブレット、カメラ、家電、および拡張現実装置の少なくとも何れかである。
【０４４５】
１０．態様１に記載の方法であって、
シーンの一部である特定画像データについてのリクエストを取得する上記ステップは、
上記シーンの特定画像データについての上記リクエストを取得するステップを含み、上記シーンは、２以上の画像センサで構成された上記アレイにより取得された上記画像データである。
【０４４６】
１１．態様１に記載の方法であって、
シーンの一部である特定画像データについてのリクエストを取得する上記ステップは、
上記シーンの特定画像データについての上記リクエストを取得するステップを含み、上記シーンは、２以上の画像センサで構成された上記アレイにより取得された上記画像データの表示である。
【０４４７】
１２．態様１１に記載の方法であって、
上記シーンの特定画像データについての上記リクエストを取得するステップであって、上記シーンが２以上の画像センサで構成された上記アレイにより取得された上記画像データの表示である上記ステップは、
上記シーンの特定画像データについての上記リクエストを取得するステップを含み、上記シーンは、２以上の画像センサで構成された上記アレイにより取得された上記画像データのサンプリングである。
【０４４８】
１３．態様１１に記載の方法であって、
上記シーンの特定画像データについての上記リクエストを取得するステップであって、上記シーンが２以上の画像センサで構成された上記アレイにより取得された上記画像データの表示である上記ステップは、
上記シーンの特定画像データについての上記リクエストを取得するステップを含み、上記シーンは、２以上の画像センサで構成された上記アレイにより取得された上記画像データのサブセットである。
【０４４９】
１４．態様１１に記載の方法であって、
上記シーンの特定画像データについての上記リクエストを取得するステップであって、上記シーンが２以上の画像センサで構成された上記アレイにより取得された上記画像データの表示である上記ステップは、
上記シーンの特定画像データについての上記リクエストを取得するステップを含み、上記シーンは、２以上の画像センサで構成された上記アレイにより取得された上記画像データの低解像度バージョンである。
【０４５０】
１５．態様１に記載の方法であって、
上記シーンは、フットボールゲームである。
【０４５１】
１６．態様１に記載の方法であって、
上記シーンは、あるエリアのストリートビューである。
【０４５２】
１７．態様１に記載の方法であって、
上記シーンは、観光目的地である。
【０４５３】
１８．態様１に記載の方法であって、
上記シーンは、家の中である。
【０４５４】
１９．態様１に記載の方法であって、
上記特定画像データは、上記シーンの一部の画像である。
【０４５５】
２０．態様１９に記載の方法であって、
上記特定画像データは特定のフットボールプレーヤーの画像データを含み、かつ、上記シーンはフットボールフィールドである。
【０４５６】
２１．態様１９に記載の方法であって、
上記特定画像データは車両のナンバープレートの画像データを含み、かつ、上記シーンは高速道路の橋についての画像表示である。
【０４５７】
２２．態様１に記載の方法であって、
シーンの一部である特定画像データについてのリクエストを取得する上記ステップは、
上記シーンに位置する特定画像オブジェクトについてのリクエストを取得するステップと、
上記特定画像オブジェクトを含む上記シーンについての上記特定画像データを決定するステップと、を含む。
【０４５８】
２３．態様２２に記載の方法であって、
上記シーンに位置する特定画像オブジェクトについてのリクエストを取得する上記ステップは、
上記シーンに位置する特定の人物についてのリクエストを取得するステップを含む。
【０４５９】
２４．態様２２に記載の方法であって、
上記シーンに位置する特定画像オブジェクトについてのリクエストを取得する上記ステップは、
バスケットボールアリーナである上記シーンに位置するバスケットボールについてのリクエストを取得するステップを含む。
【０４６０】
２５．態様２２に記載の方法であって、
上記シーンに位置する特定画像オブジェクトについてのリクエストを取得する上記ステップは、
上記シーンに位置する電動車両についてのリクエストを取得するステップを含む。
【０４６１】
２６．態様２２に記載の方法であって、
上記シーンに位置する特定画像オブジェクトについてのリクエストを取得する上記ステップは、
上記シーンに位置するあらゆる人物オブジェクト表示についてのリクエストを取得するステップを含む。
【０４６２】
２７．態様２２に記載の方法であって、
上記特定画像オブジェクトを含む上記シーンについての上記特定画像データを決定する上記ステップは、
シーン画像データに対する自動パターン認識アプリケーションによって、上記特定画像オブジェクトを含む上記シーンについての上記特定画像データを決定するステップを含む。
【０４６３】
２８．態様２２に記載の方法であって、
上記特定画像オブジェクトを含む上記シーンについての上記特定画像データを決定する上記ステップは、
少なくとも時間的に少し前の上記シーンの画像データである前のシーンデータ中の上記特定画像オブジェクトを特定することによって、上記特定画像オブジェクトを含む上記シーンについての上記特定画像データを決定するステップを含む。
【０４６４】
２９．態様２２に記載の方法であって、
上記特定画像オブジェクトを含む上記シーンについての上記特定画像データを決定する上記ステップは、
キャッシュされたシーンデータにおける上記特定画像オブジェクトを特定することによって、上記特定画像オブジェクトを含む上記シーンについての上記特定画像データを決定するステップを含む。
【０４６５】
３０．態様２９に記載の方法であって、
キャッシュされた上記シーンデータは、２以上のセンサを含む上記画像センサアレイから前に送信されたものである。
【０４６６】
３１．態様２９に記載の方法であって、
キャッシュされた上記シーンデータは、２以上の画像センサを含む上記画像センサアレイに接続するために周波数帯域が利用可能であるときに、２以上の画像センサを含む上記画像センサアレイから前に送信されたものである。
【０４６７】
３２．態様１に記載の方法であって、
シーンの一部である特定画像データについてのリクエストを取得する上記ステップは、
上記シーンから第１特定画像データについての第１リクエストを第１リクエスタから受信するステップと、
上記シーンから第２特定画像データについての第２リクエストを第２リクエスタから受信するステップと、を含み、
上記第１リクエスタと上記第２リクエスタとは互いに異なる。
【０４６８】
３３．態様１に記載の方法であって、
シーンの一部である特定画像データについてのリクエストを取得する上記ステップは、
上記シーンから第１特定画像データについての受信した第１リクエストと上記シーンから第２特定画像データについての受信した第２リクエストとを結合するステップを含む。
【０４６９】
３４．態様３３に記載の方法であって、
上記シーンから第１特定画像データについての受信した第１リクエストと上記シーンから第２特定画像データについての受信した第２リクエストとを結合する上記ステップは、
上記シーンから第１特定画像データについての受信した第１リクエストと上記シーンから第２特定画像データについての受信した第２リクエストとを、重畳してリクエストされた画像データを統合した特定画像データについての上記リクエストに結合するステップを含む。
【０４７０】
３５．態様１に記載の方法であって、
シーンの一部である特定画像データについてのリクエストを取得する上記ステップは、
上記シーンから第１特定画像データについての第１リクエスト、および上記シーンから第２特定画像データについての第２リクエストを受信するステップと、
受信した上記第１リクエストと受信した上記第２リクエストとを特定画像データについての上記リクエストに結合するステップと、を含む。
【０４７１】
３６．態様３５に記載の方法であって、
受信した上記第１リクエストと受信した上記第２リクエストとを特定画像データについての上記リクエストに結合する上記ステップは、
受信した上記第１リクエストと受信した上記第２リクエストとの間に共通するピクセルデータを除去するステップを含む。
【０４７２】
３７．態様１に記載の方法であって、
上記特定画像データは、ビデオデータを含む。
【０４７３】
３８．態様１に記載の方法であって、
上記特定画像データは、音声データを含む。
【０４７４】
３９．態様１に記載の方法であって、
シーンの一部である特定画像データについてのリクエストを取得する上記ステップは、
音声インタフェースを介して特定画像データについての上記リクエストを受信するユーザ装置からシーンの一部である特定画像データについてのリクエストを取得するステップを含む。
【０４７５】
４０．態様３９に記載の方法であって、
上記ユーザ装置は、特定画像データについての音声リクエストを上記ユーザから受信するマイクを有する。
【０４７６】
４１．態様１に記載の方法であって、
上記特定画像データについての上記リクエストを、２以上の画像センサを含み、かつ、リクエストされた上記特定画像データよりも大きい上記シーンを取り込むように構成された画像センサアレイに送信する上記ステップは、
上記シーンの上記特定画像データについての上記リクエストを、２以上の画像センサを含み、かつ、リクエストされた上記画像データよりも大きい画像を取り込むように構成された上記画像センサアレイに送信するステップを含む。
【０４７７】
４２．態様１に記載の方法であって、
上記特定画像データについての上記リクエストを、２以上の画像センサを含み、かつ、リクエストされた上記特定画像データよりも大きい上記シーンを取り込むように構成された画像センサアレイに送信する上記ステップは、
上記シーンの上記特定画像データについての上記リクエストを、（１）並んで配設され、かつ、互いに角度を付けて配された２つの画像センサを含み、かつ、（２）リクエストされた上記画像データよりも大きい画像を取り込むように構成された上記画像センサアレイに送信するステップを含む。
【０４７８】
４３．態様１に記載の方法であって、
上記特定画像データについての上記リクエストを、２以上の画像センサを含み、かつ、リクエストされた上記特定画像データよりも大きい上記シーンを取り込むように構成された画像センサアレイに送信する上記ステップは、
上記シーンの上記特定画像データについての上記リクエストを、グリッド状に配された画像センサのアレイを含み、かつ、リクエストされた上記画像データよりも大きい画像を取り込むように構成された上記画像センサアレイに送信するステップを含む。
【０４７９】
４４．態様１に記載の方法であって、
上記特定画像データについての上記リクエストを、２以上の画像センサを含み、かつ、リクエストされた上記特定画像データよりも大きい上記シーンを取り込むように構成された画像センサアレイに送信する上記ステップは、
上記シーンの上記特定画像データについての上記リクエストを、視野が１２０°よりも大きくなるように線状に配された画像センサのアレイを含み、かつ、リクエストされた上記画像データよりも大きい画像を取り込むように構成された上記画像センサアレイに送信するステップを含む。
【０４８０】
４５．態様１に記載の方法であって、
上記特定画像データについての上記リクエストを、２以上の画像センサを含み、かつ、リクエストされた上記特定画像データよりも大きい上記シーンを取り込むように構成された画像センサアレイに送信する上記ステップは、
上記シーンの上記特定画像データについての上記リクエストを、非線状、および非連続的に配された固定の画像センサの一群を含み、かつ、リクエストされた上記画像データよりも大きい画像を取り込むように構成された上記画像センサアレイに送信するステップを含む。
【０４８１】
４６．態様１に記載の方法であって、
上記特定画像データについての上記リクエストを、２以上の画像センサを含み、かつ、リクエストされた上記特定画像データよりも大きい上記シーンを取り込むように構成された画像センサアレイに送信する上記ステップは、
上記シーンの上記特定画像データについての上記リクエストを、静止画像センサのアレイを含み、かつ、リクエストされた上記画像データよりも大きい画像を取り込むように構成された上記画像センサアレイに送信するステップを含む。
【０４８２】
４７．態様４６に記載の方法であって、
上記シーンの上記特定画像データについての上記リクエストを、静止画像センサのアレイを含み、かつ、リクエストされた上記画像データよりも大きい画像を取り込むように構成された上記画像センサアレイに送信する上記ステップは、
上記シーンの上記特定画像データについての上記リクエストを、焦点距離および視野が固定された画像センサのアレイを含み、かつ、リクエストされた上記画像データよりも大きい画像を取り込むように構成された上記画像センサアレイに送信するステップを含む。
【０４８３】
４８．態様１に記載の方法であって、
上記特定画像データについての上記リクエストを、２以上の画像センサを含み、かつ、リクエストされた上記特定画像データよりも大きい上記シーンを取り込むように構成された画像センサアレイに送信する上記ステップは、
上記シーンの上記特定画像データについての上記リクエストを、移動式プラットフォームに搭載された画像センサのアレイを含み、かつ、リクエストされた上記画像データよりも大きい画像を取り込むように構成された上記画像センサアレイに送信するステップを含む。
【０４８４】
４９．態様１に記載の方法であって、
上記特定画像データについての上記リクエストを、２以上の画像センサを含み、かつ、リクエストされた上記特定画像データよりも大きい上記シーンを取り込むように構成された画像センサアレイに送信する上記ステップは、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信するステップを含む。
【０４８５】
５０．態様４９に記載の方法であって、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信する上記ステップでは、
上記画像センサアレイは、リクエストされた上記特定画像データよりもデータ量が１０倍より多い画像データを表現する上記シーンを取り込むように構成されている。
【０４８６】
５１．態様４９に記載の方法であって、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信する上記ステップでは、
上記画像センサアレイは、リクエストされた上記特定画像データよりもデータ量が１００倍より多い画像データを表現する上記シーンを取り込むように構成されている。
【０４８７】
５２．態様１に記載の方法であって、
上記特定画像データについての上記リクエストを、２以上の画像センサを含み、かつ、リクエストされた上記特定画像データよりも大きい上記シーンを取り込むように構成された画像センサアレイに送信する上記ステップは、
上記シーンの上記特定画像データについての上記リクエストを、リクエストされた上記特定画像データよりも広い視野で表現する上記シーンを取り込むように構成された上記画像センサアレイに送信するステップを含む。
【０４８８】
５３．態様１に記載の方法であって、
上記特定画像データについての上記リクエストを、２以上の画像センサを含み、かつ、リクエストされた上記特定画像データよりも大きい上記シーンを取り込むように構成された画像センサアレイに送信する上記ステップは、
上記特定画像データについての上記リクエストを変更するステップと、
上記特定画像データについての変更された上記リクエストを、２以上の画像センサを含み、かつ、リクエストされた上記特定画像データよりも大きい上記シーンを取り込むように構成された上記画像センサアレイに送信するステップと、を含む。
【０４８９】
５４．態様５３に記載の方法であって、
上記特定画像データについての上記リクエストを変更する上記ステップは、
上記特定画像データについての上記リクエストから指定画像データを取り除くステップを含む。
【０４９０】
５５．態様５４に記載の方法であって、
上記特定画像データについての上記リクエストから指定画像データを取り除く上記ステップは、
前に保存された画像データに基づいて、上記特定画像データについての上記リクエストから指定画像データを取り除くステップを含む。
【０４９１】
５６．態様５５に記載の方法であって、
前に保存された画像データに基づいて、上記特定画像データについての上記リクエストから指定画像データを取り除く上記ステップは、
上記画像センサアレイによって取り込まれた、前に保存された画像データに基づいて、上記特定画像データについての上記リクエストから指定画像データを取り除くステップを含む。
【０４９２】
５７．態様５５に記載の方法であって、
前に保存された画像データに基づいて、上記特定画像データについての上記リクエストから指定画像データを取り除く上記ステップは、
上記指定画像データの早い時間のバージョンである、前に保存された画像データに基づいて、上記特定画像データについての上記リクエストから指定画像データを取り除くステップを含む。
【０４９３】
５８．態様５７に記載の方法であって、
上記指定画像データの早い時間のバージョンである、前に保存された画像データに基づいて、上記特定画像データについての上記リクエストから指定画像データを取り除く上記ステップは、
上記画像センサアレイによって取り込まれた、早い時間のバージョンからの、１以上の静止オブジェクトの前に保存された画像データに基づいて、ストリートのビューである上記特定画像データについての上記リクエストから、上記１以上の静止オブジェクトの画像データを取り除くステップを含む。
【０４９４】
５９．態様５８に記載の方法であって、
上記画像センサアレイによって取り込まれた、早い時間のバージョンからの、１以上の静止オブジェクトの前に保存された画像データに基づいて、ストリートのビューである上記特定画像データについての上記リクエストから、上記１以上の静止オブジェクトの画像データを取り除く上記ステップは、
上記画像センサアレイによって取り込まれた、早い時間のバージョンからの、１以上の上記静止オブジェクトの前に保存された画像データに基づいて、
上記ストリートのビューである上記特定画像データについての上記リクエストから、上記１以上の静止オブジェクトの特定画像データを取り除き、かつ、上記特定画像データについての上記リクエストから、上記１以上の建物の画像データを取り除くステップを含む。
【０４９５】
６０．態様５３に記載の方法であって、
上記特定画像データについての上記リクエストを変更する上記ステップは、
上記特定画像データについての上記リクエストの一部におけるピクセルの内挿または外挿によって、上記特定画像データについての上記リクエストの一部を取り除くステップを含む。
【０４９６】
６１．態様６０に記載の方法であって、
上記特定画像データについての上記リクエストの一部におけるピクセルの内挿または外挿によって、上記特定画像データについての上記リクエストの一部を取り除く上記ステップは、
上記特定画像データについての上記リクエストの上記一部におけるピクセルの内挿によって、上記特定画像データについての上記リクエストから、１以上の静止オブジェクトを取り除くステップを含む。
【０４９７】
６２．態様５３に記載の方法であって、
上記特定画像データについての上記リクエストを変更する上記ステップは、
すでにメモリに保存された上記特定画像データについての上記リクエストの少なくとも一部を特定するステップと、
上記特定画像データについての上記リクエストから特定された部分を取り除くステップと、を含む。
【０４９８】
６３．態様６２に記載の方法であって、
すでにメモリに保存された上記特定画像データについての上記リクエストの少なくとも一部を特定する上記ステップは、
上記画像センサアレイによって前に取り込まれた特定画像データについての上記リクエストの少なくとも一部を特定するステップを含む。
【０４９９】
６４．態様６２に記載の方法であって、
すでにメモリに保存された上記特定画像データについての上記リクエストの少なくとも一部を特定する上記ステップは、
上記画像センサアレイによって前に取り込まれた特定画像データについての上記リクエストの１以上の静止オブジェクトを特定するステップを含む。
【０５００】
６５．態様６４に記載の方法であって、
上記画像センサアレイによって前に取り込まれた特定画像データについての上記リクエストの１以上の静止オブジェクトを特定する上記ステップは、
上記画像センサアレイによって前に取り込まれた特定画像データについての上記リクエストの１以上の露出している自然岩を特定するステップを含む。
【０５０１】
６６．態様１に記載の方法であって、
上記特定画像データについての上記リクエストを、２以上の画像センサを含み、かつ、リクエストされた上記特定画像データよりも大きい上記シーンを取り込むように構成された画像センサアレイに送信する上記ステップは、
上記特定画像データについての上記リクエストに係るサイズを決定するステップと、
上記シーンを取り込むように構成された上記画像センサアレイに対してサイズが決定された、上記特定画像データについての上記リクエストを送信するステップと、を含む。
【０５０２】
６７．態様６６に記載の方法であって、
上記特定画像データについての上記リクエストに係るサイズを決定する上記ステップは、
上記特定画像データの少なくとも一部をリクエストしたユーザ装置の特性に少なくとも部分的に基づいて、上記特定画像データについての上記リクエストに係る上記サイズを決定するステップを含む。
【０５０３】
６８．態様６７に記載の方法であって、
上記特定画像データの少なくとも一部をリクエストしたユーザ装置の特性に少なくとも部分的に基づいて、上記特定画像データについての上記リクエストに係る上記サイズを決定する上記ステップは、
上記特定画像データをリクエストした上記ユーザ装置の解像度に少なくとも部分的に基づいて、上記特定画像データについての上記リクエストに係る上記サイズを決定するステップを含む。
【０５０４】
６９．態様６６に記載の方法であって、
上記特定画像データについての上記リクエストに係るサイズを決定する上記ステップは、
上記特定画像データの少なくとも一部をリクエストしたユーザ装置の装置アクセスレベルに少なくとも部分的に基づいて、上記特定画像データについての上記リクエストに係る上記サイズを決定するステップを含む。
【０５０５】
７０．態様６６に記載の方法であって、
上記特定画像データについての上記リクエストに係るサイズを決定する上記ステップは、
上記画像センサアレイとの通信のために使用可能な周波数帯域の大きさに少なくとも部分的に基づいて、上記特定画像データについての上記リクエストに係る上記サイズを決定するステップを含む。
【０５０６】
７１．態様６６に記載の方法であって、
上記特定画像データについての上記リクエストに係るサイズを決定する上記ステップは、
上記特定画像データの少なくとも一部をリクエストしたユーザ装置が画像データをリクエストした時間の長さに少なくとも部分的に基づいて、上記特定画像データについての上記リクエストに係る上記サイズを決定するステップを含む。
【０５０７】
７２．態様６６に記載の方法であって、
上記特定画像データについての上記リクエストに係るサイズを決定する上記ステップは、
上記特定画像データの少なくとも一部をリクエストしたユーザ装置との通信のために使用可能な周波数帯域の大きさに少なくとも部分的に基づいて、上記特定画像データについての上記リクエストに係る上記サイズを決定するステップを含む。
【０５０８】
７３．態様１に記載の方法であって、
上記画像センサアレイから上記特定画像データのみを受信する上記ステップは、
上記画像センサアレイから上記特定画像データのみを受信するステップを含み、
上記特定画像データ以外の上記シーンに由来するデータは、破棄されている。
【０５０９】
７４．態様１に記載の方法であって、
上記画像センサアレイから上記特定画像データのみを受信する上記ステップは、
上記画像センサアレイから上記特定画像データのみを受信するステップを含み、
上記特定画像データ以外の上記シーンに由来するデータは、上記画像センサアレイに保存されている。
【０５１０】
７５．態様１に記載の方法であって、
上記画像センサアレイから上記特定画像データのみを受信する上記ステップは、
上記画像センサアレイから上記特定画像データをリアルタイムで受信するステップを含む。
【０５１１】
７６．態様１に記載の方法であって、
上記画像センサアレイから上記特定画像データのみを受信する上記ステップは、
上記画像センサアレイから上記特定画像データをリアルタイムで受信するステップと、
上記特定画像データ以外の上記シーンに由来するデータを、後の時刻において取り込むステップと、を含む。
【０５１２】
７７．態様７６に記載の方法であって、
上記特定画像データ以外の上記シーンに由来するデータを、後の時刻において取り込む上記ステップは、
上記特定画像データ以外の上記シーンに由来するデータを、周波数帯域が上記画像センサアレイに対して使用可能となる時刻において取り込むステップを含む。
【０５１３】
７８．態様７６に記載の方法であって、
上記特定画像データ以外の上記シーンに由来するデータを、後の時刻において取り込む上記ステップは、
上記特定画像データ以外の上記シーンに由来するデータを、上記画像センサアレイのオフピーク使用を示す時刻において取り込むステップを含む。
【０５１４】
７９．態様７６に記載の方法であって、
上記特定画像データ以外の上記シーンに由来するデータを、後の時刻において取り込む上記ステップは、
上記特定画像データ以外の上記シーンに由来するデータを、特定画像データがリクエストされない時刻において取り込むステップを含む。
【０５１５】
８０．態様７６に記載の方法であって、
上記特定画像データ以外の上記シーンに由来するデータを、後の時刻において取り込む上記ステップは、
上記特定画像データ以外の上記シーンに由来するデータを、上記画像センサアレイの能力ほどに特定画像データをリクエストするユーザが殆どいない時刻において取り込むステップを含む。
【０５１６】
８１．態様１に記載の方法であって、
上記画像センサアレイから上記特定画像データのみを受信する上記ステップは、
上記センサアレイからの音声データを含む上記特定画像データのみを受信するステップを含む。
【０５１７】
８２．態様１に記載の方法であって、
上記画像センサアレイから上記特定画像データのみを受信する上記ステップは、
上記画像センサアレイから、リクエストされた特定画像オブジェクトを含むと判定された上記特定画像データのみを受信するステップを含む。
【０５１８】
８３．態様８２に記載の方法であって、
上記画像センサアレイから、リクエストされた特定画像オブジェクトを含むと判定された上記特定画像データのみを受信する上記ステップは、
リクエストされた特定画像オブジェクトを含むと上記画像センサアレイによって判定された上記特定画像データのみを受信するステップを含む。
【０５１９】
８４．態様１に記載の方法であって、
受信した上記特定画像データを少なくとも一つのリクエスタに送信する上記ステップは、
受信した上記特定画像データをユーザ装置に送信するステップを含む。
【０５２０】
８５．態様８４に記載の方法であって、
受信した上記特定画像データをユーザ装置に送信する上記ステップは、
受信した上記特定画像データの少なくとも一部を、上記特定画像データをリクエストしたユーザ装置に送信するステップを含む。
【０５２１】
８６．態様１に記載の方法であって、
受信した上記特定画像データを少なくとも一つのリクエスタに送信する上記ステップは、
受信した上記特定画像データを１以上のリクエスト画像のセットに分離するステップと、
上記１以上のリクエスト画像のセットのうちの少なくとも１つの画像を、上記少なくとも１つの画像をリクエストした特定のリクエスタに送信するステップと、を含む。
【０５２２】
８７．態様８６に記載の方法であって、
受信した上記特定画像データを１以上のリクエスト画像のセットに分離する上記ステップは、
受信した上記特定画像データを、第１リクエスト画像と第２リクエスト画像とに分離するステップを含む。
【０５２３】
８８．態様１に記載の方法であって、
受信した上記特定画像データを少なくとも一つのリクエスタに送信する上記ステップは、
受信した上記特定画像データを、受信した上記特定画像データの少なくとも一部である画像をリクエストしたユーザ装置に送信するステップを含む。
【０５２４】
８９．態様１に記載の方法であって、
受信した上記特定画像データを少なくとも一つのリクエスタに送信する上記ステップは、
受信した上記特定画像データの第１部分を第１リクエスタに送信するステップと、
受信した上記特定画像データの第２部分を第２リクエスタに送信するステップと、を含む。
【０５２５】
９０．態様８９に記載の方法であって、
受信した上記特定画像データの第１部分を第１リクエスタに送信する上記ステップは、
受信した上記特定画像データの上記第１部分を、受信した上記特定画像データの上記第１部分をリクエストした上記第１リクエスタに送信するステップを含む。
【０５２６】
９１．態様９０に記載の方法であって、
受信した上記特定画像データの上記第１部分を、受信した上記特定画像データの上記第１部分をリクエストした上記第１リクエスタに送信する上記ステップは、
特定のフットボールプレーヤーを含む画像を、（１）フットボールゲームを表示するよう構成され、かつ、（２）上記特定のフットボールプレーヤーを含む上記画像をリクエストした、テレビ装置に送信するステップを含む。
【０５２７】
９２．態様８９に記載の方法であって、
受信した上記特定画像データの第２部分を第２リクエスタに送信する上記ステップは、
受信した上記特定画像データの上記第２部分を、受信した上記特定画像データの上記第２部分をリクエストした上記第２リクエスタに送信するステップを含む。
【０５２８】
９３．態様９２に記載の方法であって、
受信した上記特定画像データの上記第２部分を、受信した上記特定画像データの上記第２部分をリクエストした上記第２リクエスタに送信する上記ステップは、
電動車両のビューを含む画像を、都市の特定のコーナーのストリートビューの画像をリクエストしたタブレット装置に送信するステップを含む。
【０５２９】
９４．態様１に記載の方法であって、
受信した上記特定画像データを少なくとも一つのリクエスタに送信する上記ステップは、
受信した上記特定画像データの少なくとも一部を変化させずに、少なくとも一つのリクエスタに送信するステップを含む。
【０５３０】
９５．態様１に記載の方法であって、
受信した上記特定画像データを少なくとも一つのリクエスタに送信する上記ステップは、
送信画像データを生成するために、受信した上記特定画像データの少なくとも一部に補足データを追加するステップと、
生成した上記送信画像データを少なくとも１つのリクエスタに送信するステップと、を含む。
【０５３１】
９６．態様９５に記載の方法であって、
送信画像データを生成するために、受信した上記特定画像データの少なくとも一部に補足データを追加する上記ステップは、
送信画像データを生成するために、受信した上記特定画像データの少なくとも一部に広告データを追加するステップを含む。
【０５３２】
９７．態様９６に記載の方法であって、
送信画像データを生成するために、受信した上記特定画像データの少なくとも一部に広告データを追加する上記ステップは、
受信した上記特定画像データの少なくとも一部に、受信した上記特定画像データに少なくとも部分的に基づく文脈依存の広告データを追加するステップを含む。
【０５３３】
９８．態様９７に記載の方法であって、
受信した上記特定画像データの少なくとも一部に、受信した上記特定画像データに少なくとも部分的に基づく文脈依存の広告データを追加する上記ステップは、
ジャングルのオアシスにいるトラの受信した上記特定画像データに、ジャングルのオアシスにいるトラの受信した上記特定画像データに少なくとも部分的に基づく動物愛護寄付ファンドに係る広告データを追加するステップを含む。
【０５３４】
９９．態様９５に記載の方法であって、
送信画像データを生成するために、受信した上記特定画像データの少なくとも一部に補足データを追加する上記ステップは、
送信画像データを生成するために、受信した上記特定画像データの少なくとも一部に、受信した上記特定画像データに関連する関連視覚的データを追加するステップを含む。
【０５３５】
１００．態様９９に記載の方法であって、
送信画像データを生成するために、受信した上記特定画像データの少なくとも一部に、受信した上記特定画像データに関連する関連視覚的データを追加する上記ステップは、
送信画像データを生成するために、フットボールのクオーターバックに関する受信した上記特定画像データに、フットボールゲームにおける上記クオーターバックの受信した上記特定画像データに現れる、ファンタジー・フットボールの統計データを追加するステップを含む。
【０５３６】
１０１．態様１に記載の方法であって、
受信した上記特定画像データを少なくとも一つのリクエスタに送信する上記ステップは、
送信画像データを生成するために、受信した上記特定画像データの一部のデータを変更するステップと、
生成した上記送信画像データを、少なくとも一つのリクエスタに送信するステップと、を含む。
【０５３７】
１０２．態様１０１に記載の方法であって、
送信画像データを生成するために、受信した上記特定画像データの一部のデータを変更する上記ステップは、
送信画像データを生成するために、受信した上記特定画像データにおける画像操作変更を行うステップを含む。
【０５３８】
１０３．態様１０２に記載の方法であって、
送信画像データを生成するために、受信した上記特定画像データにおける画像操作変更を行う上記ステップは、
送信画像データを生成するために、受信した上記特定画像データに対してコントラストバランス化を行うステップを含む。
【０５３９】
１０４．態様１０２に記載の方法であって、
送信画像データを生成するために、受信した上記特定画像データにおける画像操作変更を行う上記ステップは、
送信画像データを生成するために、受信した上記特定画像データに対して色変更バランス化を行うステップを含む。
【０５４０】
１０５．態様１０１に記載の方法であって、
送信画像データを生成するために、受信した上記特定画像データの一部のデータを変更する上記ステップは、
送信画像データを生成するために、受信した上記特定画像データの少なくとも一部を編集するステップを含む。
【０５４１】
１０６．態様１０５に記載の方法であって、
送信画像データを生成するために、受信した上記特定画像データの少なくとも一部を編集する上記ステップは、
上記リクエスタのセキュリティークリアランスレベルに基づいて、受信した上記特定画像データの少なくとも一部を編集するステップを含む。
【０５４２】
１０７．態様１０６に記載の方法であって、
上記リクエスタのセキュリティークリアランスレベルに基づいて、受信した上記特定画像データの少なくとも一部を編集する上記ステップは、
上記特定画像データをリクエストした装置の不十分なセキュリティークリアランスレベルに基づいて、軍事基地を含んだ衛星画像を含む受信した特定画像データにおける戦車を編集するステップを含む。
【０５４３】
１０８．態様１に記載の方法であって、
受信した上記特定画像データを少なくとも一つのリクエスタに送信する上記ステップは、
受信した上記特定画像データの低解像度バージョンを上記少なくとも一つのリクエスタに送信するステップと、
受信した上記特定画像データの最大解像度バージョンを上記少なくとも一つのリクエスタに送信するステップと、を含む。
【０５４４】
１０９．コンピュータ処理的（演算的）に実施されるシステムであって、
シーンの一部である特定画像データについてのリクエストを取得するための手段と、
上記特定画像データについての上記リクエストを、２以上の画像センサを含み、かつ、リクエストされた上記特定画像データよりも大きい上記シーンを取り込むように構成された画像センサアレイに送信するための手段と、
上記画像センサアレイから上記特定画像データのみを受信するための手段と、
受信した上記特定画像データを少なくとも一つのリクエスタに送信するための手段と、を含むシステム。
【０５４５】
１１０．態様１０９に記載のシステムであって、
シーンの一部である特定画像データについてのリクエストを取得するための上記手段は、
１以上の画像を含む上記シーンの特定画像データについての上記リクエストを取得するための手段を含む。
【０５４６】
１１１．態様１０９に記載のシステムであって、
シーンの一部である特定画像データについてのリクエストを取得するための上記手段は、
上記シーンの特定画像データについての上記リクエストを受信するための手段を含む。
【０５４７】
１１２．態様１１１に記載のシステムであって、
上記シーンの特定画像データについての上記リクエストを受信するための上記手段は、
上記シーンの特定画像データについての上記リクエストをユーザ装置から受信するための手段を含む。
【０５４８】
１１３．態様１１２に記載のシステムであって、
上記シーンの特定画像データについての上記リクエストをユーザ装置から受信するための上記手段は、
上記シーンの特定画像データについての上記リクエストを、少なくとも上記シーンの一部を表示するように構成されたユーザ装置から受信するための手段を含む。
【０５４９】
１１４．態様１１３に記載のシステムであって、
上記シーンの特定画像データについての上記リクエストを、少なくとも上記シーンの一部を表示するように構成されたユーザ装置から受信するための上記手段は、
上記シーンの特定画像データについての上記リクエストを、少なくとも上記シーンの一部をビューファインダーに表示するように構成されたユーザ装置から受信するための手段を含む。
【０５５０】
１１５．態様１１２に記載のシステムであって、
上記シーンの特定画像データについての上記リクエストをユーザ装置から受信するための上記手段は、
上記シーンの特定画像データについての上記リクエストを、特定画像の選択を受信するように構成された上記ユーザ装置から受信するための手段を含む。
【０５５１】
１１６．態様１１５に記載のシステムであって、
上記シーンの特定画像データについての上記リクエストを、特定画像の選択を受信するように構成された上記ユーザ装置から受信するための上記手段は、
上記シーンの特定画像データについての上記リクエストを、特定画像の選択を受信するように構成された上記ユーザ装置から受信するための手段を含み、
上記選択は、上記シーンのビューに基づく。
【０５５２】
１１７．態様１１５に記載のシステムであって、
上記シーンの特定画像データについての上記リクエストを、特定画像の選択を受信するように構成された上記ユーザ装置から受信するための上記手段は、
上記シーンの特定画像データについての上記リクエストを上記ユーザから受信するための手段と、
上記シーンの特定画像データについての上記リクエストを、特定画像の選択を受信するように構成された上記ユーザ装置から受信するための手段と、を含み、
上記ユーザ装置は、スマートフォン、テレビ、コンピュータ・スクリーン、タブレット、カメラ、家電、および拡張現実装置の少なくとも何れかである。
【０５５３】
１１８．態様１０９に記載のシステムであって、
シーンの一部である特定画像データについてのリクエストを取得するための上記手段は、
上記シーンの特定画像データについての上記リクエストを取得するための手段を含み、
上記シーンは、２以上の画像センサで構成された上記アレイにより取得された上記画像データである。
【０５５４】
１１９．態様１０９に記載のシステムであって、
シーンの一部である特定画像データについてのリクエストを取得するための上記手段は、
上記シーンの特定画像データについての上記リクエストを取得するための手段を含み、
上記シーンは、２以上の画像センサで構成された上記アレイにより取得された上記画像データを表示したものである。
【０５５５】
１２０．態様１１９に記載のシステムであって、
上記シーンの特定画像データについての上記リクエストを取得するための手段であって、上記シーンが２以上の画像センサで構成された上記アレイにより取得された上記画像データを表示したものである上記手段は、
上記シーンの特定画像データについての上記リクエストを取得するための手段を含み、
上記シーンは、２以上の画像センサで構成された上記アレイにより取得された上記画像データをサンプリングしたものである。
【０５５６】
１２１．態様１１９に記載のシステムであって、
上記シーンの特定画像データについての上記リクエストを取得するための手段であって、上記シーンが２以上の画像センサで構成された上記アレイにより取得された上記画像データを表示したものである上記手段は、
上記シーンの特定画像データについての上記リクエストを取得するための手段を含み、
上記シーンは、２以上の画像センサで構成された上記アレイにより取得された上記画像データのサブセットである。
【０５５７】
１２２．態様１１９に記載のシステムであって、
上記シーンの特定画像データについての上記リクエストを取得するための手段であって、上記シーンが２以上の画像センサで構成された上記アレイにより取得された上記画像データを表示したものである上記手段は、
上記シーンの特定画像データについての上記リクエストを取得するための手段を含み、
上記シーンは、２以上の画像センサで構成された上記アレイにより取得された上記画像データの低解像度バージョンである。
【０５５８】
１２３．態様１０９に記載のシステムであって、
シーンの一部である特定画像データについてのリクエストを取得するための上記手段は、
上記シーンの特定画像データについての上記リクエストを取得するための手段を含み、
上記シーンは、フットボールゲームである。
【０５５９】
１２４．態様１０９に記載のシステムであって、
シーンの一部である特定画像データについてのリクエストを取得するための上記手段は、
上記シーンの特定画像データについての上記リクエストを取得するための手段を含み、
上記シーンは、あるエリアのストリートビューである。
【０５６０】
１２５．態様１０９に記載のシステムであって、
シーンの一部である特定画像データについてのリクエストを取得するための上記手段は、
上記シーンの特定画像データについての上記リクエストを取得するための手段を含み、
上記シーンは、観光目的地である。
【０５６１】
１２６．態様１０９に記載のシステムであって、
シーンの一部である特定画像データについてのリクエストを取得するための上記手段は、
上記シーンの特定画像データについての上記リクエストを取得するための手段を含み、
上記シーンは、家の中である。
【０５６２】
１２７．態様１０９に記載のシステムであって、
シーンの一部である特定画像データについてのリクエストを取得するための上記手段は、
上記シーンの特定画像データについての上記リクエストを取得するための手段を含み、
上記特定画像データは、上記シーンの一部の画像である。
【０５６３】
１２８．態様１２７に記載のシステムであって、
上記シーンの特定画像データについての上記リクエストを取得するための手段であって、上記特定画像データが上記シーンの一部の画像である上記手段は、
上記シーンの特定画像データについての上記リクエストを取得するための手段を含み、
上記特定画像データは、特定のフットボールプレーヤーの画像データを含み、
上記シーンは、フットボールフィールドである。
【０５６４】
１２９．態様１２７に記載のシステムであって、
上記シーンの特定画像データについての上記リクエストを取得するための手段であって、上記特定画像データが上記シーンの一部の画像である上記手段は、
上記シーンの特定画像データについての上記リクエストを取得するための手段を含み、
上記特定画像データは、車両のライセンスプレートの画像データを含み、
上記シーンは、高速道路の橋についての画像を表示したものである。
【０５６５】
１３０．態様１０９に記載のシステムであって、
シーンの一部である特定画像データについてのリクエストを取得するための上記手段は、
上記シーンに位置する特定画像オブジェクトについてのリクエストを取得するための手段と、
上記特定画像オブジェクトを含む上記シーンについての上記特定画像データを決定するための手段と、を含む。
【０５６６】
１３１．態様１３０に記載のシステムであって、
上記シーンに位置する特定画像オブジェクトについてのリクエストを取得するための上記手段は、
上記シーンに位置する特定の人物についてのリクエストを取得するための手段を含む。
【０５６７】
１３２．態様１３０に記載のシステムであって、
上記シーンに位置する特定画像オブジェクトについてのリクエストを取得するための上記手段は、
バスケットボールアリーナである上記シーンに位置するバスケットボールについてのリクエストを取得するための手段を含む。
【０５６８】
１３３．態様１３０に記載のシステムであって、
上記シーンに位置する特定画像オブジェクトについてのリクエストを取得するための上記手段は、
上記シーンに位置する電動車両についてのリクエストを取得するための手段を含む。
【０５６９】
１３４．態様１３０に記載のシステムであって、
上記シーンに位置する特定画像オブジェクトについてのリクエストを取得するための上記手段は、
上記シーンに位置するあらゆる人物オブジェクト表示についてのリクエストを取得するための手段を含む。
【０５７０】
１３５．態様１３０に記載のシステムであって、
上記特定画像オブジェクトを含む上記シーンについての上記特定画像データを決定するための上記手段は、
シーン画像データに対する自動パターン認識アプリケーションによって、上記特定画像オブジェクトを含む上記シーンについての上記特定画像データを決定するための手段を含む。
【０５７１】
１３６．態様１３０に記載のシステムであって、
上記特定画像オブジェクトを含む上記シーンについての上記特定画像データを決定するための上記手段は、
少なくとも時間的に少し前の上記シーンの画像データである前のシーンデータ中の上記特定画像オブジェクトを特定することによって、上記特定画像オブジェクトを含む上記シーンについての上記特定画像データを決定するための手段を含む。
【０５７２】
１３７．態様１３０に記載のシステムであって、
上記特定画像オブジェクトを含む上記シーンについての上記特定画像データを決定するための上記手段は、
キャッシュされたシーンデータにおける上記特定画像オブジェクトを特定することによって、上記特定画像オブジェクトを含む上記シーンについての上記特定画像データを決定するための手段を含む。
【０５７３】
１３８．態様１３７に記載のシステムであって、
キャッシュされたシーンデータにおける上記特定画像オブジェクトを特定することによって、上記特定画像オブジェクトを含む上記シーンについての上記特定画像データを決定するための上記手段は、
２以上のセンサを含む上記画像センサアレイから前に送信された、キャッシュされたシーンデータにおける、上記特定画像オブジェクトを特定することによって、上記特定画像オブジェクトを含む上記シーンについての上記特定画像データを決定するための手段を含む。
【０５７４】
１３９．態様１３７に記載のシステムであって、
キャッシュされたシーンデータにおける上記特定画像オブジェクトを特定することによって、上記特定画像オブジェクトを含む上記シーンについての上記特定画像データを決定するための上記手段は、
２以上の画像センサを含む上記画像センサアレイに接続するために周波数帯域が利用可能であるときに、２以上の画像センサを含む上記画像センサアレイから前に送信された、キャッシュされた上記シーンデータにおける、上記特定画像オブジェクトを特定することによって、上記特定画像オブジェクトを含む上記シーンについての上記特定画像データを決定するための手段を含む。
【０５７５】
１４０．態様１０９に記載のシステムであって、
シーンの一部である特定画像データについてのリクエストを取得するための上記手段は、
上記シーンから第１特定画像データについての第１リクエストを第１リクエスタから受信するための手段と、
上記シーンから第２特定画像データについての第２リクエストを第２リクエスタから受信するための手段と、を含み、
上記第１リクエスタと上記第２リクエスタとは互いに異なる。
【０５７６】
１４１．態様１０９に記載のシステムであって、
シーンの一部である特定画像データについてのリクエストを取得するための上記手段は、
上記シーンから第１特定画像データについての受信した第１リクエストと上記シーンから第２特定画像データについての受信した第２リクエストとを結合するための手段を含む。
【０５７７】
１４２．態様１４１に記載のシステムであって、
上記シーンから第１特定画像データについての受信した第１リクエストと上記シーンから第２特定画像データについての受信した第２リクエストとを結合するための上記手段は、
上記シーンから第１特定画像データについての受信した第１リクエストと上記シーンから第２特定画像データについての受信した第２リクエストとを、重畳してリクエストされた画像データを統合した特定画像データについての上記リクエストに結合するための手段を含む。
【０５７８】
１４３．態様１４２に記載のシステムであって、
シーンの一部である特定画像データについてのリクエストを取得するための上記手段は、
上記シーンから第１特定画像データについての第１リクエスト、および上記シーンから第２特定画像データについての第２リクエストを受信するための手段と、
受信した上記第１リクエストと受信した上記第２リクエストとを特定画像データについての上記リクエストに結合するための手段と、を含む。
【０５７９】
１４４．態様１４３に記載のシステムであって、
受信した上記第１リクエストと受信した上記第２リクエストとを特定画像データについての上記リクエストに結合するための上記手段は、
受信した上記第１リクエストと受信した上記第２リクエストとの間に共通するピクセルデータを除去するための手段を含む。
【０５８０】
１４５．態様１０９に記載のシステムであって、
シーンの一部である特定画像データについてのリクエストを取得するための上記手段は、
シーンの一部であり、ビデオデータを含む特定画像データについての上記リクエストを取得するための手段を含む。
【０５８１】
１４６．態様１０９に記載のシステムであって、
シーンの一部である特定画像データについてのリクエストを取得するための上記手段は、
シーンの一部であり、音声データを含む特定画像データについての上記リクエストを取得するための手段を含む。
【０５８２】
１４７．態様１０９に記載のシステムであって、
シーンの一部である特定画像データについてのリクエストを取得するための上記手段は、
音声インタフェースを介して特定画像データについての上記リクエストを受信するユーザ装置からシーンの一部である特定画像データについての上記リクエストを取得するための手段を含む。
【０５８３】
１４８．態様１４７に記載のシステムであって、
音声インタフェースを介して特定画像データについての上記リクエストを受信するユーザ装置からシーンの一部である特定画像データについての上記リクエストを取得するための上記手段は、
特定画像データについての発話された音声リクエストを上記ユーザから受信するマイクを有する上記ユーザ装置から、シーンの一部である特定画像データについての上記リクエストを取得するための手段を含む。
【０５８４】
１４９．態様１０９に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記手段は、
上記シーンの上記特定画像データについての上記リクエストを、２以上の画像センサを含み、かつ、リクエストされた上記画像データよりも大きい画像を取り込むように構成された上記画像センサアレイに送信するための手段を含む。
【０５８５】
１５０．態様１０９に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記手段は、
上記シーンの上記特定画像データについての上記リクエストを、（１）並んで配設され、かつ、互いに角度を付けて配された２つの画像センサを含み、かつ、（２）リクエストされた上記画像データよりも大きい画像を取り込むように構成された上記画像センサアレイに送信するための手段を含む。
【０５８６】
１５１．態様１０９に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記手段は、
上記シーンの上記特定画像データについての上記リクエストを、グリッド状に配された画像センサのアレイを含み、かつ、リクエストされた上記画像データよりも大きい画像を取り込むように構成された上記画像センサアレイに送信するための手段を含む。
【０５８７】
１５２．態様１０９に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記手段は、
上記シーンの上記特定画像データについての上記リクエストを、視野が１２０°よりも大きくなるように線状に配された画像センサのアレイを含み、かつ、リクエストされた上記画像データよりも大きい画像を取り込むように構成された上記画像センサアレイに送信するための手段を含む。
【０５８８】
１５３．態様１０９に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記手段は、
上記シーンの上記特定画像データについての上記リクエストを、非線状、および非連続的に配された固定の画像センサの一群を含み、かつ、リクエストされた上記画像データよりも大きい画像を取り込むように構成された上記画像センサアレイに送信するための手段を含む。
【０５８９】
１５４．態様１０９に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記手段は、
上記シーンの上記特定画像データについての上記リクエストを、静止した画像センサのアレイを含み、かつ、リクエストされた上記画像データよりも大きい画像を取り込むように構成された上記画像センサアレイに送信するための手段を含む。
【０５９０】
１５５．態様１５４に記載のシステムであって、
上記シーンの上記特定画像データについての上記リクエストを、静止した画像センサのアレイを含み、かつ、リクエストされた上記画像データよりも大きい画像を取り込むように構成された上記画像センサアレイに送信するための上記手段は、
上記シーンの上記特定画像データについての上記リクエストを、焦点距離および視野が固定された画像センサのアレイを含み、かつ、リクエストされた上記画像データよりも大きい画像を取り込むように構成された上記画像センサアレイに送信するための手段を含む。
【０５９１】
１５６．態様１０９に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記手段は、
上記シーンの上記特定画像データについての上記リクエストを、移動式プラットフォームに搭載された画像センサのアレイを含み、かつ、リクエストされた上記画像データよりも大きい画像を取り込むように構成された上記画像センサアレイに送信するための手段を含む。
【０５９２】
１５７．態様１０９に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記手段は、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信するための手段を含む。
【０５９３】
１５８．態様１５７に記載のシステムであって、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信するための上記手段は、
上記シーンの上記特定画像データについての上記リクエストを、２以上の画像センサを含み、かつ、リクエストされた上記特定画像データよりもデータ量が１０倍より多い画像データを表現する上記シーンを取り込むように構成された上記画像センサアレイに送信するための手段を含む。
【０５９４】
１５９．態様１５７に記載のシステムであって、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信するための上記手段は、
上記シーンの上記特定画像データについての上記リクエストを、２以上の画像センサを含み、かつ、リクエストされた上記特定画像データよりもデータ量が１００倍より多い画像データを表現する上記シーンを取り込むように構成された上記画像センサアレイに送信するための手段を含む。
【０５９５】
１６０．態様１０９に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記手段は、
上記特定画像データについての上記リクエストを、リクエストされた上記特定画像データよりも広い視野で表現する上記シーンを取り込むように構成された上記画像センサアレイに送信するための手段を含む。
【０５９６】
１６１．態様１０９に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記手段は、
上記特定画像データについての上記リクエストを変更するための手段と、
上記特定画像データについての変更された上記リクエストを、２以上の画像センサを含み、かつ、リクエストされた上記特定画像データよりも大きい上記シーンを取り込むように構成された上記画像センサアレイに送信するための手段と、を含む。
【０５９７】
１６２．態様１６１に記載のシステムであって、
上記特定画像データについての上記リクエストを変更するための上記手段は、
上記特定画像データについての上記リクエストから指定画像データを取り除くための手段を含む。
【０５９８】
１６３．態様１６２に記載のシステムであって、
上記特定画像データについての上記リクエストから指定画像データを取り除くための上記手段は、
前に保存された画像データに基づいて、上記特定画像データについての上記リクエストから指定画像データを取り除くための手段を含む。
【０５９９】
１６４．態様１６３に記載のシステムであって、
前に保存された画像データに基づいて、上記特定画像データについての上記リクエストから指定画像データを取り除くための上記手段は、
上記画像センサアレイによって取り込まれた、前に保存された画像データに基づいて、上記特定画像データについての上記リクエストから指定画像データを取り除くための手段を含む。
【０６００】
１６５．態様１６３に記載のシステムであって、
前に保存された画像データに基づいて、上記特定画像データについての上記リクエストから指定画像データを取り除くための上記手段は、
上記指定画像データの早い時間のバージョンである、前に保存された画像データに基づいて、上記特定画像データについての上記リクエストから指定画像データを取り除くための手段を含む。
【０６０１】
１６６．態様１６５に記載のシステムであって、
上記指定画像データの早い時間のバージョンである、前に保存された画像データに基づいて、上記特定画像データについての上記リクエストから指定画像データを取り除くための上記手段は、
上記画像センサアレイによって取り込まれた、早い時間のバージョンからの、１以上の静止オブジェクトの前に保存された画像データに基づいて、ストリートのビューである上記特定画像データについての上記リクエストから、上記１以上の静止オブジェクトの画像データを取り除くための手段を含む。
【０６０２】
１６７．態様１６６に記載のシステムであって、
上記画像センサアレイによって取り込まれた、早い時間のバージョンからの、１以上の静止オブジェクトの前に保存された画像データに基づいて、ストリートのビューである上記特定画像データについての上記リクエストから、上記１以上の静止オブジェクトの画像データを取り除くための上記手段は、
上記画像センサアレイによって取り込まれた、早い時間のバージョンからの、１以上の上記静止オブジェクトの前に保存された画像データに基づいて、
上記ストリートのビューである上記特定画像データについての上記リクエストから、上記１以上の静止オブジェクトの特定画像データを取り除き、かつ、上記特定画像データについての上記リクエストから、上記１以上の建物の画像データを取り除くための手段を含む。
【０６０３】
１６８．態様１６１に記載のシステムであって、
上記特定画像データについての上記リクエストを変更するための上記手段は、
上記特定画像データについての上記リクエストの一部におけるピクセルの内挿または外挿によって、上記特定画像データについての上記リクエストの一部を取り除くための手段を含む。
【０６０４】
１６９．態様１６８に記載のシステムであって、
上記特定画像データについての上記リクエストの一部におけるピクセルの内挿または外挿によって、上記特定画像データについての上記リクエストの一部を取り除くための上記手段は、
上記特定画像データについての上記リクエストの上記一部におけるピクセルの内挿によって、上記特定画像データについての上記リクエストから、１以上の静止オブジェクトを取り除くための手段を含む。
【０６０５】
１７０．態様１６１に記載のシステムであって、
上記特定画像データについての上記リクエストを変更するための上記手段は、
すでにメモリに保存された上記特定画像データについての上記リクエストの少なくとも一部を特定するための手段と、
上記特定画像データについての上記リクエストから特定された部分を取り除くための手段と、を含む。
【０６０６】
１７１．態様１７０に記載のシステムであって、
すでにメモリに保存された上記特定画像データについての上記リクエストの少なくとも一部を特定するための上記手段は、
上記画像センサアレイによって前に取り込まれた特定画像データについての上記リクエストの少なくとも一部を特定するための手段を含む。
【０６０７】
１７２．態様１７０に記載のシステムであって、
すでにメモリに保存された上記特定画像データについての上記リクエストの少なくとも一部を特定するための上記手段は、
上記画像センサアレイによって前に取り込まれた特定画像データについての上記リクエストの１以上の静止オブジェクトを特定するための手段を含む。
【０６０８】
１７３．態様１７２に記載のシステムであって、
上記特定画像データをリクエストした上記ユーザ装置の解像度に少なくとも部分的に基づいて、上記特定画像データについての上記リクエストに係るサイズを決定するための上記手段は、
上記画像センサアレイによって前に取り込まれた特定画像データについての上記リクエストの１以上の露出している自然岩を特定するための手段を含む。
【０６０９】
１７４．態様１０９に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記手段は、
上記特定画像データについての上記リクエストに係るサイズを決定するための手段と、
上記シーンを取り込むように構成された上記画像センサアレイに対してサイズが決定された、上記特定画像データについての上記リクエストを送信するための手段と、を含む。
【０６１０】
１７５．態様１７４に記載のシステムであって、
上記特定画像データについての上記リクエストに係るサイズを決定するための上記手段は、
上記特定画像データの少なくとも一部をリクエストしたユーザ装置の特性に少なくとも部分的に基づいて、上記特定画像データについての上記リクエストに係る上記サイズを決定するための手段を含む。
【０６１１】
１７６．態様１７５に記載のシステムであって、
上記特定画像データの少なくとも一部をリクエストしたユーザ装置の特性に少なくとも部分的に基づいて、上記特定画像データについての上記リクエストに係る上記サイズを決定するための上記手段は、
上記特定画像データをリクエストした上記ユーザ装置の解像度に少なくとも部分的に基づいて、上記特定画像データについての上記リクエストに係る上記サイズを決定するための手段を含む。
【０６１２】
１７７．態様１７４に記載のシステムであって、
上記特定画像データについての上記リクエストに係るサイズを決定するための上記手段は、
上記特定画像データの少なくとも一部をリクエストしたユーザ装置の装置アクセスレベルに少なくとも部分的に基づいて、上記特定画像データについての上記リクエストに係る上記サイズを決定するための手段を含む。
【０６１３】
１７８．態様１７４に記載のシステムであって、
上記特定画像データについての上記リクエストに係るサイズを決定するための上記手段は、
上記画像センサアレイとの通信のために使用可能な周波数帯域の大きさに少なくとも部分的に基づいて、上記特定画像データについての上記リクエストに係る上記サイズを決定するための手段を含む。
【０６１４】
１７９．態様１７４に記載のシステムであって、
上記特定画像データについての上記リクエストに係るサイズを決定するための上記手段は、
上記特定画像データの少なくとも一部をリクエストしたユーザ装置が画像データをリクエストした時間の長さに少なくとも部分的に基づいて、上記特定画像データについての上記リクエストに係る上記サイズを決定するための手段を含む。
【０６１５】
１８０．態様１７４に記載のシステムであって、
上記特定画像データについての上記リクエストに係るサイズを決定するための上記手段は、
上記特定画像データの少なくとも一部をリクエストしたユーザ装置との通信のために使用可能な周波数帯域の大きさに少なくとも部分的に基づいて、上記特定画像データについての上記リクエストに係る上記サイズを決定するための手段を含む。
【０６１６】
１８１．態様１０９に記載のシステムであって、
上記画像センサアレイから上記特定画像データのみを受信するための上記手段は、
上記画像センサアレイから上記特定画像データのみを受信するための手段を含み、
上記特定画像データ以外の上記シーンに由来するデータは、破棄されている。
【０６１７】
１８２．態様１０９に記載のシステムであって、
上記画像センサアレイから上記特定画像データのみを受信するための上記手段は、
上記画像センサアレイから上記特定画像データのみを受信するための手段を含み、
上記特定画像データ以外の上記シーンに由来するデータは、上記画像センサアレイに保存されている。
【０６１８】
１８３．態様１０９に記載のシステムであって、
上記画像センサアレイから上記特定画像データのみを受信するための上記手段は、
上記画像センサアレイから上記特定画像データをリアルタイムで受信するための手段を含む。
【０６１９】
１８４．態様１０９に記載のシステムであって、
上記画像センサアレイから上記特定画像データのみを受信するための上記手段は、
上記画像センサアレイから上記特定画像データをリアルタイムで受信するための手段と、
上記特定画像データ以外の上記シーンに由来するデータを、後の時刻において取り込むための手段と、を含む。
【０６２０】
１８５．態様１８４に記載のシステムであって、
上記特定画像データ以外の上記シーンに由来するデータを、後の時刻において取り込むための上記手段は、
上記特定画像データ以外の上記シーンに由来するデータを、周波数帯域が上記画像センサアレイに対して使用可能となる時刻において取り込むための手段を含む。
【０６２１】
１８６．態様１８４に記載のシステムであって、
上記特定画像データ以外の上記シーンに由来するデータを、後の時刻において取り込むための上記手段は、
上記特定画像データ以外の上記シーンに由来するデータを、上記画像センサアレイのオフピーク使用を示す時刻において取り込むための手段を含む。
【０６２２】
１８７．態様１８４に記載のシステムであって、
上記特定画像データ以外の上記シーンに由来するデータを、後の時刻において取り込むための上記手段は、
上記特定画像データ以外の上記シーンに由来するデータを、特定画像データがリクエストされない時刻において取り込むための手段を含む。
【０６２３】
１８８．態様１８４に記載のシステムであって、
上記特定画像データ以外の上記シーンに由来するデータを、後の時刻において取り込むための上記手段は、
上記特定画像データ以外の上記シーンに由来するデータを、上記画像センサアレイの能力ほどに特定画像データをリクエストするユーザが殆どいない時刻において取り込むための手段を含む。
【０６２４】
１８９．態様１０９に記載のシステムであって、
上記画像センサアレイから上記特定画像データのみを受信するための上記手段は、
上記センサアレイからの音声データを含む上記特定画像データのみを受信するための手段を含む。
【０６２５】
１９０．態様１０９に記載のシステムであって、
上記画像センサアレイから上記特定画像データのみを受信するための上記手段は、
上記画像センサアレイから、リクエストされた特定画像オブジェクトを含むと判定された上記特定画像データのみを受信するための手段を含む。
【０６２６】
１９１．態様１９０に記載のシステムであって、
上記センサアレイから、リクエストされた特定画像オブジェクトを含むと判定された上記特定画像データのみを受信するための上記手段は、
リクエストされた特定画像オブジェクトを含むと上記画像センサアレイによって判定された上記特定画像データのみを受信するための手段を含む。
【０６２７】
１９２．態様１０９に記載のシステムであって、
受信した上記特定画像データを少なくとも一つのリクエスタに送信するための上記手段は、
受信した上記特定画像データをユーザ装置に送信するための手段を含む。
【０６２８】
１９３．態様１９２に記載のシステムであって、
受信した上記特定画像データをユーザ装置に送信するための上記手段は、
受信した上記特定画像データの少なくとも一部を、上記特定画像データをリクエストしたユーザ装置に送信するための手段を含んでいる。
【０６２９】
１９４．態様１０９に記載のシステムであって、
受信した上記特定画像データを少なくとも一つのリクエスタに送信するための上記手段は、
受信した上記特定画像データを１以上のリクエスト画像のセットに分離するための手段と、
上記１以上のリクエスト画像のセットのうちの少なくとも１つの画像を、上記少なくとも１つの画像をリクエストした特定のリクエスタに送信するための手段と、を含む。
【０６３０】
１９５．態様１９４に記載のシステムであって、
受信した上記特定画像データを１以上のリクエスト画像のセットに分離するための上記手段は、
受信した上記特定画像データを、第１リクエスト画像と第２リクエスト画像とに分離するための手段を含む。
【０６３１】
１９６．態様１０９に記載のシステムであって、
受信した上記特定画像データを少なくとも一つのリクエスタに送信するための上記手段は、
受信した上記特定画像データを、受信した上記特定画像データの一部である画像をリクエストしたユーザ装置に送信するための手段を含む。
【０６３２】
１９７．態様１０９に記載のシステムであって、
受信した上記特定画像データを少なくとも一つのリクエスタに送信するための上記手段は、
受信した上記特定画像データの第１部分を第１リクエスタに送信するための手段と、
受信した上記特定画像データの第２部分を第２リクエスタに送信するための手段と、を含む。
【０６３３】
１９８．態様１９７に記載のシステムであって、
受信した上記特定画像データの第１部分を第１リクエスタに送信するための上記手段は、
受信した上記特定画像データの上記第１部分を、受信した上記特定画像データの上記第１部分をリクエストした上記第１リクエスタに送信するための手段を含む。
【０６３４】
１９９．態様１９８に記載のシステムであって、
受信した上記特定画像データの上記第１部分を、受信した上記特定画像データの上記第１部分をリクエストした上記第１リクエスタに送信するための上記手段は、
特定のフットボールプレーヤーを含む画像を、（１）フットボールゲームを表示するよう構成され、かつ、（２）上記特定のフットボールプレーヤーを含む上記画像をリクエストした、テレビ装置に送信するための手段を含む。
【０６３５】
２００．態様１９７に記載のシステムであって、
受信した上記特定画像データの第２部分を第２リクエスタに送信するための上記手段は、
受信した上記特定画像データの上記第２部分を、受信した上記特定画像データの上記第２部分をリクエストした上記第２リクエスタに送信するための手段を含む。
【０６３６】
２０１．態様２００に記載のシステムであって、
受信した上記特定画像データの上記第２部分を、受信した上記特定画像データの上記第２部分をリクエストした上記第２リクエスタに送信するための上記手段は、
電動車両のビューを含む画像を、都市の特定のコーナーのストリートビューの画像をリクエストしたタブレット装置に送信するための手段を含む。
【０６３７】
２０２．態様１０９に記載のシステムであって、
受信した上記特定画像データを少なくとも一つのリクエスタに送信するための上記手段は、
受信した上記特定画像データの少なくとも一部を変化させずに、少なくとも一つのリクエスタに送信するための手段を含む。
【０６３８】
２０３．態様１０９に記載のシステムであって、
受信した上記特定画像データを少なくとも一つのリクエスタに送信するための上記手段は、
送信画像データを生成するために、受信した上記特定画像データの少なくとも一部に補足データを追加するための手段と、
生成した上記送信画像データを少なくとも１つのリクエスタに送信するための手段と、を含む。
【０６３９】
２０４．態様２０３に記載のシステムであって、
送信画像データを生成するために、受信した上記特定画像データの少なくとも一部に補足データを追加するための上記手段は、
送信画像データを生成するために、受信した上記特定画像データの少なくとも一部に広告データを追加するための手段を含む。
【０６４０】
２０５．態様２０４に記載のシステムであって、
送信画像データを生成するために、受信した上記特定画像データの少なくとも一部に広告データを追加するための上記手段は、
受信した上記特定画像データの少なくとも一部に、受信した上記特定画像データに少なくとも部分的に基づく文脈依存の広告データを追加するための手段を含む。
【０６４１】
２０６．態様２０５に記載のシステムであって、
受信した上記特定画像データの少なくとも一部に、受信した上記特定画像データに少なくとも部分的に基づく文脈依存の広告データを追加するための上記手段は、
ジャングルのオアシスにいるトラの受信した上記特定画像データに、ジャングルのオアシスにいるトラの受信した特定画像データに少なくとも部分的に基づく動物愛護寄付ファンドに係る広告データを追加するための手段を含む。
【０６４２】
２０７．態様２０３に記載のシステムであって、
送信画像データを生成するために、受信した上記特定画像データの少なくとも一部に補足データを追加するための上記手段は、
送信画像データを生成するために、受信した上記特定画像データの少なくとも一部に、受信した上記特定画像データに関連する関連視覚的データを追加するための手段を含む。
【０６４３】
２０８．態様２０８に記載のシステムであって、
送信画像データを生成するために、受信した上記特定画像データの少なくとも一部に、受信した上記特定画像データに関連する関連視覚的データを追加するための上記手段は、
送信画像データを生成するために、フットボールのクオーターバックに関する受信した上記特定画像データに、フットボールゲームにおける上記クオーターバックの受信した上記特定画像データに現れる、ファンタジー・フットボールの統計データを追加するための手段を含む。
【０６４４】
２０９．態様１０９に記載のシステムであって、
受信した上記特定画像データを少なくとも一つのリクエスタに送信するための上記手段は、
送信画像データを生成するために、受信した上記特定画像データの一部のデータを変更するための手段と、
生成した上記送信画像データを、少なくとも一つのリクエスタに送信するための手段と、を含む。
【０６４５】
２１０．態様２０９に記載のシステムであって、
送信画像データを生成するために、受信した上記特定画像データの一部のデータを変更するための上記手段は、
送信画像データを生成するために、受信した上記特定画像データにおける画像操作変更を行うための手段を含む。
【０６４６】
２１１．態様２１０に記載のシステムであって、
送信画像データを生成するために、受信した上記特定画像データにおける画像操作変更を行うための上記手段は、
送信画像データを生成するために、受信した上記特定画像データに対してコントラストバランス化を行うための手段を含む。
【０６４７】
２１２．態様２１０に記載のシステムであって、
送信画像データを生成するために、受信した上記特定画像データにおける画像操作変更を行うための上記手段は、
送信画像データを生成するために、受信した上記特定画像データに対して色変更バランス化を行うための手段を含む。
【０６４８】
２１３．態様２０９に記載のシステムであって、
送信画像データを生成するために、受信した上記特定画像データの一部のデータを変更するための上記手段は、
送信画像データを生成するために、受信した上記特定画像データの少なくとも一部を編集するための手段を含む。
【０６４９】
２１４．態様２１３に記載のシステムであって、
送信画像データを生成するために、受信した上記特定画像データの少なくとも一部を編集するための上記手段は、
上記リクエスタのセキュリティークリアランスレベルに基づいて、受信した上記特定画像データの少なくとも一部を編集するための手段を含む。
【０６５０】
２１５．態様２１４に記載のシステムであって、
上記リクエスタのセキュリティークリアランスレベルに基づいて、受信した上記特定画像データの少なくとも一部を編集するための上記手段は、
上記特定画像データをリクエストした装置の不十分なセキュリティークリアランスレベルに基づいて、軍事基地を含んだ衛星画像を含む受信した特定画像データにおける戦車を編集するための手段を含む。
【０６５１】
２１６．態様１０９に記載のシステムであって、
受信した上記特定画像データを少なくとも一つのリクエスタに送信するための上記手段は、
受信した上記特定画像データの低解像度バージョンを上記少なくとも一つのリクエスタに送信するための手段と、
受信した上記特定画像データの最大解像度バージョンを上記少なくとも一つのリクエスタに送信するための手段と、を含む。
【０６５２】
２１７．コンピュータ処理的（演算的）に実施されるシステムであって、
シーンの一部である特定画像データについてのリクエストを取得するための回路と、
上記特定画像データについての上記リクエストを、２以上の画像センサを含み、かつ、リクエストされた上記特定画像データよりも大きい上記シーンを取り込むように構成された画像センサアレイに送信するための回路と、
上記画像センサアレイから上記特定画像データのみを受信するための回路と、
受信した上記特定画像データを少なくとも一つのリクエスタに送信するための回路と、を含むシステム。
【０６５３】
２１８．態様２１７に記載のシステムであって、
シーンの一部である特定画像データについてのリクエストを取得するための上記回路は、
１以上の画像を含む上記シーンの特定画像データについての上記リクエストを取得するための回路を含む。
【０６５４】
２１９．態様２１７に記載のシステムであって、
シーンの一部である特定画像データについてのリクエストを取得するための上記回路は、
上記シーンの特定画像データについての上記リクエストを受信するための回路を含む。
【０６５５】
２２０．態様２１９に記載のシステムであって、
上記シーンの特定画像データについての上記リクエストを受信するための上記回路は、
上記シーンの特定画像データについての上記リクエストをユーザ装置から受信するための回路を含む。
【０６５６】
２２１．態様２２０に記載のシステムであって、
上記シーンの特定画像データについての上記リクエストをユーザ装置から受信するための上記回路は、
上記シーンの特定画像データについての上記リクエストを、少なくとも上記シーンの一部を表示するように構成されたユーザ装置から受信するための回路を含む。
【０６５７】
２２２．態様２２１に記載のシステムであって、
上記シーンの特定画像データについての上記リクエストを、少なくとも上記シーンの一部を表示するように構成されたユーザ装置から受信するための上記回路は、
上記シーンの特定画像データについての上記リクエストを、少なくとも上記シーンの一部をビューファインダーに表示するように構成されたユーザ装置から受信するための回路を含む。
【０６５８】
２２３．態様２２０に記載のシステムであって、
上記シーンの特定画像データについての上記リクエストをユーザ装置から受信するための上記回路は、
上記シーンの特定画像データについての上記リクエストを、特定画像の選択を受信するように構成された上記ユーザ装置から受信するための回路を含む。
【０６５９】
２２４．態様２２３に記載のシステムであって、
上記シーンの特定画像データについての上記リクエストを、特定画像の選択を受信するように構成された上記ユーザ装置から受信するための上記回路は、
上記シーンの特定画像データについての上記リクエストを、特定画像の選択を受信するように構成された上記ユーザ装置から受信するための回路を含み、
上記選択は、上記シーンのビューに基づく。
【０６６０】
２２５．態様２２３に記載のシステムであって、
上記シーンの特定画像データについての上記リクエストを、特定画像の選択を受信するように構成された上記ユーザ装置から受信するための上記回路は、
上記シーンの特定画像データについての上記リクエストを上記ユーザから受信するための回路と、
上記シーンの特定画像データについての上記リクエストを、特定画像の選択を受信するように構成された上記ユーザ装置から受信するための回路と、を含み、
上記ユーザ装置は、スマートフォン、テレビ、コンピュータ・スクリーン、タブレット、カメラ、家電、および拡張現実装置の少なくとも何れかである。
【０６６１】
２２６．態様２１７に記載のシステムであって、
シーンの一部である特定画像データについてのリクエストを取得するための上記回路は、
上記シーンの特定画像データについての上記リクエストを取得するための回路を含み、
上記シーンは、２以上の画像センサで構成された上記アレイにより取得された上記画像データである。
【０６６２】
２２７．態様２１７に記載のシステムであって、
シーンの一部である特定画像データについてのリクエストを取得するための上記回路は、
上記シーンの特定画像データについての上記リクエストを取得するための回路を含み、
上記シーンは、２以上の画像センサで構成された上記アレイにより取得された上記画像データを表示したものである。
【０６６３】
２２８．態様２２７に記載のシステムであって、
上記シーンの特定画像データについての上記リクエストを取得するための回路であって、上記シーンが２以上の画像センサで構成された上記アレイにより取得された上記画像データを表示したものである上記回路は、
上記シーンの特定画像データについての上記リクエストを取得するための回路を含み、
上記シーンは、２以上の画像センサで構成された上記アレイにより取得された上記画像データをサンプリングしたものである。
【０６６４】
２２９．態様２２７に記載のシステムであって、
上記シーンの特定画像データについての上記リクエストを取得するための回路であって、上記シーンが２以上の画像センサで構成された上記アレイにより取得された上記画像データを表示したものである上記回路は、
上記シーンの特定画像データについての上記リクエストを取得するための回路を含み、
上記シーンは、２以上の画像センサで構成された上記アレイにより取得された上記画像データのサブセットである。
【０６６５】
２３０．態様２２７に記載のシステムであって、
上記シーンの特定画像データについての上記リクエストを取得するための回路であって、上記シーンが２以上の画像センサで構成された上記アレイにより取得された上記画像データを表示したものである上記回路は、
上記シーンの特定画像データについての上記リクエストを取得するための回路を含み、
上記シーンは、２以上の画像センサで構成された上記アレイにより取得された上記画像データの低解像度バージョンである。
【０６６６】
２３１．態様２１７に記載のシステムであって、
シーンの一部である特定画像データについてのリクエストを取得するための上記回路は、
上記シーンの特定画像データについての上記リクエストを取得するための回路を含み、
上記シーンは、フットボールゲームである。
【０６６７】
２３２．態様２１７に記載のシステムであって、
シーンの一部である特定画像データについてのリクエストを取得するための上記回路は、
上記シーンの特定画像データについての上記リクエストを取得するための回路を含み、
上記シーンは、あるエリアのストリートビューである。
【０６６８】
２３３．態様２１７に記載のシステムであって、
シーンの一部である特定画像データについてのリクエストを取得するための上記回路は、
上記シーンの特定画像データについての上記リクエストを取得するための回路を含み、
上記シーンは、観光目的地である。
【０６６９】
２３４．態様２１７に記載のシステムであって、
シーンの一部である特定画像データについてのリクエストを取得するための上記回路は、
上記シーンの特定画像データについての上記リクエストを取得するための回路を含み、
上記シーンは、家の中である。
【０６７０】
２３５．態様２１７に記載のシステムであって、
シーンの一部である特定画像データについてのリクエストを取得するための上記回路は、
上記シーンの特定画像データについての上記リクエストを取得するための回路を含み、
上記特定画像データは、上記シーンの一部の画像である。
【０６７１】
２３６．態様２３５に記載のシステムであって、
上記シーンの特定画像データについての上記リクエストを取得するための回路であって、上記特定画像データが上記シーンの一部の画像である上記回路は、
上記シーンの特定画像データについての上記リクエストを取得するための回路を含み、
上記特定画像データは、特定のフットボールプレーヤーの画像データを含み、
上記シーンは、フットボールフィールドである。
【０６７２】
２３７．態様２３５に記載のシステムであって、
上記シーンの特定画像データについての上記リクエストを取得するための回路であって、上記特定画像データが上記シーンの一部の画像である上記回路は、
上記シーンの特定画像データについての上記リクエストを取得するための回路を含み、
上記特定画像データは、車両のライセンスプレートの画像データを含み、
上記シーンは、高速道路の橋についての画像を表示したものである。
【０６７３】
２３８．態様２１７に記載のシステムであって、
シーンの一部である特定画像データについてのリクエストを取得するための上記回路は、
上記シーンに位置する特定画像オブジェクトについてのリクエストを取得するための回路と、
上記特定画像オブジェクトを含む上記シーンについての上記特定画像データを決定するための回路と、を含む。
【０６７４】
２３９．態様２３８に記載のシステムであって、
上記シーンに位置する特定画像オブジェクトについてのリクエストを取得するための上記回路は、
上記シーンに位置する特定の人物についてのリクエストを取得するための回路を含む。
【０６７５】
２４０．態様２３８に記載のシステムであって、
上記シーンに位置する特定画像オブジェクトについてのリクエストを取得するための上記回路は、
バスケットボールアリーナである上記シーンに位置するバスケットボールについてのリクエストを取得するための回路を含む。
【０６７６】
２４１．態様２３８に記載のシステムであって、
上記シーンに位置する特定画像オブジェクトについてのリクエストを取得するための上記回路は、
上記シーンに位置する電動車両についてのリクエストを取得するための回路を含む。
【０６７７】
２４２．態様２３８に記載のシステムであって、
上記シーンに位置する特定画像オブジェクトについてのリクエストを取得するための上記回路は、
上記シーンに位置するあらゆる人物オブジェクト表示についてのリクエストを取得するための回路を含む。
【０６７８】
２４３．態様２３８に記載のシステムであって、
上記特定画像オブジェクトを含む上記シーンについての上記特定画像データを決定するための上記回路は、
シーン画像データに対する自動パターン認識アプリケーションによって、上記特定画像オブジェクトを含む上記シーンについての上記特定画像データを決定するための回路を含む。
【０６７９】
２４４．態様２３８に記載のシステムであって、
上記特定画像オブジェクトを含む上記シーンについての上記特定画像データを決定するための上記回路は、
少なくとも時間的に少し前の上記シーンの画像データである前のシーンデータ中の上記特定画像オブジェクトを特定することによって、上記特定画像オブジェクトを含む上記シーンについての上記特定画像データを決定するための回路を含む。
【０６８０】
２４５．態様２３８に記載のシステムであって、
上記特定画像オブジェクトを含む上記シーンについての上記特定画像データを決定するための上記回路は、
キャッシュされたシーンデータにおける上記特定画像オブジェクトを特定することによって、上記特定画像オブジェクトを含む上記シーンについての上記特定画像データを決定するための回路を含む。
【０６８１】
２４６．態様２４５に記載のシステムであって、
キャッシュされたシーンデータにおける上記特定画像オブジェクトを特定することによって、上記特定画像オブジェクトを含む上記シーンについての上記特定画像データを決定するための上記回路は、
２以上のセンサを含む上記画像センサアレイから前に送信された、キャッシュされたシーンデータにおける、上記特定画像オブジェクトを特定することによって、上記特定画像オブジェクトを含む上記シーンについての上記特定画像データを決定するための回路を含む。
【０６８２】
２４７．態様２４５に記載のシステムであって、
キャッシュされたシーンデータにおける上記特定画像オブジェクトを特定することによって、上記特定画像オブジェクトを含む上記シーンについての上記特定画像データを決定するための上記回路は、
２以上の画像センサを含む上記画像センサアレイに接続するために周波数帯域が利用可能であるときに、２以上の画像センサを含む上記画像センサアレイから前に送信された、キャッシュされた上記シーンデータにおける、上記特定画像オブジェクトを特定することによって、上記特定画像オブジェクトを含む上記シーンについての上記特定画像データを決定するための回路を含む。
【０６８３】
２４８．態様２１７に記載のシステムであって、
シーンの一部である特定画像データについてのリクエストを取得するための上記回路は、
上記シーンから第１特定画像データについての第１リクエストを第１リクエスタから受信するための回路と、
上記シーンから第２特定画像データについての第２リクエストを第２リクエスタから受信するための回路と、を含み、
上記第１リクエスタと上記第２リクエスタとは互いに異なる。
【０６８４】
２４９．態様２１７に記載のシステムであって、
シーンの一部である特定画像データについてのリクエストを取得するための上記回路は、
上記シーンから第１特定画像データについての受信した第１リクエストと上記シーンから第２特定画像データについての受信した第２リクエストとを結合するための回路を含む。
【０６８５】
２５０．態様２４９に記載のシステムであって、
上記シーンから第１特定画像データについての受信した第１リクエストと上記シーンから第２特定画像データについての受信した第２リクエストとを結合するための上記回路は、
上記シーンから第１特定画像データについての受信した第１リクエストと上記シーンから第２特定画像データについての受信した第２リクエストとを、重畳してリクエストされた画像データを統合した特定画像データについての上記リクエストに結合するための回路を含む。
【０６８６】
２５１．態様２５０に記載のシステムであって、
シーンの一部である特定画像データについてのリクエストを取得するための上記回路は、
上記シーンから第１特定画像データについての第１リクエスト、および上記シーンから第２特定画像データについての第２リクエストを受信するための回路と、
受信した上記第１リクエストと受信した上記第２リクエストとを特定画像データについての上記リクエストに結合するための回路を含む。
【０６８７】
２５２．態様２５１に記載のシステムであって、
受信した上記第１リクエストと受信した上記第２リクエストとを特定画像データについての上記リクエストに結合するための上記回路は、
受信した上記第１リクエストと受信した上記第２リクエストとの間に共通するピクセルデータを除去するための回路を含む。
【０６８８】
２５３．態様２１７に記載のシステムであって、
シーンの一部である特定画像データについてのリクエストを取得するための上記回路は、
シーンの一部であり、ビデオデータを含む特定画像データについての上記リクエストを取得するための回路を含む。
【０６８９】
２５４．態様２１７に記載のシステムであって、
シーンの一部である特定画像データについてのリクエストを取得するための上記回路は、
シーンの一部であり、音声データを含む特定画像データについての上記リクエストを取得するための回路を含む。
【０６９０】
２５５．態様２１７に記載のシステムであって、
シーンの一部である特定画像データについてのリクエストを取得するための上記回路は、
音声インタフェースを介して特定画像データについての上記リクエストを受信するユーザ装置からシーンの一部である特定画像データについての上記リクエストを取得するための回路を含む。
【０６９１】
２５６．態様２５５に記載のシステムであって、
音声インタフェースを介して特定画像データについての上記リクエストを受信するユーザ装置からシーンの一部である特定画像データについての上記リクエストを取得するための上記回路は、
特定画像データについての発話された音声リクエストを上記ユーザから受信するマイクを有する上記ユーザ装置から、シーンの一部である特定画像データについての上記リクエストを取得するための回路を含む。
【０６９２】
２５７．態様２１７に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記回路は、
上記シーンの上記特定画像データについての上記リクエストを、２以上の画像センサを含み、かつ、リクエストされた上記画像データよりも大きい画像を取り込むように構成された上記画像センサアレイに送信するための回路を含む。
【０６９３】
２５８．態様２１７に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記回路は、
上記シーンの上記特定画像データについての上記リクエストを、（１）並んで配設され、かつ、互いに角度を付けて配された２つの画像センサを含み、かつ、（２）リクエストされた上記画像データよりも大きい画像を取り込むように構成された上記画像センサアレイに送信するための回路を含む。
【０６９４】
２５９．態様２１７に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記回路は、
上記シーンの上記特定画像データについての上記リクエストを、グリッド状に配された画像センサのアレイを含み、かつ、リクエストされた上記画像データよりも大きい画像を取り込むように構成された上記画像センサアレイに送信するための回路を含む。
【０６９５】
２６０．態様２１７に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記回路は、
上記シーンの上記特定画像データについての上記リクエストを、視野が１２０°よりも大きくなるように線状に配された画像センサのアレイを含み、かつ、リクエストされた上記画像データよりも大きい画像を取り込むように構成された上記画像センサアレイに送信するための回路を含む。
【０６９６】
２６１．態様２１７に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記回路は、
上記シーンの上記特定画像データについての上記リクエストを、非線状、および非連続的に配された固定の画像センサの一群を含み、かつ、リクエストされた上記画像データよりも大きい画像を取り込むように構成された上記画像センサアレイに送信するための回路を含む。
【０６９７】
２６２．態様２１７に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記回路は、
上記シーンの上記特定画像データについての上記リクエストを、静止した画像センサのアレイを含み、かつ、リクエストされた上記画像データよりも大きい画像を取り込むように構成された上記画像センサアレイに送信するための回路を含む。
【０６９８】
２６３．態様２６２に記載のシステムであって、
上記シーンの上記特定画像データについての上記リクエストを、静止した画像センサのアレイを含み、かつ、リクエストされた上記画像データよりも大きい画像を取り込むように構成された上記画像センサアレイに送信するための上記回路は、
上記シーンの上記特定画像データについての上記リクエストを、焦点距離および視野が固定された画像センサのアレイを含み、かつ、リクエストされた上記画像データよりも大きい画像を取り込むように構成された上記画像センサアレイに送信するための回路を含む。
【０６９９】
２６４．態様２１７に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記回路は、
上記シーンの上記特定画像データについての上記リクエストを、移動式プラットフォームに搭載された画像センサのアレイを含み、かつ、リクエストされた上記画像データよりも大きい画像を取り込むように構成された上記画像センサアレイに送信するための回路を含む。
【０７００】
２６５．態様２１７に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記回路は、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信するための回路を含む。
【０７０１】
２６６．態様２６５に記載のシステムであって、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信するための上記回路は、
上記シーンの上記特定画像データについての上記リクエストを、２以上の画像センサを含み、かつ、リクエストされた上記特定画像データよりもデータ量が１０倍より多い画像データを表現する上記シーンを取り込むように構成された上記画像センサアレイに送信するための回路を含む。
【０７０２】
２６７．態様２６５に記載のシステムであって、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信するための上記回路は、
上記シーンの上記特定画像データについての上記リクエストを、２以上の画像センサを含み、かつ、リクエストされた上記特定画像データよりもデータ量が１００倍より多い画像データを表現する上記シーンを取り込むように構成された上記画像センサアレイに送信するための回路を含む。
【０７０３】
２６８．態様２１７に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記回路は、
上記特定画像データについての上記リクエストを、リクエストされた上記特定画像データよりも広い視野で表現する上記シーンを取り込むように構成された上記画像センサアレイに送信するための回路を含む。
【０７０４】
２６９．態様２１７に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記回路は、
上記特定画像データについての上記リクエストを変更するための回路と、
上記特定画像データについての変更された上記リクエストを、２以上の画像センサを含み、かつ、リクエストされた上記特定画像データよりも大きい上記シーンを取り込むように構成された上記画像センサアレイに送信するための回路と、を含む。
【０７０５】
２７０．態様２６９に記載のシステムであって、
上記特定画像データについての上記リクエストを変更するための上記回路は、
上記特定画像データについての上記リクエストから指定画像データを取り除くための回路を含む。
【０７０６】
２７１．態様２７０に記載のシステムであって、
上記特定画像データについての上記リクエストから指定画像データを取り除くための上記回路は、
前に保存された画像データに基づいて、上記特定画像データについての上記リクエストから指定画像データを取り除くための回路を含む。
【０７０７】
２７２．態様２７１に記載のシステムであって、
前に保存された画像データに基づいて、上記特定画像データについての上記リクエストから指定画像データを取り除くための上記回路は、
上記画像センサアレイによって取り込まれた、前に保存された画像データに基づいて、上記特定画像データについての上記リクエストから指定画像データを取り除くための回路を含む。
【０７０８】
２７３．態様２７１に記載のシステムであって、
前に保存された画像データに基づいて、上記特定画像データについての上記リクエストから指定画像データを取り除くための上記回路は、
上記指定画像データの早い時間のバージョンである、前に保存された画像データに基づいて、上記特定画像データについての上記リクエストから指定画像データを取り除くための回路を含む。
【０７０９】
２７４．態様２７３に記載のシステムであって、
上記指定画像データの早い時間のバージョンである、前に保存された画像データに基づいて、上記特定画像データについての上記リクエストから指定画像データを取り除くための上記回路は、
上記画像センサアレイによって取り込まれた、早い時間のバージョンからの、１以上の静止オブジェクトの前に保存された画像データに基づいて、ストリートのビューである上記特定画像データについての上記リクエストから、上記１以上の静止オブジェクトの画像データを取り除くための回路を含む。
【０７１０】
２７５．態様２７４に記載のシステムであって、
上記画像センサアレイによって取り込まれた、早い時間のバージョンからの、１以上の静止オブジェクトの前に保存された画像データに基づいて、ストリートのビューである上記特定画像データについての上記リクエストから、上記１以上の静止オブジェクトの画像データを取り除くための上記回路は、
上記画像センサアレイによって取り込まれた、早い時間のバージョンからの、１以上の上記静止オブジェクトの前に保存された画像データに基づいて、
上記ストリートのビューである上記特定画像データについての上記リクエストから、上記１以上の静止オブジェクトの特定画像データを取り除き、かつ、上記特定画像データについての上記リクエストから、上記１以上の建物の画像データを取り除くための回路を含む。
【０７１１】
２７６．態様２６９に記載のシステムであって、
上記特定画像データについての上記リクエストを変更するための上記回路は、
上記特定画像データについての上記リクエストの一部におけるピクセルの内挿または外挿によって、上記特定画像データについての上記リクエストの一部を取り除くための回路を含む。
【０７１２】
２７７．態様２７６に記載のシステムであって、
上記特定画像データについての上記リクエストの一部におけるピクセルの内挿または外挿によって、上記特定画像データについての上記リクエストの一部を取り除くための上記回路は、
上記特定画像データについての上記リクエストの上記一部におけるピクセルの内挿によって、上記特定画像データについての上記リクエストから、１以上の静止オブジェクトを取り除くための回路を含む。
【０７１３】
２７８．態様２６９に記載のシステムであって、
上記特定画像データについての上記リクエストを変更するための上記回路は、
すでにメモリに保存された上記特定画像データについての上記リクエストの少なくとも一部を特定するための回路と、
上記特定画像データについての上記リクエストから特定された部分を取り除くための回路と、を含む。
【０７１４】
２７９．態様２７８に記載のシステムであって、
すでにメモリに保存された上記特定画像データについての上記リクエストの少なくとも一部を特定するための上記回路は、
上記画像センサアレイによって前に取り込まれた特定画像データについての上記リクエストの少なくとも一部を特定するための回路を含む。
【０７１５】
２８０．態様２７８に記載のシステムであって、
すでにメモリに保存された上記特定画像データについての上記リクエストの少なくとも一部を特定するための上記回路は、
上記画像センサアレイによって前に取り込まれた特定画像データについての上記リクエストの１以上の静止オブジェクトを特定するための回路を含む。
【０７１６】
２８１．態様２８０に記載のシステムであって、
上記特定画像データをリクエストした上記ユーザ装置の解像度に少なくとも部分的に基づいて、上記特定画像データについての上記リクエストに係るサイズを決定するための上記回路は、
上記画像センサアレイによって前に取り込まれた特定画像データについての上記リクエストの１以上の露出している自然の岩を特定するための回路を含む。
【０７１７】
２８２．態様２１７に記載のシステムであって、
上記特定画像データについての上記リクエストを、２以上の画像センサを含み、かつ、リクエストされた上記特定画像データよりも大きい上記シーンを取り込むように構成された画像センサアレイに送信するための上記回路は、
上記特定画像データについての上記リクエストに係るサイズを決定するための回路と、
上記シーンを取り込むように構成された上記画像センサアレイに対してサイズが決定された、上記特定画像データについての上記リクエストを送信するための回路と、を含む。
【０７１８】
２８３．態様２８２に記載のシステムであって、
上記特定画像データについての上記リクエストに係るサイズを決定するための上記回路は、
上記特定画像データの少なくとも一部をリクエストしたユーザ装置の特性に少なくとも部分的に基づいて、上記特定画像データについての上記リクエストに係る上記サイズを決定するための回路を含む。
【０７１９】
２８４．態様２８３に記載のシステムであって、
上記特定画像データの少なくとも一部をリクエストしたユーザ装置の特性に少なくとも部分的に基づいて、上記特定画像データについての上記リクエストに係る上記サイズを決定するための上記回路は、
上記特定画像データをリクエストした上記ユーザ装置の解像度に少なくとも部分的に基づいて、上記特定画像データについての上記リクエストに係る上記サイズを決定するための回路を含む。
【０７２０】
２８５．態様２８２に記載のシステムであって、
上記特定画像データについての上記リクエストに係るサイズを決定するための上記回路は、
上記特定画像データの少なくとも一部をリクエストしたユーザ装置の装置アクセスレベルに少なくとも部分的に基づいて、上記特定画像データについての上記リクエストに係る上記サイズを決定するための回路を含む。
【０７２１】
２８６．態様２８２に記載のシステムであって、
上記特定画像データについての上記リクエストに係るサイズを決定するための上記回路は、
上記画像センサアレイとの通信のために使用可能な周波数帯域の大きさに少なくとも部分的に基づいて、上記特定画像データについての上記リクエストに係る上記サイズを決定するための回路を含む。
【０７２２】
２８７．態様２８２に記載のシステムであって、
上記特定画像データについての上記リクエストに係るサイズを決定するための上記回路は、
上記特定画像データの少なくとも一部をリクエストしたユーザ装置が画像データをリクエストした時間の長さに少なくとも部分的に基づいて、上記特定画像データについての上記リクエストに係る上記サイズを決定するための回路を含む。
【０７２３】
２８８．態様２８２に記載のシステムであって、
上記特定画像データについての上記リクエストに係るサイズを決定するための上記回路は、
上記特定画像データの少なくとも一部をリクエストしたユーザ装置との通信のために使用可能な周波数帯域の大きさに少なくとも部分的に基づいて、上記特定画像データについての上記リクエストに係る上記サイズを決定するための回路を含む。
【０７２４】
２８９．態様２１７に記載のシステムであって、
上記画像センサアレイから上記特定画像データのみを受信するための上記回路は、
上記画像センサアレイから上記特定画像データのみを受信するための回路を含み、
上記特定画像データ以外の上記シーンに由来するデータは、破棄されている。
【０７２５】
２９０．態様２１７に記載のシステムであって、
上記画像センサアレイから上記特定画像データのみを受信するための上記回路は、
上記画像センサアレイから上記特定画像データのみを受信するための回路を含み、
上記特定画像データ以外の上記シーンに由来するデータは、上記画像センサアレイに保存されている。
【０７２６】
２９１．態様２１７に記載のシステムであって、
上記画像センサアレイから上記特定画像データのみを受信するための上記回路は、
上記画像センサアレイから上記特定画像データをリアルタイムで受信するための回路を含む。
【０７２７】
２９２．態様２１７に記載のシステムであって、
上記画像センサアレイから上記特定画像データのみを受信するための上記回路は、
上記画像センサアレイから上記特定画像データをリアルタイムで受信するための回路と、
上記特定画像データ以外の上記シーンに由来するデータを、後の時刻において取り込むための回路と、を含む。
【０７２８】
２９３．態様２９２に記載のシステムであって、
上記特定画像データ以外の上記シーンに由来するデータを、後の時刻において取り込むための上記回路は、
上記特定画像データ以外の上記シーンに由来するデータを、周波数帯域が上記画像センサアレイに対して使用可能となる時刻において取り込むための回路を含む。
【０７２９】
２９４．態様２９２に記載のシステムであって、
上記特定画像データ以外の上記シーンに由来するデータを、後の時刻において取り込むための上記回路は、
上記特定画像データ以外の上記シーンに由来するデータを、上記画像センサアレイのオフピーク使用を示す時刻において取り込むための回路を含む。
【０７３０】
２９５．態様２９２に記載のシステムであって、
上記特定画像データ以外の上記シーンに由来するデータを、後の時刻において取り込むための上記回路は、
上記特定画像データ以外の上記シーンに由来するデータを、特定画像データがリクエストされない時刻において取り込むための回路を含む。
【０７３１】
２９６．態様２９２に記載のシステムであって、
上記特定画像データ以外の上記シーンに由来するデータを、後の時刻において取り込むための上記回路は、
上記特定画像データ以外の上記シーンに由来するデータを、上記画像センサアレイの能力ほどに特定画像データをリクエストするユーザが殆どいない時刻において取り込むための回路を含む。
【０７３２】
２９７．態様２１７に記載のシステムであって、
上記画像センサアレイから上記特定画像データのみを受信するための上記回路は、
上記センサアレイからの音声データを含む上記特定画像データのみを受信するための回路を含む。
【０７３３】
２９８．態様２１７に記載のシステムであって、
上記画像センサアレイから上記特定画像データのみを受信するための上記回路は、
上記画像センサアレイから、リクエストされた特定画像オブジェクトを含むと判定された上記特定画像データのみを受信するための回路を含む。
【０７３４】
２９９．態様２９８に記載のシステムであって、
上記画像センサアレイから、リクエストされた特定画像オブジェクトを含むと判定された上記特定画像データのみを受信するための上記回路は、
リクエストされた特定画像オブジェクトを含むと上記画像センサアレイによって判定された上記特定画像データのみを受信するための回路を含む。
【０７３５】
３００．態様２１７に記載のシステムであって、
受信した上記特定画像データを少なくとも一つのリクエスタに送信するための上記回路は、
受信した上記特定画像データをユーザ装置に送信するための回路を含む。
【０７３６】
３０１．態様３００に記載のシステムであって、
受信した上記特定画像データをユーザ装置に送信するための上記回路は、
受信した上記特定画像データの少なくとも一部を、上記特定画像データをリクエストしたユーザ装置に送信するための回路を含んでいる。
【０７３７】
３０２．態様２１７に記載のシステムであって、
受信した上記特定画像データを少なくとも一つのリクエスタに送信するための上記回路は、
受信した上記特定画像データを１以上のリクエスト画像のセットに分離するための回路と、
上記１以上のリクエスト画像のセットのうちの少なくとも１つの画像を、上記少なくとも１つの画像をリクエストした特定のリクエスタに送信するための回路と、を含む。
【０７３８】
３０３．態様３０２に記載のシステムであって、
受信した上記特定画像データを１以上のリクエスト画像のセットに分離するための上記回路は、
受信した上記特定画像データを、第１リクエスト画像と第２リクエスト画像とに分離するための回路を含む。
【０７３９】
３０４．態様２１７に記載のシステムであって、
受信した上記特定画像データを少なくとも一つのリクエスタに送信するための上記回路は、
受信した上記特定画像データを、受信した上記特定画像データの少なくとも一部である画像をリクエストしたユーザ装置に送信するための回路を含む。
【０７４０】
３０５．態様２１７に記載のシステムであって、
受信した上記特定画像データを少なくとも一つのリクエスタに送信するための上記回路は、
受信した上記特定画像データの第１部分を第１リクエスタに送信するための回路と、
受信した上記特定画像データの第２部分を第２リクエスタに送信するための回路と、を含む。
【０７４１】
３０６．態様３０５に記載のシステムであって、
受信した上記特定画像データの第１部分を第１リクエスタに送信するための上記回路は、
受信した上記特定画像データの上記第１部分を、受信した上記特定画像データの上記第１部分をリクエストした上記第１リクエスタに送信するための回路を含む。
【０７４２】
３０７．態様２０６に記載のシステムであって、
受信した上記特定画像データの上記第１部分を、受信した上記特定画像データの上記第１部分をリクエストした上記第１リクエスタに送信するための上記回路は、
特定のフットボールプレーヤーを含む画像を、（１）フットボールゲームを表示するよう構成され、かつ、（２）上記特定のフットボールプレーヤーを含む上記画像をリクエストした、テレビ装置に送信するための回路を含む。
【０７４３】
３０８．態様３０５に記載のシステムであって、
受信した上記特定画像データの第２部分を第２リクエスタに送信するための上記回路は、
受信した上記特定画像データの上記第２部分を、受信した上記特定画像データの上記第２部分をリクエストした上記第２リクエスタに送信するための回路を含む。
【０７４４】
３０９．態様３０８に記載のシステムであって、
受信した上記特定画像データの上記第２部分を、受信した上記特定画像データの上記第２部分をリクエストした上記第２リクエスタに送信するための上記回路は、
電動車両のビューを含む画像を、都市の特定のコーナーのストリートビューの画像をリクエストしたタブレット装置に送信するための回路を含む。
【０７４５】
３１０．態様２１７に記載のシステムであって、
受信した上記特定画像データを少なくとも一つのリクエスタに送信するための上記回路は、
受信した上記特定画像データの少なくとも一部を変化させずに、少なくとも一つのリクエスタに送信するための回路を含む。
【０７４６】
３１１．態様２１７に記載のシステムであって、
受信した上記特定画像データを少なくとも一つのリクエスタに送信するための上記回路は、
送信画像データを生成するために、受信した上記特定画像データの少なくとも一部に補足データを追加するための回路と、
生成した上記送信画像データを少なくとも１つのリクエスタに送信するための回路と、を含む。
【０７４７】
３１２．態様３１１に記載のシステムであって、
送信画像データを生成するために、受信した上記特定画像データの少なくとも一部に補足データを追加するための上記回路は、
送信画像データを生成するために、受信した上記特定画像データの少なくとも一部に広告データを追加するための回路を含む。
【０７４８】
３１３．態様３１２に記載のシステムであって、
送信画像データを生成するために、受信した上記特定画像データの少なくとも一部に広告データを追加するための上記回路は、
受信した上記特定画像データの少なくとも一部に、受信した上記特定画像データに少なくとも部分的に基づく文脈依存の広告データを追加するための回路を含む。
【０７４９】
３１４．態様３１３に記載のシステムであって、
受信した上記特定画像データの少なくとも一部に、受信した上記特定画像データに少なくとも部分的に基づく文脈依存の広告データを追加するための上記回路は、
ジャングルのオアシスにいるトラの受信した上記特定画像データに、ジャングルのオアシスにいるトラの受信した特定画像データに少なくとも部分的に基づく動物愛護寄付ファンドに係る広告データを追加するための回路を含む。
【０７５０】
３１５．態様３１１に記載のシステムであって、
送信画像データを生成するために、受信した上記特定画像データの少なくとも一部に補足データを追加するための上記回路は、
送信画像データを生成するために、受信した上記特定画像データの少なくとも一部に、受信した上記特定画像データに関連する関連視覚的データを追加するための回路を含む。
【０７５１】
３１６．態様３１５に記載のシステムであって、
送信画像データを生成するために、受信した上記特定画像データの少なくとも一部に、受信した上記特定画像データに関連する関連視覚的データを追加するための上記回路は、
送信画像データを生成するために、フットボールのクオーターバックに関する受信した上記特定画像データに、フットボールゲームにおける上記クオーターバックの受信した上記特定画像データに現れる、ファンタジー・フットボールの統計データを追加するための回路を含む。
【０７５２】
３１７．態様２１７に記載のシステムであって、
受信した上記特定画像データを少なくとも一つのリクエスタに送信するための上記回路は、
送信画像データを生成するために、受信した上記特定画像データの一部のデータを変更するための回路と、
生成した上記送信画像データを、少なくとも一つのリクエスタに送信するための回路と、を含む。
【０７５３】
３１８．態様３１７に記載のシステムであって、
送信画像データを生成するために、受信した上記特定画像データの一部のデータを変更するための上記回路は、
送信画像データを生成するために、受信した上記特定画像データにおける画像操作変更を行うための回路を含む。
【０７５４】
３１９．態様３１８に記載のシステムであって、
送信画像データを生成するために、受信した上記特定画像データにおける画像操作変更を行うための上記回路は、
送信画像データを生成するために、受信した上記特定画像データに対してコントラストバランス化を行うための回路を含む。
【０７５５】
３２０．態様３１８に記載のシステムであって、
送信画像データを生成するために、受信した上記特定画像データにおける画像操作変更を行うための上記回路は、
送信画像データを生成するために、受信した上記特定画像データに対して色変更バランス化を行うための回路を含む。
【０７５６】
３２１．態様３１７に記載のシステムであって、
送信画像データを生成するために、受信した上記特定画像データの一部のデータを変更するための上記回路は、
送信画像データを生成するために、受信した上記特定画像データの少なくとも一部を編集するための回路を含む。
【０７５７】
３２２．態様３２１に記載のシステムであって、
送信画像データを生成するために、受信した上記特定画像データの少なくとも一部を編集するための上記回路は、
上記リクエスタのセキュリティークリアランスレベルに基づいて、受信した上記特定画像データの少なくとも一部を編集するための回路を含む。
【０７５８】
３２３．態様３２２に記載のシステムであって、
上記リクエスタのセキュリティークリアランスレベルに基づいて、受信した上記特定画像データの少なくとも一部を編集するための上記回路は、
上記特定画像データをリクエストした装置の不十分なセキュリティークリアランスレベルに基づいて、軍事基地を含んだ衛星画像を含む受信した特定画像データにおける戦車を編集するための回路を含む。
【０７５９】
３２４．態様２１７に記載のシステムであって、
受信した上記特定画像データを少なくとも一つのリクエスタに送信するための上記回路は、
受信した上記特定画像データの低解像度バージョンを上記少なくとも一つのリクエスタに送信するための回路と、
受信した上記特定画像データの最大解像度バージョンを上記少なくとも一つのリクエスタに送信するための回路と、を含む。
【０７６０】
３２５．コンピュータプログラム製品であって、
信号担持媒体を含み、
当該信号担持媒体は、
シーンの一部である特定画像データについてのリクエストを取得するための１以上の指令と、
上記特定画像データについての上記リクエストを、２以上の画像センサを含み、かつ、リクエストされた上記特定画像データよりも大きい上記シーンを取り込むように構成された画像センサアレイに送信するための１以上の指令と、
上記画像センサアレイから上記特定画像データのみを受信するための１以上の指令と、
受信した特定画像データを少なくとも１つのリクエスタに送信するための１以上の指令と、を担持する。
【０７６１】
３２６．計算言語によって規定されている装置であって、
シーンの一部である特定画像データについてのリクエストを取得するように指令を受けた１以上の相互に接続された物理マシンと、
上記特定画像データについての上記リクエストを、２以上の画像センサを含み、かつ、リクエストされた上記特定画像データよりも大きい上記シーンを取り込むように構成された１以上の画像センサアレイに送信するように指令を受けた１以上の相互に接続された物理マシンと、
上記画像センサアレイから上記特定画像データのみを受信するように指令を受けた１以上の相互に接続された物理マシンと、
受信した特定画像データを少なくとも１つのリクエスタに送信するように指令を受けた１以上の相互に接続された物理マシンとを含んでいる装置。
【０７６２】
３２７．シーンの一部である特定画像データについてのリクエストを取得するモジュールと、
特定画像データについてのリクエストを、２以上の画像センサを含み、かつ、リクエストされた上記特定画像データよりも大きい上記シーンを取り込むように構成された画像センサアレイに送信するモジュールと、
上記画像センサアレイから特定画像データのみを受信するモジュールと、
受信した特定画像データを少なくとも一つのリクエスタに送信するモジュールと、を含む装置。
【０７６３】
３２８. 態様３２７に記載の装置であって、
シーンの一部である特定画像データについてのリクエストを取得する上記モジュールは、
シーンの一部であり、かつ１以上の画像を含む特定画像データについてのリクエストを取得するモジュールを含む。
【０７６４】
３２９. 態様３２７に記載の装置であって、
シーンの一部である特定画像データについてのリクエストを取得する上記モジュールは、
シーンの一部である特定画像データについてのリクエストを受信するモジュールを含む。
【０７６５】
３３０. 態様３２９に記載の装置であって、
シーンの一部である特定画像データについてのリクエストを受信する上記モジュールは、
シーンの一部である特定画像データについてのリクエストをクライアント装置から受信するモジュールを含む。
【０７６６】
３３１. 態様３３０に記載の装置であって、
シーンの一部である特定画像データについてのリクエストをクライアント装置から受信する上記モジュールは、
上記シーンの一部である特定画像データについての上記リクエストを、上記シーンの少なくとも一部を表示するように構成されたクライアント装置から受信するモジュールを含む。
【０７６７】
３３２. 態様３３１に記載の装置であって、
シーンの一部である特定画像データについてのリクエストをクライアント装置から受信する上記モジュールは、
上記シーンの一部である特定画像データについての上記リクエストを、上記シーンの少なくとも一部をビューファインダーに表示するように構成されたクライアント装置から受信するモジュールを含む。
【０７６８】
３３３. 態様３３０に記載の装置であって、
シーンの一部である特定画像データについてのリクエストをクライアント装置から受信する上記モジュールは、
シーンの一部である特定画像データについての上記リクエストを、特定画像の選択を得るように構成されたクライアント装置から受信するモジュールを含む。
【０７６９】
３３４. 態様３３３に記載の装置であって、
シーンの一部である特定画像データについての上記リクエストを、特定画像の選択を得るように構成されたクライアント装置から受信する上記モジュールは、
シーンの一部である特定画像データについての上記リクエストを、上記シーンのビューに基づく特定画像の選択を得るように構成されたクライアント装置から受信するモジュールを含む。
【０７７０】
３３５. 態様３３３に記載の装置であって、
シーンの一部である特定画像データについての上記リクエストを、特定画像の選択を得るように構成されたクライアント装置から受信する上記モジュールは、
シーンの一部である特定画像データについてのリクエストを、特定画像のシーンに基づく選択を受信するように構成された１以上の各種装置から受信するモジュールを含み、
上記１以上の各種装置は、スマートフォン、テレビ、コンピュータ・スクリーン、タブレット、カメラ、家電、および拡張現実装置のうちの１以上を含む。
【０７７１】
３３６. 態様３２７に記載の装置であって、
シーンの一部である特定画像データについてのリクエストを取得する上記モジュールは、
シーンの一部である特定画像データについてのリクエストを取得するモジュールを含み、
上記シーンは、２以上の画像センサで構成された上記アレイにより収集された画像データを含む。
【０７７２】
３３７. 態様３２７に記載の装置であって、
シーンの一部である特定画像データについてのリクエストを取得する上記モジュールは、
特定シーンの一部である特定画像データについてのリクエストを取得するモジュールを含み、
リクエストされた上記特定シーンは、２以上の画像センサで構成された上記アレイにより収集された上記画像データの表示である。
【０７７３】
３３８. 態様３３７に記載の装置であって、
特定シーンの一部である特定画像データについてのリクエストを取得する上記モジュールは、
特定シーンの一部である特定画像データについてのリクエストを取得するモジュールを含み、
リクエストされた上記特定シーンは、２以上の画像センサで構成された上記アレイにより収集された上記画像データのサンプリングである。
【０７７４】
３３９. 態様３３７に記載の装置であって、
特定シーンの一部である特定画像データについてのリクエストを取得する上記モジュールは、
特定シーンの一部である特定画像データについてのリクエストを取得するモジュールを含み、
リクエストされた上記特定シーンは、２以上の画像センサで構成された上記アレイにより収集された上記画像データのサブセットである。
【０７７５】
３４０. 態様３３７に記載の装置であって、
特定シーンの一部である特定画像データについてのリクエストを取得する上記モジュールは、
特定シーンの一部である特定画像データについてのリクエストを取得するモジュールを含み、
リクエストされた上記特定シーンは、２以上の画像センサで構成された上記アレイにより収集された上記画像データの低解像度バージョンである。
【０７７６】
３４１. 態様３２７に記載の装置であって、
シーンの一部である特定画像データについてのリクエストを取得する上記モジュールは、
フットボールゲームに係るシーンの一部である特定画像データについてのリクエストを取得するモジュールを含む。
【０７７７】
３４２. 態様３２７に記載の装置であって、
シーンの一部である特定画像データについてのリクエストを取得する上記モジュールは、
あるエリアのストリートビューに係るシーンの一部である特定画像データについてのリクエストを取得するモジュールを含む。
【０７７８】
３４３. 態様３２７に記載の装置であって、
シーンの一部である特定画像データについてのリクエストを取得する上記モジュールは、
観光目的地に係るシーンの一部である特定画像データについてのリクエストを取得するモジュールを含む。
【０７７９】
３４４. 態様３２７に記載の装置であって、
シーンの一部である特定画像データについてのリクエストを取得する上記モジュールは、
家の中に係るシーンの一部である特定画像データについてのリクエストを取得するモジュールを含む。
【０７８０】
３４５. 態様３２７に記載の装置であって、
シーンの一部である特定画像データについてのリクエストを取得する上記モジュールは、
特定画像データについてのリクエストを取得するモジュールを含み、
上記特定画像データは、上記シーンの一部の画像である。
【０７８１】
３４６. 態様３４５に記載の装置であって、
上記シーンの一部の画像である特定画像データについてのリクエストを取得する上記モジュールは、
上記シーンの特定画像データについてのリクエストを取得するモジュールを含み、
上記特定画像データは特定のフットボールプレーヤーの画像データを含み、かつ、上記シーンはフットボールフィールドである。
【０７８２】
３４７．態様３４５に記載の装置であって、
上記シーンの特定画像データについての上記リクエストを取得するモジュールであって、上記特定画像データが上記シーンの一部の画像である上記モジュールは、
上記シーンの特定画像データについての上記リクエストを取得するモジュールを含み、
上記特定画像データは、車両のライセンスプレートの画像データを含み、
上記シーンは、高速道路の橋である。
【０７８３】
３４８．態様３２７に記載の装置であって、
シーンの一部である特定画像データについてのリクエストを取得する上記モジュールは、
上記シーンに位置する特定画像オブジェクトについてのリクエストを取得するモジュールと、
上記特定画像オブジェクトを含む上記シーンについての上記特定画像データを決定するモジュールと、を含む。
【０７８４】
３４９．態様３４８に記載の装置であって、
上記シーンに位置する特定画像オブジェクトについてのリクエストを取得する上記モジュールは、
上記シーンに位置する特定の人物についてのリクエストを取得するモジュールを含む。
【０７８５】
３５０．態様３４８に記載の装置であって、
上記シーンに位置する特定画像オブジェクトについてのリクエストを取得する上記モジュールは、
バスケットボールアリーナである上記シーンに位置するバスケットボールについてのリクエストを取得するモジュールを含む。
【０７８６】
３５１．態様３４８に記載の装置であって、
上記シーンに位置する特定画像オブジェクトについてのリクエストを取得する上記モジュールは、
上記シーンに位置する特定の電動車両についてのリクエストを取得するモジュールを含む。
【０７８７】
３５２．態様３４８に記載の装置であって、
上記シーンに位置する特定画像オブジェクトについてのリクエストを取得する上記モジュールは、
上記シーンに位置する人物オブジェクト表示についてのリクエストを取得するモジュールを含む。
【０７８８】
３５３．態様３４８に記載の装置であって、
上記特定画像オブジェクトを含む上記シーンについての上記特定画像データを決定する上記モジュールは、
シーン画像データに対する自動パターン認識アプリケーションによって、上記特定画像オブジェクトを含む上記シーンについての上記特定画像データを決定するように構成されているモジュールを含む。
【０７８９】
３５４．態様３４８に記載の装置であって、
上記特定画像オブジェクトを含む上記シーンについての上記特定画像データを決定する上記モジュールは、
少なくとも時間的に少し前の上記シーンの画像データである前のシーンデータ中の上記特定画像オブジェクトを特定することによって、上記特定画像オブジェクトを含む上記シーンについての上記特定画像データを決定するモジュールを含む。
【０７９０】
３５５．態様３４８に記載の装置であって、
上記特定画像オブジェクトを含む上記シーンについての上記特定画像データを決定する上記モジュールは、
キャッシュされたシーンデータにおける上記特定画像オブジェクトを特定することによって、上記特定画像オブジェクトを含む上記シーンについての上記特定画像データを決定するモジュールを含む。
【０７９１】
３５６．態様３５５に記載の装置であって、
キャッシュされたシーンデータにおける上記特定画像オブジェクトを特定することによって、上記特定画像オブジェクトを含む上記シーンについての上記特定画像データを決定する上記モジュールは、
２以上のセンサを含む上記画像センサアレイから前に送信された、キャッシュされたシーンデータにおける、上記特定画像オブジェクトを特定することによって、上記特定画像オブジェクトを含む上記シーンについての上記特定画像データを決定するモジュールを含む。
【０７９２】
３５７．態様３５５に記載の装置であって、
キャッシュされたシーンデータにおける上記特定画像オブジェクトを特定することによって、上記特定画像オブジェクトを含む上記シーンについての上記特定画像データを決定する上記モジュールは、
２以上の画像センサを含む上記画像センサアレイに接続するために周波数帯域が利用可能であるときに、２以上の画像センサを含む上記画像センサアレイから前に送信された、キャッシュされた上記シーンデータにおける、上記特定画像オブジェクトを特定することによって、上記特定画像オブジェクトを含む上記シーンについての上記特定画像データを決定するモジュールを含む。
【０７９３】
３５８．態様３２７に記載の装置であって、
シーンの一部である特定画像データについてのリクエストを取得する上記モジュールは、
第１特定画像データについての第１リクエストを第１リクエスタから受信するモジュールと、
第１特定画像データについての第２リクエストを第２リクエスタから受信するモジュールと、を含み、
上記第１リクエスタと上記第２リクエスタとは互いに異なる。
【０７９４】
３５９．態様３２７に記載の装置であって、
シーンの一部である特定画像データについてのリクエストを取得する上記モジュールは、
上記シーンから第１特定画像データについての受信した第１リクエストと上記シーンから第２特定画像データについての受信した第２リクエストとを結合するモジュールを含む。
【０７９５】
３６０．態様３５９に記載の装置であって、
上記シーンから第１特定画像データについての受信した第１リクエストと上記シーンから第２特定画像データについての受信した第２リクエストとを結合する上記モジュールは、
上記シーンから第１特定画像データについての受信した第１リクエストと上記シーンから第２特定画像データについての受信した第２リクエストとを、重畳してリクエストされた画像データを統合した特定画像データについての上記リクエストに結合するモジュールを含む。
【０７９６】
３６１．態様３２７に記載の装置であって、
シーンの一部である特定画像データについてのリクエストを取得する上記モジュールは、
上記シーンから第１特定画像データについての第１リクエスト、および上記シーンから第２特定画像データについての第２リクエストを受信するモジュールと、
受信した上記第１リクエストと受信した上記第２リクエストとを特定画像データについての上記リクエストに結合するモジュールと、を含む。
【０７９７】
３６２．態様３６１に記載の装置であって、
受信した上記第１リクエストと受信した上記第２リクエストとを特定画像データについての上記リクエストに結合する上記モジュールは、
受信した上記第１リクエストと受信した上記第２リクエストとの間に共通するピクセルデータを除去するモジュールを含む。
【０７９８】
３６３．態様３２７に記載の装置であって、
シーンの一部である特定画像データについてのリクエストを取得する上記モジュールは、
シーンの一部であるビデオデータについてのリクエストを取得するモジュールを含む。
【０７９９】
３６４．態様３２７に記載の装置であって、
シーンの一部である特定画像データについてのリクエストを取得する上記モジュールは、
シーンの一部であり、音声データを含む特定画像データについての上記リクエストを取得するモジュールを含む。
【０８００】
３６５．態様３２７に記載の装置であって、
シーンの一部である特定画像データについてのリクエストを取得する上記モジュールは、
音声インタフェースを介して特定画像データについての上記リクエストを受信するユーザ装置からシーンの一部である特定画像データについての上記リクエストを取得するモジュールを含む。
【０８０１】
３６６．態様３６５に記載の装置であって、
音声インタフェースを介して特定画像データについての上記リクエストを受信するユーザ装置からシーンの一部である特定画像データについての上記リクエストを取得する上記モジュールは、
特定画像データについての発話された音声リクエストを上記ユーザから受信するマイクを有する上記ユーザ装置から、シーンの一部である特定画像データについての上記リクエストを取得するモジュールを含む。
【０８０２】
３６７．態様３２７に記載の装置であって、
上記特定画像データについての上記リクエストを、２以上の画像センサを含み、かつ、リクエストされた上記特定画像データよりも大きい上記シーンを取り込むように構成された画像センサアレイに送信する上記モジュールは、
上記シーンの上記特定画像データについての上記リクエストを、２以上の画像センサを含み、かつ、リクエストされた上記画像データよりも大きい画像を取り込むように構成された上記画像センサアレイに送信するモジュールを含む。
【０８０３】
３６８．態様３２７に記載の装置であって、
上記特定画像データについての上記リクエストを、２以上の画像センサを含み、かつ、リクエストされた上記特定画像データよりも大きい上記シーンを取り込むように構成された画像センサアレイに送信する上記モジュールは、
上記特定画像データについての上記リクエストを、（１）互いに角度を付けた２つの画像センサを含み、かつ、（２）リクエストされた上記特定画像データよりも大きいシーンを取り込むように構成された画像センサアレイに送信するモジュールを含む。
【０８０４】
３６９．態様３２７に記載の装置であって、
上記特定画像データについての上記リクエストを、２以上の画像センサを含み、かつ、リクエストされた上記特定画像データよりも大きい上記シーンを取り込むように構成された画像センサアレイに送信する上記モジュールは、
上記シーンの上記特定画像データについての上記リクエストを、グリッド状に配された画像センサのアレイを含み、かつ、リクエストされた上記画像データよりも大きい画像を取り込むように構成された上記画像センサアレイに送信するモジュールを含む。
【０８０５】
３７０．態様３２７に記載の装置であって、
上記特定画像データについての上記リクエストを、２以上の画像センサを含み、かつ、リクエストされた上記特定画像データよりも大きい上記シーンを取り込むように構成された画像センサアレイに送信する上記モジュールは、
上記シーンの上記特定画像データについての上記リクエストを、視野が１２０°よりも大きくなるように線状に配された画像センサのアレイを含み、かつ、リクエストされた上記画像データよりも大きい画像を取り込むように構成された上記画像センサアレイに送信するモジュールを含む。
【０８０６】
３７１．態様３２７に記載の装置であって、
上記特定画像データについての上記リクエストを、２以上の画像センサを含み、かつ、リクエストされた上記特定画像データよりも大きい上記シーンを取り込むように構成された画像センサアレイに送信する上記モジュールは、
上記シーンの上記特定画像データについての上記リクエストを、固定の画像センサを含み、かつ、リクエストされた上記画像データよりも大きい画像を取り込むように構成された上記画像センサアレイに送信するモジュールを含む。
【０８０７】
３７２．態様３２７に記載の装置であって、
上記特定画像データについての上記リクエストを、２以上の画像センサを含み、かつ、リクエストされた上記特定画像データよりも大きい上記シーンを取り込むように構成された画像センサアレイに送信する上記モジュールは、
上記シーンの上記特定画像データについての上記リクエストを、静止した画像センサのアレイを含み、かつ、リクエストされた上記画像データよりも大きい画像を取り込むように構成された上記画像センサアレイに送信するモジュールを含む。
【０８０８】
３７３．態様３７２に記載の装置であって、
上記シーンの上記特定画像データについての上記リクエストを、静止した画像センサのアレイを含み、かつ、リクエストされた上記画像データよりも大きい画像を取り込むように構成された上記画像センサアレイに送信する上記モジュールは、
上記シーンの上記特定画像データについての上記リクエストを、焦点距離および視野が固定された画像センサのアレイを含み、かつ、リクエストされた上記画像データよりも大きい画像を取り込むように構成された上記画像センサアレイに送信するモジュールを含む。
【０８０９】
３７４．態様３２７に記載の装置であって、
上記特定画像データについての上記リクエストを、２以上の画像センサを含み、かつ、リクエストされた上記特定画像データよりも大きい上記シーンを取り込むように構成された画像センサアレイに送信する上記モジュールは、
上記シーンの上記特定画像データについての上記リクエストを、移動式プラットフォームに搭載された画像センサのアレイを含み、かつ、リクエストされた上記画像データよりも大きい画像を取り込むように構成された上記画像センサアレイに送信するモジュールを含む。
【０８１０】
３７５．態様３２７に記載の装置であって、
上記特定画像データについての上記リクエストを、２以上の画像センサを含み、かつ、リクエストされた上記特定画像データよりも大きい上記シーンを取り込むように構成された画像センサアレイに送信する上記モジュールは、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信するモジュールを含む。
【０８１１】
３７６．態様３７５に記載の装置であって、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信する上記モジュールは、
上記シーンの上記特定画像データについての上記リクエストを、２以上の画像センサを含み、かつ、リクエストされた上記特定画像データよりもデータ量が１０倍より多い画像データを表現する上記シーンを取り込むように構成された上記画像センサアレイに送信するモジュールを含む。
【０８１２】
３７７．態様３７５に記載の装置であって、
上記シーンの上記特定画像データについての上記リクエストを、２以上の画像センサを含み、かつ、リクエストされた上記特定画像データよりもデータ量が多い画像データを表現する上記シーンを取り込むように構成された上記画像センサアレイに送信する上記モジュールは、
上記シーンの上記特定画像データについての上記リクエストを、２以上の画像センサを含み、かつ、リクエストされた上記特定画像データよりもデータ量が１００倍より多い画像データを表現する上記シーンを取り込むように構成された上記画像センサアレイに送信するモジュールを含む。
【０８１３】
３７８．態様３２７に記載の装置であって、
上記特定画像データについての上記リクエストを、２以上の画像センサを含み、かつ、リクエストされた上記特定画像データよりも大きい上記シーンを取り込むように構成された画像センサアレイに送信する上記モジュールは、
上記特定画像データについての上記リクエストを、リクエストされた上記特定画像データよりも広い視野で表現する上記シーンを取り込むように構成された上記画像センサアレイに送信するモジュールを含む。
【０８１４】
３７９．態様３２７に記載の装置であって、
上記特定画像データについての上記リクエストを、２以上の画像センサを含み、かつ、リクエストされた上記特定画像データよりも大きい上記シーンを取り込むように構成された画像センサアレイに送信する上記モジュールは、
上記特定画像データについての上記リクエストを変更するモジュールと、
上記特定画像データについての変更された上記リクエストを、２以上の画像センサを含み、かつ、リクエストされた上記特定画像データよりも大きい上記シーンを取り込むように構成された上記画像センサアレイに送信するモジュールと、を含む。
【０８１５】
３８０．態様３７９に記載の装置であって、
特定画像データについてのリクエストを変更する上記モジュールは、
上記特定画像データについての上記リクエストから指定画像データを取り除くように構成されたモジュールを含む。
【０８１６】
３８１．態様３８０に記載の装置であって、
上記特定画像データについての上記リクエストから指定画像データを取り除くように構成された上記モジュールは、
前に保存された画像データに基づいて、上記特定画像データについての上記リクエストから指定画像データを取り除くように構成されたモジュールを含む。
【０８１７】
３８２．態様３８１に記載の装置であって、
前に保存された画像データに基づき、上記特定画像データについての上記リクエストから指定画像データを取り除くように構成された上記モジュールは、
上記画像センサアレイから取り込まれた、前に保存された画像データに基づいて、上記特定画像データについての上記リクエストから指定画像データを取り除くするように構成されたモジュールを含む。
【０８１８】
３８３．態様３８１に記載の装置であって、
前に保存された画像データに基づいて、上記特定画像データについての上記リクエストから指定画像データを取り除くように構成された上記モジュールは、
上記指定画像データの早い時間のバージョンである、前に保存された画像データに基づいて、上記特定画像データについての上記リクエストから指定画像データを取り除くように構成されたモジュールを含む。
【０８１９】
３８４．態様３８３に記載の装置であって、
上記指定画像データの早い時間のバージョンである、前に保存された画像データに基づいて、上記特定画像データについての上記リクエストから指定画像データを取り除くように構成された上記モジュールは、
上記画像センサアレイによって取り込まれた、早い時間のバージョンからの、１以上の静止オブジェクトの前に保存された画像データに基づいて、ストリートのビューである上記特定画像データについての上記リクエストから、上記１以上の静止オブジェクトの画像データを取り除くように構成されたモジュールを含む。
【０８２０】
３８５．態様３８４に記載の装置であって、
上記画像センサアレイによって取り込まれた、早い時間のバージョンからの、１以上の静止オブジェクトの前に保存された画像データに基づいて、ストリートのビューである上記特定画像データについての上記リクエストから、上記１以上の静止オブジェクトの画像データを取り除くように構成された上記モジュールは、
上記画像センサアレイによって取り込まれた、早い時間のバージョンからの、１以上の上記静止オブジェクトの前に保存された画像データに基づいて、
上記ストリートのビューである上記特定画像データについての上記リクエストから、上記１以上の静止オブジェクトの特定画像データを取り除き、かつ、上記特定画像データについての上記リクエストから、１以上の建物の画像データを取り除くように構成されたモジュールを含む。
【０８２１】
３８６．態様３７９に記載の装置であって、
特定画像データについてのリクエストを変更する上記モジュールは、
上記特定画像データについての上記リクエストの一部におけるピクセルの内挿または外挿によって、上記特定画像データについての上記リクエストの一部から、画像データを取り除くモジュールを含む。
【０８２２】
３８７．態様３８６に記載の装置であって、
上記特定画像データについての上記リクエストの一部におけるピクセルの内挿または外挿によって、上記特定画像データについての上記リクエストの一部から、画像データを取り除く上記モジュールは、
上記特定画像データについての上記リクエストの上記一部におけるピクセルの内挿によって、上記特定画像データについての上記リクエストから、１以上の静止オブジェクトを取り除くように構成されたモジュールを含む。
【０８２３】
３８８．態様３７９に記載の装置であって、
特定画像データについてのリクエストを変更する上記モジュールは、
すでにメモリに保存された上記特定画像データについての上記リクエストの少なくとも一部を特定するように構成されたモジュールと、
上記特定画像データについての上記リクエストから特定された上記部分を取り除くように構成されたモジュールと、を含む。
【０８２４】
３８９．態様３８８に記載の装置であって、
すでにメモリに保存された上記特定画像データについての上記リクエストの少なくとも一部を特定するように構成された上記モジュールは、
上記画像センサアレイによって前に取り込まれた特定画像データについての上記リクエストの少なくとも一部を特定するように構成されたモジュールを含む。
【０８２５】
３９０．態様３８８に記載の装置であって、
すでにメモリに保存された上記特定画像データについての上記リクエストの少なくとも一部を特定するように構成された上記モジュールは、
上記画像センサアレイによって前に取り込まれた特定画像データについての上記リクエストの１以上の静止オブジェクトを特定するように構成されたモジュールを含む。
【０８２６】
３９１．態様３９０に記載の装置であって、
上記画像センサアレイによって前に取り込まれた特定画像データについての上記リクエストの１以上の静止オブジェクトを特定するように構成された上記モジュールは、
上記画像センサアレイによって前に取り込まれた特定画像データについての上記リクエストの１以上の露出している自然岩を特定するように構成されたモジュールを含む。
【０８２７】
３９２．態様３２７に記載の装置であって、
特定画像データについてのリクエストを、２以上の画像センサを含み、かつ、リクエストされた上記特定画像データよりも大きい上記シーンを取り込むように構成された画像センサアレイに送信する上記モジュールは、
特定画像データについてのリクエストに係るサイズを決定するモジュールと、
上記シーンを取り込むように構成された上記画像センサアレイに対してサイズが決定された、上記特定画像データについての上記リクエストを送信するように構成されたモジュールと、を含む。
【０８２８】
３９３．態様３９２に記載の装置であって、
特定画像データについてのリクエストに係るサイズを決定する上記モジュールは、
上記特定画像データの少なくとも一部をリクエストしたユーザ装置の特性に少なくとも部分的に基づいて、上記特定画像データについての上記リクエストに係る上記サイズを決定するように構成されたモジュールを含む。
【０８２９】
３９４．態様３９３に記載の装置であって、
上記特定画像データの少なくとも一部をリクエストしたユーザ装置の特性に少なくとも部分的に基づいて、上記特定画像データについての上記リクエストに係る上記サイズを決定するように構成された上記モジュールは、
上記特定画像データをリクエストした上記ユーザ装置の解像度に少なくとも部分的に基づいて、上記特定画像データについての上記リクエストに係る上記サイズを決定するように構成されたモジュールを含む。
【０８３０】
３９５．態様３９２に記載の装置であって、
特定画像データについてのリクエストに係るサイズを決定する上記モジュールは、
上記特定画像データの少なくとも一部をリクエストしたユーザ装置の装置アクセスレベルに少なくとも部分的に基づいて、上記特定画像データについての上記リクエストに係る上記サイズを決定するように構成されたモジュールを含む。
【０８３１】
３９６．態様３９２に記載の装置であって、
特定画像データについてのリクエストに係るサイズを決定する上記モジュールは、
上記画像センサアレイとの通信のために使用可能な周波数帯域の大きさに少なくとも部分的に基づいて、上記特定画像データについての上記リクエストに係る上記サイズを決定するように構成されたモジュールを含む。
【０８３２】
３９７．態様３９２に記載の装置であって、
特定画像データについてのリクエストに係るサイズを決定する上記モジュールは、
上記特定画像データの少なくとも一部をリクエストしたユーザ装置が画像データをリクエストした時間の長さに少なくとも部分的に基づいて、上記特定画像データについての上記リクエストに係る上記サイズを決定するように構成されたモジュールを含む。
【０８３３】
３９８．態様３９２に記載の装置であって、
特定画像データについてのリクエストに係るサイズを決定する上記モジュールは、
上記特定画像データの少なくとも一部をリクエストしたユーザ装置との通信のために使用可能な周波数帯域の大きさに少なくとも部分的に基づいて、上記特定画像データについての上記リクエストに係る上記サイズを決定するように構成されたモジュールを含む。
【０８３４】
３９９．態様３２７に記載の装置であって、
上記画像センサアレイから特定画像データのみを受信する上記モジュールは、
上記画像センサアレイから上記特定画像データのみを受信するように構成されたモジュールを含み、
上記特定画像データ以外の上記シーンに由来するデータは、破棄されている。
【０８３５】
４００．態様３２７に記載の装置であって、
上記画像センサアレイから特定画像データのみを受信する上記モジュールは、
上記画像センサアレイから上記特定画像データのみを受信するように構成されたモジュールを含み、
上記特定画像データ以外の上記シーンに由来するデータは、上記画像センサアレイに保存されている。
【０８３６】
４０１．態様３２７に記載の装置であって、
上記画像センサアレイから特定画像データのみを受信する上記モジュールは、
上記画像センサアレイから上記特定画像データをリアルタイムで受信するように構成されたモジュールを含む。
【０８３７】
４０２．態様３２７に記載の装置であって、
上記画像センサアレイから特定画像データのみを受信する上記モジュールは、
上記画像センサアレイから上記特定画像データをリアルタイムで受信するように構成されたモジュールと、
上記特定画像データ以外の上記シーンに由来するデータを、後の時刻において取り込むように構成されたモジュールと、を含む。
【０８３８】
４０３．態様４０２に記載の装置であって、
上記特定画像データ以外の上記シーンに由来するデータを、後の時刻において取り込むように構成された上記モジュールは、
上記特定画像データ以外の上記シーンに由来するデータを、周波数帯域が上記画像センサアレイに対して使用可能となる時刻において取り込むように構成されたモジュールを含む。
【０８３９】
４０４．態様４０２に記載の装置であって、
上記特定画像データ以外の上記シーンに由来するデータを、後の時刻において取り込むように構成された上記モジュールは、
上記特定画像データ以外の上記シーンに由来するデータを、上記画像センサアレイのオフピーク使用を示す時刻において取り込むように構成されたモジュールを含む。
【０８４０】
４０５．態様４０２に記載の装置であって、
上記特定画像データ以外の上記シーンに由来するデータを、後の時刻において取り込むように構成された上記モジュールは、
上記特定画像データ以外の上記シーンに由来するデータを、特定画像データがリクエストされない時刻において取り込むように構成されたモジュールを含む。
【０８４１】
４０６．態様４０２に記載の装置であって、
上記特定画像データ以外の上記シーンに由来するデータを、後の時刻において取り込むように構成された上記モジュールは、
上記特定画像データ以外の上記シーンに由来するデータを、上記画像センサアレイの能力ほどに特定画像データをリクエストするユーザが殆どいない時刻において取り込むように構成されたモジュールを含む。
【０８４２】
４０７．態様３２７に記載の装置であって、
上記画像センサアレイから特定画像データのみを受信する上記モジュールは、
上記画像センサアレイからの音声データを含む上記特定画像データのみを受信するように構成されたモジュールを含む。
【０８４３】
４０８．態様３２７に記載の装置であって、
上記画像センサアレイから特定画像データのみを受信する上記モジュールは、
上記画像センサアレイから、リクエストされた特定画像オブジェクトを含むと判定された上記特定画像データのみを受信するように構成されたモジュールを含む。
【０８４４】
４０９．態様４０８に記載の装置であって、
上記画像センサアレイから、リクエストされた特定画像オブジェクトを含むと判定された上記特定画像データのみを受信するように構成された上記モジュールは、
リクエストされた特定画像オブジェクトを含むと上記画像センサアレイによって判定された上記特定画像データのみを受信するように構成されたモジュールを含む。
【０８４５】
４１０．態様３２７に記載の装置であって、
受信した特定画像データを少なくとも一つのリクエスタに送信する上記モジュールは、
受信した特定画像データを少なくとも一つのユーザ装置リクエスタに送信するモジュールを含む。
【０８４６】
４１１．態様４１０に記載の装置であって、
受信した特定画像データを少なくとも一つのユーザ装置リクエスタに送信する上記モジュールは、
受信した上記特定画像データの少なくとも一部を、上記特定画像データをリクエストしたユーザ装置に送信する。
【０８４７】
４１２．態様３２７に記載の装置であって、
受信した特定画像データを少なくとも一つのリクエスタに送信する上記モジュールは、
受信した上記特定画像データを１以上のリクエスト画像のセットに分離するように構成されたモジュールと、
上記１以上のリクエスト画像のセットのうちの少なくとも１つの画像を、上記少なくとも１つの画像をリクエストした特定のリクエスタに送信するように構成されたモジュールと、を含む。
【０８４８】
４１３．態様４１２に記載の装置であって、
受信した上記特定画像データを１以上のリクエスト画像のセットに分離するように構成された上記モジュールは、
受信した上記特定画像データを、第１リクエスト画像と第２リクエスト画像とに分離するように構成されたモジュールを含む。
【０８４９】
４１４．態様３２７に記載の装置であって、
受信した特定画像データを少なくとも一つのリクエスタに送信する上記モジュールは、
受信した上記特定画像データを、受信した上記特定画像データの一部である画像をリクエストしたユーザ装置に送信するように構成されたモジュールを含む。
【０８５０】
４１５．態様３２７に記載の装置であって、
受信した特定画像データを少なくとも一つのリクエスタに送信する上記モジュールは、
受信した特定画像データの第１部分を第１リクエスタに送信するモジュールと、
受信した特定画像データの第２部分を第２リクエスタに送信するモジュールと、を含む。
【０８５１】
４１６．態様４１５に記載の装置であって、
受信した特定画像データの第１部分を第１リクエスタに送信する上記モジュールは、
受信した上記特定画像データの上記第１部分を、受信した上記特定画像データの上記第１部分をリクエストした上記第１リクエスタに送信するように構成されたモジュールを含む。
【０８５２】
４１７．態様４１６に記載の装置であって、
受信した上記特定画像データの上記第１部分を、受信した上記特定画像データの上記第１部分をリクエストした上記第１リクエスタに送信するように構成された上記モジュールは、
特定のフットボールプレーヤーを含む画像を、（１）フットボールゲームを表示するよう構成され、かつ、（２）上記特定のフットボールプレーヤーを含む上記画像をリクエストした、テレビ装置に送信するように構成されたモジュールを含む。
【０８５３】
４１８．態様４１５に記載の装置であって、
受信した特定画像データの第２部分を第２リクエスタに送信する上記モジュールは、
受信した上記特定画像データの上記第２部分を、受信した上記特定画像データの上記第２部分をリクエストした上記第２リクエスタに送信するように構成されたモジュールを含む。
【０８５４】
４１９．態様４１８に記載の装置であって、
受信した上記特定画像データの上記第２部分を、受信した上記特定画像データの上記第２部分をリクエストした上記第２リクエスタに送信するように構成された上記モジュールは、
電動車両のビューを含む画像を、都市の特定のコーナーのストリートビューの画像をリクエストしたタブレット装置に送信するように構成されたモジュールを含む。
【０８５５】
４２０．態様３２７に記載の装置であって、
受信した特定画像データを少なくとも一つのリクエスタに送信する上記モジュールは、
受信した上記特定画像データの少なくとも一部を変化させずに、少なくとも一つのリクエスタに送信するように構成されたモジュールを含む。
【０８５６】
４２１．態様３２７に記載の装置であって、
受信した特定画像データを少なくとも一つのリクエスタに送信する上記モジュールは、
送信画像データを生成するために、受信した上記特定画像データの少なくとも一部への補足データの追加を促進するように構成されたモジュールと、
生成した上記送信画像データを少なくとも１つのリクエスタに送信するように構成されたモジュールと、を含む。
【０８５７】
４２２．態様４２１に記載の装置であって、
送信画像データを生成するために、受信した上記特定画像データの少なくとも一部への補足データの追加を促進するように構成された上記モジュールは、
送信画像データを生成するために、受信した上記特定画像データの少なくとも一部への広告データの追加を促進するモジュールを含む。
【０８５８】
４２３．態様４２２に記載の装置であって、
送信画像データを生成するために、受信した上記特定画像データの少なくとも一部への広告データの追加を促進する上記モジュールは、
受信した上記特定画像データの少なくとも上記一部への、受信した上記特定画像データに少なくとも部分的に基づく文脈依存の広告データの追加を促進するように構成されたモジュールを含む。
【０８５９】
４２４．態様４２３に記載の装置であって、
受信した上記特定画像データの少なくとも上記一部への、受信した上記特定画像データに少なくとも部分的に基づく文脈依存の広告データの追加を促進するように構成された上記モジュールは、
ジャングルのオアシスにいるトラの受信した上記特定画像データに、ジャングルのオアシスにいるトラの受信した上記特定画像データに少なくとも部分的に基づく動物愛護寄付ファンドに係る広告データを追加するように構成されたモジュールを含む。
【０８６０】
４２５．態様４２１に記載の装置であって、
送信画像データを生成するために、受信した上記特定画像データの少なくとも一部への補足データの追加を促進するように構成された上記モジュールは、
送信画像データを生成するために、受信した上記特定画像データの少なくとも一部への、受信した上記特定画像データに関連する関連視覚的データの追加を促進するように構成されたモジュールを含む。
【０８６１】
４２６．態様４２５に記載の装置であって、
送信画像データを生成するために、受信した上記特定画像データの少なくとも一部への、受信した上記特定画像データに関連する関連視覚的データの追加を促進するように構成された上記モジュールは、
上記送信画像データを生成するために、フットボールのクオーターバックに関する受信した上記特定画像データに、フットボールゲームにおける上記クオーターバックの受信した上記特定画像データに現れる、ファンタジー・フットボールの統計データを追加するように構成されたモジュールを含む。
【０８６２】
４２７．態様３２７に記載の装置であって、
受信した上記特定画像データを少なくとも一つのリクエスタに送信する上記モジュールは、
送信画像データを生成するために、受信した上記特定画像データの一部のデータの変更を促進するように構成されたモジュールと、
生成した上記送信画像データを、少なくとも一つのリクエスタに送信するように構成されたモジュールを含む。
【０８６３】
４２８．態様４２７に記載の装置であって、
送信画像データを生成するために、受信した上記特定画像データの一部のデータの変更を促進するように構成された上記モジュールは、
送信画像データを生成するために、受信した特定画像データの一部における画像操作変更を促進するモジュール含む。
【０８６４】
４２９．態様４２８に記載の装置であって、
送信画像データを生成するために、受信した特定画像データの一部における画像操作変更を促進する上記モジュールは、
送信画像データを生成するために、受信した特定画像データの一部に対するコントラスト変更バランス化を促進するモジュールを含む。
【０８６５】
４３０．態様４２８に記載の装置であって、
送信画像データを生成するために、受信した特定画像データの一部における画像操作変更を促進する上記モジュールは、
送信画像データを生成するために、受信した特定画像データの一部に対する色変更バランス化を促進するモジュールを含む。
【０８６６】
４３１．態様４２７に記載の装置であって、
送信画像データを生成するために、受信した上記特定画像データの一部のデータの変更を促進するように構成された上記モジュールは、
送信画像データを生成するために、受信した特定画像データの編集を促進するモジュールを含む。
【０８６７】
４３２．態様４３１に記載の装置であって、
送信画像データを生成するために、受信した上記特定画像データの編集を促進する上記モジュールは、
上記リクエスタのセキュリティークリアランスレベルに基づいて、受信した特定画像データの少なくとも一部を編集するモジュールである。
【０８６８】
４３３．態様４３２に記載の装置であって、
上記リクエスタのセキュリティークリアランスレベルに基づいて、受信した特定画像データの少なくとも一部を編集する上記モジュールは、
上記特定画像データをリクエストした装置の不十分なセキュリティークリアランスレベルに基づいて、基地を含む衛星画像を含む、受信した上記特定画像データにおける戦車を編集するモジュールである。
【０８６９】
４３４．態様３２７に記載の装置であって、
受信した上記特定画像データを少なくとも一つのリクエスタに送信する上記送信モジュールは、
受信した上記特定画像データの低解像度バージョンを上記少なくとも一つのリクエスタに送信するモジュールと、
受信した上記特定画像データの最大解像度バージョンを上記少なくとも一つのリクエスタに送信するモジュールと、を含む。
【０８７０】
４３５．シーンの一部である特定画像データについてのリクエストを１以上の第１の特定時刻に取得するモジュールとして構成するための指令を受信する１以上の汎用集積回路と、
２以上の画像センサを含み、かつ、リクエストされた上記特定画像データよりも大きい上記シーンを１以上の第２の特定時刻に取り込むように構成された画像センサアレイに、特定画像データについてのリクエストを送信するモジュールとして構成するための指令を受信する１以上の汎用集積回路と、
上記画像センサアレイから特定画像データのみを１以上の第３の特定時刻に受信するモジュールとして構成するための指令を受信する１以上の汎用集積回路と、
受信した特定画像データを少なくとも１つのリクエスタに１以上の第４の特定時刻に送信するモジュールとして構成するための指令を受信する１以上の汎用集積回路と、を含む装置。
【０８７１】
４３６．態様４３５に記載の装置であって、
上記１以上の第２の特定時刻は、上記１以上の第３の特定時刻、および１以上の第４の特定時刻の前に生じ、上記１以上の第１の特定時刻の後に生じるものである。
【０８７２】
４３７．シーンの一部である特定画像データについてのリクエストを第１の特定時刻に取得するモジュールとすることを目的とする集積回路と、
２以上の画像センサを含み、かつ、リクエストされた上記特定画像データよりも大きい上記シーンを第２の特定時刻に取り込むように構成された画像センサアレイに、特定画像データについてのリクエストを送信するモジュールとすることを目的とする集積回路と、
上記画像センサアレイから特定画像データのみを第３の特定時刻に受信するモジュールとすることを目的とする集積回路と、
受信した特定画像データを少なくとも１つのリクエスタに第４の特定時刻に送信するモジュールとすることを目的とする集積回路と、を含む装置。
【０８７３】
４３８．シーンの一部である特定画像データについてのリクエストを取得するモジュールとして機能するためにプログラムされた、１以上のプログラマブルなハードウェア要素と、
２以上の画像センサを含み、かつ、リクエストされた上記特定画像データをよりも大きい上記シーンを取り込むように構成された画像センサアレイに、特定画像データについてのリクエストを送信するモジュールとして機能するためにプログラムされた、１以上のプログラマブルなハードウェア要素と、
上記画像センサアレイから特定画像データのみを受信するモジュールとして機能するためにプログラムされた、１以上のプログラマブルなハードウェア要素と、
受信した特定画像データを少なくとも１つのリクエスタに送信するモジュールとして機能するためにプログラムされた、１以上のプログラマブルなハードウェア要素と、を含む装置。
【０８７４】
上述した特定の処理、装置および／または技術の例示が、例えば本明細書に添付されたクレームの他の部分、および／または本出願の他の部分に教示される、より一般的な処理、装置および／または技術の代表的なものであることを、当業者は十分に理解するであろう。
【図面の簡単な説明】
【０８７５】
【図１−Ａ】位置（１，１）に配置された場合に、本明細書に示された環境の概略図および／または技術の実施例の少なくとも一部を部分的に形成する。
【図１−Ｂ】位置（１，２）に配置された場合に、本明細書に示された環境の概略図および／または技術の実施例の少なくとも一部を部分的に形成する。
【図１−Ｃ】位置（１，３）に配置された場合に、本明細書に示された環境の概略図および／または技術の実施例の少なくとも一部を部分的に形成する。
【図１−Ｄ】位置（１，４）に配置された場合に、本明細書に示された環境の概略図および／または技術の実施例の少なくとも一部を部分的に形成する。
【図１−Ｅ】位置（１，５）に配置された場合に、本明細書に示された環境の概略図および／または技術の実施例の少なくとも一部を部分的に形成する。
【図１−Ｆ】位置（１，６）に配置された場合に、本明細書に示された環境の概略図および／または技術の実施例の少なくとも一部を部分的に形成する。
【図１−Ｇ】位置（１，７）に配置された場合に、本明細書に示された環境の概略図および／または技術の実施例の少なくとも一部を部分的に形成する。
【図１−Ｈ】位置（１，８）に配置された場合に、本明細書に示された環境の概略図および／または技術の実施例の少なくとも一部を部分的に形成する。
【図１−Ｉ】位置（１，９）に配置された場合に、本明細書に示された環境の概略図および／または技術の実施例の少なくとも一部を部分的に形成する。
【図１−Ｊ】位置（１，１０）に配置された場合に、本明細書に示された環境の概略図および／または技術の実施例の少なくとも一部を部分的に形成する。
【図１−Ｋ】位置（２，１）に配置された場合に、本明細書に示された環境の概略図および／または技術の実施例の少なくとも一部を部分的に形成する。
【図１−Ｌ】位置（２，２）に配置された場合に、本明細書に示された環境の概略図および／または技術の実施例の少なくとも一部を部分的に形成する。
【図１−Ｍ】位置（２，３）に配置された場合に、本明細書に示された環境の概略図および／または技術の実施例の少なくとも一部を部分的に形成する。
【図１−Ｎ】位置（２，４）に配置された場合に、本明細書に示された環境の概略図および／または技術の実施例の少なくとも一部を部分的に形成する。
【図１−Ｏ】（図「１０」または「ten」との混同を避けるために書式が変更されている）位置（２，５）に配置された場合に、本明細書に示された環境の概略図および／または技術の実施例の少なくとも一部を部分的に形成する。
【図１−Ｐ】位置（２，６）に配置された場合に、本明細書に示された環境の概略図および／または技術の実施例の少なくとも一部を部分的に形成する。
【図１−Ｑ】位置（２，７）に配置された場合に、本明細書に示された環境の概略図および／または技術の実施例の少なくとも一部を部分的に形成する。
【図１−Ｒ】位置（２，８）に配置された場合に、本明細書に示された環境の概略図および／または技術の実施例の少なくとも一部を部分的に形成する。
【図１−Ｓ】位置（２，９）に配置された場合に、本明細書に示された環境の概略図および／または技術の実施例の少なくとも一部を部分的に形成する。
【図１−Ｔ】位置（２，１０）に配置された場合に、本明細書に示された環境の概略図および／または技術の実施例の少なくとも一部を部分的に形成する。
【図１−Ｕ】位置（３，１）に配置された場合に、本明細書に示された環境の概略図および／または技術の実施例の少なくとも一部を部分的に形成する。
【図１−Ｖ】位置（３，２）に配置された場合に、本明細書に示された環境の概略図および／または技術の実施例の少なくとも一部を部分的に形成する。
【図１−Ｗ】位置（３，３）に配置された場合に、本明細書に示された環境の概略図および／または技術の実施例の少なくとも一部を部分的に形成する。
【図１−Ｘ】位置（３，４）に配置された場合に、本明細書に示された環境の概略図および／または技術の実施例の少なくとも一部を部分的に形成する。
【図１−Ｙ】位置（３，５）に配置された場合に、本明細書に示された環境の概略図および／または技術の実施例の少なくとも一部を部分的に形成する。
【図１−Ｚ】位置（３，６）に配置された場合に、本明細書に示された環境の概略図および／または技術の実施例の少なくとも一部を部分的に形成する。
【図１−ＡＡ】位置（３，７）に配置された場合に、本明細書に示された環境の概略図および／または技術の実施例の少なくとも一部を部分的に形成する。
【図１−ＡＢ】位置（３，８）に配置された場合に、本明細書に示された環境の概略図および／または技術の実施例の少なくとも一部を部分的に形成する。
【図１−ＡＣ】位置（３，９）に配置された場合に、本明細書に示された環境の概略図および／または技術の実施例の少なくとも一部を部分的に形成する。
【図１−ＡＤ】位置（３，１０）に配置された場合に、本明細書に示された環境の概略図および／または技術の実施例の少なくとも一部を部分的に形成する。
【図１−ＡＥ】位置（４，１）に配置された場合に、本明細書に示された環境の概略図および／または技術の実施例の少なくとも一部を部分的に形成する。
【図１−ＡＦ】位置（４，２）に配置された場合に、本明細書に示された環境の概略図および／または技術の実施例の少なくとも一部を部分的に形成する。
【図１−ＡＧ】位置（４，３）に配置された場合に、本明細書に示された環境の概略図および／または技術の実施例の少なくとも一部を部分的に形成する。
【図１−ＡＨ】位置（４，４）に配置された場合に、本明細書に示された環境の概略図および／または技術の実施例の少なくとも一部を部分的に形成する。
【図１−ＡＩ】位置（４，５）に配置された場合に、本明細書に示された環境の概略図および／または技術の実施例の少なくとも一部を部分的に形成する。
【図１−ＡＪ】位置（４，６）に配置された場合に、本明細書に示された環境の概略図および／または技術の実施例の少なくとも一部を部分的に形成する。
【図１−ＡＫ】位置（４，７）に配置された場合に、本明細書に示された環境の概略図および／または技術の実施例の少なくとも一部を部分的に形成する。
【図１−ＡＬ】位置（４，８）に配置された場合に、本明細書に示された環境の概略図および／または技術の実施例の少なくとも一部を部分的に形成する。
【図１−ＡＭ】位置（４，９）に配置された場合に、本明細書に示された環境の概略図および／または技術の実施例の少なくとも一部を部分的に形成する。
【図１−ＡＮ】位置（４，１０）に配置された場合に、本明細書に示された環境の概略図および／または技術の実施例の少なくとも一部を部分的に形成する。
【図２Ａ】１以上の実施形態に係る、画像装置２２０を含む例示的な環境２００のハイレベルブロック図を示す。
【図２Ｂ】１以上の実施形態に係る、例示的な環境２００において動作する演算装置（例：サーバ装置２３０）のハイレベルブロック図を示す。
【図３Ａ】複数の実施形態に係る、例示的な環境３００Ａにおける装置２２０Ａの例示的な動作のハイレベルブロック図を示す。
【図３Ｂ】複数の実施形態に係る、例示的な環境３００Ｂにおける装置２２０Ｂの例示的な動作のハイレベルブロック図を示す。
【図３Ｃ】複数の実施形態に係る、例示的な環境３００Ｃにおける装置２２０Ｃの例示的な動作のハイレベルブロック図を示す。
【図４Ａ】複数の実施形態に係る、例示的な環境４００Ａにおける画像装置４２０の例示的な動作のハイレベルブロック図を示す。
【図４Ｂ】複数の実施形態に係る、例示的な環境４００Ｂにおける画像装置４２０Ｂの例示的な動作のハイレベルブロック図を示す。
【図５Ａ】複数の実施形態に係る、例示的な環境５００Ａにおけるサーバ装置５３０Ａの例示的な動作のハイレベルブロック図を示す。
【図５Ｂ】複数の実施形態に係る、例示的な環境５００Ｂにおけるサーバ装置５３０Ｂの例示的な動作のハイレベルブロック図を示す。
【図６Ａ】一実施形態に係る、図２Ｂのサーバ装置２３０の処理モジュール２５０の、シーンの一部である特定画像データについてのリクエストを取得するモジュール２５２の特定の大局を示す。
【図６Ｂ】一実施形態に係る、図２Ｂのサーバ装置２３０の処理モジュール２５０の、シーンの一部である特定画像データについてのリクエストを取得するモジュール２５２の特定の大局を示す。
【図６Ｃ】一実施形態に係る、図２Ｂのサーバ装置２３０の処理モジュール２５０の、シーンの一部である特定画像データについてのリクエストを取得するモジュール２５２の特定の大局を示す。
【図６Ｄ】一実施形態に係る、図２Ｂのサーバ装置２３０の処理モジュール２５０の、シーンの一部である特定画像データについてのリクエストを取得するモジュール２５２の特定の大局を示す。
【図６Ｅ】一実施形態に係る、図２Ｂのサーバ装置２３０の処理モジュール２５０の、シーンの一部である特定画像データについてのリクエストを取得するモジュール２５２の特定の大局を示す。
【図６Ｆ】一実施形態に係る、図２Ｂのサーバ装置２３０の処理モジュール２５０の、シーンの一部である特定画像データについてのリクエストを取得するモジュール２５２の特定の大局を示す。
【図６Ｇ】一実施形態に係る、図２Ｂのサーバ装置２３０の処理モジュール２５０の、シーンの一部である特定画像データについてのリクエストを取得するモジュール２５２の特定の大局を示す。
【図７Ａ】一実施形態に係る、図２Ｂのサーバ装置２３０の処理モジュール２５０の、特定画像データについてのリクエストを画像センサアレイに送信するモジュール２５４の特定の大局を示す。
【図７Ｂ】一実施形態に係る、図２Ｂのサーバ装置２３０の処理モジュール２５０の、特定画像データについてのリクエストを画像センサアレイに送信するモジュール２５４の特定の大局を示す。
【図７Ｃ】一実施形態に係る、図２Ｂのサーバ装置２３０の処理モジュール２５０の、特定画像データについてのリクエストを画像センサアレイに送信するモジュール２５４の特定の大局を示す。
【図７Ｄ】一実施形態に係る、図２Ｂのサーバ装置２３０の処理モジュール２５０の、特定画像データについてのリクエストを画像センサアレイに送信するモジュール２５４の特定の大局を示す。
【図７Ｅ】一実施形態に係る、図２Ｂのサーバ装置２３０の処理モジュール２５０の、特定画像データについてのリクエストを画像センサアレイに送信するモジュール２５４の特定の大局を示す。
【図８Ａ】一実施形態に係る、図２Ｂのサーバ装置２３０の処理モジュール２５０の、画像センサアレイ発特定画像データ専用受信モジュール２５６の特定の大局を示す。
【図８Ｂ】一実施形態に係る、図２Ｂのサーバ装置２３０の処理モジュール２５０の、画像センサアレイ発特定画像データ専用受信モジュール２５６の特定の大局を示す。
【図８Ｃ】一実施形態に係る、図２Ｂのサーバ装置２３０の処理モジュール２５０の、画像センサアレイ発特定画像データ専用受信モジュール２５６の特定の大局を示す。
【図９Ａ】一実施形態に係る、図２Ｂのサーバ装置２３０の処理モジュール２５０の、受信した特定画像データを少なくとも１つのリクエスタに送信するモジュール２５８の特定の大局を示す。
【図９Ｂ】一実施形態に係る、図２Ｂのサーバ装置２３０の処理モジュール２５０の、受信した特定画像データを少なくとも１つのリクエスタに送信するモジュール２５８の特定の大局を示す。
【図９Ｃ】一実施形態に係る、図２Ｂのサーバ装置２３０の処理モジュール２５０の、受信した特定画像データを少なくとも１つのリクエスタに送信するモジュール２５８の特定の大局を示す。
【図９Ｄ】一実施形態に係る、図２Ｂのサーバ装置２３０の処理モジュール２５０の、受信した特定画像データを少なくとも１つのリクエスタに送信するモジュール２５８の特定の大局を示す。
【図９Ｅ】一実施形態に係る、図２Ｂのサーバ装置２３０の処理モジュール２５０の、受信した特定画像データを少なくとも１つのリクエスタに送信するモジュール２５８の特定の大局を示す。
【図１０】一実施形態に係る、（１）シーンの一部である特定画像データについてのリクエストを取得する動作と、（２）特定画像データについてのリクエストを画像センサアレイに送信する動作と、（３）画像センサアレイから特定画像データのみを受信する動作と、（４）受信した特定画像データを少なくとも一つのリクエスタに送信する動作と、のうちの１以上の動作を含んだ処理のハイレベルロジックフローチャート（例：動作フロー１０００）である。
【図１１Ａ】１以上の実施形態に係る、シーンの一部である特定画像データについてのリクエストを取得する動作１００２の代替的な実施例を示す処理のハイレベルロジックフローチャートである。
【図１１Ｂ】１以上の実施形態に係る、シーンの一部である特定画像データについてのリクエストを取得する動作１００２の代替的な実施例を示す処理のハイレベルロジックフローチャートである。
【図１１Ｃ】１以上の実施形態に係る、シーンの一部である特定画像データについてのリクエストを取得する動作１００２の代替的な実施例を示す処理のハイレベルロジックフローチャートである。
【図１１Ｄ】１以上の実施形態に係る、シーンの一部である特定画像データについてのリクエストを取得する動作１００２の代替的な実施例を示す処理のハイレベルロジックフローチャートである。
【図１１Ｅ】１以上の実施形態に係る、シーンの一部である特定画像データについてのリクエストを取得する動作１００２の代替的な実施例を示す処理のハイレベルロジックフローチャートである。
【図１１Ｆ】１以上の実施形態に係る、シーンの一部である特定画像データについてのリクエストを取得する動作１００２の代替的な実施例を示す処理のハイレベルロジックフローチャートである。
【図１１Ｇ】１以上の実施形態に係る、シーンの一部である特定画像データについてのリクエストを取得する動作１００２の代替的な実施例を示す処理のハイレベルロジックフローチャートである。
【図１２Ａ】１以上の実施形態に係る、特定画像データについてのリクエストを画像センサアレイに送信する動作１００４の代替的な実施例を示す処理のハイレベルロジックフローチャートである。
【図１２Ｂ】１以上の実施形態に係る、特定画像データについてのリクエストを画像センサアレイに送信する動作１００４の代替的な実施例を示す処理のハイレベルロジックフローチャートである。
【図１２Ｃ】１以上の実施形態に係る、特定画像データについてのリクエストを画像センサアレイに送信する動作１００４の代替的な実施例を示す処理のハイレベルロジックフローチャートである。
【図１２Ｄ】１以上の実施形態に係る、特定画像データについてのリクエストを画像センサアレイに送信する動作１００４の代替的な実施例を示す処理のハイレベルロジックフローチャートである。
【図１２Ｅ】１以上の実施形態に係る、特定画像データについてのリクエストを画像センサアレイに送信する動作１００４の代替的な実施例を示す処理のハイレベルロジックフローチャートである。
【図１３Ａ】１以上の実施形態に係る、画像センサアレイから特定画像データのみを受信する動作１００６の代替的な実施例を示す処理のハイレベルロジックフローチャートである。
【図１３Ｂ】１以上の実施形態に係る、画像センサアレイから特定画像データのみを受信する動作１００６の代替的な実施例を示す処理のハイレベルロジックフローチャートである。
【図１３Ｃ】１以上の実施形態に係る、画像センサアレイから特定画像データのみを受信する動作１００６の代替的な実施例を示す処理のハイレベルロジックフローチャートである。
【図１４Ａ】１以上の実施形態に係る、受信した特定画像データを少なくとも一つのリクエスタに送信する動作１００８の代替的な実施例を示す処理のハイレベルロジックフローチャートである。
【図１４Ｂ】１以上の実施形態に係る、受信した特定画像データを少なくとも一つのリクエスタに送信する動作１００８の代替的な実施例を示す処理のハイレベルロジックフローチャートである。
【図１４Ｃ】１以上の実施形態に係る、受信した特定画像データを少なくとも一つのリクエスタに送信する動作１００８の代替的な実施例を示す処理のハイレベルロジックフローチャートである。
【図１４Ｄ】１以上の実施形態に係る、受信した特定画像データを少なくとも一つのリクエスタに送信する動作１００８の代替的な実施例を示す処理のハイレベルロジックフローチャートである。
【図１４Ｅ】１以上の実施形態に係る、受信した特定画像データを少なくとも一つのリクエスタに送信する動作１００８の代替的な実施例を示す処理のハイレベルロジックフローチャートである。
【図１−Ａ】
2018502488.tif 000004
【図１−Ｂ】
2018502488.tif 000005
【図１−Ｃ】
2018502488.tif 000006
【図１−Ｄ】
2018502488.tif 000007
【図１−Ｅ】
2018502488.tif 000008
【図１−Ｆ】
2018502488.tif 000009
【図１−Ｇ】
2018502488.tif 000010
【図１−Ｈ】
2018502488.tif 000011
【図１−Ｉ】
2018502488.tif 000012
【図１−Ｊ】
2018502488.tif 000013
【図１−Ｋ】
2018502488.tif 000014
【図１−Ｌ】
2018502488.tif 000015
【図１−Ｍ】
2018502488.tif 000016
【図１−Ｎ】
2018502488.tif 000017
【図１−Ｏ】
2018502488.tif 000018
【図１−Ｐ】
2018502488.tif 000019
【図１−Ｑ】
2018502488.tif 000020
【図１−Ｒ】
2018502488.tif 000021
【図１−Ｓ】
2018502488.tif 000022
【図１−Ｔ】
2018502488.tif 000023
【図１−Ｕ】
2018502488.tif 000024
【図１−Ｖ】
2018502488.tif 000025
【図１−Ｗ】
2018502488.tif 000026
【図１−Ｘ】
2018502488.tif 000027
【図１−Ｙ】
2018502488.tif 000028
【図１−Ｚ】
2018502488.tif 000029
【図１−ＡＡ】
2018502488.tif 000030
【図１−ＡＢ】
2018502488.tif 000031
【図１−ＡＣ】
2018502488.tif 000032
【図１−ＡＤ】
2018502488.tif 000033
【図１−ＡＥ】
2018502488.tif 000034
【図１−ＡＦ】
2018502488.tif 000035
【図１−ＡＧ】
2018502488.tif 000036
【図１−ＡＨ】
2018502488.tif 000037
【図１−ＡＩ】
2018502488.tif 000038
【図１−ＡＪ】
2018502488.tif 000039
【図１−ＡＫ】
2018502488.tif 000040
【図１−ＡＬ】
2018502488.tif 000041
【図１−ＡＭ】
2018502488.tif 000042
【図１−ＡＮ】
2018502488.tif 000043
【図２Ａ】
2018502488.tif 000044
【図２Ｂ】
2018502488.tif 000045
【図３Ａ】
2018502488.tif 000046
【図３Ｂ】
2018502488.tif 000047
【図３Ｃ】
2018502488.tif 000048
【図４Ａ】
2018502488.tif 000049
【図４Ｂ】
2018502488.tif 000050
【図５Ａ】
2018502488.tif 000051
【図５Ｂ】
2018502488.tif 000052
【図６Ａ】
2018502488.tif 000053
【図６Ｂ】
2018502488.tif 000054
【図６Ｃ】
2018502488.tif 000055
【図６Ｄ】
2018502488.tif 000056
【図６Ｅ】
2018502488.tif 000057
【図６Ｆ】
2018502488.tif 000058
【図６Ｇ】
2018502488.tif 000059
【図７Ａ】
2018502488.tif 000060
【図７Ｂ】
2018502488.tif 000061
【図７Ｃ】
2018502488.tif 000062
【図７Ｄ】
2018502488.tif 000063
【図７Ｅ】
2018502488.tif 000064
【図８Ａ】
2018502488.tif 000065
【図８Ｂ】
2018502488.tif 000066
【図８Ｃ】
2018502488.tif 000067
【図９Ａ】
2018502488.tif 000068
【図９Ｂ】
2018502488.tif 000069
【図９Ｃ】
2018502488.tif 000070
【図９Ｄ】
2018502488.tif 000071
【図９Ｅ】
2018502488.tif 000072
【図１０】
2018502488.tif 000073
【図１１Ａ】
2018502488.tif 000074
【図１１Ｂ】
2018502488.tif 000075
【図１１Ｃ】
2018502488.tif 000076
【図１１Ｄ】
2018502488.tif 000077
【図１１Ｅ】
2018502488.tif 000078
【図１１Ｆ】
2018502488.tif 000079
【図１１Ｇ】
2018502488.tif 000080
【図１２Ａ】
2018502488.tif 000081
【図１２Ｂ】
2018502488.tif 000082
【図１２Ｃ】
2018502488.tif 000083
【図１２Ｄ】
2018502488.tif 000084
【図１２Ｅ】
2018502488.tif 000085
【図１３Ａ】
2018502488.tif 000086
【図１３Ｂ】
2018502488.tif 000087
【図１３Ｃ】
2018502488.tif 000088
【図１４Ａ】
2018502488.tif 000089
【図１４Ｂ】
2018502488.tif 000090
【図１４Ｃ】
2018502488.tif 000091
【図１４Ｄ】
2018502488.tif 000092
【図１４Ｅ】
2018502488.tif 000093
【国際調査報告】
2018502488.tif 000094
2018502488.tif 000095